(57)【要約】クラミジア感染の診断および処置のための化合物および方法を開示する。提供される化合物としては、Ｃｈｌａｍｙｄｉａ抗原の少なくとも１つの抗原性部分を含むポリペプチドおよびこのようなポリペプチドをコードするＤＮＡ配列が挙げられる。このようなポリペプチドまたはＤＮＡ配列を含む薬学的組成物およびワクチンもまた、このようなポリペプチドに対する抗体と共に提供される。このようなポリペプチドまたはＤＮＡ配列、および適切な検出試薬を備える、診断キットは、患者および生物学的サンプルにおけるクラミジア感染の検出のために使用され得る。【特許請求の範囲】
【請求項１】
Ｃｈｌａｍｙｄｉａ　Ｃａｐ１タンパク質またはその免疫原性フラグメントおよび免疫刺激物質を含む、免疫応答を誘導するための組成物。
【請求項２】
前記免疫原性フラグメントが、Ｃａｐ１タンパク質のアミノ酸１３９〜１４７から本質的になる少なくとも１つのＣＴＬエピトープを含む、請求項１に記載の組成物。
【請求項３】
請求項１に記載の組成物であって、前記Ｃａｐ１タンパク質が、配列番号１２１に示されるアミノ酸配列または配列番号１２１に示される配列と少なくとも約９０％の同一性を有する配列を含む、組成物。
【請求項４】
請求項１に記載の組成物であって、前記Ｃａｐ１タンパク質またはその免疫原性フラグメントが、配列番号１２１、１２３、１２５、１２７、１２９、１３１、１３３、１３５、１３７および１３９のいずれか１つに示される配列を含む、組成物。
【請求項５】
前記免疫原性フラグメントがＣａｐ１タンパク質のアミノ酸１０７〜１７６を含む、請求項１に記載の組成物。
【請求項６】
請求項５に記載の組成物であって、前記免疫原性フラグメントが、配列番号１２１、１２３、１２５、１２７、１２９、１３１、１３３、１３５、１３７および１３９のいずれか１つに示されるアミノ酸配列を有するＣａｐ１タンパク質のアミノ酸１０７〜１７６を含む、組成物。
【請求項７】
前記免疫原性フラグメントが、Ｃｈｌａｍｙｄｉａ感染動物のＣＤ８＋Ｔ細胞と免疫学的に反応性である、請求項１に記載の組成物。
【請求項８】
動物においてＣｈｌａｍｙｄｉａ特異的Ｔ細胞応答を刺激するための方法であって、該方法は、請求項１に記載の組成物の有効量を該動物に投与する工程を包含する、方法。
【請求項９】
動物においてＣｈｌａｍｙｄｉａ感染の発達を阻害するための方法であって、該方法は、請求項１に記載の組成物の有効量を該動物に投与する工程を包含する、方法。
【請求項１０】
免疫応答を誘導するための組成物であって、該組成物は、Ｃｈｌａｍｙｄｉａ　Ｃａｐ１タンパク質またはその免疫原性フラグメントをコードする単離されたポリヌクレオチドおよび免疫刺激物質を含む、組成物。
【請求項１１】
請求項１０に記載の組成物であって、前記免疫原性フラグメントが、Ｃａｐ１タンパク質のアミノ酸１３９〜１４７から本質的になる少なくとも１つのＣＴＬエピトープ配列を含む、組成物。
【請求項１２】
請求項１０に記載の組成物であって、前記Ｃａｐ１タンパク質が、配列番号１２１に示されるアミノ酸配列または配列番号１２１に示される配列に少なくとも約９０％の同一性を有する配列を含む、組成物。
【請求項１３】
請求項１０に記載の組成物であって、前記Ｃａｐ１タンパク質またはその免疫原性フラグメントが、配列番号１２１、１２３、１２５、１２７、１２９、１３１、１３３、１３５、１３７および１３９のいずれか１つに示される配列を含む、組成物。
【請求項１４】
前記免疫原性フラグメントがＣａｐ１タンパク質のアミノ酸１０７〜１７６を含む、請求項１０に記載の組成物。
【請求項１５】
請求項１４に記載の組成物であって、前記免疫原性フラグメントが、配列番号１２１、１２３、１２５、１２７、１２９、１３１、１３３、１３５、１３７および１３９のいずれか１つに示されるアミノ酸配列を有するＣａｐ１タンパク質のアミノ酸１０７〜１７６を含む、組成物。
【請求項１６】
前記免疫原性フラグメントが、Ｃｈｌａｍｙｄｉａ感染動物のＣＤ８＋Ｔ細胞と免疫学的に反応性である、請求項１０に記載の組成物。
【請求項１７】
前記単離されたポリヌクレオチドが、ウイルス送達ベクター内に作動可能に連結される、請求項１０に記載の組成物。
【請求項１８】
前記ウイルス送達ベクターがワクシニアウイルス送達ベクターである、請求項１７に記載の組成物。
【請求項１９】
動物においてＣｈｌａｍｙｄｉａ特異的Ｔ細胞応答を刺激するための方法であって、該方法は、請求項１０に記載の組成物の有効量を該動物に投与する工程を包含する、方法。
【請求項２０】
動物においてＣｈｌａｍｙｄｉａ感染の発達を阻害するための方法であって、該方法は、請求項１０に記載の組成物の有効量を該動物に投与する工程を包含する、方法。
【請求項２１】
動物においてＣｈｌａｍｙｄｉａ感染の発達を阻害するための方法であって、該方法は、請求項１８に記載の組成物の有効量を該動物に投与する工程を包含する、方法。
【請求項２２】
単離されたポリヌクレオチドであって、該ポリヌクレオチドは、以下：
（ａ）配列番号３５８〜３６１に提供される配列；
（ｂ）配列番号３５８〜３６１に提供される配列の相補体；
（ｃ）配列番号３５８〜３６１に提供される配列の少なくとも２０連続する残基からなる配列；
（ｄ）高度にストリンジェントな条件下で、配列番号３５８〜３６１に提供される配列とハイブリダイズする配列；
（ｅ）配列番号３５８〜３６１の配列と少なくとも９５％の同一性を有する配列；
（ｆ）配列番号３５８〜３６１の配列と少なくとも９９％の同一性を有する配列；および
（ｇ）配列番号３５８〜３６１に提供される配列の縮重改変体、
からなる群より選択される配列を含む、ポリヌクレオチド。
【請求項２３】
単離されたポリペプチドであって、該ポリペプチドは、以下：
（ａ）請求項２２に記載のポリヌクレオチドによってコードされる配列；
（ｂ）請求項２２に記載のポリヌクレオチドによってコードされる配列に少なくとも９５％の同一性を有する配列；および
（ｃ）請求項２２に記載のポリヌクレオチドによってコードされる配列に少なくとも９９％の同一性を有する配列、
からなる群より選択されるアミノ酸配列を含む、ポリペプチド。
【請求項２４】
単離されたポリペプチドであって、該ポリペプチドは、以下：
（ａ）配列番号３６２〜３６５に示されるポリペプチド配列；
（ｂ）配列番号３６２〜３６５に示される配列内にて少なくとも９５％の同一性を有するポリペプチド配列；および
（ｃ）配列番号３６２〜３６５に示される配列内にて少なくとも９９％の同一性を有するポリペプチド配列、
からなる群より選択されるポリペプチド配列の少なくとも１つの免疫原性フラグメントを含む、ポリペプチド。
【請求項２５】
発現制御配列に作動可能に連結された、請求項２２に記載のポリヌクレオチドを含む、発現ベクター。
【請求項２６】
請求項２５に記載の発現ベクターで形質転換されたかまたはトランスフェクトされた、宿主細胞。
【請求項２７】
請求項２３および２４のいずれか１項に記載のポリペプチドに特異的に結合する、単離された抗体またはその抗原結合フラグメント。
【請求項２８】
患者におけるＣｈｌａｍｙｄｉａの存在を検出するための方法であって、該方法は、以下：
（ａ）該患者から生物学的サンプルを得る工程；
（ｂ）請求項２３および２４のいずれか１項に記載のポリペプチドに結合する結合因子と、該生物学的サンプルを接触させる工程；
（ｃ）該サンプル中で、該結合因子に結合するポリペプチドの量を検出する工程；ならびに
（ｄ）ポリペプチドの量を所定のカットオフ値と比較して、それから該患者中のＣｈｌａｍｙｄｉａの存在を決定する工程、
を包含する、方法。
【請求項２９】
請求項２３または２４に記載のポリペプチドの少なくとも１つを含む、融合タンパク質。
【請求項３０】
高度にストリンジェントな条件下で、配列番号３５８〜３６１に示される配列にハイブリダイズする、オリゴヌクレオチド。
【請求項３１】
Ｃｈｌａｍｙｄｉａタンパク質に対して特異的なＴ細胞を刺激および／または拡大するための方法であって、該方法は、以下：
（ａ）請求項２３または２４に記載のポリペプチド；
（ｂ）請求項２２に記載のポリヌクレオチド；および
（ｃ）請求項２２に記載のポリヌクレオチドを発現する抗原提示細胞、
からなる群より選択される少なくとも１つの成分とＴ細胞を、Ｔ細胞の刺激および／または拡大を可能にするのに十分な条件下かつ時間で、接触させる工程を包含する、方法。
【請求項３２】
請求項３１に記載の方法に従って調製されるＴ細胞を含む、単離されたＴ細胞集団。
【請求項３３】
第１の成分ならびに第２の成分を含む組成物であって、該第１の成分が、生理学的に受容可能なキャリアおよび免疫刺激物質からなる群より選択され、そして該第２の成分が、以下：
（ａ）請求項２３または２４に記載のポリペプチド；
（ｂ）請求項２２に記載のポリヌクレオチド；
（ｃ）請求項２７に記載の抗体；
（ｄ）請求項２９に記載の融合タンパク質；
（ｅ）請求項３２に記載のＴ細胞集団；および
（ｆ）請求項２３または２４に記載のポリペプチドを発現する抗原提示細胞、
からなる群より選択される、組成物。
【請求項３４】
患者における免疫応答を刺激するための方法であって、該方法は、以下：
（ａ）請求項３３に記載の組成物；
（ｂ）配列番号４０７〜４３０、５２５〜５５９、および５８２〜５９８のいずれか１つのポリヌクレオチド配列；ならびに
（ｃ）配列番号４３１〜４５４および５６０〜５８１のいずれか１つのポリペプチド配列、
からなる群より選択される組成物を該患者に投与する工程を包含する、方法。
【請求項３５】
患者におけるＣｈａｍｙｄｉａ感染の処置のための方法であって、該方法は、以下：
（ａ）請求項３３に記載の組成物；
（ｂ）配列番号４０７〜４３０、５２５〜５５９、および５８２〜５９８のいずれか１つのポリヌクレオチド配列；ならびに
（ｄ）配列番号４３１〜４５４および５６０〜５８１のいずれか１つのポリペプチド配列、
からなる群より選択される組成物を該患者に投与する工程を包含する、方法。
【請求項３６】
患者におけるＣｈｌａｍｙｄｉａの存在を決定するための方法であって、該方法は、以下：
（ａ）該患者から生物学的サンプルを得る工程；
（ｂ）請求項３０に記載のオリゴヌクレオチドと、該生物学的サンプルを接触させる工程；
（ｃ）該サンプル中で、該オリゴヌクレオチドにハイブリダイズするポリヌクレオチドの量を検出する工程；ならびに
（ｄ）該オリゴヌクレオチドにハイブリダイズするポリヌクレオチドの量を所定のカットオフ値と比較して、それから該患者中のＣｈｌａｍｙｄｉａの存在を決定する工程、
を包含する、方法。
【請求項３７】
請求項３０に記載のオリゴヌクレオチドの少なくとも１つを備える、診断キット。
【請求項３８】
請求項２７に記載の抗体の少なくとも１つおよび検出試薬を備える診断キットであって、該検出試薬がレポーター基を含む、キット。
【請求項３９】
患者におけるＣｈｌａｍｙｄｉａの処置のための方法であって、該方法は、以下：
（ａ）該患者から単離されたＣＤ４＋Ｔ細胞および／またはＣＤ８＋Ｔ細胞を、以下：
（ｉ）請求項２３および２４のいずれか１項に記載のポリペプチド；
（ｉｉ）配列番号４３１〜４５４および５６０〜５８１のいずれか１つのポリペプチド配列；
（ｉｉｉ）請求項２２に記載のポリヌクレオチド；
（ｉｖ）配列番号４０７〜４３０、５２５〜５５９および５８２〜５９８のいずれか１つのポリヌクレオチド配列；
（ｖ）請求項２３および２４のいずれか１項に記載のポリペプチド配列を発現する抗原提示細胞；ならびに
（ｖｉ）配列番号４３１〜４５４および５６０〜５８１のいずれか１つのポリペプチド配列を発現する抗原提示細胞、
からなる群より選択される少なくとも１つの成分と共にインキュベートして、その結果、該Ｔ細胞が増殖する工程；ならびに
（ｂ）該増殖したＴ細胞の有効量を該患者に投与する工程、
を包含する、方法。
【発明の詳細な説明】
【０００１】
（技術分野）
本発明は一般に、Ｃｈｌａｍｙｄｉａ感染の検出および処置に関する。詳細には、本発明は、Ｃｈｌａｍｙｄｉａ抗原を含むポリペプチドに、ならびにＣｈｌａｍｙｄｉａ感染の血清診断および処置のためのそのようなポリペプチドの使用に関する。
【０００２】
（発明の背景）
Ｃｈｌａｍｙｄｉａｅは、広範な種々の重要なヒト感染および動物感染の原因である、細胞内の細菌性病原体である。Ｃｈｌａｍｙｄｉａ　ｔｒａｃｈｏｍａｔｉｓは、最も一般的な性感染病の原因の一つであり、そして骨盤炎症性疾患（ＰＩＤ）を導き得、そして卵管閉塞および不妊をもたらす。Ｃｈｌａｍｙｄｉａ　ｔｒａｃｈｏｍａｔｉｓはまた、雄性不妊症においても役割を果たし得る。１９９０年に、米国においてＰＩＤを処置する費用は、４０億ドルであると見積もられた。Ｃｈｌａｍｙｄｉａ　ｔｒａｃｈｏｍａｔｉｓによる眼の感染に起因するトラコーマは、世界中の予防可能な失明の主な原因である。Ｃｈｌａｍｙｄｉａ　ｐｎｅｕｍｏｎｉａは、ヒトにおける急性気道感染の主な原因であり、そしてまた、アテローム性動脈硬化の病因において、特に冠状心臓疾患において役割を果たすと考えられる。Ｃｈｌａｍｙｄｉａ　ｐｎｅｕｍｏｎｉａに対する高い力価の抗体を有する個体は、冠状心臓疾患を患う可能性が、セロネガティブ個体の少なくとも２倍であることが示されている。従って、Ｃｈｌａｍｙｄｉａ感染は、米国および世界中の両方における重要な健康の問題を構成する。
【０００３】
Ｃｈｌａｍｙｄｉａ感染はしばしば、無症候性である。例えば、女性がＰＩＤについての医学的注意を求めるときまでは、不可逆的な損傷が既に生じていて、不妊となっているかもしれない。従って、当該分野では、Ｃｈｌａｍｙｄｉａ感染の予防および処置のための改善されたワクチンおよび薬学的組成物についての必要性が依然として存在する。本発明は、この必要性を満たし、そして関連の他の利点をさらに提供する。
【０００４】
（発明の要旨）
本発明は、Ｃｈｌａｍｙｄｉａ感染の診断および処置のための組成物および方法を提供する。１つの局面では、本発明は、Ｃｈｌａｍｙｄｉａ抗原またはこのような抗原の改変体の免疫原性部分を含むポリペプチドを提供する。特定の部分および他の改変体は、免疫原性であり、その結果、この改変体が抗原特異的抗血清と反応する能力は、実質的に減少していない。特定の実施形態では、このポリペプチドは、以下からなる群より選択されるポリヌクレオチド配列によってコードされるアミノ酸配列を含む：（ａ）配列番号３５８〜３６１、３６６〜３８５、４０６〜４３０、４５５〜４８９、５１６〜５１７、５２３〜５５９および５８２〜５９６の配列；（ｂ）上記配列の相補体；ならびに（ｃ）（ａ）または（ｂ）の配列に、中程度〜高度にストリンジェントな条件下でハイブリダイズする配列。特定の実施形態では、本発明のポリペプチドは、以下に記載される配列からなる群より選択されるアミノ酸配列を含むＣｈｌａｍｙｄｉａタンパク質の少なくとも一部を含む：配列番号３６２〜３６５、３８６〜４０５、４３１〜４５４、４９０〜５１５、５１８〜５２２、５６０〜５８１および５９７〜５９９ならびにそれらの改変体。
【０００５】
本発明は、上記のポリペプチドをコードするポリヌクレオチドまたはその一部（例えば、Ｃｈｌａｍｙｄｉａタンパク質の少なくとも１５アミノ酸残基をコードする一部）、このようなポリヌクレオチドを含む発現ベクター、およびこのような発現ベクターで形質転換またはトランスフェクトした宿主細胞をさらに提供する。
【０００６】
関連する局面では、上記のポリペプチドをコードするポリヌクレオチド配列、これらのポリヌクレオチド配列の１つ以上を含む組換え発現ベクター、およびこのような発現ベクターで形質転換またはトランスフェクトした宿主細胞もまた提供される。
【０００７】
別の局面では、本発明は、薬学的組成物およびそのワクチンとして使用するための、生理学的に受容可能なキャリアまたは免疫刺激物質と組み合わせた、本発明のポリペプチドを含む融合タンパク質、あるいは、本発明のポリペプチドおよび公知のＣｈｌａｍｙｄｉａ抗原を含む融合タンパク質、ならびにこのような融合タンパク質をコードするポリヌクレオチドを提供する。
【０００８】
本発明はさらに、以下を含む薬学的組成物を提供する：（ａ）Ｃｈｌａｍｙｄｉａタンパク質に特異的に結合する、ポリクローナルおよびモノクローナルの両方の抗体またはそれらの抗原結合フラグメント；ならびに（ｂ）生理学的に受容可能なキャリア。他の局面では、本発明は、本明細書中に開示される１以上のＣｈｌａｍｙｄｉａポリペプチド（例えば、配列番号３６２〜３６５、３８６〜４０５、４３１〜４５４、４９０〜５１５、５１８〜５２２、５６０〜５８１および５９７〜５９９に従うポリペプチド）またはこのようなポリペプチドをコードするポリヌクレオチド分子（例えば、配列番号３５８〜３６１、３６６〜３８５、４０６〜４３０、４５５〜４８９、５１６〜５１７、５２３〜５５９および５８２〜５９６に従うポリヌクレオチド）、および生理学的に受容可能なキャリアを含む薬学的組成物を提供する。本発明はまた、開示されたポリペプチドのうちの１以上および本明細書中で定義されたような免疫刺激物質を含む、予防または治療の目的のためのワクチンを、このようなポリペプチドをコードする１以上のポリヌクレオチド配列および免疫刺激物質を含むワクチンとともに提供する。
【０００９】
なお別の局面では、患者において防御免疫を誘導するための方法が提供され、この方法は、有効量の１以上の上記の薬学的組成物またはワクチンを患者に投与する工程を含む。
【００１０】
なおさらなる局面では、患者におけるＣｈｌａｍｙｄｉａ感染の処置方法が提供され、この方法は、この患者由来の末梢血単核細胞（ＰＢＭＣ）を入手する工程、このＰＢＭＣを本発明のポリペプチド（またはこのようなポリペプチドをコードするポリヌクレオチド）とともにインキュベートして、インキュベートされたＴ細胞を提供する工程、およびこのインキュベートされたＴ細胞をこの患者に投与する工程を含む。本発明はさらに、Ｃｈｌａｍｙｄｉａ感染の処置方法を提供し、この方法は、抗原提示細胞を、本発明のポリペプチド（またはこのようなポリペプチドをコードするポリヌクレオチド）とともにインキュベートしてインキュベートされた抗原提示細胞を提供する工程、およびこのインキュベートされた抗原提示細胞をこの患者に投与する工程を含む。増殖した細胞は、その患者への投与の前にクローニングされてもよいが、必ずしもその必要はない。特定の実施形態では、この抗原提示細胞は、以下からなる群より選択される：樹状細胞、マクロファージ、単球、Ｂ細胞および線維芽細胞。本発明のポリペプチドまたはポリヌクレオチドとともにインキュベートされたＴ細胞または抗原提示細胞を含む、Ｃｈｌａｍｙｄｉａ感染の処置のための組成物もまた提供される。関連する局面では、以下を含むワクチンが提供される：（ａ）上記のポリペプチドを発現する抗原提示細胞および（ｂ）免疫刺激物質。
【００１１】
本発明はさらに、他の局面において、Ｃｈｌａｍｙｄｉａ感染細胞を生物学的サンプルから除去するための方法を提供し、この方法は、生物学的サンプルを、Ｃｈｌａｍｙｄｉａタンパク質と特異的に反応するＴ細胞と接触させる工程を含み、ここでこの接触させる工程は、このタンパク質を発現する細胞の、このサンプルからの除去を可能にするに十分な条件下および時間で行われる。
【００１２】
関連する局面では、患者においてＣｈｌａｍｙｄｉａ感染の発達を阻害するための方法が提供され、この方法は、上記の通りに処理した生物学的サンプルを患者に投与する工程を含む。本発明のさらなる局面では、患者におけるＣｈｌａｍｙｄｉａ感染を検出するための方法および診断キットが提供される。１つの実施形態では、この方法は以下を含む：（ａ）生物学的サンプルを、本明細書中に開示されたポリペプチドまたは融合タンパク質のうちの少なくとも１つと接触させる工程；および（ｂ）このサンプルにおいて、このポリペプチドまたは融合タンパク質に結合する結合因子の存在を検出し、それによってこの生物学的サンプルにおけるＣｈｌａｍｙｄｉａ感染を検出する工程。適切な生物学的サンプルとしては、全血、痰、血清、血漿、唾液、脳脊髄液および尿が挙げられる。１つの実施形態では、診断キットは、本明細書中に開示されたポリペプチドまたは融合タンパク質のうちの１以上を、検出試薬と組み合わせて含む。なお別の実施形態では、診断キットは、本発明のポリペプチドと結合する、モノクローナル抗体またはポリクローナル抗体のいずれかを含む。
【００１３】
本発明はまた、以下を含むＣｈｌａｍｙｄｉａ感染を検出するための方法を提供する：（ａ）患者から生物学的サンプルを得る工程；（ｂ）このサンプルを、ポリメラーゼ連鎖反応における少なくとも２つのオリゴヌクレオチドプライマーと接触させる工程であって、このオリゴヌクレオチドプライマーのうちの少なくとも一方は、本明細書中に開示されたポリヌクレオチド配列と特異的である、工程；および（ｃ）このサンプルにおいて、このオリゴヌクレオチドプライマーの存在下で増幅するポリヌクレオチド配列を検出する工程。１つの実施形態では、このオリゴヌクレオチドプライマーは、本明細書中に開示されるペプチドのポリヌクレオチド配列またはそれにハイブリダイズする配列のうちの少なくとも約１０連続するヌクレオチドを含む。
【００１４】
さらなる局面では、本発明は、以下を含む、患者におけるＣｈｌａｍｙｄｉａ感染の検出方法を提供する：（ａ）生物学的サンプルを患者から得る工程；（ｂ）このサンプルを、本明細書中に開示されるポリヌクレオチド配列に特異的なオリゴヌクレオチドプローブと接触させる工程；および（ｃ）このサンプルにおいて、このオリゴヌクレオチドプローブにハイブリダイズするポリヌクレオチド配列を検出する工程。１つの実施形態では、このオリゴヌクレオチドプローブは、本明細書中に開示されるポリヌクレオチド配列またはそれにハイブリダイズする配列のうちの少なくとも約１５連続するヌクレオチドを含む。
【００１５】
本発明のこれらおよび他の局面は、以下の詳細な説明を参照すれば明らかになる。本明細書中に開示される全ての参考文献は、あたかも各々が個々に援用されたかのように、その全体が本明細書中に参考として援用される。
【００１６】
（配列の識別名）
配列番号１は、Ｃ．ｔｒａｃｈｏｍａｔｉｓクローン１−Ｂ１−６６についての決定されたＤＮＡ配列である。
【００１７】
配列番号２は、Ｃ．ｔｒａｃｈｏｍａｔｉｓクローン４−Ｄ７−２８についての決定されたＤＮＡ配列である。
【００１８】
配列番号３は、Ｃ．ｔｒａｃｈｏｍａｔｉｓクローン３−Ｇ３−１０についての決定されたＤＮＡ配列である。
【００１９】
配列番号４は、Ｃ．ｔｒａｃｈｏｍａｔｉｓクローン１０−Ｃ１０−３１についての決定されたＤＮＡ配列である。
【００２０】
配列番号５は、１−Ｂ１−６６についての推定アミノ酸配列である。
【００２１】
配列番号６は、４−Ｄ７−２８についての推定アミノ酸配列である。
【００２２】
配列番号７は、３−Ｇ３−１０についての第１の推定アミノ酸配列である。
【００２３】
配列番号８は、３−Ｇ３−１０についての第２の推定アミノ酸配列である。
【００２４】
配列番号９は、３−Ｇ３−１０についての第３の推定アミノ酸配列である。
【００２５】
配列番号１０は、３−Ｇ３−１０についての第４の推定アミノ酸配列である。
【００２６】
配列番号１１は、３−Ｇ３−１０についての第５の推定アミノ酸配列である。
【００２７】
配列番号１２は、１０−Ｃ１０−３１についての推定アミノ酸配列である。
【００２８】
配列番号１３は、合成ペプチド１−Ｂ１−６６／４８−６７のアミノ酸配列である。
【００２９】
配列番号１４は、合成ペプチド１−Ｂ１−６６／５８−７７のアミノ酸配列である。
【００３０】
配列番号１５は、Ｃ．ｔｒａｃｈｏｍａｔｉｓ　ｓｅｒｏｖａｒ　ＬＧＶ　ＩＩクローン２Ｃ７−８についての決定されたＤＮＡ配列である。
【００３１】
配列番号１６は、２Ｃ７−８がマッピングするＣ．ｔｒａｃｈｏｍａｔｉｓ　ｓｅｒｏｖａｒ　Ｄゲノム領域由来の推定オープンリーディングフレームについての決定されたＤＮＡ配列である。
【００３２】
配列番号１７は、配列番号１６のＤＮＡ配列によってコードされる推定アミノ酸配列である。
【００３３】
配列番号１８は、合成ペプチドＣｔＣ７．８−１２のアミノ酸配列である。
【００３４】
配列番号１９は、合成ペプチドＣｔＣ７．８−１３のアミノ酸配列である。
【００３５】
配列番号２０は、Ｃ．ｔｒａｃｈｏｍａｔｉｓ　ｓｅｒｏｖａｒ　Ｄ由来の第２の推定オープンリーディングフレームによってコードされる推定アミノ酸配列である。
【００３６】
配列番号２１は、Ｃ．ｔｒａｃｈｏｍａｔｉｓ　ＬＧＶ　ＩＩ由来のクローン４Ｃ９−１８についての決定されたＤＮＡ配列である。
【００３７】
配列番号２２は、Ｃ．ｔｒａｃｈｏｍａｔｉｓ　ＬＧＶ　ＩＩ由来の、Ｌｉｐｏａｍｉｄｅ　Ｄｅｈｙｄｒｏｇｅｎａｓｅに相同な決定されたＤＮＡ配列である。
【００３８】
配列番号２３は、Ｃ．ｔｒａｃｈｏｍａｔｉｓ　ＬＧＶ　ＩＩ由来の、仮想タンパク質に相同な決定されたＤＮＡ配列である。
【００３９】
配列番号２４は、Ｃ．ｔｒａｃｈｏｍａｔｉｓ　ＬＧＶ　ＩＩ由来の、Ｕｂｉｑｕｉｎｏｎｅ　Ｍｅｈｔｙｌｔｒａｎｓｆｅｒａｓｅに相同な決定されたＤＮＡ配列である。
【００４０】
配列番号２５は、Ｃ．ｔｒａｃｈｏｍａｔｉｓ　ＬＧＶ　ＩＩ由来のクローン４Ｃ９−１８＃２　ＢＬ２１　ｐＬｙｓＳについての決定されたＤＮＡ配列である。
【００４１】
配列番号２６は、Ｃ．ｔｒａｃｈｏｍａｔｉｓ　ＬＧＶ　ＩＩ由来の４Ｃ９−１８＃２についての推定アミノ酸配列である。
【００４２】
配列番号２７は、Ｃ．ｐｎｅｕｍｏｎｉａ株ＴＷＡＲ由来のＣｐ−ＳＷＩＢについての決定されたＤＮＡ配列である。
【００４３】
配列番号２８は、Ｃ．ｐｎｅｕｍｏｎｉａ株ＴＷＡＲ由来のＣｐ−ＳＷＩＢについての推定アミノ酸配列である。
【００４４】
配列番号２９は、Ｃ．ｐｎｅｕｍｏｎｉａ株ＴＷＡＲ由来のＣｐ−Ｓ１３（ＣＴ５０９）についての決定されたＤＮＡ配列である。
【００４５】
配列番号３０は、Ｃ．ｐｎｅｕｍｏｎｉａ株ＴＷＡＲ由来のＣｐ−Ｓ１３についての推定アミノ酸配列である。
【００４６】
配列番号３１は、ＣｔＣ７．８−１２およびＣｔＣ７．８−１３由来の１０マーのコンセンサスペプチドについてのアミノ酸配列である。
【００４７】
配列番号３２は、Ｃ．ｔｒａｃｈｏｍａｔｉｓ　ＬＧＶ　ＩＩ由来のクローン２Ｃ７−８についての推定アミノ酸配列である。
【００４８】
配列番号３３は、クローン２Ｃ７−８に対する相同性を示す、Ｃ．ｔｒａｃｈｏｍａｔｉｓ　ｓｅｒｏｖａｒ　Ｄゲノム（ＮＣＢＩ，ＢＬＡＳＴＮ検索）のヌクレオチド５９７３０４−５９７１４５に対応するＤＮＡ配列である。
【００４９】
配列番号３４は、配列番号３３の配列によってコードされる推定されたアミノ酸配列である。
【００５０】
配列番号３５は、Ｃ．ｐｎｅｕｍｏｎｉａ由来のＣ．ｐ．ＳＷＩＢ　Ｎｄｅ（５’プライマー）についてのＤＮＡ配列である。
【００５１】
配列番号３６は、Ｃ．ｐｎｅｕｍｏｎｉａ由来のＣ．ｐ．ＳＷＩＢ　ＥｃｏＲＩ（３’プライマー）についてのＤＮＡ配列である。
【００５２】
配列番号３７は、Ｃ．ｐｎｅｕｍｏｎｉａ由来のＣ．ｐ．Ｓ１３　Ｎｄｅ（５’プライマー）についてのＤＮＡ配列である。
【００５３】
配列番号３８は、Ｃ．ｐｎｅｕｍｏｎｉａ由来のＣ．ｐ．Ｓ１３　ＥｃｏＲＩ（３’プライマー）についてのＤＮＡ配列である。
【００５４】
配列番号３９は、Ｃ．ｔｒａｃｈｏｍａｔｉｓ　ＬＧＶ　ＩＩ由来のＣｔＳｗｉｂ　５２−６７ペプチドについてのアミノ酸配列である。
【００５５】
配列番号４０は、Ｃ．ｐｎｅｕｍｏｎｉａ由来のＣｐＳｗｉｂ　５３−６８ペプチドについてのアミノ酸配列である
配列番号４１は、ヒトＳＷＩドメイン由来のＨｕＳｗｉｂ　２８８−３０２ペプチドについてのアミノ酸配列である。
【００５６】
配列番号４２は、Ｃ．ｔｒａｃｈｏｍａｔｉｓのトポイソメラーゼ−ＳＷＩＢ融合体由来のＣｔＳＷＩ−Ｔ　８２２−８３７ペプチドについてのアミノ酸配列である。
【００５７】
配列番号４３は、Ｃ．ｐｎｅｕｍｏｎｉａのトポイソメラーゼ−ＳＷＩＢ融合体由来のＣｐＳＷＩ−Ｔ　８２８−８４２ペプチドについてのアミノ酸配列である。
【００５８】
配列番号４４は、３’末端を示す、Ｃ．ｔｒａｃｈｏｍａｔｉｓ　ＬＧＶ　ＩＩクローン１９７８３．３（ｊｅｎ．ｓｅｑ（１＞５０９）ＣＴＬ２＃１１−３’）についての第１の決定されたＤＮＡ配列である。
【００５９】
配列番号４５は、５’末端を示す、Ｃ．ｔｒａｃｈｏｍａｔｉｓ　ＬＧＶ　ＩＩクローン１９７８３．４（ｊｅｎ．ｓｅｑ（１＞４８１）ＣＴＬ２＃１１−５’）についての第２の決定されたＤＮＡ配列である。
【００６０】
配列番号４６は、Ｃ．ｔｒａｃｈｏｍａｔｉｓ　ＬＧＶ　ＩＩクローン１９７８４ＣＴＬ２＿１２ｃｏｎｓｅｎｓｕｓ．ｓｅｑ（（１＞４２７）ＣＴＬ２＃１２）についての決定されたＤＮＡ配列である。
【００６１】
配列番号４７は、５’末端を示す、Ｃ．ｔｒａｃｈｏｍａｔｉｓ　ＬＧＶ　ＩＩクローン１９７８５．４（ｊｅｎ．ｓｅｑ（１＞６００）ＣＴＬ２＃１６−５’）についての決定されたＤＮＡ配列である。
【００６２】
配列番号４８は、３’末端を示す、Ｃ．ｔｒａｃｈｏｍａｔｉｓ　ＬＧＶ　ＩＩクローン１９７８６．３（ｊｅｎ．ｓｅｑ（１＞６００）ＣＴＬ２＃１８−３’）についての第１の決定されたＤＮＡ配列である。
【００６３】
配列番号４９は、５’末端を示す、Ｃ．ｔｒａｃｈｏｍａｔｉｓ　ＬＧＶ　ＩＩクローン１９７８６．４（ｊｅｎ．ｓｅｑ（１＞６００）ＣＴＬ２＃１８−５’）についての第２の決定されたＤＮＡ配列である。
【００６４】
配列番号５０は、Ｃ．ｔｒａｃｈｏｍａｔｉｓ　ＬＧＶ　ＩＩクローン１９７８８ＣＴＬ２＿２１ｃｏｎｓｅｎｓｕｓ．ｓｅｑ（１＞４０６）ＣＴＬ２＃２１についての決定されたＤＮＡ配列である。
【００６５】
配列番号５１は、Ｃ．ｔｒａｃｈｏｍａｔｉｓ　ＬＧＶ　ＩＩクローン１９７９０ＣＴＬ２＿２３ｃｏｎｓｅｎｓｕｓ．ｓｅｑ（１＞６０２）ＣＴＬ２＃２３についての決定されたＤＮＡ配列である。
【００６６】
配列番号５２は、Ｃ．ｔｒａｃｈｏｍａｔｉｓ　ＬＧＶ　ＩＩクローン１９７９１ＣＴＬ２＿２４ｃｏｎｓｅｎｓｕｓ．ｓｅｑ（１＞１４５）ＣＴＬ２＃２４についての決定されたＤＮＡ配列である。
【００６７】
配列番号５３は、Ｃ．ｔｒａｃｈｏｍａｔｉｓ　ＬＧＶ　ＩＩクローンＣＴＬ２＃４についての決定されたＤＮＡ配列である。
【００６８】
配列番号５４は、Ｃ．ｔｒａｃｈｏｍａｔｉｓ　ＬＧＶ　ＩＩクローンＣＴＬ２＃８ｂについての決定されたＤＮＡ配列である。
【００６９】
配列番号５５は、リポアミドデヒドロゲナーゼ遺伝子ＣＴ５５７に対する相同性を共有するＣ．ｔｒａｃｈｏｍａｔｉｓ　ＬＧＶ　ＩＩクローンｌ５−Ｇ１−８９についての決定されたＤＮＡ配列である。
【００７０】
配列番号５６は、チオール特異的抗酸化遺伝子ＣＴ６０３に対する相同性を共有するＣ．ｔｒａｃｈｏｍａｔｉｓ　ＬＧＶ　ＩＩクローン１４−Ｈ１−４についての決定されたＤＮＡ配列である。
【００７１】
配列番号５７は、仮想タンパク質ＣＴ６２２に対する相同性を共有するＣ．ｔｒａｃｈｏｍａｔｉｓ　ＬＧＶ　ＩＩクローン１２−Ｇ３−８３についての決定されたＤＮＡ配列である。
【００７２】
配列番号５８は、リポアミドデヒドロゲナーゼ遺伝子ＣＴ５５７に対する相同性を共有するＣ．ｔｒａｃｈｏｍａｔｉｓ　ＬＧＶ　ＩＩクローン１２−Ｂ３−９５についての決定されたＤＮＡ配列である。
【００７３】
配列番号５９は、ｄｎａＫ遺伝子ＣＴ３９６に対する相同性を共有するＣ．ｔｒａｃｈｏｍａｔｉｓ　ＬＧＶ　ＩＩクローン１１−Ｈ４−２８についての決定されたＤＮＡ配列である。
【００７４】
配列番号６０は、ＰＧＰ６−Ｄ毒性タンパク質およびＬ１リボソーム遺伝子ＣＴ３１８に対する部分的相同性を共有するＣ．ｔｒａｃｈｏｍａｔｉｓ　ＬＧＶ　ＩＩクローン１１−Ｈ３−６８についての決定されたＤＮＡ配列である。
【００７５】
配列番号６１は、マレイン酸デヒドロゲナーゼ遺伝子ＣＴ３７６およびグリコーゲンデヒドロゲナーゼ遺伝子ＣＴ０４２に対する部分的相同性を共有する、Ｃ．ｔｒａｃｈｏｍａｔｉｓ　ＬＧＶ　ＩＩクローン１１−Ｇ１−３４についての決定されたＤＮＡ配列である。
【００７６】
配列番号６２は、仮想タンパク質ＣＴ６１０に対する相同性を共有するＣ．ｔｒａｃｈｏｍａｔｉｓ　ＬＧＶ　ＩＩクローン１１−Ｇ１０−４６についての決定されたＤＮＡ配列である。
【００７７】
配列番号６３は、ＯＭＰ２遺伝子ＣＴ４４３に対する相同性を共有するＣ．ｔｒａｃｈｏｍａｔｉｓ　ＬＧＶ　ＩＩクローン１１−Ｃ１２−９１についての決定されたＤＮＡ配列である。
【００７８】
配列番号６４は、ＨＡＤスーパーファミリー遺伝子ＣＴ１０３に対する相同性を共有するＣ．ｔｒａｃｈｏｍａｔｉｓ　ＬＧＶ　ＩＩクローン１１−Ａ３−９３についての決定されたＤＮＡ配列である。
【００７９】
配列番号６５は、チオール特異的抗酸化遺伝子ＣＴ６０３に対する相同性を共有するＣ．ｔｒａｃｈｏｍａｔｉｓ　ＬＧＶ　ＩＩクローン１４−Ｈ１−４についての決定されたアミノ酸配列である。
【００８０】
配列番号６６は、Ｃ．ｔｒａｃｈｏｍａｔｉｓ　ＬＧＶ　ＩＩクローンＣｔＬ２＃９についての決定されたＤＮＡ配列である。
【００８１】
配列番号６７は、Ｃ．ｔｒａｃｈｏｍａｔｉｓ　ＬＧＶ　ＩＩクローンＣｔＬ２＃７についての決定されたＤＮＡ配列である。
【００８２】
配列番号６８は、Ｃ．ｔｒａｃｈｏｍａｔｉｓ　ＬＧＶ　ＩＩクローンＣｔＬ２＃６についての決定されたＤＮＡ配列である。
【００８３】
配列番号６９は、Ｃ．ｔｒａｃｈｏｍａｔｉｓ　ＬＧＶ　ＩＩクローンＣｔＬ２＃５についての決定されたＤＮＡ配列である。
【００８４】
配列番号７０は、Ｃ．ｔｒａｃｈｏｍａｔｉｓ　ＬＧＶ　ＩＩクローンＣｔＬ２＃２についての決定されたＤＮＡ配列である。
【００８５】
配列番号７１は、Ｃ．ｔｒａｃｈｏｍａｔｉｓ　ＬＧＶ　１１クローンＣｔＬ２＃１についての決定されたＤＮＡ配列である。
【００８６】
配列番号７２は、５’末端を示す、Ｃ．ｔｒａｃｈｏｍａｔｉｓ　ＬＧＶ　ＩＩクローン２３５０９．２ＣｔＬ２＃３−５’についての第１の決定されたＤＮＡ配列である。
【００８７】
配列番号７３は、３’末端を示す、Ｃ．ｔｒａｃｈｏｍａｔｉｓ　ＬＧＶ　ＩＩクローン２３５０９．１ＣｔＬ２＃３−３’についての第２の決定されたＤＮＡ配列である。
【００８８】
配列番号７４は、５’末端を示す、Ｃ．ｔｒａｃｈｏｍａｔｉｓ　ＬＧＶ　ＩＩクローン２２１２１．２ＣｔＬ２＃１０−５’について第１の決定されたＤＮＡ配列である。
【００８９】
配列番号７５は、３’末端を示す、Ｃ．ｔｒａｃｈｏｍａｔｉｓ　ＬＧＶ　ＩＩクローン２２１２１．２ＣｔＬ２＃１０−３’について第２の決定されたＤＮＡ配列である。
【００９０】
配列番号７６は、５’末端を示す、Ｃ．ｔｒａｃｈｏｍａｔｉｓ　ＬＧＶ　ＩＩクローン１９７８７．６ＣｔＬ２＃１９−５’について決定されたＤＮＡ配列である。
【００９１】
配列番号７７は、Ｃ．ｐｅｎｅｕｍｏｎｉａｅ　ＬＧＶ　ＩＩクローンＣｐＳ１３−Ｈｉｓについて決定されたＤＮＡ配列である。
【００９２】
配列番号７８は、Ｃ．ｐｅｎｅｕｍｏｎｉａｅ　ＬＧＶ　ＩＩクローンＣｐ＿ＳＳＷＩＢ−Ｈｉｓについて決定されたＤＮＡ配列である。
【００９３】
配列番号７９は、Ｃ．ｔｒａｃｈｏｍａｔｉｓ　ＬＧＶ　ＩＩクローン２３−Ｇ７−６８について決定されたＤＮＡ配列であり、Ｌ１１、Ｌ１０およびＬ１リボソームタンパク質に対する部分的相同性を共有する。
【００９４】
配列番号８０は、Ｃ．ｔｒａｃｈｏｍａｔｉｓ　ＬＧＶ　ＩＩクローン２２−Ｆ８−９１について決定されたＤＮＡ配列であり、ｐｍｐＣ遺伝子に対する相同性を共有する。
【００９５】
配列番号８１は、Ｃ．ｔｒａｃｈｏｍａｔｉｓ　ＬＧＶ　ＩＩクローン２１−Ｅ８−９５について決定されたＤＮＡ配列であり、ＣＴ６１０−ＣＴ６１３遺伝子に対する相同性を共有する。
【００９６】
配列番号８２は、Ｃ．ｔｒａｃｈｏｍａｔｉｓ　ＬＧＶ　ＩＩクローン１９−Ｆ１２−５７について決定されたＤＮＡ配列であり、ＣＴ８５８およびｒｅｃＡ遺伝子に対する相同性を共有する。
【００９７】
配列番号８３は、Ｃ．ｔｒａｃｈｏｍａｔｉｓ　ＬＧＶ　ＩＩクローン１９−Ｆ１２−５３について決定されたＤＮＡ配列であり、グルタミルｔＲＮＡシンテターゼをコードするＣＴ４４５遺伝子に対する相同性を共有する。
【００９８】
配列番号８４は、Ｃ．ｔｒａｃｈｏｍａｔｉｓ　ＬＧＶ　ＩＩクローン１９−Ａ５−５４について決定されたＤＮＡ配列であり、潜在プラスミド遺伝子に対する相同性を共有する。
【００９９】
配列番号８５は、Ｃ．ｔｒａｃｈｏｍａｔｉｓ　ＬＧＶ　ＩＩクローン１７−Ｅ１１−７２について決定されたＤＮＡ配列であり、ＯｐｐＣ＿２およびｐｍｐＤ遺伝子に対する部分的相同性を共有する。
【０１００】
配列番号８６は、Ｃ．ｔｒａｃｈｏｍａｔｉｓ　ＬＧＶ　ＩＩクローン１７−Ｃ１−７７について決定されたＤＮＡ配列であり、ＣＴ８５７およびＣＴ８５８オープンリーディングフレームに対する部分的相同性を共有する。
【０１０１】
配列番号８７は、Ｃ．ｔｒａｃｈｏｍａｔｉｓ　ＬＧＶ　ＩＩクローン１５−Ｈ２−７６について決定されたＤＮＡ配列であり、ｐｍｐＤおよびＳｙｓＥ遺伝子ならびにＣＴ０８９　ＯＲＦに対する部分的相同性を共有する。
【０１０２】
配列番号８８は、Ｃ．ｔｒａｃｈｏｍａｔｉｓ　ＬＧＶ　ＩＩクローン１５−Ａ３−２６について決定されたＤＮＡ配列であり、ＣＴ８５８　ＯＲＦに対する相同性を共有する。
【０１０３】
配列番号８９は、Ｃ．ｐｅｎｅｕｍｏｎｉａｅクローンＣｐ＿ＳＷＩＢ−Ｈｉｓについて決定されたアミノ酸配列である。
【０１０４】
配列番号９０は、Ｃ．ｔｒａｃｈｏｍａｔｉｓ　ＬＧＶ　ＩＩクローンＣｔＬ２＿ＬＰＤＡ＿ＦＬについて決定されたアミノ酸配列である。
【０１０５】
配列番号９１は、Ｃ．ｐｅｎｅｕｍｏｎｉａｅクローンＣｐＳ１３−Ｈｉｓについて決定されたアミノ酸配列である。
【０１０６】
配列番号９２は、Ｃ．ｔｒａｃｈｏｍａｔｉｓ　ＬＧＶ　ＩＩクローンＣｔＬ２＿ＴＳＡ＿ＦＬについて決定されたアミノ酸配列である。
【０１０７】
配列番号９３は、Ｃ．ｔｒａｃｈｏｍａｔｉｓ　ＬＧＶ　ＩＩ由来のＣｔ−Ｓｗｉｂ４３−６１ペプチドについてのアミノ酸配列である。
【０１０８】
配列番号９４は、Ｃ．ｔｒａｃｈｏｍａｔｉｓ　ＬＧＶ　ＩＩ由来のＣｔ−Ｓｗｉｂ４８−６７ペプチドについてのアミノ酸配列である。
【０１０９】
配列番号９５は、Ｃ．ｔｒａｃｈｏｍａｔｉｓ　ＬＧＶ　ＩＩ由来のＣｔ−Ｓｗｉｂ５２−７１ペプチドについてのアミノ酸配列である。
【０１１０】
配列番号９６は、Ｃ．ｔｒａｃｈｏｍａｔｉｓ　ＬＧＶ　ＩＩ由来のＣｔ−Ｓｗｉｂ５８−７７ペプチドについてのアミノ酸配列である。
【０１１１】
配列番号９７は、Ｃ．ｔｒａｃｈｏｍａｔｉｓ　ＬＧＶ　ＩＩ由来のＣｔ−Ｓｗｉｂ６３−８２ペプチドについてのアミノ酸配列である。
【０１１２】
配列番号９８は、Ｃ．ｔｒａｃｈｏｍａｔｉｓ　ＬＧＶ　ＩＩ由来のＣｔ−Ｓｗｉｂ５１−６６ペプチドについてのアミノ酸配列である。
【０１１３】
配列番号９９は、Ｃ．ｐｅｎｅｕｍｏｎｉａ由来のＣｐ−Ｓｗｉｂ５２−６７ペプチドについてのアミノ酸配列である。
【０１１４】
配列番号１００は、Ｃ．ｐｅｎｅｕｍｏｎｉａ由来のＣｐ−Ｓｗｉｂ３７−５１ペプチドについてのアミノ酸配列である。
【０１１５】
配列番号１０１は、Ｃ．ｐｅｎｅｕｍｏｎｉａ由来のＣｔ−Ｓｗｉｂ３２−５１ペプチドについてのアミノ酸配列である。
【０１１６】
配列番号１０２は、Ｃ．ｐｅｎｅｕｍｏｎｉａ由来のＣｔ−Ｓｗｉｂ３７−５６ペプチドについてのアミノ酸配列である。
【０１１７】
配列番号１０３は、Ｃ．ｔｒａｃｈｏｍａｔｉｓ由来のＣｔ−Ｓｗｉｂ３６−５０ペプチドについてのアミノ酸配列である。
【０１１８】
配列番号１０４は、Ｃ．ｔｒａｃｈｏｍａｔｉｓ由来のＣｔ−Ｓ１３　４６−６５ペプチドについてのアミノ酸配列である。
【０１１９】
配列番号１０５は、Ｃ．ｔｒａｃｈｏｍａｔｉｓ由来のＣｔ−Ｓ１３　６０−８０ペプチドについてのアミノ酸配列である。
【０１２０】
配列番号１０６は、Ｃ．ｔｒａｃｈｏｍａｔｉｓ由来のＣｔ−Ｓ１３　１−２０ペプチドについてのアミノ酸配列である。
【０１２１】
配列番号１０７は、Ｃ．ｔｒａｃｈｏｍａｔｉｓ由来のＣｔ−Ｓ１３　４６−６５ペプチドについてのアミノ酸配列である。
【０１２２】
配列番号１０８は、Ｃ．ｔｒａｃｈｏｍａｔｉｓ由来のＣｔ−Ｓ１３　５６−７５ペプチドについてのアミノ酸配列である。
【０１２３】
配列番号１０９は、Ｃ．ｐｅｎｅｕｍｏｎｉａ由来のＣｔ−Ｓ１３　５６−７５ペプチドについてのアミノ酸配列である。
【０１２４】
配列番号１１０は、Ｃ．ｔｒａｃｈｏｍａｔｉｓ　ＬＧＶ　ＩＩクローン２１−Ｇ１２−６０について決定されたＤＮＡ配列であり、仮想タンパク質ＣＴ８７５、ＣＴ２２９およびＣＴ２２８についての部分的オープンリーディングフレームを含む。
【０１２５】
配列番号１１１は、Ｃ．ｔｒａｃｈｏｍａｔｉｓ　ＬＧＶ　ＩＩクローン２２−Ｂ３−５３について決定されたＤＮＡ配列であり、ＧｒｏＥＬのＣＴ１１０　ＯＲＦに対する相同性を共有する。
【０１２６】
配列番号１１２は、Ｃ．ｔｒａｃｈｏｍａｔｉｓ　ＬＧＶ　ＩＩクローン２２−Ａ１−４９について決定されたＤＮＡ配列であり、ＣＴ６６０およびＣＴ６５９　ＯＲＦに対する部分的相同性を共有する。
【０１２７】
配列番号１１３は、Ｃ．ｔｒａｃｈｏｍａｔｉｓ　ＬＧＶ　ＩＩクローン１７−Ｅ２−９について決定されたＤＮＡ配列であり、ＣＴ６１１およびＣＴ６１０　ＯＲＦに対する部分的相同性を共有する。
【０１２８】
配列番号１１４は、Ｃ．ｔｒａｃｈｏｍａｔｉｓ　ＬＧＶ　ＩＩクローン１７−Ｃ１０−３１について決定されたＤＮＡ配列であり、ＣＴ８５８　ＯＲＦに対する部分的相同性を共有する。
【０１２９】
配列番号１１５は、Ｃ．ｔｒａｃｈｏｍａｔｉｓ　ＬＧＶ　ＩＩクローン２１−Ｃ７−８について決定されたＤＮＡ配列であり、ｄｎａＫ様遺伝子に対する相同性を共有する。
【０１３０】
配列番号１１６は、Ｃ．ｔｒａｃｈｏｍａｔｉｓ　ＬＧＶ　ＩＩクローン２０−Ｇ３−４５について決定されたＤＮＡ配列であり、ｐｍｐＢ遺伝子ＣＴ４１３の部分を含む。
【０１３１】
配列番号１１７は、Ｃ．ｔｒａｃｈｏｍａｔｉｓ　ＬＧＶ　ＩＩクローン１８−Ｃ５−２について決定されたＤＮＡ配列であり、Ｓ１リボソームタンパク質ＯＲＦに対する相同性を共有する。
【０１３２】
配列番号１１８は、Ｃ．ｔｒａｃｈｏｍａｔｉｓ　ＬＧＶ　ＩＩクローン１７−Ｃ５−１９について決定されたＤＮＡ配列であり、ＣＴ４３１およびＣＴ４３０についてのＯＲＦの部分を含む。
【０１３３】
配列番号１１９は、Ｃ．ｔｒａｃｈｏｍａｔｉｓ　ＬＧＶ　ＩＩクローン１６−Ｄ４−２２について決定されたＤＮＡ配列であり、哺乳動物細胞内の増殖についてのプラスミドのＯＲＦ３およびＯＲＦ４の部分的配列を含む。
【０１３４】
配列番号１２０は、Ｃ．ｔｒａｃｈｏｍａｔｉｓ血液型亜型ＬＧＶ　ＩＩ　Ｃａｐ１遺伝子ＣＴ５２９について決定された全長ＤＮＡ配列である。
【０１３５】
配列番号１２１は、Ｃ．ｔｒａｃｈｏｍａｔｉｓ血液型亜型ＬＧＶ　ＩＩ　Ｃａｐ１遺伝子ＣＴ５２９について推定された全長アミノ酸配列である。
【０１３６】
配列番号１２２は、Ｃ．ｔｒａｃｈｏｍａｔｉｓ血液型亜型Ｅ　Ｃａｐ１遺伝子ＣＴ５２９について決定された全長ＤＮＡ配列である。
【０１３７】
配列番号１２３は、Ｃ．ｔｒａｃｈｏｍａｔｉｓ血液型亜型Ｅ　Ｃａｐ１遺伝子ＣＴ５２９について推定された全長アミノ酸配列である。
【０１３８】
配列番号１２４は、Ｃ．ｔｒａｃｈｏｍａｔｉｓ血液型亜型１Ａ　Ｃａｐ１遺伝子ＣＴ５２９について決定された全長ＤＮＡ配列である。
【０１３９】
配列番号１２５は、Ｃ．ｔｒａｃｈｏｍａｔｉｓ血液型亜型１Ａ　Ｃａｐ１遺伝子ＣＴ５２９について推定された全長アミノ酸配列である。
【０１４０】
配列番号１２６は、Ｃ．ｔｒａｃｈｏｍａｔｉｓ血液型亜型Ｇ　Ｃａｐ１遺伝子ＣＴ５２９について決定された全長ＤＮＡ配列である。
【０１４１】
配列番号１２７は、Ｃ．ｔｒａｃｈｏｍａｔｉｓ血液型亜型Ｇ　Ｃａｐ１遺伝子ＣＴ５２９について推定された全長アミノ酸配列である。
【０１４２】
配列番号１２８は、Ｃ．ｔｒａｃｈｏｍａｔｉｓ血液型亜型Ｆ１　ＮＩＩ　Ｃａｐ１遺伝子ＣＴ５２９について決定された全長ＤＮＡ配列である。
【０１４３】
配列番号１２９は、Ｃ．ｔｒａｃｈｏｍａｔｉｓ血液型亜型Ｆ１　ＮＩＩ　Ｃａｐ１遺伝子ＣＴ５２９について推定された全長アミノ酸配列である。
【０１４４】
配列番号１３０は、Ｃ．ｔｒａｃｈｏｍａｔｉｓ血液型亜型Ｌ１　Ｃａｐ１遺伝子ＣＴ５２９について決定された全長ＤＮＡ配列である。
【０１４５】
配列番号１３１は、Ｃ．ｔｒａｃｈｏｍａｔｉｓ血液型亜型Ｌ１　Ｃａｐ１遺伝子ＣＴ５２９について推定された全長アミノ酸配列である。
【０１４６】
配列番号１３２は、Ｃ．ｔｒａｃｈｏｍａｔｉｓ血液型亜型Ｌ３　Ｃａｐ１遺伝子ＣＴ５２９について決定された全長ＤＮＡ配列である。
【０１４７】
配列番号１３３は、Ｃ．ｔｒａｃｈｏｍａｔｉｓ血液型亜型Ｌ３　Ｃａｐ１遺伝子ＣＴ５２９について推定された全長アミノ酸配列である。
【０１４８】
配列番号１３４は、Ｃ．ｔｒａｃｈｏｍａｔｉｓ血液型亜型Ｂａ　Ｃａｐ１遺伝子ＣＴ５２９について決定された全長ＤＮＡ配列である。
【０１４９】
配列番号１３５は、Ｃ．ｔｒａｃｈｏｍａｔｉｓ血液型亜型Ｂａ　Ｃａｐ１遺伝子ＣＴ５２９について推定された全長アミノ酸配列である。
【０１５０】
配列番号１３６は、Ｃ．ｔｒａｃｈｏｍａｔｉｓ血液型亜型ＭＯＰＮ　Ｃａｐ１遺伝子ＣＴ５２９について決定された全長アミノ酸配列である。
【０１５１】
配列番号１３７は、Ｃ．ｔｒａｃｈｏｍａｔｉｓ血液型亜型ＭＯＰＮ　Ｃａｐ１遺伝子ＣＴ５２９について推定された全長ＤＮＡ配列である。
【０１５２】
配列番号１３８は、Ｃ．ｔｒａｃｈｏｍａｔｉｓ血液型亜型Ｌ２のＣａｐ１　ＣＴ５２９　ＯＲＦペプチド＃１２４−１３９について決定されたアミノ酸配列である。
【０１５３】
配列番号１３９は、Ｃ．ｔｒａｃｈｏｍａｔｉｓ血液型亜型Ｌ２のＣａｐ１　ＣＴ５２９　ＯＲＦペプチド＃１３２−１４７について決定されたアミノ酸配列である。
【０１５４】
配列番号１４０は、Ｃ．ｔｒａｃｈｏｍａｔｉｓ血液型亜型Ｌ２のＣａｐ１　ＣＴ５２９　ＯＲＦペプチド＃１３８−１５５について決定されたアミノ酸配列である。
【０１５５】
配列番号１４１は、Ｃ．ｔｒａｃｈｏｍａｔｉｓ血液型亜型Ｌ２のＣａｐ１　ＣＴ５２９　ＯＲＦペプチド＃１４６−１６３について決定されたアミノ酸配列である。
【０１５６】
配列番号１４２は、Ｃ．ｔｒａｃｈｏｍａｔｉｓ血液型亜型Ｌ２のＣａｐ１　ＣＴ５２９　ＯＲＦペプチド＃１５４−１７１について決定されたアミノ酸配列である。
【０１５７】
配列番号１４３は、Ｃ．ｔｒａｃｈｏｍａｔｉｓ血液型亜型Ｌ２のＣａｐ１　ＣＴ５２９　ＯＲＦペプチド＃１６２−１７８について決定されたアミノ酸配列である。
【０１５８】
配列番号１４４は、Ｃ．ｔｒａｃｈｏｍａｔｉｓ血液型亜型Ｌ２のＣａｐ１　ＣＴ５２９　ＯＲＦペプチド＃１３８−１４７について決定されたアミノ酸配列である。
【０１５９】
配列番号１４５は、Ｃ．ｔｒａｃｈｏｍａｔｉｓ血液型亜型Ｌ２のＣａｐ１　ＣＴ５２９　ＯＲＦペプチド＃１３９−１４７について決定されたアミノ酸配列である。
【０１６０】
配列番号１４６は、Ｃ．ｔｒａｃｈｏｍａｔｉｓ血液型亜型Ｌ２のＣａｐ１　ＣＴ５２９　ＯＲＦペプチド＃１４０−１４７について決定されたアミノ酸配列である。
【０１６１】
配列番号１４７は、Ｃ．ｔｒａｃｈｏｍａｔｉｓ血液型亜型Ｌ２のＣａｐ１　ＣＴ５２９　ＯＲＦペプチド＃１３８−１４６について決定されたアミノ酸配列である。
【０１６２】
配列番号１４８は、Ｃ．ｔｒａｃｈｏｍａｔｉｓ血液型亜型Ｌ２のＣａｐ１　ＣＴ５２９　ＯＲＦペプチド＃１３８−１４５について決定されたアミノ酸配列である。
【０１６３】
配列番号１４９は、Ｃ．ｔｒａｃｈｏｍａｔｉｓ血液型亜型Ｌ２のＣａｐ１　ＣＴ５２９　ＯＲＦペプチド＃Ｆ１４０−＞Ｉについて決定されたアミノ酸配列である。
【０１６４】
配列番号１５０は、Ｃ．ｔｒａｃｈｏｍａｔｉｓ血液型亜型Ｌ２のＣａｐ１　ＣＴ５２９　ＯＲＦペプチド＃＃Ｓ１３９＞Ｇａについて決定されたアミノ酸配列である。
【０１６５】
配列番号１５１は、Ｃ．ｔｒａｃｈｏｍａｔｉｓ血液型亜型Ｌ２のＣａｐ１　ＣＴ５２９　ＯＲＦペプチド＃＃Ｓ１３９＞Ｇｂについて決定されたアミノ酸配列である。
【０１６６】
配列番号１５２は、Ｃ．ｔｒａｃｈｏｍａｔｉｓ血液型亜型Ｌ２の２１６ａａ　ＯＲＦのペプチド＃２Ｃ７．８−６について決定されたアミノ酸配列である。
【０１６７】
配列番号１５３は、Ｃ．ｔｒａｃｈｏｍａｔｉｓ血液型亜型Ｌ２の２１６ａａ　ＯＲＦのペプチド＃２Ｃ７．８−７について決定されたアミノ酸配列である。
【０１６８】
配列番号１５４は、Ｃ．ｔｒａｃｈｏｍａｔｉｓ血液型亜型Ｌ２の２１６ａａ　ＯＲＦのペプチド＃２Ｃ７．８−８について決定されたアミノ酸配列である。
【０１６９】
配列番号１５５は、Ｃ．ｔｒａｃｈｏｍａｔｉｓ血液型亜型Ｌ２の２１６ａａ　ＯＲＦのペプチド＃２Ｃ７．８−９について決定されたアミノ酸配列である。
【０１７０】
配列番号１５６は、Ｃ．ｔｒａｃｈｏｍａｔｉｓ血液型亜型Ｌ２の２１６ａａ　ＯＲＦのペプチド＃２Ｃ７．８−１０について決定されたアミノ酸配列である。
【０１７１】
配列番号１５７は、Ｃ．ｔｒａｃｈｏｍａｔｉｓ血液型亜型Ｌ２のクローン２Ｃ７．８内の２１６ａａ　ＯＲＦの５３アミノ酸残基ペプチドについて決定されたアミノ酸配列である。
【０１７２】
配列番号１５８は、Ｃ．ｔｒａｃｈｏｍａｔｉｓ血液型亜型Ｌ２のクローン２Ｃ７．８内のＣＴ５２９　ＯＲＦの５２アミノ酸残基ペプチドについて決定されたアミノ酸配列である。
【０１７３】
配列番号１５９は、全長ＣＴ５２９血液型亜型Ｌ２をクローニングするための５’（正方向）プライマーについて決定されたＤＮＡ配列である。
【０１７４】
配列番号１６０は、全長ＣＴ５２９血液型亜型Ｌ２をクローニングするための５’（逆方向）プライマーについて決定されたＤＮＡ配列である。
【０１７５】
配列番号１６１は、Ｌ２およびＭＯＰＮ以外の血液型亜型の全長ＣＴ５２９をクローニングするための５’（正方向）プライマーについて決定されたＤＮＡ配列である。
【０１７６】
配列番号１６２は、Ｌ２およびＭＯＰＮ以外の血液型亜型の全長ＣＴ５２９をクローニングするための５’（逆方向）プライマーについて決定されたＤＮＡ配列である。
【０１７７】
配列番号１６３は、全長ＣＴ５２９血液型亜型ＭＯＰＮをクローニングするための５’（正方向）プライマーについて決定されたＤＮＡ配列である。
【０１７８】
配列番号１６４は、全長ＣＴ５２９血液型亜型ＭＯＰＮをクローニングするための５’（逆方向）プライマーについて決定されたＤＮＡ配列である。
【０１７９】
配列番号１６５は、ｐＢＩＢ−ＫＳのための５’（正方向）プライマーについて決定されたＤＮＡ配列である。
【０１８０】
配列番号１６６は、ｐＢＩＢ−ＫＳのための５’（逆方向）プライマーについて決定されたＤＮＡ配列である。
【０１８１】
配列番号１６７は、血液型亜型Ｌ２由来の９マーエピトープペプチドＣａｐ１＃１３９−１４７について決定されたアミノ酸配列である。
【０１８２】
配列番号１６８は、血液型亜型Ｄ由来の９マーエピトープペプチドＣａｐ１＃１３９−１４７について決定されたアミノ酸配列である。
【０１８３】
配列番号１６９は、Ｃ．ｔｒａｃｈｏｍａｔｉｓ　ｐｍｐＩ（ＣＴ８７４）遺伝子について決定された全長ＤＮＡ配列である。
【０１８４】
配列番号１７０は、Ｃ．ｔｒａｃｈｏｍａｔｉｓ　ｐｍｐＧ遺伝子について決定された全長ＤＮＡ配列である。
【０１８５】
配列番号１７１は、Ｃ．ｔｒａｃｈｏｍａｔｉｓ　ｐｍｐＥ遺伝子について決定された全長ＤＮＡ配列である。
【０１８６】
配列番号１７２は、Ｃ．ｔｒａｃｈｏｍａｔｉｓ　ｐｍｐＤ遺伝子について決定された全長ＤＮＡ配列である。
【０１８７】
配列番号１７３は、Ｃ．ｔｒａｃｈｏｍａｔｉｓ　ｐｍｐＣ遺伝子について決定された全長ＤＮＡ配列である。
【０１８８】
配列番号１７４は、Ｃ．ｔｒａｃｈｏｍａｔｉｓ　ｐｍｐＢ遺伝子について決定された全長ＤＮＡ配列である。
【０１８９】
配列番号１７５は、Ｃ．ｔｒａｃｈｏｍａｔｉｓ　ｐｍｐＩ遺伝子について推定された全長アミノ酸配列である。
【０１９０】
配列番号１７６は、Ｃ．ｔｒａｃｈｏｍａｔｉｓ　ｐｍｐＧ遺伝子について推定された全長アミノ酸配列である。
【０１９１】
配列番号１７７は、Ｃ．ｔｒａｃｈｏｍａｔｉｓ　ｐｍｐＥ遺伝子について推定された全長アミノ酸配列である。
【０１９２】
配列番号１７８は、Ｃ．ｔｒａｃｈｏｍａｔｉｓ　ｐｍｐＤ遺伝子について推定された全長アミノ酸配列である。
【０１９３】
配列番号１７９は、Ｃ．ｔｒａｃｈｏｍａｔｉｓ　ｐｍｐＣ遺伝子について推定された全長アミノ酸配列である。
【０１９４】
配列番号１８０は、Ｃ．ｔｒａｃｈｏｍａｔｉｓ　ｐｍｐＢ遺伝子について推定された全長アミノ酸配列である。
【０１９５】
配列番号１８１は、Ｃ．ｔｒａｃｈｏｍａｔｉｓ　ｐｍｐＩ遺伝子について決定されたＤＮＡ配列（シグナル配列を含まない）である。
【０１９６】
配列番号１８２は、Ｃ．ｔｒａｃｈｏｍａｔｉｓ　ｐｍｐＧ遺伝子について続いて決定された全長ＤＮＡ配列である。
【０１９７】
配列番号１８３は、Ｃ．ｔｒａｃｈｏｍａｔｉｓ　ｐｍｐＥ遺伝子について決定されたＤＮＡ配列（シグナル配列を含まない）である。
【０１９８】
配列番号１８４は、Ｃ．ｔｒａｃｈｏｍａｔｉｓ　ｐｍｐＤ遺伝子についてのカルボキシ末端を示す第１の決定されたＤＮＡ配列である。
【０１９９】
配列番号１８５は、Ｃ．ｔｒａｃｈｏｍａｔｉｓ　ｐｍｐＤ遺伝子についてのアミノ末端を示す第２の決定されたＤＮＡ配列（シグナル配列を含まない）である。
【０２００】
配列番号１８６は、Ｃ．ｔｒａｃｈｏｍａｔｉｓ　ｐｍｐＣ遺伝子についてのカルボキシ末端を示す第１の決定されたＤＮＡ配列である。
【０２０１】
配列番号１８７は、Ｃ．ｔｒａｃｈｏｍａｔｉｓ　ｐｍｐＣ遺伝子についてのアミノ末端を示す第２の決定されたＤＮＡ配列（シグナル配列を含まない）である。
【０２０２】
配列番号１８８は、Ｒａ１２との融合分子におけるＣ．ｐｎｅｕｍｏｎｉａｅ血液型亜型ＭＯＭＰＳ　ｐｍｐ遺伝子を示す決定されたＤＮＡ配列である。
【０２０３】
配列番号１８９は、Ｃ．ｔｒａｃｈｏｍａｔｉｓ　ｐｍｐＩ遺伝子について推定されたアミノ酸配列（シグナル配列を含まない）である。
【０２０４】
配列番号１９０は、Ｃ．ｔｒａｃｈｏｍａｔｉｓ　ｐｍｐＧ遺伝子について続いて推定されたアミノ酸配列である。
【０２０５】
配列番号１９１は、Ｃ．ｔｒａｃｈｏｍａｔｉｓ　ｐｍｐＥ遺伝子について推定されたアミノ酸配列（シグナル配列を含まない）である。
【０２０６】
配列番号１９２は、Ｃ．ｔｒａｃｈｏｍａｔｉｓ　ｐｍｐＤ遺伝子についてのカルボキシ末端を示す第１の推定されたアミノ酸配列である。
【０２０７】
配列番号１９３は、Ｃ．ｔｒａｃｈｏｍａｔｉｓ　ｐｍｐＤ遺伝子についてのアミノ末端を示す第２の推定されたアミノ酸配列（シグナル配列を含まない）である。
【０２０８】
配列番号１９４は、Ｃ．ｔｒａｃｈｏｍａｔｉｓ　ｐｍｐＣ遺伝子についてのカルボキシ末端を示す第１の推定されたアミノ酸配列である。
【０２０９】
配列番号１９５は、Ｃ．ｔｒａｃｈｏｍａｔｉｓ　ｐｍｐＣ遺伝子についてのアミノ末端を示す第２の推定されたアミノ酸配列である。
【０２１０】
配列番号１９６は、Ｒａ１２との融合分子におけるＣ．ｐｅｎｅｕｍｏｎｉａｅ血液型亜型ＭＯＭＰＳ　ｐｍｐ遺伝子を示す推定されたアミノ酸配列である。
【０２１１】
配列番号１９７は、ＳＫＢワクチンベクターにおけるＣ．ｔｒａｃｈｏｍａｔｉｓ　ｐｍｐＣ遺伝子をクローニングするための５’オリゴプライマーについて決定されたＤＮＡ配列である。
【０２１２】
配列番号１９８は、ＳＫＢワクチンベクターにおけるＣ．ｔｒａｃｈｏｍａｔｉｓ　ｐｍｐＣ遺伝子をクローニングするための３’オリゴプライマーについて決定されたＤＮＡ配列である。
【０２１３】
配列番号１９９は、ＳＫＢワクチンベクターにおけるＣ．ｔｒａｃｈｏｍａｔｉｓ　ｐｍｐＣ遺伝子をクローニングするための挿入配列について決定されたＤＮＡ配列である。
【０２１４】
配列番号２００は、ＳＫＢワクチンベクターにおけるＣ．ｔｒａｃｈｏｍａｔｉｓ　ｐｍｐＤ遺伝子をクローニングするための５’オリゴプライマーについて決定されたＤＮＡ配列である。
【０２１５】
配列番号２０１は、ＳＫＢワクチンベクターにおけるＣ．ｔｒａｃｈｏｍａｔｉｓ　ｐｍｐＤ遺伝子をクローニングするための３’オリゴプライマーについて決定されたＤＮＡ配列である。
【０２１６】
配列番号２０２は、ＳＫＢワクチンベクターにおけるＣ．ｔｒａｃｈｏｍａｔｉｓ　ｐｍｐＤ遺伝子をクローニングするための挿入配列について決定されたＤＮＡ配列である。
【０２１７】
配列番号２０３は、ＳＫＢワクチンベクターにおけるＣ．ｔｒａｃｈｏｍａｔｉｓ　ｐｍｐＥ遺伝子をクローニングするための５’オリゴプライマーについて決定されたＤＮＡ配列である。
【０２１８】
配列番号２０４は、ＳＫＢワクチンベクターにおけるＣ．ｔｒａｃｈｏｍａｔｉｓ　ｐｍｐＥ遺伝子をクローニングするための３’オリゴプライマーについて決定されたＤＮＡ配列である。
【０２１９】
配列番号２０５は、ＳＫＢワクチンベクターにおけるＣ．ｔｒａｃｈｏｍａｔｉｓ　ｐｍｐＧ遺伝子をクローニングするための５’オリゴプライマーについて決定されたＤＮＡ配列である。
【０２２０】
配列番号２０６は、ＳＫＢワクチンベクターにおけるＣ．ｔｒａｃｈｏｍａｔｉｓ　ｐｍｐＧ遺伝子をクローニングするための３’オリゴプライマーについて決定されたＤＮＡ配列である。
【０２２１】
配列番号２０７は、ｐＥＴ１７ｂベクターにおけるＣ．ｔｒａｃｈｏｍａｔｉｓ　ｐｍｐＣ遺伝子のアミノ末端部分をクローニングするための５’オリゴプライマーについて決定されたＤＮＡ配列である。
【０２２２】
配列番号２０８は、ｐＥＴ１７ｂベクターにおけるＣ．ｔｒａｃｈｏｍａｔｉｓ　ｐｍｐＣ遺伝子のアミノ末端部分をクローニングするための３’オリゴプライマーについて決定されたＤＮＡ配列である。
【０２２３】
配列番号２０９は、ｐＥＴ１７ｂベクターにおけるＣ．ｔｒａｃｈｏｍａｔｉｓ　ｐｍｐＣ遺伝子のカルボキシ末端部分をクローニングするための５’オリゴプライマーについて決定されたＤＮＡ配列である。
【０２２４】
配列番号２１０は、ｐＥＴ１７ｂベクターにおけるＣ．ｔｒａｃｈｏｍａｔｉｓ　ｐｍｐＣ遺伝子のカルボキシ末端部分をクローニングするための３’オリゴプライマーについて決定されたＤＮＡ配列である。
【０２２５】
配列番号２１１は、ｐＥＴ１７ｂベクターにおけるＣ．ｔｒａｃｈｏｍａｔｉｓ　ｐｍｐＤ遺伝子のアミノ末端部分をクローニングするための５’オリゴプライマーについて決定されたＤＮＡ配列である。
【０２２６】
配列番号２１２は、ｐＥＴ１７ｂベクターにおけるＣ．ｔｒａｃｈｏｍａｔｉｓ　ｐｍｐＤ遺伝子のアミノ末端部分をクローニングするための３’オリゴプライマーについて決定されたＤＮＡ配列である。
【０２２７】
配列番号２１３は、ｐＥＴ１７ｂベクターにおけるＣ．ｔｒａｃｈｏｍａｔｉｓ　ｐｍｐＤ遺伝子のカルボキシ末端部分をクローニングするための５’オリゴプライマーについて決定されたＤＮＡ配列である。
【０２２８】
配列番号２１４は、ｐＥＴ１７ｂベクターにおけるＣ．ｔｒａｃｈｏｍａｔｉｓ　ｐｍｐＤ遺伝子のカルボキシ末端部分をクローニングするための３’オリゴプライマーについて決定されたＤＮＡ配列である。
【０２２９】
配列番号２１５は、ｐＥＴ１７ｂベクターにおけるＣ．ｔｒａｃｈｏｍａｔｉｓ　ｐｍｐＥ遺伝子をクローニングするための５’オリゴプライマーについて決定されたＤＮＡ配列である。
【０２３０】
配列番号２１６は、ｐＥＴ１７ｂベクターにおけるＣ．ｔｒａｃｈｏｍａｔｉｓ　ｐｍｐＥ遺伝子をクローニングするための３’オリゴプライマーについて決定されたＤＮＡ配列である。
【０２３１】
配列番号２１７は、ｐＥＴ１７ｂベクターにおけるＣ．ｔｒａｃｈｏｍａｔｉｓ　ｐｍｐＥ遺伝子をクローニングするための挿入配列について決定されたＤＮＡ配列である。
【０２３２】
配列番号２１８は、ｐＥＴ１７ｂベクターにおけるＣ．ｔｒａｃｈｏｍａｔｉｓ　ｐｍｐＥ遺伝子をクローニングするための挿入配列についてのアミノ酸配列である。
【０２３３】
配列番号２１９は、ｐＥＴ１７ｂベクターにおけるＣ．ｔｒａｃｈｏｍａｔｉｓ　ｐｍｐＧ遺伝子をクローニングするための５’オリゴプライマーについて決定されたＤＮＡ配列である。
【０２３４】
配列番号２２０は、ｐＥＴ１７ｂベクターにおけるＣ．ｔｒａｃｈｏｍａｔｉｓ　ｐｍｐＧ遺伝子をクローニングするための３’オリゴプライマーについて決定されたＤＮＡ配列である。
【０２３５】
配列番号２２１は、ｐＥＴ１７ｂベクターにおけるＣ．ｔｒａｃｈｏｍａｔｉｓ　ｐｍｐＧ遺伝子をクローニングするための挿入配列についてのアミノ酸配列である。
【０２３６】
配列番号２２２は、ｐＥＴ１７ｂベクターにおけるＣ．ｔｒａｃｈｏｍａｔｉｓ　ｐｍｐＩ遺伝子をクローニングするための５’オリゴプライマーについて決定されたＤＮＡ配列である。
【０２３７】
配列番号２２３は、ｐＥＴ１７ｂベクターにおけるＣ．ｔｒａｃｈｏｍａｔｉｓ　ｐｍｐＩ遺伝子をクローニングするための３’オリゴプライマーについて決定されたＤＮＡ配列である。
【０２３８】
配列番号２２４は、Ｃ．ｐｎｅｕｍｏｎｉａｅ　Ｓｗｉｂペプチド１〜２０について決定されたアミノ酸配列である。
【０２３９】
配列番号２２５は、Ｃ．ｐｎｅｕｍｏｎｉａｅ　Ｓｗｉｂペプチド６〜２５について決定されたアミノ酸配列である。
【０２４０】
配列番号２２６は、Ｃ．ｐｎｅｕｍｏｎｉａｅ　Ｓｗｉｂペプチド１２〜３１について決定されたアミノ酸配列である。
【０２４１】
配列番号２２７は、Ｃ．ｐｎｅｕｍｏｎｉａｅ　Ｓｗｉｂペプチド１７〜３６について決定されたアミノ酸配列である。
【０２４２】
配列番号２２８は、Ｃ．ｐｎｅｕｍｏｎｉａｅ　Ｓｗｉｂペプチド２２〜４１について決定されたアミノ酸配列である。
【０２４３】
配列番号２２９は、Ｃ．ｐｎｅｕｍｏｎｉａｅ　Ｓｗｉｂペプチド２７〜４６について決定されたアミノ酸配列である。
【０２４４】
配列番号２３０は、Ｃ．ｐｎｅｕｍｏｎｉａｅ　Ｓｗｉｂペプチド４２〜６１について決定されたアミノ酸配列である。
【０２４５】
配列番号２３１は、Ｃ．ｐｎｅｕｍｏｎｉａｅ　Ｓｗｉｂペプチド４６〜６５について決定されたアミノ酸配列である。
【０２４６】
配列番号２３２は、Ｃ．ｐｎｅｕｍｏｎｉａｅ　Ｓｗｉｂペプチド５１〜７０について決定されたアミノ酸配列である。
【０２４７】
配列番号２３３は、Ｃ．ｐｎｅｕｍｏｎｉａｅ　Ｓｗｉｂペプチド５６〜７５について決定されたアミノ酸配列である。
【０２４８】
配列番号２３４は、Ｃ．ｐｎｅｕｍｏｎｉａｅ　Ｓｗｉｂペプチド６１〜８０について決定されたアミノ酸配列である。
【０２４９】
配列番号２３５は、Ｃ．ｐｎｅｕｍｏｎｉａｅ　Ｓｗｉｂペプチド６６〜８７について決定されたアミノ酸配列である。
【０２５０】
配列番号２３６は、Ｃ．ｔｒａｃｈｏｍａｔｉｓ　ＯＭＣＢペプチド１０３〜１２２について決定されたアミノ酸配列である。
【０２５１】
配列番号２３７は、Ｃ．ｔｒａｃｈｏｍａｔｉｓ　ＯＭＣＢペプチド１０８〜１２７について決定されたアミノ酸配列である。
【０２５２】
配列番号２３８は、Ｃ．ｔｒａｃｈｏｍａｔｉｓ　ＯＭＣＢペプチド１１３〜１３２について決定されたアミノ酸配列である。
【０２５３】
配列番号２３９は、Ｃ．ｔｒａｃｈｏｍａｔｉｓ　ＯＭＣＢペプチド１１８〜１３７について決定されたアミノ酸配列である。
【０２５４】
配列番号２４０は、Ｃ．ｔｒａｃｈｏｍａｔｉｓ　ＯＭＣＢペプチド１２３〜１４３について決定されたアミノ酸配列である。
【０２５５】
配列番号２４１は、Ｃ．ｔｒａｃｈｏｍａｔｉｓ　ＯＭＣＢペプチド１２８〜１４７について決定されたアミノ酸配列である。
【０２５６】
配列番号２４２は、Ｃ．ｔｒａｃｈｏｍａｔｉｓ　ＯＭＣＢペプチド１３３〜１５２について決定されたアミノ酸配列である。
【０２５７】
配列番号２４３は、Ｃ．ｔｒａｃｈｏｍａｔｉｓ　ＯＭＣＢペプチド１３７〜１５６について決定されたアミノ酸配列である。
【０２５８】
配列番号２４４は、Ｃ．ｔｒａｃｈｏｍａｔｉｓ　ＯＭＣＢペプチド１４２〜１６１について決定されたアミノ酸配列である。
【０２５９】
配列番号２４５は、Ｃ．ｔｒａｃｈｏｍａｔｉｓ　ＯＭＣＢペプチド１４７〜１６６について決定されたアミノ酸配列である。
【０２６０】
配列番号２４６は、Ｃ．ｔｒａｃｈｏｍａｔｉｓ　ＯＭＣＢペプチド１５２〜１７１について決定されたアミノ酸配列である。
【０２６１】
配列番号２４７は、Ｃ．ｔｒａｃｈｏｍａｔｉｓ　ＯＭＣＢペプチド１５７〜１７６について決定されたアミノ酸配列である。
【０２６２】
配列番号２４８は、Ｃ．ｔｒａｃｈｏｍａｔｉｓ　ＯＭＣＢペプチド１６２〜１８１について決定されたアミノ酸配列である。
【０２６３】
配列番号２４９は、Ｃ．ｔｒａｃｈｏｍａｔｉｓ　ＯＭＣＢペプチド１６７〜１８６について決定されたアミノ酸配列である。
【０２６４】
配列番号２５０は、Ｃ．ｔｒａｃｈｏｍａｔｉｓ　ＯＭＣＢペプチド１７１〜１９０について決定されたアミノ酸配列である。
【０２６５】
配列番号２５１は、Ｃ．ｔｒａｃｈｏｍａｔｉｓ　ＯＭＣＢペプチド１７１〜１８６について決定されたアミノ酸配列である。
【０２６６】
配列番号２５２は、Ｃ．ｔｒａｃｈｏｍａｔｉｓ　ＯＭＣＢペプチド１７５〜１８６について決定されたアミノ酸配列である。
【０２６７】
配列番号２５２は、Ｃ．ｔｒａｃｈｏｍａｔｉｓ　ＯＭＣＢペプチド１７５〜１８６について決定されたアミノ酸配列である。
【０２６８】
配列番号２５３は、Ｃ．ｐｎｅｕｍｏｎｉａｅ　ＯＭＣＢペプチド１８５〜１９８について決定されたアミノ酸配列である。
【０２６９】
配列番号２５４は、Ｃ．ｔｒａｃｈｏｍａｔｉｓ　ＴＳＡペプチド９６〜１１５について決定されたアミノ酸配列である。
【０２７０】
配列番号２５５は、Ｃ．ｔｒａｃｈｏｍａｔｉｓ　ＴＳＡペプチド１０１〜１２０について決定されたアミノ酸配列である。
【０２７１】
配列番号２５６は、Ｃ．ｔｒａｃｈｏｍａｔｉｓ　ＴＳＡペプチド１０６〜１２５について決定されたアミノ酸配列である。
【０２７２】
配列番号２５７は、Ｃ．ｔｒａｃｈｏｍａｔｉｓ　ＴＳＡペプチド１１１〜１３０について決定されたアミノ酸配列である。
【０２７３】
配列番号２５８は、Ｃ．ｔｒａｃｈｏｍａｔｉｓ　ＴＳＡペプチド１１６〜１３５について決定されたアミノ酸配列である。
【０２７４】
配列番号２５９は、Ｃ．ｔｒａｃｈｏｍａｔｉｓ　ＴＳＡペプチド１２１〜１４０について決定されたアミノ酸配列である。
【０２７５】
配列番号２６０は、Ｃ．ｔｒａｃｈｏｍａｔｉｓ　ＴＳＡペプチド１２６〜１４５について決定されたアミノ酸配列である。
【０２７６】
配列番号２６１は、Ｃ．ｔｒａｃｈｏｍａｔｉｓ　ＴＳＡペプチド１３１〜１５０について決定されたアミノ酸配列である。
【０２７７】
配列番号２６２は、Ｃ．ｔｒａｃｈｏｍａｔｉｓ　ＴＳＡペプチド１３６〜１５５について決定されたアミノ酸配列である。
【０２７８】
配列番号２６３は、Ｃ．ｔｒａｃｈｏｍａｔｉｓ　ＣＴ５２９／Ｃａｐ　１遺伝子血液型亜型Ｉについて決定された全長ＤＮＡ配列である。
【０２７９】
配列番号２６４は、Ｃ．ｔｒａｃｈｏｍａｔｉｓ　ＣＴ５２９／Ｃａｐ　１遺伝子血液型亜型Ｉについて推定された全長アミノ配列である。
【０２８０】
配列番号２６５は、Ｃ．ｔｒａｃｈｏｍａｔｉｓ　ＣＴ５２９／Ｃａｐ　１遺伝子血液型亜型Ｋについて決定された全長ＤＮＡ配列である。
【０２８１】
配列番号２６６は、Ｃ．ｔｒａｃｈｏｍａｔｉｓ　ＣＴ５２９／Ｃａｐ　１遺伝子血液型亜型Ｋについて推定された全長アミノ配列である。
【０２８２】
配列番号２６７は、ｓｅｒＤにおけるＤＮＡ関連（ＤＮＡ−ｄｉｒｒｅｃｔｅｄ）ＲＮＡポリメラーゼβサブユニット−ＣＴ３１５のＯＲＦの一部に対する相同性を共有するＣ．ｔｒａｃｈｏｍａｔｉｓクローン１７−Ｇ４−３６について決定されたＤＮＡ配列である。
【０２８３】
配列番号２６８は、クローン２Ｅ１０におけるＣ．ｔｒａｃｈｏｍａｔｉｓ　ＣＴ０１６遺伝子の部分配列について決定されたＤＮＡ配列である。
【０２８４】
配列番号２６９は、クローン２Ｅ１０におけるＣ．ｔｒａｃｈｏｍａｔｉｓ　ｔＲＮＡシンターゼ遺伝子の部分配列について決定されたＤＮＡ配列である。
【０２８５】
配列番号２７０は、クローン２Ｅ１０におけるＣ．ｔｒａｃｈｏｍａｔｉｓ　ｃｌｐＸ遺伝子の部分配列について決定されたＤＮＡ配列である。
【０２８６】
配列番号２７１は、５’末端を示すＣ．ｔｒａｃｈｏｍａｔｉｓクローンＣｔＬ２ｇａｍ−３０について第１の決定されたＤＮＡ配列である。
【０２８７】
配列番号２７２は、３’末端を示すＣ．ｔｒａｃｈｏｍａｔｉｓクローンＣｔＬ２ｇａｍ−３０について第２の決定されたＤＮＡ配列である。
【０２８８】
配列番号２７３は、Ｃ．ｔｒａｃｈｏｍａｔｉｓクローンＣｔＬ２ｇａｍ−２８について決定されたＤＮＡ配列である。
【０２８９】
配列番号２７４は、Ｃ．ｔｒａｃｈｏｍａｔｉｓクローンＣｔＬ２ｇａｍ−２７について決定されたＤＮＡ配列である。
【０２９０】
配列番号２７５は、Ｃ．ｔｒａｃｈｏｍａｔｉｓクローンＣｔＬ２ｇａｍ−２６について決定されたＤＮＡ配列である。
【０２９１】
配列番号２７６は、Ｃ．ｔｒａｃｈｏｍａｔｉｓクローンＣｔＬ２ｇａｍ−２４について決定されたＤＮＡ配列である。
【０２９２】
配列番号２７７は、Ｃ．ｔｒａｃｈｏｍａｔｉｓクローンＣｔＬ２ｇａｍ−２３について決定されたＤＮＡ配列である。
【０２９３】
配列番号２７８は、Ｃ．ｔｒａｃｈｏｍａｔｉｓクローンＣｔＬ２ｇａｍ−２１について決定されたＤＮＡ配列である。
【０２９４】
配列番号２７９は、Ｃ．ｔｒａｃｈｏｍａｔｉｓクローンＣｔＬ２ｇａｍ−１８について決定されたＤＮＡ配列である。
【０２９５】
配列番号２８０は、Ｃ．ｔｒａｃｈｏｍａｔｉｓクローンＣｔＬ２ｇａｍ−１７について決定されたＤＮＡ配列である。
【０２９６】
配列番号２８１は、５’末端を示すＣ．ｔｒａｃｈｏｍａｔｉｓクローンＣｔＬ２ｇａｍ−１５について決定された第１のＤＮＡ配列である。
【０２９７】
配列番号２８２は、３’末端を示すＣ．ｔｒａｃｈｏｍａｔｉｓクローンＣｔＬ２ｇａｍ−１５について決定された第２のＤＮＡ配列である。
【０２９８】
配列番号２８３は、Ｃ．ｔｒａｃｈｏｍａｔｉｓクローンＣｔＬ２ｇａｍ−１３について決定されたＤＮＡ配列である。
【０２９９】
配列番号２８４は、Ｃ．ｔｒａｃｈｏｍａｔｉｓクローンＣｔＬ２ｇａｍ−１０について決定されたＤＮＡ配列である。
【０３００】
配列番号２８５は、Ｃ．ｔｒａｃｈｏｍａｔｉｓクローンＣｔＬ２ｇａｍ−８について決定されたＤＮＡ配列である。
【０３０１】
配列番号２８６は、５’末端を示すＣ．ｔｒａｃｈｏｍａｔｉｓクローンＣｔＬ２ｇａｍ−６について第１の決定されたＤＮＡ配列である。
【０３０２】
配列番号２８７は、３’末端を示すＣ．ｔｒａｃｈｏｍａｔｉｓクローンＣｔＬ２ｇａｍ−６について第２の決定され
たＤＮＡ配列である。
【０３０３】
配列番号２８８は、Ｃ．ｔｒａｃｈｏｍａｔｉｓクローンＣｔＬ２ｇａｍ−５について決定されたＤＮＡ配列である。
【０３０４】
配列番号２８９は、Ｃ．ｔｒａｃｈｏｍａｔｉｓクローンＣｔＬ２ｇａｍ−２について決定されたＤＮＡ配列である。
【０３０５】
配列番号２９０は、Ｃ．ｔｒａｃｈｏｍａｔｉｓクローンＣｔＬ２ｇａｍ−１について決定されたＤＮＡ配列である。
【０３０６】
配列番号２９１は、ＣＴ５２９遺伝子のＣ．ｐｎｅｕｍｏｎｉａｅホモログについて決定された全長ＤＮＡ配列である。
【０３０７】
配列番号２９２は、ＣＴ５２９遺伝子のＣ．ｐｎｅｕｍｏｎｉａｅホモログについて推定された全長アミノ酸配列である。
【０３０８】
配列番号２９３は、ＳＫＢワクチンベクターにおけるＣ．ｔｒａｃｈｏｍａｔｉｓ　ｐｍｐＧ遺伝子をクローニングするための挿入配列について決定されたＤＮＡ配列である。
【０３０９】
配列番号２９４は、クローンＣＴ６０３のオープンリーディングフレームのアミノ酸配列である。
【０３１０】
配列番号２９５は、クローンＣＴ８７５の第１のオープンリーディングフレームのアミノ酸配列である。
【０３１１】
配列番号２９６は、クローンＣＴ８７５の第２のオープンリーディングフレームのアミノ酸配列である。
【０３１２】
配列番号２９７は、クローンＣＴ８５８の第１のオープンリーディングフレームのアミノ酸配列である。
【０３１３】
配列番号２９８は、クローンＣＴ８５８の第２のオープンリーディングフレームのアミノ酸配列である。
【０３１４】
配列番号２９９は、クローンＣＴ６２２のオープンリーディングフレームのアミノ酸配列である。
【０３１５】
配列番号３００は、クローンＣＴ６１０のオープンリーディングフレームのアミノ酸配列である。
【０３１６】
配列番号３０１は、クローンＣＴ３９６のオープンリーディングフレームのアミノ酸配列である。
【０３１７】
配列番号３０２は、クローンＣＴ３１８のオープンリーディングフレームのアミノ酸配列である。
【０３１８】
配列番号３０４は、改変型Ｎ末端配列（６−Ｈｉｓタグ）を有するＣ．ｔｒａｃｈｏｍａｔｉｓ血液型亜型Ｌ２ｒＣｔ５２９ｃ１−１２５についてのアミノ酸配列である。
【０３１９】
配列番号３０５は、Ｃ．ｔｒａｃｈｏｍａｔｉｓ血液型亜型Ｌ２ｒＣｔ５２９ｃ１−１２５についてアミノ酸配列である。
【０３２０】
配列番号３０６は、ＰｍｐＡ（Ｎ末）融合タンパク質の合成に使用されたセンスプライマーである。
【０３２１】
配列番号３０７は、ＰｍｐＡ（Ｎ末）融合タンパク質の合成に使用されたアンチセンスプライマーである。
【０３２２】
配列番号３０８は、ＰｍｐＡ（Ｎ末）融合タンパク質をコードするＤＮＡ配列である。
【０３２３】
配列番号３０９は、ＰｍｐＡ（Ｎ末）融合タンパク質のアミノ酸配列である。
【０３２４】
配列番号３１０は、ＰｍｐＡ（Ｃ末）融合タンパク質の合成に使用されたセンスプライマーである。
【０３２５】
配列番号３１１は、ＰｍｐＡ（Ｃ末）融合タンパク質の合成に使用されたアンチセンスプライマーである。
【０３２６】
配列番号３１２は、ＰｍｐＡ（Ｃ末）融合タンパク質をコードするＤＮＡ配列である。
【０３２７】
配列番号３１３は、ＰｍｐＡ（Ｃ末）融合タンパク質のアミノ酸配列である。
【０３２８】
配列番号３１４は、ＰｍｐＦ（Ｎ末）融合タンパク質の合成に使用されたセンスプライマーである。
【０３２９】
配列番号３１５は、ＰｍｐＦ（Ｎ末）融合タンパク質の合成に使用されたアンチセンスプライマーである。
【０３３０】
配列番号３１６は、ＰｍｐＦ（Ｎ末）融合タンパク質をコードするＤＮＡ配列である。
【０３３１】
配列番号３１７は、ＰｍｐＦ（Ｎ末）融合タンパク質のアミノ酸配列である。
【０３３２】
配列番号３１８は、ＰｍｐＦ（Ｃ末）融合タンパク質の合成に使用されたセンスプライマーである。
【０３３３】
配列番号３１９は、ＰｍｐＦ（Ｃ末）融合タンパク質の合成に使用されたアンチセンスプライマーである。
【０３３４】
配列番号３２０は、ＰｍｐＦ（Ｃ末）融合タンパク質をコードするＤＮＡ配列である。
【０３３５】
配列番号３２１は、ＰｍｐＦ（Ｃ末）融合タンパク質のアミノ酸配列である。
【０３３６】
配列番号３２２は、ＰｍｐＨ（ＣＴ４１２）（Ｎ末）融合タンパク質の合成に使用されたセンスプライマーである。
【０３３７】
配列番号３２３は、ＰｍｐＨ（Ｎ末端）融合タンパク質の合成に使用されるアンチセンスプライマーである。
【０３３８】
配列番号３２４は、ＰｍｐＨ（Ｎ末端）融合タンパク質をコードするＤＮＡ配列である。
【０３３９】
配列番号３２５は、ＰｍｐＨ（Ｎ末端）融合タンパク質のアミノ酸配列である。
【０３４０】
配列番号３２６は、ＰｍｐＨ（Ｃ末端）融合タンパク質の合成に使用されるセンスプライマーである。
【０３４１】
配列番号３２７は、ＰｍｐＨ（Ｃ末端）融合タンパク質の合成に使用されるアンチセンスプライマーである。
【０３４２】
配列番号３２８は、ＰｍｐＨ（Ｃ末端）融合タンパク質をコードするＤＮＡ配列である。
【０３４３】
配列番号３２９は、ＰｍｐＨ（Ｃ末端）融合タンパク質のアミノ酸配列である。
【０３４４】
配列番号３３０は、ＰｍｐＢ（１）融合タンパク質の合成に使用されるセンスプライマーである。
【０３４５】
配列番号３３１は、ＰｍｐＢ（１）融合タンパク質の合成に使用されるアンチセンスプライマーである。
【０３４６】
配列番号３３２は、ＰｍｐＢ（１）融合タンパク質をコードするＤＮＡ配列である。
【０３４７】
配列番号３３３は、ＰｍｐＢ（１）融合タンパク質のアミノ酸配列である。
【０３４８】
配列番号３３４は、ＰｍｐＢ（２）融合タンパク質の合成に使用されるセンスプライマーである。
【０３４９】
配列番号３３５は、ＰｍｐＢ（２）融合タンパク質の合成に使用されるアンチセンスプライマーである。
【０３５０】
配列番号３３６は、ＰｍｐＢ（２）融合タンパク質をコードするＤＮＡ配列である。
【０３５１】
配列番号３３７は、ＰｍｐＢ（２）融合タンパク質のアミノ酸配列である。
【０３５２】
配列番号３３８は、ＰｍｐＢ（３）融合タンパク質の合成に使用されるセンスプライマーである。
【０３５３】
配列番号３３９は、ＰｍｐＢ（３）融合タンパク質の合成に使用されるアンチセンスプライマーである。
【０３５４】
配列番号３４０は、ＰｍｐＢ（３）融合タンパク質をコードするＤＮＡ配列である。
【０３５５】
配列番号３４１は、ＰｍｐＢ（３）融合タンパク質のアミノ酸配列である。
【０３５６】
配列番号３４２は、ＰｍｐＢ（４）融合タンパク質の合成に使用されるセンスプライマーである。
【０３５７】
配列番号３４３は、ＰｍｐＢ（４）融合タンパク質の合成に使用されるアンチセンスプライマーである。
【０３５８】
配列番号３４４は、ＰｍｐＢ（４）融合タンパク質をコードするＤＮＡ配列である。
【０３５９】
配列番号３４５は、ＰｍｐＢ（４）融合タンパク質のアミノ酸配列である。
【０３６０】
配列番号３４６は、ＰｍｐＣ（１）融合タンパク質の合成に使用されるセンスプライマーである。
【０３６１】
配列番号３４７は、ＰｍｐＣ（１）融合タンパク質の合成に使用されるアンチセンスプライマーである。
【０３６２】
配列番号３４８は、ＰｍｐＣ（１）融合タンパク質をコードするＤＮＡ配列である。
【０３６３】
配列番号３４９は、ＰｍｐＣ（１）融合タンパク質のアミノ酸配列である。
【０３６４】
配列番号３５０は、ＰｍｐＣ（２）融合タンパク質の合成に使用されるセンスプライマーである。
【０３６５】
配列番号３５１は、ＰｍｐＣ（２）融合タンパク質の合成に使用されるアンチセンスプライマーである。
【０３６６】
配列番号３５２は、ＰｍｐＣ（２）融合タンパク質をコードするＤＮＡ配列である。
【０３６７】
配列番号３５３は、ＰｍｐＣ（２）融合タンパク質のアミノ酸配列である。
【０３６８】
配列番号３５４は、ＰｍｐＣ（３）融合タンパク質の合成に使用されるセンスプライマーである。
【０３６９】
配列番号３５５は、ＰｍｐＣ（３）融合タンパク質の合成に使用されるアンチセンスプライマーである。
【０３７０】
配列番号３５６は、ＰｍｐＣ（３）融合タンパク質をコードするＤＮＡ配列である。
【０３７１】
配列番号３５７は、ＰｍｐＣ（３）融合タンパク質のアミノ酸配列である。
【０３７２】
配列番号３５８は、第１の膜貫通ドメインを欠く、ｏｐｐＡ１タンパク質のＤＮＡ配列である。
【０３７３】
配列番号３５９は、ＣＴ１３９の全長ＤＮＡ配列である。
【０３７４】
配列番号３６０は、ＯＲＦ−３の全長ＤＮＡ配列である。
【０３７５】
配列番号３６１は、ＣＴ６１１の全長ＤＮＡ配列である。
【０３７６】
配列番号３６２は、アミノ酸２２から開始するｏｐｐＡ１のアミノ酸配列である。
【０３７７】
配列番号３６３は、ＣＴ１３９のアミノ酸配列である。
【０３７８】
配列番号３６４は、ＯＲＦ−３のアミノ酸配列である。
【０３７９】
配列番号３６５は、ＣＴ６１１のアミノ酸配列である。
【０３８０】
配列番号３６６は、Ｃｈｌａｍｙｄｉａ　ｔｒａｃｈｏｍａｔｉｓ遺伝子ＣＴ１９０のＣｈｌａｍｙｄｉａ　ｐｎｅｕｍｏｎｉａｅホモログであるＣＰｎ０２７５のＤＮＡ配列を示す。
【０３８１】
配列番号３６７は、Ｃｈｌａｍｙｄｉａ　ｔｒａｃｈｏｍａｔｉｓ遺伝子ＣＴ１０３のＣｈｌａｍｙｄｉａ　ｐｎｅｕｍｏｎｉａｅホモログであるＣＰｎ０４０７のＤＮＡ配列を示す。
【０３８２】
配列番号３６８は、Ｃｈｌａｍｙｄｉａ　ｔｒａｃｈｏｍａｔｉｓ遺伝子ＣＴ６５９のＣｈｌａｍｙｄｉａ　ｐｎｅｕｍｏｎｉａｅホモログであるＣＰｎ０７２０のＤＮＡ配列を示す。
【０３８３】
配列番号３６９は、Ｃｈｌａｍｙｄｉａ　ｔｒａｃｈｏｍａｔｉｓ遺伝子ＣＴ６６０のＣｈｌａｍｙｄｉａ　ｐｎｅｕｍｏｎｉａｅホモログであるＣＰｎ０７１６のＤＮＡ配列を示す。
【０３８４】
配列番号３７０は、Ｃｈｌａｍｙｄｉａ　ｔｒａｃｈｏｍａｔｉｓ遺伝子ＣＴ４３０のＣｈｌａｍｙｄｉａ　ｐｎｅｕｍｏｎｉａｅホモログであるＣＰｎ０５１９のＤＮＡ配列を示す。
【０３８５】
配列番号３７１は、Ｃｈｌａｍｙｄｉａ　ｔｒａｃｈｏｍａｔｉｓ遺伝子ＣＴ４３１のＣｈｌａｍｙｄｉａ　ｐｎｅｕｍｏｎｉａｅホモログであるＣＰｎ０５２０のＤＮＡ配列を示す。
【０３８６】
配列番号３７２は、Ｃｈｌａｍｙｄｉａ　ｔｒａｃｈｏｍａｔｉｓ遺伝子ＣＴ３１８のＣｈｌａｍｙｄｉａ　ｐｎｅｕｍｏｎｉａｅホモログであるＣＰｎ００７８のＤＮＡ配列を示す。
【０３８７】
配列番号３７３は、Ｃｈｌａｍｙｄｉａ　ｔｒａｃｈｏｍａｔｉｓ遺伝子ＣＴ５０９のＣｈｌａｍｙｄｉａ　ｐｎｅｕｍｏｎｉａｅホモログであるＣＰｎ０６２８のＤＮＡ配列を示す。
【０３８８】
配列番号３７４は、Ｃｈｌａｍｙｄｉａ　ｔｒａｃｈｏｍａｔｉｓ遺伝子ＣＴ４１４のＣｈｌａｍｙｄｉａ　ｐｎｅｕｍｏｎｉａｅホモログであるＣＰｎ０５４０のＤＮＡ配列を示す。
【０３８９】
配列番号３７５は、Ｃｈｌａｍｙｄｉａ　ｔｒａｃｈｏｍａｔｉｓ遺伝子ＣＴ４１３のＣｈｌａｍｙｄｉａ　ｐｎｅｕｍｏｎｉａｅホモログであるｐｍｐ２０のＤＮＡ配列を示す。
【０３９０】
配列番号３７６は、Ｃｈｌａｍｙｄｉａ　ｔｒａｃｈｏｍａｔｉｓ遺伝子ＣＴ３１５のＣｈｌａｍｙｄｉａ　ｐｎｅｕｍｏｎｉａｅホモログであるＣＰｎ００８１のＤＮＡ配列を示す。
【０３９１】
配列番号３７７は、Ｃｈｌａｍｙｄｉａ　ｔｒａｃｈｏｍａｔｉｓ遺伝子ＣＴ６１０のＣｈｌａｍｙｄｉａ　ｐｎｅｕｍｏｎｉａｅホモログであるＣＰｎ０７６１のＤＮＡ配列を示す。
【０３９２】
配列番号３７８は、Ｃｈｌａｍｙｄｉａ　ｔｒａｃｈｏｍａｔｉｓ遺伝子ＣＴ４４３のＣｈｌａｍｙｄｉａ　ｐｎｅｕｍｏｎｉａｅホモログであるＣＰｎ０５５７のＤＮＡ配列を示す。
【０３９３】
配列番号３７９は、Ｃｈｌａｍｙｄｉａ　ｔｒａｃｈｏｍａｔｉｓ遺伝子ＣＴ５５７のＣｈｌａｍｙｄｉａ　ｐｎｅｕｍｏｎｉａｅホモログであるＣＰｎ０８３３のＤＮＡ配列を示す。
【０３９４】
配列番号３８０は、Ｃｈｌａｍｙｄｉａ　ｔｒａｃｈｏｍａｔｉｓ遺伝子ＣＴ６０４のＣｈｌａｍｙｄｉａ　ｐｎｅｕｍｏｎｉａｅホモログであるＣＰｎ０１３４のＤＮＡ配列を示す。
【０３９５】
配列番号３８１は、Ｃｈｌａｍｙｄｉａ　ｔｒａｃｈｏｍａｔｉｓ遺伝子ＣＴ０４２のＣｈｌａｍｙｄｉａ　ｐｎｅｕｍｏｎｉａｅホモログであるＣＰｎ０３８８のＤＮＡ配列を示す。
【０３９６】
配列番号３８２は、Ｃｈｌａｍｙｄｉａ　ｔｒａｃｈｏｍａｔｉｓ遺伝子ＣＴ３７６のＣｈｌａｍｙｄｉａ　ｐｎｅｕｍｏｎｉａｅホモログであるＣＰｎ１０２８のＤＮＡ配列を示す。
【０３９７】
配列番号３８３は、Ｃｈｌａｍｙｄｉａ　ｔｒａｃｈｏｍａｔｉｓ遺伝子ＣＴ７３４のＣｈｌａｍｙｄｉａ　ｐｎｅｕｍｏｎｉａｅホモログであるＣＰｎ０８７５のＤＮＡ配列を示す。
【０３９８】
配列番号３８４は、Ｃｈｌａｍｙｄｉａ　ｔｒａｃｈｏｍａｔｉｓ遺伝子ＣＴ７６４のＣｈｌａｍｙｄｉａ　ｐｎｅｕｍｏｎｉａｅホモログであるＣＰｎ０９０８のＤＮＡ配列を示す。
【０３９９】
配列番号３８５は、Ｃｈｌａｍｙｄｉａ　ｔｒａｃｈｏｍａｔｉｓ遺伝子ＣＴ６２２のＣｈｌａｍｙｄｉａ　ｐｎｅｕｍｏｎｉａｅホモログであるＣＰｎ０７２８のＤＮＡ配列を示す。
【０４００】
配列番号３８６は、Ｃｈｌａｍｙｄｉａ　ｔｒａｃｈｏｍａｔｉｓ遺伝子ＣＴ１９０のＣｈｌａｍｙｄｉａ　ｐｎｅｕｍｏｎｉａｅホモログであるＣＰｎ０２７５のアミノ酸配列を示す。
【０４０１】
配列番号３８７は、Ｃｈｌａｍｙｄｉａ　ｔｒａｃｈｏｍａｔｉｓ遺伝子ＣＴ１０３のＣｈｌａｍｙｄｉａ　ｐｎｅｕｍｏｎｉａｅホモログであるＣＰｎ０４０７のアミノ酸配列を示す。
【０４０２】
配列番号３８８は、Ｃｈｌａｍｙｄｉａ　ｔｒａｃｈｏｍａｔｉｓ遺伝子ＣＴ６５９のＣｈｌａｍｙｄｉａ　ｐｎｅｕｍｏｎｉａｅホモログであるＣＰｎ０７２０のアミノ酸配列を示す。
【０４０３】
配列番号３８９は、Ｃｈｌａｍｙｄｉａ　ｔｒａｃｈｏｍａｔｉｓ遺伝子ＣＴ６６０のＣｈｌａｍｙｄｉａ　ｐｎｅｕｍｏｎｉａｅホモログであるＣＰｎ０７１６のアミノ酸配列を示す。
【０４０４】
配列番号３９０は、Ｃｈｌａｍｙｄｉａ　ｔｒａｃｈｏｍａｔｉｓ遺伝子ＣＴ４３０のＣｈｌａｍｙｄｉａ　ｐｎｅｕｍｏｎｉａｅホモログであるＣＰｎ０５１９のアミノ酸配列を示す。
【０４０５】
配列番号３９１は、Ｃｈｌａｍｙｄｉａ　ｔｒａｃｈｏｍａｔｉｓ遺伝子ＣＴ４３１のＣｈｌａｍｙｄｉａ　ｐｎｅｕｍｏｎｉａｅホモログであるＣＰｎ０５２０のアミノ酸配列を示す。
【０４０６】
配列番号３９２は、Ｃｈｌａｍｙｄｉａ　ｔｒａｃｈｏｍａｔｉｓ遺伝子ＣＴ３１８のＣｈｌａｍｙｄｉａ　ｐｎｅｕｍｏｎｉａｅホモログであるＣＰｎ００７８のアミノ酸配列を示す。
【０４０７】
配列番号３９３は、Ｃｈｌａｍｙｄｉａ　ｔｒａｃｈｏｍａｔｉｓ遺伝子ＣＴ５０９のＣｈｌａｍｙｄｉａ　ｐｎｅｕｍｏｎｉａｅホモログであるＣＰｎ０６２８のアミノ酸配列を示す。
【０４０８】
配列番号３９４は、Ｃｈｌａｍｙｄｉａ　ｔｒａｃｈｏｍａｔｉｓ遺伝子ＣＴ４１４のＣｈｌａｍｙｄｉａ　ｐｎｅｕｍｏｎｉａｅホモログであるＣＰｎ０５４０のアミノ酸配列を示す。
【０４０９】
配列番号３９５は、Ｃｈｌａｍｙｄｉａ　ｔｒａｃｈｏｍａｔｉｓ遺伝子ＣＴ４１３のＣｈｌａｍｙｄｉａ　ｐｎｅｕｍｏｎｉａｅホモログであるｐｍｐ２０のアミノ酸配列を示す。
【０４１０】
配列番号３９６は、Ｃｈｌａｍｙｄｉａ　ｔｒａｃｈｏｍａｔｉｓ遺伝子ＣＴ３１５のＣｈｌａｍｙｄｉａ　ｐｎｅｕｍｏｎｉａｅホモログであるＣＰｎ００８１のアミノ酸配列を示す。
【０４１１】
配列番号３９７は、Ｃｈｌａｍｙｄｉａ　ｔｒａｃｈｏｍａｔｉｓ遺伝子ＣＴ６１０のＣｈｌａｍｙｄｉａ　ｐｎｅｕｍｏｎｉａｅホモログであるＣＰｎ０７６１のアミノ酸配列を示す。
【０４１２】
配列番号３９８は、Ｃｈｌａｍｙｄｉａ　ｔｒａｃｈｏｍａｔｉｓ遺伝子ＣＴ４４３のＣｈｌａｍｙｄｉａ　ｐｎｅｕｍｏｎｉａｅホモログであるＣＰｎ０５５７のアミノ酸配列を示す。
【０４１３】
配列番号３９９は、Ｃｈｌａｍｙｄｉａ　ｔｒａｃｈｏｍａｔｉｓ遺伝子ＣＴ５５７のＣｈｌａｍｙｄｉａ　ｐｎｅｕｍｏｎｉａｅホモログであるＣＰｎ０８３３のアミノ酸配列を示す。
【０４１４】
配列番号４００は、Ｃｈｌａｍｙｄｉａ　ｔｒａｃｈｏｍａｔｉｓ遺伝子ＣＴ６０４のＣｈｌａｍｙｄｉａ　ｐｎｅｕｍｏｎｉａｅホモログであるＣＰｎ０１３４のアミノ酸配列を示す。
【０４１５】
配列番号４０１は、Ｃｈｌａｍｙｄｉａ　ｔｒａｃｈｏｍａｔｉｓ遺伝子ＣＴ０４２のＣｈｌａｍｙｄｉａ　ｐｎｅｕｍｏｎｉａｅホモログであるＣＰｎ０３８８のアミノ酸配列を示す。
【０４１６】
配列番号４０２は、Ｃｈｌａｍｙｄｉａ　ｔｒａｃｈｏｍａｔｉｓ遺伝子ＣＴ３７６のＣｈｌａｍｙｄｉａ　ｐｎｅｕｍｏｎｉａｅホモログであるＣＰｎ１０２８のアミノ酸配列を示す。
【０４１７】
配列番号４０３は、Ｃｈｌａｍｙｄｉａ　ｔｒａｃｈｏｍａｔｉｓ遺伝子ＣＴ７３４のＣｈｌａｍｙｄｉａ　ｐｎｅｕｍｏｎｉａｅホモログであるＣＰｎ０８７５のアミノ酸配列を示す。
【０４１８】
配列番号４０４は、Ｃｈｌａｍｙｄｉａ　ｔｒａｃｈｏｍａｔｉｓ遺伝子ＣＴ７６４のＣｈｌａｍｙｄｉａ　ｐｎｅｕｍｏｎｉａｅホモログであるＣＰｎ０９０８のＤＮＡ配列を示す。
【０４１９】
配列番号４０５は、Ｃｈｌａｍｙｄｉａ　ｔｒａｃｈｏｍａｔｉｓ遺伝子ＣＴ６２２のＣｈｌａｍｙｄｉａ　ｐｎｅｕｍｏｎｉａｅホモログであるＣＰｎ０７２８のアミノ酸配列を示す。
【０４２０】
配列番号４０６は、Ｃｈｌａｍｙｄｉａ　ｔｒａｃｈｏｍａｔｉｓ遺伝子ＣＴ２８７の全長血液型亜型Ｄ　ＤＮＡ配列を示す。
【０４２１】
配列番号４０７は、Ｃｈｌａｍｙｄｉａ　ｔｒａｃｈｏｍａｔｉｓ遺伝子ＣＴ８５８の全長血液型亜型Ｄ　ＤＮＡ配列を示す。
【０４２２】
配列番号４０８は、Ｃｈｌａｍｙｄｉａ　ｔｒａｃｈｏｍａｔｉｓ遺伝子ＣＴ７６４の全長血液型亜型Ｄ　ＤＮＡ配列を示す。
【０４２３】
配列番号４０９は、Ｃｈｌａｍｙｄｉａ　ｔｒａｃｈｏｍａｔｉｓ遺伝子ＣＴ７３４の全長血液型亜型Ｄ　ＤＮＡ配列を示す。
【０４２４】
配列番号４１０は、Ｃｈｌａｍｙｄｉａ　ｔｒａｃｈｏｍａｔｉｓ遺伝子ＣＴ６６０の全長血液型亜型Ｄ　ＤＮＡ配列を示す。
【０４２５】
配列番号４１１は、Ｃｈｌａｍｙｄｉａ　ｔｒａｃｈｏｍａｔｉｓ遺伝子ＣＴ６５９の全長血液型亜型Ｄ　ＤＮＡ配列を示す。
【０４２６】
配列番号４１２は、Ｃｈｌａｍｙｄｉａ　ｔｒａｃｈｏｍａｔｉｓ遺伝子ＣＴ６２２の全長血液型亜型Ｄ　ＤＮＡ配列を示す。
【０４２７】
配列番号４１３は、Ｃｈｌａｍｙｄｉａ　ｔｒａｃｈｏｍａｔｉｓ遺伝子ＣＴ６１０の全長血液型亜型Ｄ　ＤＮＡ配列を示す。
【０４２８】
配列番号４１４は、Ｃｈｌａｍｙｄｉａ　ｔｒａｃｈｏｍａｔｉｓ遺伝子ＣＴ６０４の全長血液型亜型Ｄ　ＤＮＡ配列を示す。
【０４２９】
配列番号４１５は、Ｃｈｌａｍｙｄｉａ　ｔｒａｃｈｏｍａｔｉｓ遺伝子ＣＴ５５７の全長血液型亜型Ｄ　ＤＮＡ配列を示す。
【０４３０】
配列番号４１６は、Ｃｈｌａｍｙｄｉａ　ｔｒａｃｈｏｍａｔｉｓ遺伝子ＣＴ５０９の全長血液型亜型Ｄ　ＤＮＡ配列を示す。
【０４３１】
配列番号４１７は、Ｃｈｌａｍｙｄｉａ　ｔｒａｃｈｏｍａｔｉｓ遺伝子ＣＴ４４３の全長血液型亜型Ｄ　ＤＮＡ配列を示す。
【０４３２】
配列番号４１８は、Ｃｈｌａｍｙｄｉａ　ｔｒａｃｈｏｍａｔｉｓ遺伝子ＣＴ４３１の全長血液型亜型Ｄ　ＤＮＡ配列を示す。
【０４３３】
配列番号４１９は、Ｃｈｌａｍｙｄｉａ　ｔｒａｃｈｏｍａｔｉｓ遺伝子ＣＴ４３０の全長血液型亜型Ｄ　ＤＮＡ配列を示す。
【０４３４】
配列番号４２０は、Ｃｈｌａｍｙｄｉａ　ｔｒａｃｈｏｍａｔｉｓ遺伝子ＣＴ４１４の全長血液型亜型Ｄ　ＤＮＡ配列を示す。
【０４３５】
配列番号４２１は、Ｃｈｌａｍｙｄｉａ　ｔｒａｃｈｏｍａｔｉｓ遺伝子ＣＴ４１３の全長血液型亜型Ｄ　ＤＮＡ配列を示す。
【０４３６】
配列番号４２２は、Ｃｈｌａｍｙｄｉａ　ｔｒａｃｈｏｍａｔｉｓ遺伝子ＣＴ３９６の全長血液型亜型Ｄ　ＤＮＡ配列を示す。
【０４３７】
配列番号４２３は、Ｃｈｌａｍｙｄｉａ　ｔｒａｃｈｏｍａｔｉｓ遺伝子ＣＴ３７６の全長血液型亜型Ｄ　ＤＮＡ配列を示す。
【０４３８】
配列番号４２４は、Ｃｈｌａｍｙｄｉａ　ｔｒａｃｈｏｍａｔｉｓ遺伝子ＣＴ３１８の全長血液型亜型Ｄ　ＤＮＡ配列を示す。
【０４３９】
配列番号４２５は、Ｃｈｌａｍｙｄｉａ　ｔｒａｃｈｏｍａｔｉｓ遺伝子ＣＴ３１５の全長血液型亜型Ｄ　ＤＮＡ配列を示す。
【０４４０】
配列番号４２６は、Ｃｈｌａｍｙｄｉａ　ｔｒａｃｈｏｍａｔｉｓ遺伝子ＣＴ１０４の全長血液型亜型Ｄ　ＤＮＡ配列を示す。
【０４４１】
配列番号４２７は、Ｃｈｌａｍｙｄｉａ　ｔｒａｃｈｏｍａｔｉｓ遺伝子ＣＴ１０３の全長血液型亜型Ｄ　ＤＮＡ配列を示す。
【０４４２】
配列番号４２８は、Ｃｈｌａｍｙｄｉａ　ｔｒａｃｈｏｍａｔｉｓ遺伝子ＣＴ１０２の全長血液型亜型Ｄ　ＤＮＡ配列を示す。
【０４４３】
配列番号４２９は、Ｃｈｌａｍｙｄｉａ　ｔｒａｃｈｏｍａｔｉｓ遺伝子ＣＴ０９８の全長血液型亜型Ｄ　ＤＮＡ配列を示す。
【０４４４】
配列番号４３０は、Ｃｈｌａｍｙｄｉａ　ｔｒａｃｈｏｍａｔｉｓ遺伝子ＣＴ０４２の全長血液型亜型Ｄ　ＤＮＡ配列を示す。
【０４４５】
配列番号４３１は、Ｃｈｌａｍｙｄｉａ　ｔｒａｃｈｏｍａｔｉｓ遺伝子ＣＴ８５８の全長血液型亜型Ｄ　アミノ酸配列を示す。
【０４４６】
配列番号４３２は、Ｃｈｌａｍｙｄｉａ　ｔｒａｃｈｏｍａｔｉｓ遺伝子ＣＴ７６４の全長血液型亜型Ｄ　アミノ酸配列を示す。
【０４４７】
配列番号４３３は、Ｃｈｌａｍｙｄｉａ　ｔｒａｃｈｏｍａｔｉｓ遺伝子ＣＴ７３４の全長血液型亜型Ｄ　アミノ酸配列を示す。
【０４４８】
配列番号４３４は、Ｃｈｌａｍｙｄｉａ　ｔｒａｃｈｏｍａｔｉｓ遺伝子ＣＴ６６０の全長血液型亜型Ｄ　アミノ酸配列を示す。
【０４４９】
配列番号４３５は、Ｃｈｌａｍｙｄｉａ　ｔｒａｃｈｏｍａｔｉｓ遺伝子ＣＴ６５９の全長血液型亜型Ｄ　アミノ酸配列を示す。
【０４５０】
配列番号４３６は、Ｃｈｌａｍｙｄｉａ　ｔｒａｃｈｏｍａｔｉｓ遺伝子ＣＴ６２２の全長血液型亜型Ｄ　アミノ酸配列を示す。
【０４５１】
配列番号４３７は、Ｃｈｌａｍｙｄｉａ　ｔｒａｃｈｏｍａｔｉｓ遺伝子ＣＴ６１０の全長血液型亜型Ｄ　アミノ酸配列を示す。
【０４５２】
配列番号４３８は、Ｃｈｌａｍｙｄｉａ　ｔｒａｃｈｏｍａｔｉｓ遺伝子ＣＴ６０４の全長血液型亜型Ｄ　アミノ酸配列を示す。
【０４５３】
配列番号４３９は、Ｃｈｌａｍｙｄｉａ　ｔｒａｃｈｏｍａｔｉｓ遺伝子ＣＴ５５７の全長血液型亜型Ｄ　アミノ酸配列を示す。
【０４５４】
配列番号４４０は、Ｃｈｌａｍｙｄｉａ　ｔｒａｃｈｏｍａｔｉｓ遺伝子ＣＴ５０９の全長血液型亜型Ｄ　アミノ酸配列を示す。
【０４５５】
配列番号４４１は、Ｃｈｌａｍｙｄｉａ　ｔｒａｃｈｏｍａｔｉｓ遺伝子ＣＴ４４３の全長血液型亜型Ｄ　アミノ酸配列を示す。
【０４５６】
配列番号４４２は、Ｃｈｌａｍｙｄｉａ　ｔｒａｃｈｏｍａｔｉｓ遺伝子ＣＴ４３１の全長血液型亜型Ｄ　アミノ酸配列を示す。
【０４５７】
配列番号４４３は、Ｃｈｌａｍｙｄｉａ　ｔｒａｃｈｏｍａｔｉｓ遺伝子ＣＴ４３０の全長血液型亜型Ｄ　アミノ酸配列を示す。
【０４５８】
配列番号４４４は、Ｃｈｌａｍｙｄｉａ　ｔｒａｃｈｏｍａｔｉｓ遺伝子ＣＴ４１４の全長血液型亜型Ｄ　アミノ酸配列を示す。
【０４５９】
配列番号４４５は、Ｃｈｌａｍｙｄｉａ　ｔｒａｃｈｏｍａｔｉｓ遺伝子ＣＴ４１３の全長血液型亜型Ｄ　アミノ酸配列を示す。
【０４６０】
配列番号４４６は、Ｃｈｌａｍｙｄｉａ　ｔｒａｃｈｏｍａｔｉｓ遺伝子ＣＴ３９６の全長血液型亜型Ｄ　アミノ酸配列を示す。
【０４６１】
配列番号４４７は、Ｃｈｌａｍｙｄｉａ　ｔｒａｃｈｏｍａｔｉｓ遺伝子ＣＴ３７６の全長血液型亜型Ｄ　アミノ酸配列を示す。
【０４６２】
配列番号４４８は、Ｃｈｌａｍｙｄｉａ　ｔｒａｃｈｏｍａｔｉｓ遺伝子ＣＴ３１８の全長血液型亜型Ｄ　アミノ酸配列を示す。
【０４６３】
配列番号４４９は、Ｃｈｌａｍｙｄｉａ　ｔｒａｃｈｏｍａｔｉｓ遺伝子ＣＴ３１５の全長血液型亜型Ｄ　アミノ酸配列を示す。
【０４６４】
配列番号４５０は、Ｃｈｌａｍｙｄｉａ　ｔｒａｃｈｏｍａｔｉｓ遺伝子ＣＴ１０４の全長血液型亜型Ｄ　アミノ酸配列を示す。
【０４６５】
配列番号４５１は、Ｃｈｌａｍｙｄｉａ　ｔｒａｃｈｏｍａｔｉｓ遺伝子ＣＴ１０３の全長血液型亜型Ｄ　アミノ酸配列を示す。
【０４６６】
配列番号４５２は、Ｃｈｌａｍｙｄｉａ　ｔｒａｃｈｏｍａｔｉｓ遺伝子ＣＴ１０２の全長血液型亜型Ｄ　アミノ酸配列を示す。
【０４６７】
配列番号４５３は、Ｃｈｌａｍｙｄｉａ　ｔｒａｃｈｏｍａｔｉｓ遺伝子ＣＴ０９８の全長血液型亜型Ｄ　アミノ酸配列を示す。
【０４６８】
配列番号４５４は、Ｃｈｌａｍｙｄｉａ　ｔｒａｃｈｏｍａｔｉｓ遺伝子ＣＴ０４２の全長血液型亜型Ｄ　アミノ酸配列を示す。
【０４６９】
配列番号４５５は、クローンＣＴＬ２−１およびＣＴＬ２−５において同定された、ＣＴ７５１（ａｍｎ）のＣＰホモログである、ＣＰｎ０８９４のＤＮＡ配列に対応する。
【０４７０】
配列番号４５６は、クローンＣＴＬ２−２において同定された、ＣＴ３２２（ｔｕｆ）のＣＰホモログである、ＣＰｎ００７４のＤＮＡ配列に対応する。
【０４７１】
配列番号４５７は、クローンＣＴＬ２ｇａｍ２、ＣＴＬ２−３（５’）およびＣＴＬ２−４において同定された、ＣＴ０３２（ｍｅｔＧ）のＣＰホモログである、ＣＰｎ０１２２のＤＮＡ配列に対応する。
【０４７２】
配列番号４５８は、クローンＣＴＬ２−３（５’）（３’）において同定された、ＣＴ０３１のＣＰホモログである、ＣＰｎ０１２１のＤＮＡ配列に対応する。
【０４７３】
配列番号４５９は、クローンＣＴＬ２−３（３’）およびＣＴＬ２−２１において同定された、ＣＴ０３０（ｇｍＫ）のＣＰホモログである、ＣＰｎ０１２０のＤＮＡ配列に対応する。
【０４７４】
配列番号４６０は、クローンＣＴＬ２ｇａｍ５において同定された、ＣＴ０６４（ｌｅｐＡ）のＣＰホモログである、ＣＰｎ０３５９のＤＮＡ配列に対応する。
【０４７５】
配列番号４６１は、クローンＣＴＬ２−６において同定された、ＣＴ２６５（ａｃｃＡ）のＣＰホモログである、ＣＰｎ０４１４のＤＮＡ配列に対応する。
【０４７６】
配列番号４６２は、クローンＣＴＬ２−６において同定された、ＣＴ２６４（ｍｓｂＡ）のＣＰホモログである、ＣＰｎ０４１３のＤＮＡ配列に対応する。
【０４７７】
配列番号４６３は、クローンＣＴＬ２ｇａｍ６（５’）およびＣＴＬ２−１１（５’）において同定された、ＣＴ２５６のＣＰホモログである、ＣＰｎ０３９４のＤＮＡ配列に対応する。
【０４７８】
配列番号４６４は、クローンＣＴＬ２ｇａｍ６（５’）およびＣＴＬ２−１１（５’）において同定された、ＣＴ２５７のＣＰホモログである、ＣＰｎ０３９５のＤＮＡ配列に対応する。
【０４７９】
配列番号４６５は、クローンＣＴＬ２ｇａｍ６（３’）およびＣＴＬ２−１１（３’）において同定された、ＣＴ３８４のＣＰホモログである、ＣＰｎ０４８７のＤＮＡ配列に対応する。
【０４８０】
配列番号４６６は、クローンＣＴＬ２−８ｂにおいて同定された、ＣＴ４７３のＣＰホモログである、ＣＰｎ０５９２のＤＮＡ配列に対応する。
【０４８１】
配列番号４６７は、クローンＣＴＬ２−８ｂにおいて同定された、ＣＴ４７４のＣＰホモログである、ＣＰｎ０５９３のＤＮＡ配列に対応する。
【０４８２】
配列番号４６８は、クローンＣＴＬ２−８ｂにおいて同定された、ＣＴ１３９（ｏｐｐＡ１）のＣＰホモログである、ＣＰｎ０１９７のＤＮＡ配列に対応する。
【０４８３】
配列番号４６９は、クローンＣＴＬ２−８ｂにおいて同定された、ＣＴ０６０（ｆｌｈＡ）のＣＰホモログである、ＣＰｎ０３６３のＤＮＡ配列に対応する。
【０４８４】
配列番号４７０は、クローンＣＴＬ２ｇａｍ８において同定された、ＣＴ２４２のＣＰホモログである、ＣＰｎ０３０１のＤＮＡ配列に対応する。
【０４８５】
配列番号４７１は、クローンＣＴＬ２ｇａｍ８において同定された、ＣＴ２４３（ｌｐｘＤ）のＣＰホモログである、ＣＰｎ０３０２のＤＮＡ配列に対応する。
【０４８６】
配列番号４７２は、クローンＣＴＬ２−９、ＣＴＬ２ｇａｍ１、ＣＴＬ２ｇａｍ１７およびＣＴＬ２−１９（５’）において同定された、ＣＴ０８９（ｌｃｒＥ）のＣＰホモログである、ＣＰｎ０３２４のＤＮＡ配列に対応する。
【０４８７】
配列番号４７３は、クローンＣＴＬ２−１０（５’）（３’）において同定された、ＣＴ６１０のＣＰホモログである、ＣＰｎ０７６１のＤＮＡ配列に対応する。
【０４８８】
配列番号４７４は、クローンＣＴＬ２−１０（５’）において同定された、ＣＴ６１１のＣＰホモログである、ＣＰｎ０７６０のＤＮＡ配列に対応する。
【０４８９】
配列番号４７５は、クローンＣＴＬ２ｇａｍ１０およびＣＴＬ２ｇａｍ２１において同定された、ＣＴ１５４のＣＰホモログである、ＣＰｎ０３２９のＤＮＡ配列に対応する。
【０４９０】
配列番号４７６は、クローンＣＴＬ２−１２において同定された、ＣＴ８３３（ｉｎｆＣ）のＣＰホモログである、ＣＰｎ０９９０のＤＮＡ配列に対応する。
【０４９１】
配列番号４７７は、クローンＣＴＬ２−１６（３’）およびＣＴＬ２ｇａｍ１５（３’）において同定された、ＣＴ８２７（ｎｒｄＡ）のＣＰホモログである、ＣＰｎ０９８４のＤＮＡ配列に対応する。
【０４９２】
配列番号４７８は、クローンＣＴＬ２−１６（３’）ＣＴＬ２ｇａｍ１５（３’）において同定された、ＣＴ８２８（ｎｒｄＢ）のＣＰホモログである、ＣＰｎ０９８５のＤＮＡ配列に対応する。
【０４９３】
配列番号４７９は、クローンＣＴＬ２ｇａｍ１８において同定された、ＣＴ０６７（ｙｔｇＡ）のＣＰホモログである、ＣＰｎ０３４９のＤＮＡ配列に対応する。
【０４９４】
配列番号４８０は、クローンＣＴＬ２−１９（５’）において同定された、ＣＴ０８８（ｓｙｃＥ）のＣＰホモログである、ＣＰｎ０３２５のＤＮＡ配列に対応する。
【０４９５】
配列番号４８１は、クローンＣＴＬ２−１９（５’）において同定された、ＣＴ０８７（ｍａｌＱ）のＣＰホモログである、ＣＰｎ０３２６のＤＮＡ配列に対応する。
【０４９６】
配列番号４８２は、クローンＣＴＬ２ｇａｍ２３において同定された、ＣＴ５８８（ｒｂｓｕ）のＣＰホモログである、ＣＰｎ０７９３のＤＮＡ配列に対応する。
【０４９７】
配列番号４８３は、クローンＣＴＬ２ｇａｍ２４において同定された、ＣＴ１９９（ｏｐｐＢ１）のＣＰホモログである、ＣＰｎ０１９９のＤＮＡ配列に対応する。
【０４９８】
配列番号４８４は、クローンＣＴＬ２−２４において同定された、ＣＴ５４５（ｄｎａＥ）のＣＰホモログである、ＣＰｎ０６６６のＤＮＡ配列に対応する。
【０４９９】
配列番号４８５は、クローンＣＴＬ２ｇａｍ２７において同定された、ＣＴ２８８のＣＰホモログである、ＣＰｎ００６５のＤＮＡ配列に対応する。
【０５００】
配列番号４８６は、クローンＣＴＬ２ｇａｍ３０（５’）（３’）において同定された、ＣＴ４１３（ｐｍｐＢ）のＣＰホモログである、ＣＰｎ０４４４のＤＮＡ配列に対応する。
【０５０１】
配列番号４８７は、クローンＣＴＬ２ｇａｍ１５（５’）、ＣＴＬ２−１６（５’）、ＣＴＬ２−１８（５’）およびＣＴＬ２−２３において同定された、ＣＴ−ＯＲＦ３のＣＰホモログである、ＣＰｎ−ＯＲＦ５のＤＮＡ配列に対応する。
【０５０２】
配列番号４８８は、クローンＣＴＬ２−１８（３’）において同定された、ＣＴ−ＯＲＦ４のＣＰホモログである、ＣＰｎ−ＯＲＦ６のＤＮＡ配列に対応する。
【０５０３】
配列番号４８９は、クローンＣＴＬ２−１８（３’）において同定された、ＣＴ−ＯＲＦ５のＣＰホモログである、ＣＰ−ＯＲＦ７のＤＮＡ配列に対応する。
【０５０４】
配列番号４９０は、クローンＣＴＬ２−１およびＣＴＬ２−５において同定された、ＣＴ７５１（ａｍｎ）のＣＰホモログである、ＣＰｎ０８９４のアミノ酸配列に対応する。
【０５０５】
配列番号４９１は、クローンＣＴＬ２−２において同定された、ＣＴ３３２（ｔｕｆ）のＣＰホモログである、ＣＰｎ００７４のアミノ酸配列に対応する。
【０５０６】
配列番号４９２は、クローンＣＴＬ２ｇａｍ２、ＣＴＬ２−３（５’）およびＣＴＬ２−４において同定された、ＣＴ０３２（ｍｅｔＧ）のＣＰホモログである、ＣＰｎ０１２２のアミノ酸配列に対応する。
【０５０７】
配列番号４９３は、クローンＣＴＬ２−３（５’）（３’）において同定された、ＣＴ０３１のＣＰホモログである、ＣＰｎ０１２１のアミノ酸配列に対応する。
【０５０８】
配列番号４９４は、クローンＣＴＬ２−３（３’）およびＣＴＬ２−２１において同定された、ＣＴ０３０（ｇｍＫ）のＣＰホモログである、ＣＰｎ０１２０のアミノ酸配列に対応する。
【０５０９】
配列番号４９５は、クローンＣＴＬ２ｇａｍ５において同定された、ＣＴ０６４（ｌｅｐＡ）のＣＰホモログである、ＣＰｎ０３５９のアミノ酸配列に対応する。
【０５１０】
配列番号４９６は、クローンＣＴＬ２−６において同定された、ＣＴ２６５（ａｃｃＡ）のＣＰホモログである、ＣＰｎ０４１４のアミノ酸配列に対応する。
【０５１１】
配列番号４９７は、クローンＣＴＬ２−６において同定された、ＣＴ２６４（ｍｓｂＡ）のＣＰホモログである、ＣＰｎ０４１３のＤＮＡ配列に対応する。
【０５１２】
配列番号４９８は、クローンＣＴＬ２ｇａｍ６（５’）およびＣＴＬ２−１１（５’）において同定された、ＣＴ２５６のＣＰホモログである、ＣＰｎ０３９４のアミノ酸配列に対応する。
【０５１３】
配列番号４９９は、クローンＣＴＬ２ｇａｍ６（５’）およびＣＴＬ２−１１（５’）において同定された、ＣＴ２５７のＣＰホモログである、ＣＰｎ０３９５のアミノ酸配列に対応する。
【０５１４】
配列番号５００は、クローンＣＴＬ２ｇａｍ６（３’）およびＣＴＬ２−１１（３’）において同定された、ＣＴ３８４のＣＰホモログである、ＣＰｎ０４８７のアミノ酸配列に対応する。
【０５１５】
配列番号５０１は、クローンＣＴＬ２−８ｂにおいて同定された、ＣＴ４７３のＣＰホモログである、ＣＰｎ０５９２のアミノ酸配列に対応する。
【０５１６】
配列番号５０２は、クローンＣＴＬ２−８ｂにおいて同定された、ＣＴ４７４のＣＰホモログである、ＣＰｎ０５９３のアミノ酸配列に対応する。
【０５１７】
配列番号５０３は、クローンＣＴＬ２−８ｂにおいて同定された、ＣＴ１３９（ｏｐｐＡ１）のＣＰホモログである、ＣＰｎ０１９７のアミノ酸配列に対応する。
【０５１８】
配列番号５０４は、クローンＣＴＬ２−８ｂにおいて同定された、ＣＴ０６０（ｆｌｈＡ）のＣＰホモログである、ＣＰｎ０３６３のアミノ酸配列に対応する。
【０５１９】
配列番号５０５は、クローンＣＴＬ２ｇａｍ８において同定された、ＣＴ２４２のＣＰホモログである、ＣＰｎ０３０１のアミノ酸配列に対応する。
【０５２０】
配列番号５０６は、クローンＣＴＬ２ｇａｍ８において同定された、ＣＴ２４３（ｌｐｘＤ）のＣＰホモログである、ＣＰｎ０３０２のアミノ酸配列に対応する。
【０５２１】
配列番号５０７は、クローンＣＴＬ２−９、ＣＴＬ２ｇａｍ１、ＣＴＬ２ｇａｍ１７およびＣＴＬ２−１９（５’）において同定された、ＣＴ０８９（ｌｃｒＥ）のＣＰホモログである、ＣＰｎ０３２４のアミノ酸配列に対応する。
【０５２２】
配列番号５０８は、クローンＣＴＬ２−１０（５’）（３’）において同定された、ＣＴ６１０のＣＰホモログである、ＣＰｎ０７６１のアミノ酸配列に対応する。
【０５２３】
配列番号５０９は、クローンＣＴＬ２−１０（５’）において同定された、ＣＴ６１１のＣＰホモログである、ＣＰｎ０７６０のアミノ酸配列に対応する。
【０５２４】
配列番号５１０は、クローンＣＴＬ２ｇａｍ１０およびＣＴＬ２ｇａｍ２１において同定された、ＣＴ１５４のＣＰホモログである、ＣＰｎ０３２９のアミノ酸配列に対応する。
【０５２５】
配列番号５１１は、クローンＣＴＬ２−１２において同定された、ＣＴ８３３（ｉｎｆＣ）のＣＰホモログである、ＣＰｎ０９９０のアミノ酸配列に対応する。
【０５２６】
配列番号５１２は、クローンＣＴＬ２ｇａｍ１５（５’）、ＣＴＬ２−１６（５’）、ＣＴＬ２−１８（５’）およびＣＴＬ２−２３において同定された、ＣＴ　ＯＲＦ３のＣＰホモログである、ＣＰｎ−ＯＲＦ５のアミノ酸配列に対応する。
【０５２７】
配列番号５１３は、クローンＣＴＬ２−１６（３’）およびＣＴＬ２ｇａｍ１５（３’）において同定された、ＣＴ８２７（ｎｒｄＡ）のＣＰホモログである、ＣＰｎ０９８４のアミノ酸配列に対応する。
【０５２８】
配列番号５１４は、クローンＣＴＬ２−１６（３’）およびＣＴＬ２ｇａｍ１５（３’）において同定された、ＣＴ８２８（ｎｒｄＢ）のＣＰホモログである、ＣＰｎ０９８５のアミノ酸配列に対応する。
【０５２９】
配列番号５１５は、クローンＣＴＬ２ｇａｍ１８において同定された、ＣＴ０６７（ｙｔｇＡ）のＣＰホモログである、ＣＰｎ０３４９のＤＮＡ配列に対応する。
【０５３０】
配列番号５１６は、クローンＣＴＬ２−１８（３’）において同定された、ＣＴ−ＯＲＦ４のＣＰホモログである、ＣＰ−ＯＲＦ６のアミノ酸配列に対応する。
【０５３１】
配列番号５１７は、クローンＣＴＬ２−１８（３’）において同定された、ＣＴ−ＯＲＦ５のＣＰホモログである、ＣＰ−ＯＲＦ７のアミノ酸配列に対応する。
【０５３２】
配列番号５１８は、クローンＣＴＬ２−１９（５’）において同定された、ＣＴ０８７（ｍａｌＱ）のＣＰホモログである、ＣＰｎ０３２６のアミノ酸配列に対応する。
【０５３３】
配列番号５１９は、クローンＣＴＬ２−１９（５’）において同定された、ＣＴ０８８（ｓｙｃＥ）のＣＰホモログである、ＣＰｎ０３２５のアミノ酸配列に対応する。
【０５３４】
配列番号５２０は、クローンＣＴＬ２ｇａｍ２３において同定された、ＣＴ５８８（ｒｂｓｕ）のＣＰホモログである、ＣＰｎ０７９３のアミノ酸配列に対応する。
【０５３５】
配列番号５２１は、クローンＣＴＬ２ｇａｍ２４において同定された、ＣＴ１９９（ｏｐｐＢ１）のＣＰホモログである、ＣＰｎ０１９９のアミノ酸配列に対応する。
【０５３６】
配列番号５２２は、クローンＣＴＬ２−２４において同定された、ＣＴ５４５（ｄｎａＥ）のＣＰホモログである、ＣＰｎ０６６６のアミノ酸配列に対応する。
【０５３７】
配列番号５２３は、クローンＣＴＬ２ｇａｍ２７において同定された、ＣＴ２８８のＣＰホモログである、ＣＰｎ００６５のアミノ酸配列に対応する。
【０５３８】
配列番号５２４は、クローンＣＴＬ２ｇａｍ３０（５’）（３’）において同定された、ＣＴ４１３（ｐｍｐＢ）のＣＰホモログである、ＣＰｎ０４４４のＤＮＡ配列に対応する。
【０５３９】
配列番号５２５は、クローンＣＴＬ２−１およびＣＴＬ２−５から同定されたＣＴ７５１（ａｍｎ）についてのＣ．ｔｒａｃｈｏｍａｔｉｓ　ＬＧＶ　ＩＩ配列に対するＣ．ｔｒａｃｈｏｍａｔｉｓ血液型亜型Ｄ　ＤＮＡ配列ホモログ全長を示す。
【０５４０】
配列番号５２６は、クローンＣＴＬ２−２から同定されたＣＴ３２２（ｔｕｆｆ）についてのＣ．ｔｒａｃｈｏｍａｔｉｓ　ＬＧＶ　ＩＩ配列に対するＣ．ｔｒａｃｈｏｍａｔｉｓ血液型亜型Ｄ　ＤＮＡ配列ホモログ全長を示す。
【０５４１】
配列番号５２７は、クローンＣＴＬ２ｇａｍ２、ＣＴＬ２−３（５’）およびＣＴＬ２−４から同定されたＣＴ０３２（ｍｅｔＧ）についてのＣ．ｔｒａｃｈｏｍａｔｉｓ　ＬＧＶ　ＩＩ配列に対するＣ．ｔｒａｃｈｏｍａｔｉｓ血液型亜型Ｄ　ＤＮＡ配列ホモログ全長を示す。
【０５４２】
配列番号５２８は、クローンＣＴＬ２−３（５’）（３’）から同定されたＣＴ０３１についてのＣ．ｔｒａｃｈｏｍａｔｉｓ　ＬＧＶ　ＩＩ配列に対するＣ．ｔｒａｃｈｏｍａｔｉｓ血液型亜型Ｄ　ＤＮＡ配列ホモログ全長を示す。
【０５４３】
配列番号５２９は、クローンＣＴＬ２−３（３’）およびＣＴＬ２−２１から同定されたＣＴ０３０（ｇｍＫ）についてのＣ．ｔｒａｃｈｏｍａｔｉｓ　ＬＧＶ　ＩＩ配列に対するＣ．ｔｒａｃｈｏｍａｔｉｓ血液型亜型Ｄ　ＤＮＡ配列ホモログ全長を示す。
【０５４４】
配列番号５３０は、クローンＣＴＬ２ｇａｍ５から同定されたＣＴ０６４（ｌｅｐＡ）についてのＣ．ｔｒａｃｈｏｍａｔｉｓ　ＬＧＶ　ＩＩ配列に対するＣ．ｔｒａｃｈｏｍａｔｉｓ血液型亜型Ｄ　ＤＮＡ配列ホモログ全長を示す。
【０５４５】
配列番号５３１は、クローンＣＴＬ２−６から同定されたＣＴ２６５（ａｃｃＡ）についてのＣ．ｔｒａｃｈｏｍａｔｉｓ　ＬＧＶ　ＩＩ配列に対するＣ．ｔｒａｃｈｏｍａｔｉｓ血液型亜型Ｄ　ＤＮＡ配列ホモログ全長を示す。
【０５４６】
配列番号５３２は、クローンＣＴＬ２−６から同定されたＣＴ６２４（ｍｓｂＡ）についてのＣ．ｔｒａｃｈｏｍａｔｉｓ　ＬＧＶ　ＩＩ配列に対するＣ．ｔｒａｃｈｏｍａｔｉｓ血液型亜型Ｄ　ＤＮＡ配列ホモログ全長を示す。
【０５４７】
配列番号５３３は、クローンＣＴＬ２ｇａｍ６（５’）およびＣＴＬ２−１１（５’）から同定されたＣＴ２５６についてのＣ．ｔｒａｃｈｏｍａｔｉｓ　ＬＧＶ　ＩＩ配列に対するＣ．ｔｒａｃｈｏｍａｔｉｓ血液型亜型Ｄ　ＤＮＡ配列ホモログ全長を示す。
【０５４８】
配列番号５３４は、クローンＣＴＬ２ｇａｍ６（５’）およびＣＴＬ２−１１（５’）から同定されたＣＴ２５７についてのＣ．ｔｒａｃｈｏｍａｔｉｓ　ＬＧＶ　ＩＩ配列に対するＣ．ｔｒａｃｈｏｍａｔｉｓ血液型亜型Ｄ　ＤＮＡ配列ホモログ全長を示す。
【０５４９】
配列番号５３５は、クローンＣＴＬ２ｇａｍ６（３’）およびＣＴＬ２−１１（３’）から同定されたＣＴ３８４についてのＣ．ｔｒａｃｈｏｍａｔｉｓ　ＬＧＶ　ＩＩ配列に対するＣ．ｔｒａｃｈｏｍａｔｉｓ血液型亜型Ｄ　ＤＮＡ配列ホモログ全長を示す。
【０５５０】
配列番号５３６は、クローンＣＴＬ２−８ｂから同定されたＣＴ４７３についてのＣ．ｔｒａｃｈｏｍａｔｉｓ　ＬＧＶ　ＩＩ配列に対するＣ．ｔｒａｃｈｏｍａｔｉｓ血液型亜型Ｄ　ＤＮＡ配列ホモログ全長を示す。
【０５５１】
配列番号５３７は、クローンＣＴＬ２−８ｂから同定されたＣＴ４７４についてのＣ．ｔｒａｃｈｏｍａｔｉｓ　ＬＧＶ　ＩＩ配列に対するＣ．ｔｒａｃｈｏｍａｔｉｓ血液型亜型Ｄ　ＤＮＡ配列ホモログ全長を示す。
【０５５２】
配列番号５３８は、クローンＣＴＬ２−８ｂから同定されたＣＴ１３９（ｏｐｐＡ１）についてのＣ．ｔｒａｃｈｏｍａｔｉｓ　ＬＧＶ　ＩＩ配列に対するＣ．ｔｒａｃｈｏｍａｔｉｓ血液型亜型Ｄ　ＤＮＡ配列ホモログ全長を示す。
【０５５３】
配列番号５３９は、クローンＣＴＬ２−８ｂから同定されたＣＴ０６０（ｆｌｈＡ）についてのＣ．ｔｒａｃｈｏｍａｔｉｓ　ＬＧＶ　ＩＩ配列に対するＣ．ｔｒａｃｈｏｍａｔｉｓ血液型亜型Ｄ　ＤＮＡ配列ホモログを示す。
【０５５４】
配列番号５４０は、クローンＣＴＬ２ｇａｍ８から同定されたＣＴ２４２についてのＣ．ｔｒａｃｈｏｍａｔｉｓ　ＬＧＶ　ＩＩ配列に対するＣ．ｔｒａｃｈｏｍａｔｉｓ血液型亜型Ｄ　ＤＮＡ配列ホモログ全長を示す。
【０５５５】
配列番号５４１は、クローンＣＴＬ２ｇａｍ８から同定されたＣＴ２４３（ｌｐｘＤ）についてのＣ．ｔｒａｃｈｏｍａｔｉｓ　ＬＧＶ　ＩＩ配列に対するＣ．ｔｒａｃｈｏｍａｔｉｓ血液型亜型Ｄ　ＤＮＡ配列ホモログ全長を示す。
【０５５６】
配列番号５４２は、クローンＣＴＬ２−９、ＣＴＬ２ｇａｍ１、ＣＴＬｇａｍ１７およびＣＴＬ２−１９（５’）から同定されたＣＴ０８９についてのＣ．ｔｒａｃｈｏｍａｔｉｓ　ＬＧＶ　ＩＩ配列に対するＣ．ｔｒａｃｈｏｍａｔｉｓ血液型亜型Ｄ　ＤＮＡ配列ホモログ全長を示す。
【０５５７】
配列番号５４３は、クローンＣＴＬ２−１０（５’）（３’）から同定されたＣＴ６１０についてのＣ．ｔｒａｃｈｏｍａｔｉｓ　ＬＧＶ　ＩＩ配列に対するＣ．ｔｒａｃｈｏｍａｔｉｓ血液型亜型Ｄ　ＤＮＡ配列ホモログ全長（ｌｐｘＤ）を示す。
【０５５８】
配列番号５４４は、クローンＣＴＬ２−１０（５’）から同定されたＣＴ６１１についてのＣ．ｔｒａｃｈｏｍａｔｉｓ　ＬＧＶ　ＩＩ配列に対するＣ．ｔｒａｃｈｏｍａｔｉｓ血液型亜型Ｄ　ＤＮＡ配列ホモログ全長を示す。
【０５５９】
配列番号５４５は、クローンＣＴＬ２ｇａｍ１０およびＣＴＬ２ｇａｍ２１から同定されたＣＴ１５４についてのＣ．ｔｒａｃｈｏｍａｔｉｓ　ＬＧＶ　ＩＩ配列に対するＣ．ｔｒａｃｈｏｍａｔｉｓ血液型亜型Ｄ　ＤＮＡ配列ホモログ全長を示す。
【０５６０】
配列番号５４６は、クローンＣＴＬ２−１２から同定されたＣＴ８３３（ｉｎｆＣ）についてのＣ．ｔｒａｃｈｏｍａｔｉｓ　ＬＧＶ　ＩＩ配列に対するＣ．ｔｒａｃｈｏｍａｔｉｓ血液型亜型Ｄ　ＤＮＡ配列ホモログ全長を示す。
【０５６１】
配列番号５４７は、クローンＣＴＬ２−１６（３’）およびＣＴＬ２ｇａｍ１５（３’）から同定されたＣＴ８２７（ｎｒｄＡ）についてのＣ．ｔｒａｃｈｏｍａｔｉｓ　ＬＧＶ　ＩＩ配列に対するＣ．ｔｒａｃｈｏｍａｔｉｓ血液型亜型Ｄ　ＤＮＡ配列ホモログ全長を示す。
【０５６２】
配列番号５４８は、クローンＣＴＬ２−１６（３’）およびＣＴＬ２ｇａｍ１５（３’）から同定されたＣＴ８２８（ｎｒｄＢ）についてのＣ．ｔｒａｃｈｏｍａｔｉｓ　ＬＧＶ　ＩＩ配列に対するＣ．ｔｒａｃｈｏｍａｔｉｓ血液型亜型Ｄ　ＤＮＡ配列ホモログ全長を示す。
【０５６３】
配列番号５４９は、クローンＣＴＬ２ｇａｍ１８から同定されたＣＴ０６７（ｙｔｇＡ）についてのＣ．ｔｒａｃｈｏｍａｔｉｓ　ＬＧＶ　ＩＩ配列に対するＣ．ｔｒａｃｈｏｍａｔｉｓ血液型亜型Ｄ　ＤＮＡ配列ホモログ全長を示す。
【０５６４】
配列番号５５０は、クローンＣＴＬ２−１９（５’）から同定されたＣＴ０８８（ｓｙｃＥ）についてのＣ．ｔｒａｃｈｏｍａｔｉｓ　ＬＧＶ　ＩＩ配列に対するＣ．ｔｒａｃｈｏｍａｔｉｓ血液型亜型Ｄ　ＤＮＡ配列ホモログ全長を示す。
【０５６５】
配列番号５５１は、クローンＣＴＬ２−１９（５’）から同定されたＣＴ０８７についてのＣ．ｔｒａｃｈｏｍａｔｉｓ　ＬＧＶ　ＩＩ配列に対するＣ．ｔｒａｃｈｏｍａｔｉｓ血液型亜型Ｄ　ＤＮＡ配列ホモログ全長を示す。
【０５６６】
配列番号５５２は、クローンＣＴＬ２ｇａｍ２３から同定されたＣＴ５８８（ｒｓｂｕ）についてのＣ．ｔｒａｃｈｏｍａｔｉｓ　ＬＧＶ　ＩＩ配列に対するＣ．ｔｒａｃｈｏｍａｔｉｓ血液型亜型Ｄ　ＤＮＡ配列ホモログ全長を示す。
【０５６７】
配列番号５５３は、クローンＣＴＬ２ｇａｍ２４から同定されたＣＴ１９９（ｏｐｐＢ１）についてのＣ．ｔｒａｃｈｏｍａｔｉｓ　ＬＧＶ　ＩＩ配列に対するＣ．ｔｒａｃｈｏｍａｔｉｓ血液型亜型Ｄ　ＤＮＡ配列ホモログ全長を示す。
【０５６８】
配列番号５５４は、クローンＣＴＬ２−４から同定されたＣＴ５４５（ｄｎａＥ）についてのＣ．ｔｒａｃｈｏｍａｔｉｓ　ＬＧＶ　ＩＩ配列に対するＣ．ｔｒａｃｈｏｍａｔｉｓ血液型亜型Ｄ　ＤＮＡ配列ホモログ全長を示す。
【０５６９】
配列番号５５５は、クローンＣＴＬ２ｇａｍ２７から同定されたＣＴ２８８についてのＣ．ｔｒａｃｈｏｍａｔｉｓ　ＬＧＶ　ＩＩ配列に対するＣ．ｔｒａｃｈｏｍａｔｉｓ血液型亜型Ｄ　ＤＮＡ配列ホモログ全長を示す。
【０５７０】
配列番号５５６は、クローンＣＴＬ２ｇａｍ３０（５’）（３’）から同定されたＣＴ４１３（ｐｍｐＢ）についてのＣ．ｔｒａｃｈｏｍａｔｉｓ　ＬＧＶ　ＩＩ配列に対するＣ．ｔｒａｃｈｏｍａｔｉｓ血液型亜型Ｄ　ＤＮＡ配列ホモログ全長を示す。
【０５７１】
配列番号５５７は、クローンＣＴＬ２ｇａｍ１５（５’）、ＣＴＬ２−１６（５’）、ＣＴＬ２−１８（５’）およびＣＴＬ２−２３から同定されたＣＴ−ＯＲＦ３についてのＣ．ｔｒａｃｈｏｍａｔｉｓ　ＬＧＶ　ＩＩ配列に対するＣ．ｔｒａｃｈｏｍａｔｉｓ血液型亜型Ｄ　ＤＮＡ配列ホモログ全長を示す。
【０５７２】
配列番号５５８は、クローンＣＴＬ２−１８（３’）から同定されたｐＣＴ−ＯＲＦ４についてのＣ．ｔｒａｃｈｏｍａｔｉｓ　ＬＧＶ　ＩＩ配列に対するＣ．ｔｒａｃｈｏｍａｔｉｓ血液型亜型Ｄ　ＤＮＡ配列ホモログ全長を示す。
【０５７３】
配列番号５５９は、クローンＣＴＬ２−１８（３’）から同定されたＣＴ−ＯＲＦ５についてのＣ．ｔｒａｃｈｏｍａｔｉｓ　ＬＧＶ　ＩＩ配列に対するＣ．ｔｒａｃｈｏｍａｔｉｓ血液型亜型Ｄ　ＤＮＡ配列ホモログ全長を示す。
【０５７４】
配列番号５６０は、クローンＣＴＬ２−１およびＣＴＬ２−５から同定されたＣＴ７５１（ａｍｎ）についてのＣ．ｔｒａｃｈｏｍａｔｉｓ　ＬＧＶ　ＩＩ配列に対するＣ．ｔｒａｃｈｏｍａｔｉｓ血液型亜型Ｄ　アミノ酸配列ホモログ全長を示す。
【０５７５】
配列番号５６１は、クローンＣＴＬ２−２から同定されたＣＴ３２２（ｔｕｆｆ）についてのＣ．ｔｒａｃｈｏｍａｔｉｓ　ＬＧＶ　ＩＩ配列に対するＣ．ｔｒａｃｈｏｍａｔｉｓ血液型亜型Ｄ　アミノ酸配列ホモログ全長を示す。
【０５７６】
配列番号５６２は、クローンＣＴＬ２ｇａｍ２、ＣＴＬ２−３（５’）およびＣＴＬ２−４から同定されたＣＴ０３２（ｍｅｔＧ）についてのＣ．ｔｒａｃｈｏｍａｔｉｓ　ＬＧＶ　ＩＩ配列に対するＣ．ｔｒａｃｈｏｍａｔｉｓ血液型亜型Ｄ　アミノ酸配列ホモログ全長を示す。
【０５７７】
配列番号５６３は、クローンＣＴＬ２−３（５’）（３’）から同定されたＣＴ０３１についてのＣ．ｔｒａｃｈｏｍａｔｉｓ　ＬＧＶ　ＩＩ配列に対するＣ．ｔｒａｃｈｏｍａｔｉｓ血液型亜型Ｄ　アミノ酸配列ホモログ全長を示す。
【０５７８】
配列番号５６４は、クローンＣＴＬ２−３（３’）およびＣＴＬ２−２１から同定されたＣＴ０３０（ｇｍＫ）についてのＣ．ｔｒａｃｈｏｍａｔｉｓ　ＬＧＶ　ＩＩ配列に対するＣ．ｔｒａｃｈｏｍａｔｉｓ血液型亜型Ｄ　アミノ酸配列ホモログ全長を示す。
【０５７９】
配列番号５６５は、クローンＣＴＬ２ｇａｍ５から同定されたＣＴ０６４（ｌｅｐＡ）についてのＣ．ｔｒａｃｈｏｍａｔｉｓ　ＬＧＶ　ＩＩ配列に対するＣ．ｔｒａｃｈｏｍａｔｉｓ血液型亜型Ｄ　アミノ酸配列ホモログ全長を示す。
【０５８０】
配列番号５６６は、クローンＣＴＬ２−６から同定されたＣＴ２６５（ａｃｃＡ）についてのＣ．ｔｒａｃｈｏｍａｔｉｓ　ＬＧＶ　ＩＩ配列に対するＣ．ｔｒａｃｈｏｍａｔｉｓ血液型亜型Ｄ　アミノ酸配列ホモログ全長を示す。
【０５８１】
配列番号５６７は、クローンＣＴＬ２−６から同定されたＣＴ６２４（ｍｓｂＡ）についてのＣ．ｔｒａｃｈｏｍａｔｉｓ　ＬＧＶ　ＩＩ配列に対するＣ．ｔｒａｃｈｏｍａｔｉｓ血液型亜型Ｄ　アミノ酸配列ホモログ全長を示す。
【０５８２】
配列番号５６８は、クローンＣＴＬ２ｇａｍ６（５’）およびＣＴＬ２−１１（５’）から同定されたＣＴ２５６についてのＣ．ｔｒａｃｈｏｍａｔｉｓ　ＬＧＶ　ＩＩ配列に対するＣ．ｔｒａｃｈｏｍａｔｉｓ血液型亜型Ｄ　アミノ酸配列ホモログ全長を示す。
【０５８３】
配列番号５６９は、クローンＣＴＬ２ｇａｍ６（５’）およびＣＴＬ２−１１（５’）から同定されたＣＴ２５７についてのＣ．ｔｒａｃｈｏｍａｔｉｓ　ＬＧＶ　ＩＩ配列に対するＣ．ｔｒａｃｈｏｍａｔｉｓ血液型亜型Ｄ　アミノ酸配列ホモログ全長を示す。
【０５８４】
配列番号５７０は、クローンＣＴＬ２ｇａｍ６（３’）およびＣＴＬ２−１１（３’）から同定されたＣＴ３８４についてのＣ．ｔｒａｃｈｏｍａｔｉｓ　ＬＧＶ　ＩＩ配列に対するＣ．ｔｒａｃｈｏｍａｔｉｓ血液型亜型Ｄ　アミノ酸配列ホモログ全長を示す。
【０５８５】
配列番号５７１は、クローンＣＴＬ２−８ｂから同定されたＣＴ４７３についてのＣ．ｔｒａｃｈｏｍａｔｉｓ　ＬＧＶ　ＩＩ配列に対するＣ．ｔｒａｃｈｏｍａｔｉｓ血液型亜型Ｄ　アミノ酸配列ホモログ全長を示す。
【０５８６】
配列番号５７２は、クローンＣＴＬ２−８ｂから同定されたＣＴ４７４についてのＣ．ｔｒａｃｈｏｍａｔｉｓ　ＬＧＶ　ＩＩ配列に対するＣ．ｔｒａｃｈｏｍａｔｉｓ血液型亜型Ｄ　アミノ酸配列ホモログ全長を示す。
【０５８７】
配列番号５７３は、クローンＣＴＬ２−８ｂから同定されたＣＴ１３９（ｏｐｐＡ１）についてのＣ．ｔｒａｃｈｏｍａｔｉｓ　ＬＧＶ　ＩＩ配列に対するＣ．ｔｒａｃｈｏｍａｔｉｓ血液型亜型Ｄ　アミノ酸配列ホモログ全長を示す。
【０５８８】
配列番号５７４は、クローンＣＴＬ２−８ｂから同定されたＣＴ０６０（ｆｌｈＡ）についてのＣ．ｔｒａｃｈｏｍａｔｉｓ　ＬＧＶ　ＩＩ配列に対するＣ．ｔｒａｃｈｏｍａｔｉｓ血液型亜型Ｄ　アミノ酸配列ホモログ全長を示す。
【０５８９】
配列番号５７５は、クローンＣＴＬ２ｇａｍ８から同定されたＣＴ２４２についてのＣ．ｔｒａｃｈｏｍａｔｉｓ　ＬＧＶ　ＩＩ配列に対するＣ．ｔｒａｃｈｏｍａｔｉｓ血液型亜型Ｄ　アミノ酸配列ホモログ全長を示す。
【０５９０】
配列番号５７６は、クローンＣＴＬ２ｇａｍ８から同定されたＣＴ２４３（ｌｐｘＤ）についてのＣ．ｔｒａｃｈｏｍａｔｉｓ　ＬＧＶ　ＩＩ配列に対するＣ．ｔｒａｃｈｏｍａｔｉｓ血液型亜型Ｄ　アミノ酸配列ホモログ全長を示す。
【０５９１】
配列番号５７７は、クローンＣＴＬ２−９、ＣＴＬ２ｇａｍ１、ＣＴＬ２ｇａｍ１７およびＣＴＬ２−１９（５’）から同定されたＣＴ０８９についてのＣ．ｔｒａｃｈｏｍａｔｉｓ　ＬＧＶ　ＩＩ配列に対するＣ．ｔｒａｃｈｏｍａｔｉｓ血液型亜型Ｄ　アミノ酸配列ホモログ全長を示す。
【０５９２】
配列番号５７８は、クローンＣＴＬ２−１０（５’）（３’）から同定されたＣＴ６１０についてのＣ．ｔｒａｃｈｏｍａｔｉｓ　ＬＧＶ　ＩＩ配列に対するＣ．ｔｒａｃｈｏｍａｔｉｓ血液型亜型Ｄ　アミノ酸配列ホモログ全長を示す。
【０５９３】
配列番号５７９は、クローンＣＴＬ２−１０（５’）から同定されたＣＴ６１１についてのＣ．ｔｒａｃｈｏｍａｔｉｓ　ＬＧＶ　ＩＩ配列に対するＣ．ｔｒａｃｈｏｍａｔｉｓ血液型亜型Ｄ　アミノ酸配列ホモログ全長を示す。
【０５９４】
配列番号５８０は、クローンＣＴＬ２ｇａｍ１０およびＣＴＬ２ｇａｍ２１から同定されたＣＴ１５４についてのＣ．ｔｒａｃｈｏｍａｔｉｓ　ＬＧＶ　ＩＩ配列に対するＣ．ｔｒａｃｈｏｍａｔｉｓ血液型亜型Ｄ　アミノ酸配列ホモログ全長を示す。
【０５９５】
配列番号５８１は、クローンＣＴＬ２−１２から同定されたＣＴ８３３（ｉｎｆＣ）についてのＣ．ｔｒａｃｈｏｍａｔｉｓ　ＬＧＶ　ＩＩ配列に対するＣ．ｔｒａｃｈｏｍａｔｉｓ血液型亜型Ｄ　アミノ酸配列ホモログ全長を示す。
【０５９６】
配列番号５８２は、クローンＣＴＬ２ｇａｍ１５（５’）、ＣＴＬ２−１６（５’）、ＣＴＬ２−１８（５’）およびＣＴＬ２−２３から同定されたＣＴ−ＯＲＦ３についてのＣ．ｔｒａｃｈｏｍａｔｉｓ　ＬＧＶ　ＩＩ配列に対するＣ．ｔｒａｃｈｏｍａｔｉｓ血液型亜型Ｄ　ＤＮＡ配列ホモログ全長を示す。
【０５９７】
配列番号５８３は、クローンＣＴＬ２−１６（３’）およびＣＴＬ２ｇａｍ１５（３’）から同定されたＣＴ８２７（ｎｒｄＡ）についてのＣ．ｔｒａｃｈｏｍａｔｉｓ　ＬＧＶ　ＩＩ配列に対するＣ．ｔｒａｃｈｏｍａｔｉｓ血液型亜型Ｄ　ＤＮＡ配列ホモログ全長を示す。
【０５９８】
配列番号５８４は、クローンＣＴＬ２−１６（３’）およびＣＴＬ２ｇａｍ１５（３’）から同定されたＣＴ８２８（ｎｒｄＢ）についてのＣ．ｔｒａｃｈｏｍａｔｉｓ　ＬＧＶ　ＩＩ配列に対するＣ．ｔｒａｃｈｏｍａｔｉｓ血液型亜型Ｄ　ＤＮＡ配列ホモログ全長を示す。
【０５９９】
配列番号５８５は、クローンＣＴＬ２ｇａｍ１８から同定されたＣＴ０６７（ｙｔｇＡ）についてのＣ．ｔｒａｃｈｏｍａｔｉｓ　ＬＧＶ　ＩＩ配列に対するＣ．ｔｒａｃｈｏｍａｔｉｓ血液型亜型Ｄ　ＤＮＡ配列ホモログ全長を示す。
【０６００】
配列番号５８６は、クローンＣＴＬ２−１８（３’）から同定されたｐＣＴ−ＯＲＦ４についてのＣ．ｔｒａｃｈｏｍａｔｉｓ　ＬＧＶ　ＩＩ配列に対するＣ．ｔｒａｃｈｏｍａｔｉｓ血液型亜型Ｄ　ＤＮＡ配列ホモログ全長を示す。
【０６０１】
配列番号５８７は、クローンＣＴＬ２−１８（３’）から同定されたＣＴ−ＯＲＦ５についてのＣ．ｔｒａｃｈｏｍａｔｉｓ　ＬＧＶ　ＩＩ配列に対するＣ．ｔｒａｃｈｏｍａｔｉｓ血液型亜型Ｄ　ＤＮＡ配列ホモログ全長を示す。
【０６０２】
配列番号５８８は、クローンＣＴＬ２−１９（５’）から同定されたＣＴ０８７についてのＣ．ｔｒａｃｈｏｍａｔｉｓ　ＬＧＶ　ＩＩ配列に対するＣ．ｔｒａｃｈｏｍａｔｉｓ血液型亜型Ｄ　ＤＮＡ配列ホモログ全長を示す。
【０６０３】
配列番号５８９は、クローンＣＴＬ２−１９（５’）から同定されたＣＴ０８８（ｓｙｃＥ）についてのＣ．ｔｒａｃｈｏｍａｔｉｓ　ＬＧＶ　ＩＩ配列に対するＣ．ｔｒａｃｈｏｍａｔｉｓ血液型亜型Ｄ　ＤＮＡ配列ホモログ全長を示す。
【０６０４】
配列番号５９０は、クローンＣＴＬ２ｇａｍ２３から同定されたＣＴ５８８（ｒｓｂｕ）についてのＣ．ｔｒａｃｈｏｍａｔｉｓ　ＬＧＶ　ＩＩ配列に対するＣ．ｔｒａｃｈｏｍａｔｉｓ血液型亜型Ｄ　ＤＮＡ配列ホモログ全長を示す。
【０６０５】
配列番号５９１は、クローンＣＴＬ２ｇａｍ２４から同定されたＣＴ１９９（ｏｐｐＢ１）についてのＣ．ｔｒａｃｈｏｍａｔｉｓ　ＬＧＶ　ＩＩ配列に対するＣ．ｔｒａｃｈｏｍａｔｉｓ血液型亜型Ｄ　ＤＮＡ配列ホモログ全長を示す。
【０６０６】
配列番号５９２は、クローンＣＴＬ２−４から同定されたＣＴ５４５（ｄｎａＥ）についてのＣ．ｔｒａｃｈｏｍａｔｉｓ　ＬＧＶ　ＩＩ配列に対するＣ．ｔｒａｃｈｏｍａｔｉｓ血液型亜型Ｄ　ＤＮＡ配列ホモログ全長を示す。
【０６０７】
配列番号５９３は、クローンＣＴＬ２ｇａｍ２７から同定されたＣＴ２８８についてのＣ．ｔｒａｃｈｏｍａｔｉｓ　ＬＧＶ　ＩＩ配列に対するＣ．ｔｒａｃｈｏｍａｔｉｓ血液型亜型Ｄ　ＤＮＡ配列ホモログ全長を示す。
【０６０８】
配列番号５９４は、クローンＣＴＬ２ｇａｍ３０（５’）（３’）から同定されたＣＴ４１３（ｐｍｐＢ）についてのＣ．ｔｒａｃｈｏｍａｔｉｓ　ＬＧＶ　ＩＩ配列に対するＣ．ｔｒａｃｈｏｍａｔｉｓ血液型亜型Ｄ　ＤＮＡ配列ホモログ全長を示す。
【０６０９】
配列番号５９５は、Ｃｈｌａｍｙｄｉａ　ｔｒａｃｈｏｍａｔｉｓ遺伝子ＣＴ１０２のＣｈｌａｍｙｄｉａ　ｐｎｅｕｍｏｎｉａｅホモログであるＣＰｎ０４０６についてのＤＮＡ配列を示す。
【０６１０】
配列番号５９６は、Ｃｈｌａｍｙｄｉａ　ｔｒａｃｈｏｍａｔｉｓ遺伝子ＣＴ０９８のＣｈｌａｍｙｄｉａ　ｐｎｅｕｍｏｎｉａｅホモログであるＣＰｎ０３１５についてのＤＮＡ配列を示す。
【０６１１】
配列番号５９７は、Ｃｈｌａｍｙｄｉａ　ｔｒａｃｈｏｍａｔｉｓ遺伝子ＣＴ１０２のＣｈｌａｍｙｄｉａ　ｐｎｅｕｍｏｎｉａｅホモログであるＣＰｎ０４０６についてのアミノ酸配列を示す。
【０６１２】
配列番号５９８は、Ｃｈｌａｍｙｄｉａ　ｔｒａｃｈｏｍａｔｉｓ遺伝子ＣＴ０９８のＣｈｌａｍｙｄｉａ　ｐｎｅｕｍｏｎｉａｅホモログであるＣＰｎ０３１５についてのアミノ酸配列を示す。
【０６１３】
配列番号５９９は、Ｃｈｌａｍｙｄｉａ　ｔｒａｃｈｏｍａｔｉｓ血液型亜型Ｄ　ＣＴ２８７タンパク質についてのアミノ酸配列を示す。
【０６１４】
（発明の詳細な説明）
上記のように、本発明は、一般に、Ｃｈｌａｍｙｄｉａ感染の診断および処置のための組成物および方法に関する。１つの局面において、本発明の組成物は、Ｃｈｌａｍｙｄｉａ抗原の少なくとも１つの免疫原性部分またはその改変体を含むポリペプチドを含む。
【０６１５】
特定の実施形態において、本発明は、Ｃｈｌａｍｙｄｉａ抗原の免疫原性部分を含むポリペプチドを開示する。ここで、Ｃｈｌａｍｙｄｉａ抗原は、本明細書中で開示されるポリヌクレオチド分子、このヌクレオチド配列の相補体、およびこのような配列の改変体にコードされるアミノ酸配列を含む。
【０６１６】
本明細書中で記載される場合、用語「ポリペプチド」は、任意の長さ（全長タンパク質を含む）のアミノ酸鎖（すなわち、抗原）を含む。ここで、このアミノ酸残基は、共有ペプチド結合により連結されている。従って、本発明の抗原のうちの１つの免疫原性部分を含むポリペプチドは、免疫原性部分全体からなってもよいし、さらなる配列を含んでいてもよい。このさらなる配列は、ネイティブなＣｌａｍｙｄｉａ抗原から誘導されてもよいし、異種でもよく、そしてこのような配列は、免疫原性であり得る（しかし、必要ではない）。
【０６１７】
本明細書中で使用される場合、用語「ポリヌクレオチド」は、デオキシリボヌクレオチドまたはリボヌクレオチドの塩基の一本鎖または二本鎖のポリマーを意味し、そしてＤＮＡおよび対応するＲＮＡ分子（ＨｎＲＮＡおよびｍＲＮＡの分子を含む）、センス鎖およびアンチセンス鎖の両方を含み、ｃＤＮＡ、ゲノムＤＮＡおよび組換えＤＮＡ、ならびに合成ポリヌクレオチドの全体または一部を含む。ＨｎＲＮＡ分子はイントロンを含み、そして一般的に一対一の様式でＤＮＡ分子に対応する。ｍＲＮＡ分子は、イントロンが切り出されたＨｎＲＮＡ分子およびＤＮＡ分子に対応する。ポリヌクレオチドは、遺伝子全体、またはその一部からなり得る。作動可能なアンチセンスポリヌクレオチドは、対応するポリヌクレオチドのフラグメントを含み得、従って、「ポリヌクレオチド」の定義は、このような全ての作動可能なアンチセンスフラグメントを含む。
【０６１８】
抗原の「免疫原性部分」は、Ｃｈｌａｍｙｄｉａ感染個体から得た血清と反応し得る（すなわち、感染個体由来の血清を用いた吸光度読み取り（これは、本明細書に記載の代表的ＥＬＩＳＡアッセイにおいて、非感染個体由来の血清を用いて得た吸光度を少なくとも３標準偏差上回る）を生成する）部分である。このような免疫原性部分は、一般に、少なくとも約５アミノ酸残基、より好ましくは、少なくとも１０、そして最も好ましくは少なくとも２０アミノ酸残基を含む。公知の配列の抗原の免疫原性部分を調製および同定するための方法は、当該分野で周知であり、そしてＰａｕｌ，Ｆｕｎｄａｍｅｎｔａｌ　Ｉｍｍｕｎｏｌｏｇｙ、第３版，Ｒａｖｅｎ　Ｐｒｅｓｓ，１９９３，第２４３〜２４７頁およびそこに引用されている参考文献に要約されている方法を含む。このような技術としては、抗原特異的抗体、抗血清および／またはＴ細胞株もしくはクローンと反応する能力についてポリペプチドをスクリーニングする技術を含む。本明細書において用いる場合、抗血清および抗体は、抗原に特異的に結合する場合、「抗原特異的」である（すなわち、抗血清および抗体は、ＥＬＩＳＡまたは他のイムノアッセイにおいてそのタンパク質と反応し、そして関連しないタンパク質とは検出可能に反応しない）。このような抗血清および抗体は、本明細書において記載されるように、そして周知の技術を用いて調製され得る。ネイティブなＣｈｌａｍｙｄｉａタンパク質の免疫原性部分は、（例えば、ＥＬＩＳＡおよび／またはＴ細胞反応性アッセイにおいて）全長ポリペプチドの反応性よりも実質的に低いレベルで、このような抗血清および／またはＴ細胞と反応する部分である。このような免疫原性部分は、このようなアッセイにおいて、全長ポリペプチドの反応性と類似かまたはより大きいレベルで反応し得る。このようなスクリーニングは、一般に当業者に周知の方法（例えば、ＨａｒｌｏｗおよびＬａｎｅ、Ａｎｔｉｂｏｄｉｅｓ：Ａ　Ｌａｂｏｒａｔｏｒｙ　Ｍａｎｕａｌ，Ｃｏｌｄ　Ｓｐｒｉｎｇ　Ｈａｒｂｏｒ　Ｌａｂｏｒａｔｏｒｙ，１９８８に記載の方法）を用いて実行され得る。例えば、ポリペプチドは、固体支持体上に固定され得、そして患者の血清と接触されて、固定されたポリペプチドに対する血清内の抗体の結合を可能にする。次いで、非結合血清は、取り出され得、そして例えば、１２５Ｉ標識プロテインＡを用いて検出した抗体と結合され得る。
【０６１９】
本発明により企図される抗原の免疫原性部分の例としては、例えば、配列番号９、１０、１８、１９、３１、３９、９３〜９６、９８、１００〜１０２、１０６、１０８、１３８〜１４０、１５８、１６７、１６８、２４６、２４７および２５４〜２５６において提供されるＴ細胞刺激エピトープが挙げられる。本明細書に記載されるような、１つ以上のＣｈｌａｍｙｄｉａ抗原の少なくとも１つの免疫原性部分を含むポリペプチドは、一般に、患者のＣｈｌａｍｙｄｉａ感染を検出するために、単独かまたは組み合わせて、用いられ得る。
【０６２０】
本発明の組成物および方法はまた、上記のポリペプチドおよびポリヌクレオチド分子の改変体を含む。このような改変体としては、本発明の配列の天然に存在する対立遺伝子改変体が挙げられるがこれらに限定されない。特に、改変体は、他のＣｈｌａｍｙｄｉａｅの血清型亜型（例えば、血清型亜型Ｄ、ＥおよびＦ、ならびにいくつかのＬＧＶ血清型亜型（本明細書に記載される、本発明のポリペプチドおよびポリヌクレオチド分子と相同性を共有する））を含む。好ましくは、この血清型相同体は、本明細書に記載される対応するポリペプチド配列に対して９５〜９９％の相同性を示す。
【０６２１】
本明細書において用いる場合、ポリペプチドの「改変体」は、保存的置換および／または改変のみにおいて示されたポリペプチドとは異なるポリペプチドであり、従ってこのポリペプチドの抗原特性は保持されている。好ましい実施形態において、改変ポリペプチドは、５つ以下のアミノ酸の置換、欠失または付加によって、同定された配列とは異なる。このような改変体は、一般に、上記のポリペプチド配列のうちの１つを改変すること、および、例えば、本明細書において記載されている代表的な手順を使用して、改変ポリペプチドの抗原特性を評価することによって、同定され得る。換言すれば、抗原特異的抗血清と反応する改変体の能力は、ネイティブなタンパク質に対して、強化され得るかもしくは不変であり得、またはネイティブなタンパク質に対して、５０％未満および好ましくは２０％未満程度減少され得る。このような改変体は、一般に、本明細書において記載のように上記のポリペプチド配列のうちの１つを改変すること、および抗原特異的抗体または抗血清との改変ポリペプチドの反応性を評価することよって同定され得る。好ましい改変体は、１つ以上の部分（例えば、Ｎ末端リーダー配列または膜貫通ドメイン）が除去された改変体を含む。他の好ましい改変体は、小さい部分（例えば、１〜３０アミノ酸、好ましくは５〜１５アミノ酸）が、成熟タンパクのＮ末端および／またはＣ末端から除去されている改変体を含む。
【０６２２】
本明細書において用いる場合、「保存的置換」とは、１つのアミノ酸が、類似の性質を有する別のアミノ酸と置換されている、置換であり、従って、ペプチド化学の当業者は、ポリペプチドの二次構造および疎水性親水性指標の性質が実質的に不変であると予期する。アミノ酸置換は、一般に、残基の極性、電荷、溶解度、疎水性、親水性および／または両親媒性の性質の類似性に基づいて行われ得る。例えば、負に荷電されるアミノ酸としては、アスパラギン酸およびグルタミン酸が挙げられる；正に荷電したアミノ酸としては、リジンおよびアルギニンが挙げられる；そして、類似の親水性値を有する荷電してない極性のヘッド基を有するアミノ酸としては、以下が挙げられる：ロイシン、イソロイシンおよびバリン；グリシンおよびアラニン；アスパラギンおよびグルタミン；ならびに、セリン、トレオニン、フェニルアラニンおよびチロシン。保存的変化を表し得るアミノ酸の他の群としては、以下が挙げられる：（１）ａｌａ、ｐｒｏ、ｇｌｙ、ｇｌｕ、ａｓｐ、ｇｌｎ、ａｓｎ、ｓｅｒ、ｔｈｒ；（２）ｃｙｓ、ｓｅｒ、ｔｙｒ、ｔｈｒ；（３）ｖａｌ、ｉｌｅ、ｌｅｕ、ｍｅｔ、ａｌａ、ｐｈｅ；（４）ｌｙｓ、ａｒｇ、ｈｉｓ；ならびに（５）ｐｈｅ、ｔｙｒ、ｔｒｐ、ｈｉｓ。改変体はまた、あるいは非保存的変化を含んでもよい。好ましい実施形態において、改変体ポリペプチドは、５つ以下のアミノ酸の置換、欠失または付加だけネイティブな配列と異なる。改変体はまた（あるいは）、例えば、ポリペプチドの免疫原性、二次構造および疎水性親水性指標の性質に対して最小の影響しか有さないアミノ酸の欠失または付加によって改変され得る。改変体はまた（あるいは）、ポリペプチドの抗原特性、二次構造および疎水性親水性指標性質に対して最小の影響しか有さないアミノ酸の欠失または付加を含む、他の改変を含み得る。例えば、ポリペプチドは、翻訳同時的に（ｃｏ−ｔｒａｎｓｌａｔｉｏｎａｌｌｙ）または翻訳後的に（ｐｏｓｔ−ｔｒａｎｓｌａｔｉｏｎａｌｌｙ）タンパクの移動を指向するタンパクのＮ末端における、シグナル配列（またはリーダー配列）に対して結合体化し得る。このポリペプチドはまた、ポリペプチド（例えば、ポリ−Ｈｉｓ）の合成、精製または同定の容易さのために、または、固体支持体へのポリペプチドの結合を強化するために、リンカーまたは他の配列に対して結合体化され得る。例えば、ポリペプチドは、免疫グロブリンのＦｃ領域に対して結合体化され得る。
【０６２３】
ポリヌクレオチドの「改変体」とは、コードされたポリペプチドの免疫原性が低下しないように、ネイティブなタンパク質に対して、１つ以上のヌクレオチドの欠失、置換または付加を有して、列挙されたヌクレオチド配列と異なる配列である。本明細書において記載されるように、コードされたポリペプチドの免疫原性に対する効果は、一般に評価され得る。このような改変は、例えば、Ａｄｅｌｍａｎら（ＤＮＡ、２：１８３、１９８３）によって教示されるように、オリゴヌクレオチド指向性部位特異的変異誘発のような標準的な変異誘発技術を用いて容易に誘導され得る。ヌクレオチド改変体は、以下に議論されたような、天然に存在する対立遺伝子改変体であってもよいし、または天然に存在しない改変体であってもよい。本発明によって提供されるポリペプチドは、実質的に、本明細書中において特に列挙されるポリヌクレオチド配列の１つ以上に対して相同であるポリヌクレオチド配列によって、コードされる改変体を含む。本明細書において用いる場合、「実質的な相同性」とは、適度にストリンジェントな条件下でハイブリダイズし得るポリヌクレオチド配列をいう。適切な適度にストリンジェントな条件は、以下を含む：５×ＳＳＣ、０．５％ＳＤＳ、１．０ｍＭ　ＥＤＴＡ（ｐＨ８．０）の溶液中でのプレ洗浄；一晩、５０℃〜６５℃、５×ＳＳＣでのハイブリダイゼーション、または種間交差相同性の事象の場合には、０．５×ＳＳＣを用いる４５℃でのハイブリダイゼーション；その後の、０．１％ＳＤＳを含有する２×ＳＳＣ、０．５×ＳＳＣおよび０．２×のＳＳＣのいずれかでの６５℃で２０分間の２回の洗浄。このようなハイブリダイズするポリヌクレオチド配列はまた、本発明のポリペプチドと同じポリペプチドをコードする（コドン縮重に起因して）ヌクレオチド配列がそうであるように、本発明の範囲内である。
【０６２４】
２つのヌクレオチド配列またはポリペプチド配列は、この２つの配列中のヌクレオチド配列またはアミノ酸残基の配列が、下記のように最大一致について整列されるときに、同じである場合、「同一である」といわれる。２つの配列間の比較は、代表的に、比較ウインドウにわたって配列を比較することによって実行され、配列類似性の局所領域を同定および、比較する。本明細書において用いられる場合、「比較ウインドウ（ｃｏｍｐａｒｉｓｏｎ　ｗｉｎｄｏｗ）」とは、少なくとも約２０の隣接する位置のセグメント（通常約３０〜約７５、４０〜約５０）のセグメントをいう。ここで、配列は、２つの配列が最適に整列されたあと、連続する位置の同数の参照配列と比較され得る。
【０６２５】
比較のための配列の最適の整列は、デフォルトパラメータを用いて、バイオインフォマティクスのソフトウェアのＬａｓｅｒｇｅｎｅパッケージソフト（ｓｕｉｔｅ）（ＤＮＡＳＴＡＲ，Ｉｎｃ．，Ｍａｄｉｓｏｎ，ＷＩ）における、Ｍｅｇａｌｉｇｎプログラムを用いて行われ得る。このプログラムは、以下の参考文献に記載されているいくつかの整列スキームを具体化する：Ｄａｙｈｏｆｆ，Ｍ．Ｏ．（１９７８）Ａ　ｍｏｄｅｌ　ｏｆ　ｅｖｏｌｕｔｉｏｎａｒｙ　ｃｈａｎｇｅ　ｉｎ　ｐｒｏｔｅｉｎｓ−Ｍａｔｒｉｃｅｓ　ｆｏｒ　ｄｅｔｅｃｔｉｎｇ　ｄｉｓｔａｎｔ　ｒｅｌａｔｉｏｎｓｈｉｐｓ、Ｄａｙｈｏｆｆ，Ｍ．Ｏ．編、Ａｔｌａｓ　ｏｆ　Ｐｒｏｔｅｉｎ　Ｓｅｑｕｅｎｃｅ　ａｎｄ　Ｓｔｒｕｃｔｕｒｅ，Ｎａｔｉｏｎａｌ　Ｂｉｏｍｅｄｉｃａｌ　Ｒｅｓａｒｃｈ　Ｆｏｕｎｄａｔｉｏｎ，Ｗａｓｈｉｎｇｔｏｎ　ＤＣ　第５巻，補遺３，第３４５〜３５８頁；Ｈｅｉｎ　Ｊ．（１９９０）Ｕｎｉｆｉｅｄ　Ａｐｐｒｏａｃｈ　ｔｏ　Ａｌｉｇｎｍｅｎｔ　ａｎｄ　Ｐｈｙｌｏｇｅｎｅｓ　第６２６〜６４５頁、Ｍｅｔｈｏｄｓ　ｉｎ　Ｅｎｚｙｍｏｌｏｇｙ、第１８３巻，Ａｃａｄｅｍｉｃ　Ｐｒｅｓｓ，　Ｉｎｃ．，Ｓａｎ　Ｄｉｅｇｏ，ＣＡ；Ｈｉｇｇｉｎｓ，Ｄ．Ｇ．およびＳｈａｒｐ，Ｐ．Ｍ．（１９８９）Ｆａｓｔ　ａｎｄ　ｓｅｎｓｉｔｉｖｅ　ｍｕｌｔｉｐｌｅ　ｓｅｑｕｅｎｃｅ　ａｌｉｇｎｍｅｎｔｓ　ｏｎ　ａ　ｍｉｃｒｏｃｏｍｐｕｔｅｒ　ＣＡＢＩＯＳ　５：第１５１〜１５３頁；Ｍｙｅｒｓ，Ｅ．Ｗ．およびＭｕｌｌｅｒ　Ｗ．（１９８８）Ｏｐｔｉｍａｌ　ａｌｉｇｎｍｅｎｔｓ　ｉｎ　ｌｉｎｅａｒ　ｓｐａｃｅ　ＣＡＢＩＯＳ　４：１１〜１７；Ｒｏｂｉｎｓｏｎ，Ｅ．Ｄ．（１９７１）Ｃｏｍｂ．Ｔｈｅｏｒ　１１：１０５；Ｓａｎｔｏｕ，Ｎ．Ｎｅｓ，Ｍ．（１９８７）Ｔｈｅ　ｎｅｉｇｈｂｏｒ　ｊｏｉｎｉｎｇ　ｍｅｔｈｏｄ．Ａ　ｎｅｗ　ｍｅｔｈｏｄ　ｆｏｒ　ｒｅｃｏｎｓｔｒｕｃｔｉｎｇ　ｐｈｙｌｏｇｅｎｅｔｉｃ　ｔｒｅｅｓ　Ｍｏｌ．　Ｂｉｏｌ．　Ｅｖｏｌ．４：４０６〜４２５；Ｓｎｅａｔｈ，Ｐ．Ｈ．Ａ．およびＳｏｋａｌ，Ｒ．Ｒ．（１９７３）Ｎｕｍｅｒｉｃａｌ　Ｔａｘｏｎｏｍｙ−ｔｈｅ　Ｐｒｉｎｃｉｐｅｓ　ａｎｄ　Ｐｒａｃｔｉｃｅ　ｏｆ　Ｎｕｍｅｒｉｃａｌ　Ｔａｘｏｎｏｍｙ，Ｆｒｅｅｍａｎ　Ｐｒｅｓｓ，Ｓａｎ　Ｆｒａｎｃｉｓｃｏ，ＣＡ；Ｗｉｌｂｕｒ，Ｗ．Ｊ．およびＬｉｐｍａｎ，Ｄ．Ｊ．（１９８３）Ｒａｐｉｄ　ｓｉｍｉｌａｒｉｔｙ　ｓｅａｒｃｈｅｓ　ｏｆ　ｎｕｃｌｅｉｃ　ａｃｉｄ　ａｎｄ　ｐｒｏｔｅｉｎ　ｄａｔａ　ｂａｎｋｓ　Ｐｒｏｃ．Ｎａｔｌ．Ａｃａｄ．，Ｓｃｉ．ＵＳＡ　８０：７２６〜７３０。
【０６２６】
あるいは、比較のために最適な配列の整列は、ＳｍｉｔｈおよびＷａｔｅｒｍａｎ（１９８１）Ａｄｄ．ＡＰＬ．Ｍａｔｈ　２：４８２の局所的な同一性アルゴリズムによるか、ＮｅｅｄｌｅｍａｎおよびＷｕｎｓｃｈ（１９７０）Ｊ．Ｍｏｌ．Ｂｉｏｌ．４８：４４３の同一性整列アルゴリズムによるか、ＰｅａｓｏｎおよびＬｉｐｍａｎ（１９８８）Ｐｒｏｃ．Ｎａｔｌ．Ａｃａｄ．Ｓｃｉ．（Ｕ．Ｓ．Ａ．）８５：２４４４の類似的な方法についての検索によるか、これらのアルゴリズムのコンピューター処理した実行（Ｗｉｓｃｏｎｓｉｎ　Ｇｅｎｅｔｉｃｓ　Ｓｏｆｔｗａｒｅ　Ｐａｃｋａｇｅ，Ｇｅｎｅｔｉｃｓ　Ｃｏｍｐｕｔｅｒ　Ｇｒｏｕｐ（ＧＣＧ），５７５　Ｓｃｉｅｎｃｅ　Ｄｒ．，Ｍａｄｉｓｏｎ，ＷＩにおけるＧＡＰ、ＢＥＳＴＦＩＴ、ＢＬＡＳＴ、ＦＡＳＴＡ、およびＴＦＡＳＴＡ）によるか、または検査により、行われ得る。
【０６２７】
配列の同一性パーセントおよび配列の類似性パーセントを決定するために適切であるアルゴリズムの１つの例示的な例としては、以下が挙げられる：ＢＬＡＳＴおよびＢＬＡＳＴ　２．０アルゴリズム（これらは、各々、Ａｌｔｓｃｈｕｌら（１９７７）Ｎｕｃｌ．Ａｃｉｄｓ　Ｒｅｓ．２５：３３８９−３４０２およびＡｌｔｓｃｈｕｌら（１９９０）Ｊ．Ｍｏｌ．Ｂｉｏｌ．２１５：４０３−４１０に記載されている）。ＢＬＡＳＴよびＢＬＡＳＴ　２．０を、例えば、本明細書中に記載されるパラメーターとともに使用して、本発明のポリヌクレオチドおよびポリペプチドに対する配列の同一性パーセントを決定し得る。ＢＬＡＳＴ分析を実施するためのソフトウエアは、Ｎａｔｉｏｎａｌ　Ｃｅｎｔｅｒ　ｆｏｒ　Ｂｉｏｔｅｃｈｎｏｌｏｇｙ　Ｉｎｆｏｒｍａｔｉｏｎ（ｈｔｔｐ：／／ｗｗｗ．ｎｃｂｉ．ｎｌｍ．ｎｉｈ．ｇｏｖ／）を介して公式に利用可能である。１つの具体的な例として、累積供給源を、ヌクレオチド配列に対して、パラメーターＭ（マッチする残基の対に対する応報（ｒｅｗａｒｄ）スコア；常に＞０）およびパラメーターＮ（ミスマッチする残基に対するペナルティスコア；常に＜０）を用いて算出し得る。アミノ酸配列について、スコアリング（ｓｃｏｒｉｎｇ）マトリクスを用いて、累積するスコアを算出し得る。各方向におけるワードヒット（ｗｏｒｄ　ｈｉｔｓ）の伸長を、以下の場合停止する：累積アライメントスコアが、その最大に達した値由来の量Ｘまで低下するか；１つ以上のネガティブスコアリング残基整列の蓄積に起因して、累積スコアがゼロ以下となるか；または、どちらかの配列の末端が達する場合。ＢＬＡＳＴアルゴリズムパラメーターＷ、Ｔ、およびＸは、その感受性およびそのアライメントの速度を決定する。ＢＬＡＳＴＮプログラム（ヌクレオチド配列に対する）は、デフォルトとして１１のワード長（ｗｏｒｄｌｅｎｇｔｈ）（Ｗ）、および１０の期待値（Ｅ）、そしてＢＬＯＵＭ６２スコアリングマトリクス（ＨｅｎｉｋｏｆｆおよびＨｅｎｉｋｏｆｆ（１９８９）Ｐｒｏｃ．Ｎａｔｌ．Ａｃａｄ．Ｓｃｉ．ＵＳＡ　８９：１０９１５を参照のこと）整列、５０の（Ｂ）、１０の期待値（Ｅ）、Ｍ＝５、Ｎ＝−４、および両鎖の比較を使用する。
【０６２８】
好ましくは、「配列同一性のパーセンテージ」は、少なくとも２０の位置の比較のウインドウにわたる２つの最適に整列された配列を比較することにより決定される。ここで、比較ウインドウのポリヌクレオチド配列またはアミノ酸配列の部分は、２つの配列の最適整列について、参照配列（これは、付加または欠失を含まない）と比較した場合、２０パーセント以下、通常５〜１５パーセントまたは、１０〜１２パーセントの付加または欠失（すなわち、ギャップ）を含み得る。このパーセンテージは、同一の核酸塩基またはアミノ酸残基が両方の配列で生じる位置の数を決定してマッチした位置の数を得ること、マッチした位置の数を、参照配列（すなわち、ウインドウサイズ）における位置の総数で割ること、そして、結果に１００を掛けて配列同一性のパーセンテージを得ることにより算出される。
【０６２９】
従って、本発明は、本明細書に開示された配列に実質的な同一性を有するポリヌクレオチド配列およびポリペプチド配列を提供し、例えば、これらの配列は、少なくとも５０％以上、好ましくは少なくとも５５％、６０％、６５％、７０％、７５％、８０％、８５％、９０％、９５％、９６％、９７％、９８％、または９９％以上の配列同一性を含み、この配列同一性は、本明細書において記載される方法を用いて、本発明のポリヌクレオチド配列またはポリペプチド配列と比較されたものである（例えば、以下に記載されるような標準的なパラメーターを用いるＢＬＡＳＴ分析）。当業者は、これらの値を、コドン縮重、アミノ酸の類似性、リーディングフレームの位置決めなどを考慮して、２つのポリヌクレオチド配列によりコードされるタンパク質の対応する同一性を決定するために適切に調整し得ることを理解する。
【０６３０】
さらなる実施形態において、本発明は、本明細書に開示された配列の１つ以上に対して同一であるかまたは相補的である配列の種々の長さの連続するストレッチを含む単離したポリヌクレオチドまたはポリペプチドを提供する。例えば、本発明に包含されるポリヌクレオチドおよびポリペプチドは、この開示された配列の１つ以上の、少なくとも１５、２０、３０、４０、５０、７５、１００、１５０、２００、３００、４００，５００、または１０００以上の連続するヌクレオチドならびにその間の中間長全てを含み得る。本文中における、「中間長」とは、引用された値（例えば、１６、１７、１８、１９、など；２１、２２、２３など；３０、３１、３２など；５０、５１、５２、５３など；１００、１０１、１０２、１０３、など；１５０、１５１、１５２、１５３、など；２００〜５００にわたる全ての整数を含む；５００〜１，０００など）の間の任意の長さを意味することが容易に理解される。
【０６３１】
本発明のポリヌクレオチドまたはそのフラグメント（それ自体のコード配列の長さに関係なく）は、他のＤＮＡ配列（例えば、プロモーター、ポリアデニル化シグナル、さらなる制限酵素部位、複数のクローニング部位、他のコードセグメント、など）と組合せられ得、その結果、これらの全長は、かなり変化し得る。従って、任意の長さのほとんどの核酸フラグメントが、容易な調製によって好ましく制限される全長使用とともに用いられ得、そして目的の組換えＤＮＡプロトコールにおいて使用され得ることが考慮される。例えば、約１０，０００塩基対長、約５０００塩基対長、約３０００塩基対長、約２，０００塩基対長、約１，０００塩基対長、約５００塩基対長、約２００塩基対長、約１００塩基対長、約５０塩基対長など（全ての中間長を含む）の総長を有する具体的なＤＮＡセグメントは、本発明の多くの実施において有用であるべきであることが考慮される。
【０６３２】
本明細書において列挙されるヌクレオチド配列をコードする遺伝子のアレイはまた、本発明の範囲に含まれる。本明細書において用いる場合、「対立遺伝子」または「対立遺伝子配列」は、核酸配列中の少なくとも１つの変異から生じ得る遺伝子の別の形態である。対立遺伝子は、変化したｍＲＮＡまたはポリペプチドを生じ得、その構造または機能が変更されていてもされていなくてもよい。任意の所定の遺伝子は、対立遺伝子形態を有さないか、１つ有するか、または多数有し得る。対立遺伝子を生じる共通の変異性変化は、一般にヌクレオチドの天然の欠失、付加または置換だとされる。これらの型の変化のそれぞれは、所定の配列中で１回以上、単独かまたは他と組み合わせて生じ得る。
【０６３３】
特定の実施形態において、本発明は、Ｃｈｌａｍｙｄｉａ抗原（またはこのような抗原の改変体）の少なくとも免疫原性部分を含むポリペプチドを開示する。このポリペプチドは、以下：（ａ）配列番号３５８〜３６１、４０７〜４３０、５２５〜５５９、５８２〜５９８からなる群より選択されるポリヌクレオチド配列、（ｂ）このようなＤＮＡ配列の相補体、または（ｃ）（ａ）もしくは（ｂ）の配列に実質的に相同であるＤＮＡ配列、によりコードされるアミノ酸配列の１つ以上を含む。以下の実施例において記載するように、本明細書において開示されるいくつかのＣｈｌａｍｙｄｉａ抗原は、Ｃｈｌａｍｙｄｉａ　ｔｒａｃｈｏｍａｔｉｓおよびＣｈｌａｍｙｄｉａ　ｐｎｅｕｍｏｎｉａｅの両方に感染した単核球由来樹状細胞を認識するＴ細胞株を認識する。このことは、それらの抗原がＣｈｌａｍｙｄｉａ　ｔｒａｃｈｏｍａｔｉｓおよびＣｈｌａｍｙｄｉａ　ｐｎｅｕｍｏｎｉａｅにより共有される免疫反応性エピトープを提示し得ることを示す。従ってこの抗原は、Ｃ．ｔｒａｃｈｏｍａｔｉｓ生殖管感染およびＣ．ｐｎｅｕｍｏｎｉａ感染の両方のためにワクチンにおいて働き得る。交差反応性の程度を決定するための、Ｃｈｌａｍｉｄｉａ　ｔｒａｃｈｏｍａｔｉｓおよびＣｈｌａｍｙｄｉａ　ｐｎｅｕｍｏｎｉａ由来の、これらのＣｈｌａｍｙｄｉａ抗原のさらなる特徴付けが、実施例６に提供される。さらに、実施例４は、Ｃｈｌａｍｉｄｉａ特異的マウスＣＤ８＋Ｔ細胞株を刺激し得るタンパク質（配列番号１７〜１９および３２）をコードするＣ．ｔｒａｃｈｏｍａｔｉｓから単離されたｃＤＮＡフラグメント（配列番号１５、１６および３３）を記載する。
【０６３４】
一般に、Ｃｈｌａｍｙｄｉａ抗原、およびこのような抗原をコードするポリヌクレオチド配列は、任意の種々の手順を用いて調製され得る。例えば、Ｃｈｌａｍｙｄｉａ抗原をコードするポリヌクレオチド分子は、下記のようにＣｈｌａｍｙｄｉａ特異的Ｔ細胞株を用いるスクリーニングにより、ＣｈｌａｍｙｄｉａゲノムライブラリーまたはＣｈｌａｍｙｄｉａのｃＤＮＡ発現ライブラリーから単離され得、そして当業者に周知の技術を用いて配列決定され得る。さらに、ポリヌクレオチドは、Ｃｈｌａｍｙｄｉａ関連発現のためのｃＤＮＡのマイクロアレイ（ｍｉｃｒｏａｒｒａｙ）をスクリーニングすること（すなわち、本明細書において提供される代表的なアッセイを用いて決定した場合、Ｃｈｌａｍｙｄｉａ感染細胞においてコントロールより少なくとも２倍大きい発現）によって、以下により詳細に記載したように、同定され得る。このようなスクリーニングは、製造業者の指示書に従ってＳｙｎｔｅｎｉマイクロアレイ（Ｐａｌｏ　Ａｌｔｏ、ＣＡ）を用いて、（そして、本質的にＳｃｈｅｎａら、Ｐｒｏｃ．Ｎａｔｌ．Ａｃａｄ．Ｓｃｉ．ＵＳＡ　９３：１０６１４〜１０６１９、１９９６およびＨｅｌｌｅｒら、Ｐｒｏｃ．Ｎａｔｌ．Ａｃａｄ．Ｓｃｉ．ＵＳＡ　９４：２１５０〜２１５５，１９９７によって記載されるように）実施され得る。あるいは、ポリペプチドは、本明細書において記載されるタンパク質を発現する細胞から調製されたｃＤＮＡから増幅され得る。このようなポリヌクレオチドは、ポリメラーゼ連鎖反応（ＰＣＲ）を介して増幅され得る。このアプローチのために、配列特異的プライマーは、本明細書において提供される配列に基づいて設計され得、そして購入され得るかまたは合成され得る。
【０６３５】
下記のように、抗原は、発現ベクターに抗原をコードするポリヌクレオチド配列を挿入すること、および適切な宿主において抗原を発現することよって組換え的に産生され得る。抗原は、所望の性状（例えば、本明細書において記載のように、Ｃｈｌａｍｙｄｉａ感染した個体から得られる血清と反応する能力）について評価され得、そして例えば、従来のエドマン化学を使用して配列決定され得る。ＥｄｍａｎおよびＢｅｒｇ、Ｅｕｒ．Ｊ．Ｂｉｏｃｈｅｍ．８０：１１６〜１３２、１９６７を参照のこと。
【０６３６】
抗原をコードするポリヌクレオチド配列はまた、単離された抗原の部分アミノ酸配列に由来する縮重オリゴヌクレオチドにハイブリダイズするポリヌクレオチド配列について、適切なＣｈｌａｍｙｄｉａのｃＤＮＡライブラリーまたはゲノムＤＮＡライブラリーをスクリーニングすることによって得られ得る。このようなスクリーニングにおける使用のための縮重オリゴヌクレオチド配列は、設計され、合成され得、そして、このスクリーニングは、（例えば）Ｓａｍｂｒｏｏｋら、Ｍｏｌｅｃｕｌａｒ　Ｃｌｏｎｉｎｇ：Ａ　Ｌａｂｏｒａｔｏｒｙ　Ｍａｎｕａｌ、Ｃｏｌｄ　Ｓｐｒｉｎｇ　Ｈａｒｂｏｒ　Ｌａｂｏｒａｔｏｒｉｅｓ，Ｃｏｌｄ　Ｓｐｒｉｎｇ　Ｈａｒｂｏｒ，ＮＹ（およびそこに引用される参考文献）に記載されるように、実行され得る。ポリメラーゼ連鎖反応（ＰＣＲ）もまた、使用され得る。ここでは、当該分野で周知の方法において上記のオリゴヌクレオチドを用いて、ｃＤＮＡライブラリーまたはゲノムライブラリーから核酸プローブを単離し得る。次いで、単離したプローブを用いてライブラリースクリーニングを実施し得る。
【０６３７】
増幅した部分は、周知の技術を用いて、適切なライブラリー（例えば、Ｃｈｌａｍｙｄｉａ　ｃＤＮＡライブラリー）から全長遺伝子を単離するために用いられ得る。このような技術の範囲内で、ライブラリー（ｃＤＮＡライブラリー、または、ゲノムライブラリー）を、増幅に適切な１つ以上のポリヌクレオチドプローブまたはプライマーを用いてスクリーニングする。好ましくは、ライブラリーをより大きい分子を含むためようにサイズ選択する。ランダムプライムしたライブラリーはまた、遺伝子の５’領域および上流領域を同定するために好適であり得る。ゲノムライブラリーは、イントロンを得て、５’配列を延長するために好ましい。
【０６３８】
ハイブリダイゼーション技術に関しては、部分配列は、周知の技術を用いて（例えば、ニックトランスレーションまたは３２Ｐを用いる末端標識によって）、標識され得る。次いで、変性した細菌コロニー（またはファージプラークを含む菌叢（ｌａｗｎ））を含有するフィルターと標識したプローブとをハイブリダイゼーションすることにより、細菌ライブラリーまたはバクテリオファージライブラリーをスクリーニングする（例えば、Ｓａｍｂｒｏｏｋら、Ｍｏｌｅｃｕｌａｒ　Ｃｌｏｎｉｎｇ：Ａ　Ｌａｂｏｒａｔｏｒｙ　Ｍａｎｕａｌ、Ｃｏｌｄ　Ｓｐｒｉｎｇ　Ｈａｒｂｏｒ　Ｌａｂｏｒａｔｏｒｉｅｓ，Ｃｏｌｄ　Ｓｐｒｉｎｇ　Ｈａｒｂｏｒ，ＮＹ，１９８９を参照のこと）。ハイブリダイゼーションコロニーまたはプラークを選択し増殖して、そしてＤＮＡをさらなる分析のために単離する。ｃＤＮＡクローンは、例えば、部分的配列由来のプライマーおよびベクター由来のプライマーを用いるＰＣＲによって、さらなる配列の量を決定するために分析され得る。１つ以上の重複クローンを同定するために、制限地図および部分配列が生成され得る。次いで、一連の欠失クローンを生成する工程を包含し得る、標準的な技術を用いて完全配列が決定され得る。次いで、得られた重複配列は、単一の連続する配列にアセンブリされる。全長ｃＤＮＡ分子は、周知の技術を用いて、適切なフラグメントを連結することによって生成され得る。
【０６３９】
あるいは、部分的なｃＤＮＡ配列から全長コード配列を得るための多数の増幅技術が存在する。このような技術の範囲内で、増幅は、一般にＰＣＲを経て実行される。任意の様々な市販のキットが、増幅工程を実行するために用いられ得る。プライマーは、当該分野で周知の技術を用いて設計され得（例えば、Ｍｕｌｌｉｓら、Ｃｏｌｄ　Ｓｐｒｉｎｇ　Ｈａｒｂｏｒ　Ｓｙｍｐ．Ｑｕａｎｔ．Ｂｉｏｌ．５１：２６３，１９８７；Ｅｒｌｉｃｈ編、ＰＣＲ　Ｔｅｃｈｎｏｌｏｇｙ、Ｓｔｏｃｋｔｏｎ　Ｐｒｅｓｓ，ＮＹ，１９８９を参照のこと）、そして当該分野で周知のソフトウェアもまた使用され得る。プライマーは好ましくは２２〜３０のヌクレオチド長であり、少なくとも５０％のＧＣ含量を有し、そして約６８℃〜７２℃の温度で標的配列にアニーリングする。この増幅された領域は、上記のように配列決定され得、そして重複配列は連続する配列にアセンブリされ得る。
【０６４０】
このような増幅技術の１つは、インバースＰＣＲである（Ｔｒｉｇｌｉａら、Ｎｕｃｌ．Ａｃｉｄｓ　Ｒｅｓ．１６：８１８６，１９８８を参照のこと）。これは、制限酵素を用いて、遺伝子の既知の領域でフラグメントを生成する。次いで、このフラグメントは、分子内連結により環状化され、そして既知の領域に由来する相違するプライマーとともにＰＣＲのための鋳型として用いられる。別のアプローチにおいて、部分配列に隣接した配列は、リンカー配列に対するプライマーおよび既知の領域に特異的なプライマーを用いる増幅によって回復され得る。増幅された配列は、代表的に、同じリンカープライマーおよび既知の領域に特異的な第２のプライマーを用いる２回目の増幅に供される。この手順上の変更（これは既知の配列とは反対方向の伸長を開始する２つのプライマーを使用する）は、ＷＯ９６／３８５９１に記載されている。さらなる技術は、キャプチャーＰＣＲ（Ｌａｇｅｒｓｔｒｏｍら、ＰＣＲ　Ｍｅｔｈｏｄｓ　Ａｐｐｌｉｃ．１：１１１−１９、１９９１）およびウォーキングＰＣＲ（Ｐａｒｋｅｒら、Ｎｕｃｌ．Ａｃｉｄｓ．Ｒｅｓ．１９：３０５５〜６０，１９９１）を含む。転写媒介増幅（Ｔｒａｎｓｃｒｉｐｔｉｏｎ−Ｍｅｄｉａｔｅｄ　Ａｍｐｌｉｆｉｃａｔｉｏｎ）すなわちＴＭＡは、特許番号ＰＣＴ／ＵＳ９１／０３１８４にて記載されるように、ＤＮＡ、ｒＲＮＡまたはｍＲＮＡの増幅のために利用され得る別の方法である。この自己触媒的かつ等温の、ＰＣＲに基づかない方法は、２つのプライマーおよび以下の２つの酵素を利用する：ＲＮＡポリメラーゼおよび逆転写酵素。１つのプライマーは、ＲＮＡポリメラーゼのためのプロモーター配列を含む。第１の増幅において、プロモーター−プライマーは、規定の部位で標的ｒＲＮＡにハイブリダイズする。逆転写酵素は、プロモータープライマーの３’末端からの伸長によって標的ｒＲＮＡのＤＮＡコピーをつくる。得られる複合体中のＲＮＡは、分解され、そして、第２のプライマーはＤＮＡコピーに結合する。ＤＮＡの新しい鎖は、二本鎖ＤＮＡをつくっている逆転写酵素によってプライマーの末端から合成される。ＲＮＡポリメラーゼは、ＤＮＡ鋳型におけるプロモーター配列を認識して、転写を始める。新しく合成されたＲＮＡアンプリコンの各々は、ＴＭＡプロセスに再入して、ＲＮＡアンプリコンの指数関数的な増幅を導く複製の新しい回のための鋳型として役立つ。増幅を用いる他の方法はまた、全長ｃＤＮＡ配列を得るために使用され得る。
【０６４１】
特定の例において、発現された配列タグ（ＥＳＴ）のデータベース中に提供される配列（例えば、ＧｅｎＢａｎｋから入手可能な配列）の分析により全長ｃＤＮＡ配列を得ることが可能である。重複するＥＳＴの検索は、一般に、周知のプログラム（例えば、ＮＣＢＩ　ＢＬＡＳＴ検索）を用いて実行され得、そして、このようなＥＳＴは連続する全長配列を生成するために用いられ得る。全長ｃＤＮＡ配列はまた、ゲノムフラグメントの分析によって得られ得る。
【０６４２】
ポリヌクレオチド改変体は、一般に、例えば、固相ホスホルアミダイト化学合成による化学合成を含む、当該分野において公知の任意の方法により調製され得る。ポリヌクレオチド配列における修飾はまた、標準的な変異誘発技術（例えば、オリゴヌクレオチド一定方向部位特異的変異誘発（Ａｄｅｌｍａｎら、ＤＮＡ　２：１８３，１９８３を参照のこと））を用いて導入され得る。あるいは、ＲＮＡ分子は、Ｃｈｌａｍｙｄｉａタンパク質をコードするＤＮＡ配列、またはその一部のインビトロまたはインビボでの転写により生成され得る。但し、このＤＮＡは、適切なＲＮＡポリメラーゼプロモーター（例えば、Ｔ７またはＳＰ６）を用いてベクター中に取りこまれる。特定の部分を用いて、本明細書中に記載されるように、コードされるポリペプチドを調製し得る。さらに、あるいは、一部を患者に投与して、その結果コードされるポリペプチド（例えば、抗原提示細胞（例えば、樹状細胞）を、ＣｈｌａｍｙｄｉａポリペプチドをコードするｃＤＮＡ構築物を用いてトランスフェクトし、そしてトランスフェクトした細胞を患者に投与することにより）インビボで生成させ得る。
【０６４３】
コード配列に相補的な配列（すなわち、アンチセンスポリヌクレオチド）の一部はまた、プローブとしてか、または遺伝子発現を調節するために用いられ得る。アンチセンスＲＮＡへと転写され得るｃＤＮＡ構築物をまた、組織の細胞中に導入させて、アンチセンスＲＮＡの産生を容易にし得る。アンチセンスポリヌクレオチドを、本明細書中に記載されるように用いて、Ｃｈｌａｍｙｄｉａタンパク質の発現を阻害し得る。アンチセンス技術を用いて、三重らせん形成を介して遺伝子発現を制御し得る。この技術は、ポリメラーゼ、転写因子、または調節分子の結合を十分に開く二重らせんの能力を損なう（Ｇｅｅら、Ｈｕｂｅｒ　ａｎｄ　Ｃａｒｒ，Ｍｏｌｅｃｕｌａｒ　ａｎｄ　Ｉｍｍｕｎｏｌｏｇｉｃ　Ａｐｐｒｏａｃｈｅｓ，Ｆｕｔｕｒａ　Ｐｕｂｌｉｓｈｉｎｇ　Ｃｏ．（Ｍｔ．Ｋｉｓｃｏ，ＮＹ；　１９９４）を参照のこと）。あるいは、アンチセンス分子は、遺伝子の制御領域（例えば、プロモーター、エンハンサー、または転写開始部位）とハイブリダイズし、そして遺伝子の転写をブロックするように設計され得るか；またはリボソームに対する転写物の結合を阻害することにより、翻訳をブロックするように設計され得る。
【０６４４】
コード配列の一部、または相補的な配列の一部はまた、遺伝子発現を検出するためのプローブまたはプライマーとして設計され得る。プローブは、種々のレポーター群（例えば、放射性ヌクレオチドおよび酵素）を用いて標識され得、そして好ましくは、少なくとも１０ヌクレオチドの長さであり、より好ましくは、少なくとも２０ヌクレオチドの長さであり、そしてなおより好ましくは、少なくとも３０ヌクレオチドの長さである。上記のように、プライマーは、好ましくは２２〜３０ヌクレオチドの長さである。
【０６４５】
任意のポリヌクレオチドを、さらに修飾して、インビボでの安定性を増加させ得る。可能な修飾としては、以下が挙げられるが、それらに限定されない：５’末端および／または３’末端での隣接配列の付加；骨格におけるリン酸ジエステル結合よりむしろホスホロチオエートまたは２’Ｏ−メチルの使用；ならびに／あるいは非伝統的塩基（例えば、イノシン、キューオシンおよびワイブトシン、ならびにアデニン、シトシン、グアニン、チミン、およびウリジンの、アセチル−、メチル−、チオ−、および他の修飾形態）の含有。
【０６４６】
本明細書中に記載されるようなヌクレオチド配列は、確立された組換えＤＮＡ技術を用いて、種々の他のヌクレオチド配列に連結され得る。例えば、ポリヌクレオチドは、種々のクローニングベクター（プラスミド、ファージミド、λファージ誘導体、およびコスミドを含む）のいずれかにクローニングされ得る。特に興味深いベクターとしては、発現ベクター、複製ベクター、プローブ生成ベクター、および配列決定ベクターが挙げられる。一般に、ベクターは、少なくとも１つの生物において機能的な複製起点、都合の良い制限エンドヌクレアーゼ部位、および一つ以上の選択マーカーを含む。他のエレメントは、所望の使用に依存し、そして当業者に明らかである。
【０６４７】
約１００未満のアミノ酸、および一般に約５０未満のアミノ酸を有する合成ポリペプチドは、当該分野で周知の技術を用いて生成され得る。例えば、このようなポリペプチドは、市販の固相技術（例えば、Ｍｅｒｒｉｆｉｅｌｄ固相合成法）のいずれかを用いて合成され得る。ここでアミノ酸は、伸長しているアミノ酸鎖に連続的に添加される。Ｍｅｒｒｉｆｉｅｌｄ，Ｊ．Ａｍ．Ｃｈｅｍ．Ｓｏｃ．８５：２１４９−２１４６，１９６３を参照のこと。ポリペプチドの自動合成のための装置は、Ｐｅｒｋｉｎ　Ｅｌｍｅｒ／Ａｐｐｌｉｅｄ　ＢｉｏＳｙｓｔｅｍｓ　Ｄｉｖｉｓｉｏｎ，Ｆｏｓｔｅｒ　Ｃｉｔｙ，ＣＡのような供給業者から市販されており、そして製造業者の指示書に従って操作され得る。
【０６４８】
上記のように、Ｃｈｌａｍｙｄｉａ抗原の免疫原性部分は、周知の技術（例えば、Ｐａｕｌ、Ｆｕｎｄａｍｅｎｔａｌ　Ｉｍｍｕｎｏｌｏｇｙ、第３版、Ｒａｖｅｎ　Ｐｒｅｓｓ，１９９３，２４３−２４７頁およびそこに引用される参考文献に要約される技術）を用いて調製され、そして同定され得る。このような技術は、免疫原性特性に関してネイティブな抗原のポリペプチド部分をスクリーニングすることを含む。本明細書中に記載される例示的なＥＬＩＳＡは、一般に、これらのスクリーニングに用いられる。ポリペプチドの免疫原性部分は、このような例示的アッセイにおいて、全長抗原により生成されるシグナルに実質的に類似する、このようなアッセイにおけるシグナルを生成する部分である。換言すれば、Ｃｈｌａｍｙｄｉａ抗原の免疫原性部分は、本明細書中に記載されるように、モデルＥＬＩＳＡにおいて全長抗原により誘導されるシグナルの、少なくとも約２０％、そして好ましくは約１００％を生成する。
【０６４９】
Ｃｈｌａｍｙｄｉａ抗原の一部および他の改変体は、合成手段または組換え手段により生成され得る。ネイティブ抗原の改変体は、一般に、標準的な変異誘発技術（例えば、オリゴヌクレオチドに指向された部位特異的変異誘発）を用いて調製され得る。ポリペプチド配列の部分はまた、標準的な技術を用いて取り出され得、短縮型ポリペプチドの調製を可能にする。
【０６５０】
ネイティブの抗原の一部および／または改変体を含む組換えポリペプチドは、当業者に周知の種々の技術を用いてポリペプチドをコードするポリヌクレオチド配列から容易に調製され得る。例えば、培養培地中に組換えタンパク質を分泌する適切な宿主／ベクター系由来の上清は、市販のフィルタを用いて初めに濃縮され得る。濃縮の後、濃縮物は、適切な精製マトリクス（例えば、アフィニティーマトリクスまたはイオン交換樹脂）に適用され得る。最終的に、１つ以上の逆相ＨＰＬＣ工程を用いて、組換えタンパク質をさらに精製し得る。
【０６５１】
当業者に公知の種々の発現ベクターのいずれかを用いて、本明細書中に記載されるような組換えポリペプチドを発現し得る。発現は、組換えポリペプチドをコードするポリヌクレオチド分子を含む発現ベクターを用いて形質転換またはトランスフェクトされた任意の適切な宿主細胞において達成され得る。適切な宿主細胞としては、原核生物細胞、酵母および高等真核生物細胞が挙げられる。好ましくは、用いられる宿主細胞は、Ｅ．ｃｏｌｉ、酵母、または哺乳動物細胞株（例えば、ＣＯＳまたはＣＨＯ）である。この様式で発現されるＤＮＡ配列は、天然に存在する抗原、天然に存在する抗原の一部、またはそれらの他の改変体をコードし得る。
【０６５２】
一般に、調製の方法にかかわらず、本明細書中に開示されるポリペプチドは、単離され、実質的に純粋な形態で調製される。好ましくは、ポリペプチドは、少なくとも約８０％純粋、より好ましくは、少なくとも約９０％純粋、そして最も好ましくは約９９％純粋である。
【０６５３】
特定の実施形態では、ポリペプチドは、本明細書中に記載されるような複数のポリペプチドを含む融合タンパク質か、または本明細書中に記載されるような少なくとも１つのポリペプチドおよび公知のＣｈｌａｍｙｄｉａタンパク質のような無関係の配列を含む融合タンパク質であり得る。融合パートナーは、例えば、Ｔヘルパーエピトープ（免疫学的融合パートナー）、好ましくは、ヒトにより認識されるＴヘルパーエピトープの提供を補助し得るか、ネイティブな組換えタンパク質よりも高い収量でのタンパク質（発現エンハンサー）の発現を補助し得る。特定の好ましい融合パートナーは、免疫学的融合パートナーおよび発現増強融合パートナーの両方である。他の融合パートナーは、タンパク質の溶解度を増加させるか、またはタンパク質を所望の細胞内区画に標的化し得るように選択され得る。なおさらなる融合パートナーとしては、アフィニティータグが挙げられる。アフィニティータグは、タンパク質の精製を容易にする。本発明の融合パートナーをコードするＤＮＡ配列は、例えば、第１および第２のポリペプチドをコードする別個のＤＮＡ配列を適切な発現ベクター中に構築するための公知の組換えＤＮＡ技術を用いて構築され得る。第１のポリペプチドをコードするＤＮＡ配列の３’末端は、ペプチドリンカー有りまたは無しで、第２のポリペプチドをコードするＤＮＡ配列の５’末端に連結され、その結果、配列のリーディングフレームは、第１および第２のポリペプチドの両方の生物学的活性を保持する単一の融合タンパク質への２つのＤＮＡ配列のｍＲＮＡ翻訳を可能にする同じ相にある。
【０６５４】
ペプチドリンカー配列を用いて、各々のポリペプチドが、その二次構造および三次構造に折りたたまれることを保証するのに十分な距離で、第１および第２のポリペプチドを引き離し得る。このようなペプチドリンカー配列は、当該分野で周知の標準的な技術を用いて融合タンパク質へと取りこまれる。適切なペプチドリンカー配列は、以下の要素に基づいて選択され得る：（１）可撓性の伸張した立体配座に適合するそれらの能力；（２）第１および第２のポリペプチド上の機能的エピトープと相互作用し得る二次構造に適合するそれらの無能力；ならびに（３）ポリペプチドの機能的エピトープと反応し得る疎水性残基または荷電残基の欠如。好ましいペプチドリンカー配列は、Ｇｌｙ残基、Ａｓｎ残基およびＳｅｒ残基を含む。他の中性に近いアミノ酸（例えば、ＴｈｒおよびＡｌａ）はまた、リンカー配列に用いられ得る。リンカーとして有用に用いられ得るアミノ酸配列としては、Ｍａｒａｔｅａら，Ｇｅｎｅ　４０：３９−４６，１９８５；Ｍｕｒｐｈｙら、Ｐｒｏｃ．Ｎａｔｌ．Ａｃａｄ．Ｓｃｉ．ＵＳＡ　８３：８２５８−８５６２，１９８６；米国特許第４，９３５，２３３号、および同第４，７５１，１８０号に開示される配列が挙げられる。このリンカー配列は、１〜約５０のアミノ酸の長さであり得る。ペプチドリンカー配列の使用の代替として（所望される場合に）、第１および第２のポリペプチドにおける非必須Ｎ末端アミノ酸領域を（存在する場合に）利用して、機能的ドメインを引き離しかつ立体障害を防ぎ得る。
【０６５５】
連結したＤＮＡ配列は、適切な転写調節エレメントまたは翻訳調節エレメントに作動可能に連結される。ＤＮＡの発現の原因である調節エレメントは、第１のポリペプチドをコードするＤＮＡ配列の５’側にのみ位置する。同様に、翻訳を終結するために必要とされる停止コドン、および転写終結シグナルは、第２のポリペプチドをコードするＤＮＡ配列の３’側にのみ存在する。
【０６５６】
無関係の免疫原性タンパク質と共に本発明のポリペプチドを含む融合タンパク質もまた、提供される。好ましくは、免疫原性タンパク質は、リコール（ｒｅｃａｌｌ）応答を誘発し得る。このようなタンパク質の例としては、破傷風タンパク質、結核タンパク質、および肝炎タンパク質が挙げられる（例えば、Ｓｔｏｕｔｅら、Ｎｅｗ　Ｅｎｇｌ．Ｊ．Ｍｅｄ．，３３６：８６−９１，１９９７を参照のこと）。
【０６５７】
好ましい実施形態において、免疫学的融合パートナーは、プロテインＤ（グラム陰性細菌ＨａｅｍｏｐｈｉｌｕｓインフルエンザＢ（ＷＯ　９１／１８９２６）の表面タンパク質）に由来する。好ましくは、プロテインＤ誘導体は、タンパク質のはじめの約１／３（例えば、はじめのＮ末端１００〜１１０アミノ酸）を含み、そしてプロテインＤ誘導体は脂質化され得る。特定の好ましい実施形態において、リポプロテインＤ融合パートナーのはじめの１０９残基は、Ｎ末端に含まれて、さらなる外因性Ｔ細胞エピトープをポリペプチドに提供し、かつＥ．ｃｏｌｉにおける発現レベルを増加する（従って、発現エンハンサーとして機能する）。脂質テイルは、抗原提示細胞に対する抗原の最適な提示を保証する。他の融合パートナーとしては、インフルエンザウイルス、ＮＳ１（赤血球凝集素）由来の非構造タンパク質が挙げられる。代表的には、Ｎ末端の８１アミノ酸を用いるが、Ｔヘルパーエピトープを含む異なるフラグメントが、用いられ得る。
【０６５８】
別の実施形態では、免疫学的融合パートナーは、ＬＹＴＡとして知られているタンパク質であるか、またはその一部（好ましくは、Ｃ末端部分）である。ＬＹＴＡは、Ｓｔｒｅｐｔｏｃｏｃｃｕｓ　ｐｎｅｕｍｏｎｉａｅに由来する。Ｓｔｒｅｐｔｏｃｏｃｃｕｓ　ｐｎｅｕｍｏｎｉａｅは、アミダーゼＬＹＴＡとして知られている、Ｎ−アセチル−Ｌ−アラニンアミダーゼ（ＬｙｔＡ遺伝子によりコードされる；Ｇｅｎｅ　４３：２６５−２９２，１９８６）を合成する。ＬＹＴＡは、ペプチドグリカン骨格における特定の結合を特異的に分解する自己溶解素である。ＬＹＴＡタンパク質のＣ末端ドメインは、コリンまたはＤＥＡＥのようないくつかのコリンアナログに対する親和性の原因である。この特性は、融合タンパク質の発現に有用であるプラスミドを発現するＥ．ｃｏｌｉ　Ｃ−ＬＹＴＡの開発のために開発された。アミノ末端にＣ−ＬＹＴＡフラグメントを含むハイブリッドタンパク質の精製は、記載されている（Ｂｉｏｔｅｃｈｎｏｌｏｇｙ　１０：７９５−７９８，１９９２を参照のこと）。好ましい実施形態において、ＬＹＴＡの反復部分は、融合タンパク質に取りこまれ得る。反復部分は、残基１７８で開始するＣ末端領域において見出される。特に好ましい反復部分は、残基１８８〜３０５を取り込む。
【０６５９】
別の実施形態において、Ｍｙｃｏｂａｃｔｅｒｉｕｍ　ｔｕｂｅｒｃｕｌｏｓｉｓ誘導Ｒａ１２ポリヌクレオチドは、本発明のポリヌクレオチドの少なくとも１つの免疫原性部分に連結される。Ｒａ１２組成物および異種ポリヌクレオチド配列の発現の増大におけるその使用方法は、米国特許出願６０／１５８，５８５において記載され、この開示はその全体において本明細書中で参考として援用される。手短に言うと、Ｒａ１２とは、Ｍｙｃｏｂａｃｔｅｒｉｕｍ　ｔｕｂｅｒｃｕｌｏｓｉｓ　ＭＴＢ３２Ａ核酸の部分配列であるポリヌクレオチド領域をいう。ＭＴＢ３２Ａは、Ｍ．ｔｕｂｅｒｃｕｌｏｓｉｓの病原性および非病原性の菌株中の遺伝子によってコードされる、３２ＫＤの分子量のセリンプロテアーゼである。ＭＴＢ３２Ａのヌクレオチド配列およびアミノ酸配列は、記載されている（米国特許出願６０／１５８，５８５；Ｓｋｅｉｋｙら、Ｉｎｆｅｃｔｉｏｎ　ａｎｄ　Ｉｍｍｕｎ．（１９９９）６７：３９９８−４００７（本明細書中で参考として援用される）もまた参照のこと）。１つの実施形態において、融合ポリペプチドの生成において使用されるＲａ１２ポリペプチドは、これが融合される異種Ｃｈｌａｍｙｄｉａ抗原性ポリペプチドの発現および／または免疫原性を増大するために有効なＭＴＢ３２Ａコード配列のＣ末端フラグメントを含む。別の実施形態において、Ｒａ１２ポリペプチドは、ＭＴＢ３２Ａのアミノ酸残基１９２〜３２３のうちのある程度または全てを含む、約１４ｋＤのＭＴＢ３２ＡのＣ末端フラグメントに対応する。
【０６６０】
Ｒａ１２ポリペプチドおよび目的の異種Ｃｈｌａｍｙｄｉａポリペプチドを含む融合ポリペプチドをコードする組換え核酸は、通常の遺伝子操作技術によって容易に構築され得る。組換え核酸は、好ましくは、Ｒａ１２ポリヌクレオチド配列が、選択された異種Ｃｈｌａｍｙｄｉａポリヌクレオチド配列に対して５’に位置するように構築される。Ｒａ１２ポリヌクレオチド配列が、選択された異種ポリヌクレオチド配列に対して３’に位置するか、または異種ポリヌクレオチド配列が、Ｒａ１２ポリヌクレオチド配列内の部位に挿入されることもまた、適切であり得る。
【０６６１】
さらに、Ｒａ１２あるいはその部分または他の改変体をコードする任意の適切なポリヌクレオチドは、Ｒａ１２および本明細書中で開示される１つ以上のＣｈｌａｍｙｄｉａポリヌクレオチドを含む組換え融合ポリヌクレオチドの構築において、使用され得る。好ましいＲａ１２ポリヌクレオチドは、一般に、Ｒａ１２ポリペプチドの一部をコードする、少なくとも約１５個連続したヌクレオチド、少なくとも約３０個のヌクレオチド、少なくとも約６０個のヌクレオチド、少なくとも約１００個のヌクレオチド、少なくとも約２００個のヌクレオチド、または少なくとも約３００個のヌクレオチドを含む。
【０６６２】
Ｒａ１２ポリヌクレオチドは、ネイティブな配列（すなわち、Ｒａ１２ポリペプチドまたはその一部をコードする内因性配列）を含み得るか、またはこのような配列の改変体を含み得る。Ｒａ１２ポリヌクレオチドの改変体は、コードされた融合ポリペプチドの生物学的活性が、ネイティブなＲａ１２ポリペプチドを含む融合ポリペプチドと比較して実質的に減少しないように、１つ以上の置換、付加、欠失、および／または挿入を含み得る。改変体は、ネイティブなＲａ１２ポリペプチドまたはその一部をコードするポリヌクレオチド配列に対して、好ましくは少なくとも約７０％の同一性、より好ましくは少なくとも約８０％の同一性、そして最も好ましくは少なくとも約９０％の同一性を示す。
【０６６３】
別の局面では、本発明は、１つ以上の上記のポリペプチドまたは融合タンパク質（またはこのようなポリペプチドまたは融合タンパク質をコードするポリヌクレオチド）を用いて、患者におけるＣｈｌａｍｙｄｉａ感染に対する防御免疫を誘導する方法を提供する。本明細書中で用いられる場合「患者」とは、任意の温血動物、好ましくはヒトのことをいう。患者は、疾患に罹患していてもよいし、検出可能な疾患および／または感染がなくてもよい。換言すれば、防御免疫は、Ｃｈｌａｍｙｄｉａ感染を予防または処置するために誘導され得る。
【０６６４】
この局面において、ポリペプチド、融合タンパク質、またはポリヌクレオチド分子は、一般に、薬学的組成物またはワクチン中に存在する。薬学的組成物は、１つ以上のポリペプチド（これらの各々は、１つ以上の上記配列（またはその改変体）を含み得る）、および生理学的に受容可能なキャリアを含み得る。ワクチンは、１つ以上の上記ポリペプチドおよび免疫刺激薬（例えば、アジュバントまたはリポソーム）（この中にポリペプチドが取り込まれる）を含み得る。このような薬学的組成物およびワクチンはまた、他のＣｈｌａｍｙｄｉａ抗原（組み合わせたポリペプチド中に組み込まれるか、または別々のポリペプチド内に存在するかのいずれか）を、含み得る。
【０６６５】
あるいは、ワクチンは上記のような１つ以上のポリペプチドまたは融合タンパク質をコードするポリヌクレオチドを含み得、その結果、ポリペプチドは、インサイチュで生成される。このようなワクチンにおいて、ポリヌクレオチドは、当業者に公知の種々の送達系のいずれかの中に存在し得る。この送達系としては、核酸発現系、細菌発現系、およびウイルス発現系が挙げられる。適切な核酸発現系は、患者における発現のために必要なポリヌクレオチド配列（例えば、適切なプロモーターおよび停止シグナル）を含む。細菌送達系は、その細胞表面上のポリペプチドの免疫原性部分を発現する細菌（例えば、Ｂａｃｉｌｌｕｓ−Ｃａｌｍｅｔｔｅ−Ｇｕｅｒｒｉｎ）の投与を含む。好ましい実施形態では，ポリヌクレオチドは、ウイルス発現系（例えば、ワクシニアまたは他のポックスウイルス、レトロウイルス、あるいはアデノウイルス）を用いて導入され得る。これらのウイルス発現系は、非病原性（欠損）ウイルスの使用を含み得る。このような発現系にポリヌクレオチドを組み込むための技術は、当業者に周知である。ポリヌクレオチドはまた、例えば、Ｕｌｍｅｒら、Ｓｃｉｅｎｃｅ　２５９：１７４５−１７４９，１９９３およびＣｏｈｅｎによる総説、Ｓｃｉｅｎｃｅ　２５９：１６９１−１６９２，１９９３に記載されるような「裸の」プラスミドベクターとして投与され得る。このようなベクターにＤＮＡを組み込むための技術は、当業者に周知である。レトロウイルスベクターは、さらに、選択マーカーについての遺伝子（形質導入した細胞の同定または選択を補助するため）および／または標的部分（例えば、特定の標的細胞上のレセプターに対するリガンドをコードする遺伝子）を移入するか、または取り込んで、ベクターに標的特異性を与え得る。標的化はまた、抗体を用いて、当業者に公知の方法により達成され得る。
【０６６６】
治療目的のための他の処方としては、コロイド分散系（例えば、巨大分子複合体、ナノカプセル、ミクロスフェア、ビーズ）、ならびに水中油懸濁液、ミセル、混合ミセル、およびリポソームを含む、脂質ベースの系が挙げられる。インビトロおよびインビボでの送達ビヒクルとしての使用のための、好ましいコロイド分散系は、リポソーム（すなわち、人工膜小胞）である。裸のポリヌクレオチドの取りこみは、生分解性ビーズ内および／または上にポリヌクレオチドを取り込むことにより増加され得る。生分解性ビーズは、細胞中へ有効に輸送される。このような系の調製および使用は、当該分野で周知である。
【０６６７】
関連する局面において、上記のようなポリヌクレオチドのワクチンは、本発明のポリペプチドまたは公知のＣｈｌａｍｙｄｉａ抗原のいずれかと、同時にもしくは連続して投与され得る。例えば、本発明のポリペプチドをコードするポリヌクレオチドの投与（「裸」または上記のような送達系においてのいずれかで）に続いて、ワクチンの防御免疫効果を増強するために抗原が投与され得る。
【０６６８】
本明細書中に開示されるポリペプチドおよびポリヌクレオチドはまた、クラミジア感染の処置のために養子免疫治療において用いられ得る。養子免疫治療は、能動的または受動的免疫治療のいずれかに広範に分類され得る。能動的免疫治療において、処置は、免疫応答改変剤（ｉｍｍｕｎｅ　ｒｅｓｐｏｎｓｅ−ｍｏｄｉｆｙｉｎｇ　ａｇｅｎｔ）（例えば、ワクチン、細菌アジュバント、および／またはサイトカイン）の投与を用いる内因性宿主免疫系のインビボ刺激に依存する。
【０６６９】
受動的免疫治療において、処置は、確立された免疫反応性（ｅｓｔａｂｌｉｓｈｅｄ　ｉｍｍｕｎｅ　ｒｅａｃｔｉｖｉｔｙ）（例えば、エフェクター細胞または抗体）を用いる生物学的薬剤の送達に関し、これは、抗クラミジア効果を直接的または間接的に媒介し得、そしてインタクトな宿主免疫系に必ずしも依存しない。エフェクター細胞の例としては、Ｔリンパ球（例えば、ＣＤ８＋細胞傷害性Ｔ−リンパ球、ＣＤ４＋　Ｔ−ヘルパー）、キラー細胞（例えば、ナチュラルキラー細胞、リンホカイン−活性化キラー細胞）、Ｂ細胞、または開示される抗原を発現する抗原提示細胞（例えば、樹状細胞およびマクロファージ）が挙げられる。本明細書中に開示されるポリペプチドはまた、受動性免疫治療のために、抗体または抗イディオタイプ抗体（米国特許第４，９１８，１６４号のような）を生成するために用いられる得る。
【０６７０】
養子免疫治療のために十分な数のＴ細胞を産生する主な方法は、インビトロで免疫Ｔ細胞を増殖させることである。単一の抗原特異的Ｔ細胞を、インビボでの抗原認識の保持を伴って数十億の数まで増殖するための培養条件は、当該分野で周知である。これらのインビトロ培養条件は、代表的には、しばしばサイトカイン（例えば、ＩＬ−２）、および非分裂支持細胞の存在下で、抗原による断続的刺激を利用する。上記のように、本明細書中に記載される免疫反応性ポリペプチドを用いて、免疫治療のために十分な数の細胞を生成するために、抗原特異的Ｔ細胞培養物を迅速に増殖し得る。詳細には、抗原提示細胞（例えば、樹状細胞）、マクロファージ、単球、線維芽細胞、またはＢ細胞は、免疫反応性ポリペプチドを用いてパルスされ得るか、あるいはポリヌクレオチド配列は、当該分野で周知の種々の標準的な技術を用いて、抗原提示細胞中に導入され得る。例えば、抗原提示細胞は、ポリヌクレオチド配列を用いてトランスフェクトまたは形質導入され得、ここでこの配列は、発現を増大させるのに適切なプロモーター領域を含み、そして組換えウイルスまたは他の発現系の一部として発現され得る。いくつかのウイルスベクター（ポックスウイルス、ワクシニアウイルス、およびアデノウイルスを含む）を用いて、抗原提示細胞を形質導入され；また抗原提示細胞は、種々の手段（遺伝子銃技術、脂質媒介送達、エレクトロポレーション、浸透圧衝撃、および粒子送達機構を含む）により、本明細書中に開示されるポリヌクレオチド配列を用いてトランスフェクトされて、当業者により決定されるような有効かつ受容可能な発現レベルを生じ得る。治療において効果的である培養されたＴ細胞について、培養されたＴ細胞は、広範に増殖および分布すること、ならびにインビボで長い期間、生存することが可能でなければならない。研究は、培養したＴ細胞が、ＩＬ−２を補充した抗原を用いる刺激を繰り返すことにより、インビボで増殖すること、およびかなりの数が長い期間生存することを誘導し得ることを実証した（例えば、Ｃｈｅｅｖｅｒ，Ｍ．ら、「Ｔｈｅｒａｐｙ　Ｗｉｔｈ　Ｃｕｌｔｕｒｅｄ　Ｔ　Ｃｅｌｌｓ：Ｐｒｉｎｃｉｐｌｅｓ　Ｒｅｖｉｓｉｔｅｄ」、Ｉｍｍｕｎｏｌｏｇｉｃａｌ　Ｒｅｖｉｅｗｓ，１５７：１７７，１９９７を参照のこと）。
【０６７１】
本明細書中に開示されるポリペプチドをまた用いて、クラミジア反応性Ｔ細胞を生成および／または単離し得る。次いで、クラミジア反応性Ｔ細胞は、患者に投与され得る。１つの技術において、抗原特異的Ｔ細胞株は、開示されるポリペプチドの免疫原性部分に対応する短いペプチドを用いてインビボで免疫により生成され得る。得られた抗原特異的ＣＤ８＋またはＣＤ４＋　Ｔ細胞クローンは、患者から単離され得、標準的な組織培養技術を用いて増殖され得、そして患者に戻され得る。
【０６７２】
あるいは、ポリペプチドの免疫原性部分に対応するペプチドを用いて、例えば、Ｃｈａｎｇら、（Ｃｒｉｔ．Ｒｅｖ．Ｏｎｃｏｌ．Ｈｅｍａｔｏｌ．，２２（３），２１３，１９９６）に記載されるように、引き続いて、患者に移され得る抗原特異的Ｔ細胞を提供するために、自己Ｔ細胞の選択的インビトロ刺激および増殖により、クラミジア反応性Ｔ細胞サブセットを生成し得る。免疫系の細胞（例えば、Ｔ細胞）は、市販の細胞分離システム（例えば、ＩｓｏｌｅｘＴＭ　Ｓｙｓｔｅｍ、Ｎｅｘｅｌｌ　Ｔｈｅｒａｐｅｕｔｉｃｓ，Ｉｎｃ．Ｉｒｖｉｎｅ，ＣＡから入手可能）を用いて、患者の末梢血から単離され得る。分離された細胞は、送達ビヒクル（例えば、ミクロスフェア）内に含まれる１つ以上の免疫反応性ポリペプチドで刺激されて、抗原特異的Ｔ細胞を提供する。次いで、抗原特異的Ｔ細胞の集団は、標準的な技術を用いて増殖され、そして細胞は、患者に再び投与される。
【０６７３】
他の実施形態において、本明細書中に開示されるポリペプチドに特異的なＴ細胞および／または抗体レセプターは、クローニングされ、増殖され、そして養子免疫治療に用いるための他のベクターまたはエフェクター細胞に移される。詳細には、Ｔ細胞は、適切な遺伝子を用いてトランスフェクトされて、細胞外認識エレメントとして、クラミジア特異的モノクローナル抗体由来の可変ドメインを発現し得、そしてＴ細胞レセプターシグナル伝達鎖に結合され得、Ｔ細胞の活性化、特異的溶解、およびサイトカイン放出を生じる。これは、Ｔ細胞を、その特異性を、ＭＨＣ非依存様式で再指向させ得る。例えば、Ｅｓｈｈａｒ，Ｚ．，Ｃａｎｃｅｒ　Ｉｍｍｕｎｏｌ　Ｉｍｍｕｎｏｔｈｅｒ，４５（３−４）：１３１−６，１９９７およびＨｗｕ，Ｐ．ら、Ｃａｎｃｅｒ　Ｒｅｓ，５５（１５）：３３６９−７３，１９９５を参照のこと。別の実施形態としては、Ｃｏｌｅ，ＤＪら、Ｃａｎｃｅｒ　Ｒｅｓ，５５（４）：７４８−５２，１９９５のように、クラミジア抗原特異的αおよびβＴ細胞レセプター鎖の、別のＴ細胞へのトランスフェクションが挙げられ得る。
【０６７４】
さらなる実施形態では、同系または自系の樹状細胞を、本明細書中に開示されるポリペプチドの少なくとも免疫原性部分に対応するペプチドを用いてパルス（ｐｕｌｓｅ）し得る。生じる抗原特異的樹状細胞は、患者に移入されるか、またはＴ細胞を刺激して抗原特異的Ｔ細胞（これが、次いで、患者に投与され得る）を提供するために使用されるかのいずれかであり得る。抗原特異的Ｔ細胞を生成するためのペプチドパルスした樹状細胞の使用、およびマウスモデルにおいて疾患を根絶するためのこのような抗原特異的Ｔ細胞の引き続く使用は、Ｃｈｅｅｖｅｒら、Ｉｍｍｕｎｏｌｏｇｉｃａｌ　Ｒｅｖｉｅｗｓ　１５７：１７７、１９９７により実証された。さらに、開示されたポリヌクレオチドを発現するベクターは、患者から採取された幹細胞中に導入され得、そして同じ患者に自系移植片を戻すために、インビトロでクローン的に増殖され得る。
【０６７５】
特定の局面では、本明細書中に開示されるポリペプチド、ポリヌクレオチド、Ｔ細胞および／または結合因子を、薬学的組成物または免疫原性組成物（すなわち、ワクチン）中に組み込み得る。あるいは、薬学的組成物は、抗原提示細胞がクラミジアポリペプチドを発現するように、クラミジアポリヌクレオチドでトランスフェクトされた抗原提示細胞（例えば、樹状細胞）を含み得る。薬学的組成物は、１つ以上のこのような化合物および生理的に受容可能なキャリアを含む。ワクチンは、１つ以上のこのような化合物および免疫促進剤を含み得る。免疫促進剤は、外因性の抗原に対する免疫応答を増強または強化する任意の物質であり得る。免疫促進剤の例としては、アジュバント、生分解性ミクロスフェア（例えば、ポリ乳酸ガラクチド（ｐｏｌｙｌａｃｔｉｃ　ｇａｌａｃｔｉｄｅ）およびリポソーム（この中に、化合物を取り込む；例えば、Ｆｕｌｌｅｒｔｏｎ、米国特許第４，２３５，８７７号を参照のこと）が挙げられる。ワクチン調製物は、一般的に、例えば、Ｍ．Ｆ．ＰｏｗｅｌｌおよびＭ．Ｊ．Ｎｅｗｍａｎ編、「Ｖａｃｃｉｎｅ　Ｄｅｓｉｇｎ（ｔｈｅ　ｓｕｂｕｎｉｔ　ａｎｄ　ａｄｊｕｖａｎｔ　ａｐｐｒｏａｃｈ）」、Ｐｌｅｎｕｍ　Ｐｒｅｓｓ（ＮＹ、１９９５）に記載される。本発明の範囲内にある薬学的組成物およびワクチンはまた、生物学的に活性または不活性であり得る他の化合物を含み得る。例えば、他のＣｈｌａｍｙｄｉａｌ抗原の１つ以上の免疫原性部分は、組成物またはワクチンにおいて、融合ポリペプチドに組み込まれてかまたは個々の化合物としてのいずれかで存在し得る。
【０６７６】
薬学的組成物またはワクチンは、上記のような１つ以上のポリペプチドをコードするＤＮＡを含み得、その結果、そのポリペプチドはインサイチュで生成される。上記のように、ＤＮＡは、当業者に公知の種々の任意の送達系（核酸発現系、細菌性発現系、およびウイルス性発現系を含む）において存在し得る。多数の遺伝子技術が当該分野において周知である（例えば、Ｒｏｌｌａｎｄ、Ｃｒｉｔ．Ｒｅｖ．Ｔｈｅｒａｐ．Ｄｒｕｇ　Ｃａｒｒｉｅｒ　Ｓｙｓｔｅｍｓ　１５：１４３−１９８、１９９８およびその中で引用される参考文献により記載される技術）。適切な核酸発現系は、患者における発現のために必要なＤＮＡ配列を含む（例えば、適切なプロモーターおよび終結シグナル）。細菌性送達系は、細胞表面上でポリペプチドの免疫原性部分を発現するかまたはそのようなエピトープを分泌する細菌（例えば、Ｂａｃｉｌｌｕｓ−Ｃａｌｍｅｔｔｅ−Ｇｕｅｒｒｉｎ）の投与を含む。
【０６７７】
好ましい実施形態では、ウイルス性発現系（例えば、ワクシニアもしくは他のポックスウイルス、レトロウイルス、アデノウイルス、バキュロウイルス、トガウイルス、バクテリオファージなど）を使用してＤＮＡを導入し得る。このウイルス発現系は、非病原性（欠損性）複製コンピテントなウイルスの使用をしばしば含む。
【０６７８】
例えば、多くのウイルス発現ベクターが、レトロウイルス科のファミリーのウイルスから誘導されている。このファミリーは、マウス白血病ウイルス、マウス乳房腫瘍ウイルス、ヒト泡沫状ウイルス、ラウス肉腫ウイルス、および免疫不全ウイルス（ヒト、サル、およびネコを含む）を含む。レトロウイルス発現ベクターを設計する場合の考察が、Ｃｏｍｓｔｏｃｋら（１９９７）に議論される。
【０６７９】
優れたマウス白血病ウイルス（ＭＬＶ）ベースのウイルス発現ベクターは、Ｋｉｍら（１９９８）によって、開発されている。ＭＬＶベクターの作製において、Ｋｉｍらは、直上流領域と一緒になって、ｇａｇ配列全体が、ウイルスパッケージングまたは遺伝子発現に有意に影響することなく欠失され得ることを見出した。さらに、Ｕ３領域ほぼ全体が、有害な影響を伴うことなく、ヒトサイトメガロウイルスの中初期プロモーターで置換され得ることが見出された。さらに、ＭＣＲおよび内部リボソームエントリー部位（ＩＲＥＳ）が、有害な影響を伴うことなく付加され得る。それらの観察に基づいて、Ｋｉｍらは、上記の特徴の１つ以上を含む、一連のＭＬＶベースの発現ベクターを設計した。
【０６８０】
ヒト泡沫状ウイルス（ＨＦＶ）について、より学ばれているように、発現ベクターとしてのその使用について好ましいＨＦＶの特徴が発見されている。これらの特徴は、スプライシングによるｐｏｌの発現および規定された開始コドンでの翻訳の開始を含む。ＨＦＶウイルス発現ベクターの他の局面は、Ｂｏｄｅｍら（１９９７）によって総説される。
【０６８１】
Ｍｕｒａｋａｍｉら（１９９７）は、異種遺伝子を高レベルで発現するための、ラウス肉腫ウイルス（ＲＳＶ）ベースの複製コンピテントトリレトロウイルスベクターであるＩＲ１およびＩＲ２を記載する。これらのベクターにおいて、脳心筋炎ウイルス（ＥＭＣＶ）由来のＩＲＥＳが、ｅｎｖ遺伝子と異種遺伝子との間に挿入された。ＩＲ１ベクターは、ｅｎｖ遺伝子の下流に存在するスプライス−アクセプター部位を保持するが、ＩＲ２ベクターはそれを欠失する。Ｍｕｒａｋａｍｉらは、これらのベクターによって、いくつかの異なる異種遺伝子の高レベルの発現を示した。
【０６８２】
最近、多くのレンチウイルスベースのレトロウイルス発現べクターが、開発されている。Ｋａｆｒｉら（１９９７）は、ヒト免疫不全ウイルス（ＨＩＶ）ベースの発現ベクターによって、肝臓および筋肉に直接送達される遺伝子の持続する発現を示した。この系の１つの利点は、非分裂細胞を形質導入する、ＨＩＶに固有の能力である。Ｋａｆｒｉらのウイルスは、小胞口内炎ウイルスＧ糖タンパク（ＶＳＶＧ）を有する偽型であるので、それらは、広範な範囲の組織および細胞型を形質導入し得る。
【０６８３】
多数のアデノウイルスベースの発現ベクターが、主に、遺伝子治療適用において、これらのベクターによって提供される利点に起因して、開発されてきた。アデノウイルス発現ベクターおよびこのようなベクターを使用する方法は、多くの米国特許（米国特許第５，６９８，２０２号、米国特許第５，６１６，３２６号、米国特許第５，５８５，３６２号、および米国特許第５，５１８，９１３号を含み、これら全てが参考として援用される）の目的である。
【０６８４】
さらなるアデノウイルス構築物が、Ｋｈａｔｒｉら（１９９７）およびＴｏｍａｎｉｎら（１９９７）に記載される。Ｋｈａｔｒｉらは、新規なヒツジアデノウイルス発現ベクター、およびこれらがウシ鼻甲介およびウサギ腎細胞ならびにヒト細胞型（肺および包皮線維芽細胞ならびに肝臓、前立腺、乳房、結腸および網膜系列を含む）に感染させる能力を記載する。Ｔｏｍａｎｉｎらは、Ｔ７　ＲＮＡポリメラーゼ遺伝子を含むアデノウイルス発現ベクターを記載する。Ｔ７プロモーターに作動可能に連結された異種遺伝子を含む細胞に導入される場合、これらのベクターは、Ｔ７プロモーターから遺伝子発現を駆動し得た。著者らは、この系が、細胞傷害性タンパク質をコードする遺伝子のクローニングおよび発現のために有用であり得ることを示唆する。
【０６８５】
ポックスウイルスは、哺乳動物細胞における異種遺伝子の発現のために広範に使用される。数年に渡り、これらのベクターは、異種遺伝子の高い発現を可能にし、そして複数の異種遺伝子の単一分子への組込みを単純化するように改善されている。細胞変性効果を減少させ、そして安全性を増加させる試みにおいて、哺乳動物細胞において不発性感染を受けるワクシニアウイルス変異体および他のポックスウイルスが、特別の注目を受けている（Ｏｅｒｔｌｉら、１９９７）。発現ベクターとしてのポックスウイルスの使用は、ＣａｒｒｏｌｌおよびＭｏｓｓ（１９９７）に総説されている。
【０６８６】
トガウイルス発現ベクター（これは、アルファウイルス属の発現ベクターを含む）が、タンパク質の構造および機能を研究するために、ならびにタンパク質産生目的のために使用されている。トガウイルス属の発現ベクターの惹きつけられる特性は、迅速で効率的な遺伝子発現、広範な宿主範囲、およびＲＮＡゲノムである（Ｈｕａｎｇ，１９９６）。また、アルファウイルス発現ベクターに基づく組換えワクチンは、良好な免疫学的メモリーおよび保護効果を有する、強力な体液性免疫応答および細胞性免疫応答を誘導することが示されている（Ｔｕｂｕｌｅｋａｓら、１９９７）。アルファウイルス属の発現ベクターおよびその用途が、例えば、Ｌｕｎｄｓｔｒｏｍ（１９９７）に議論されている。
【０６８７】
１つの研究において、ＬｉおよびＧａｒｏｆｆ（１９９６）は、Ｓｅｍｌｉｋｉ　Ｆｏｒｅｓｔウイルス（ＳＦＶ）発現ベクターを使用して、ＢＨＫ−２１細胞において、レトロウイルス遺伝子を発現し、そしてレトロウイルス粒子を産生する。この方法によって生成された粒子は、プロテアーゼ活性および逆転写酵素活性を有し、そして感染性であった。さらに、ヘルパーウイルスは、ウイルスストックにおいて検出され得なかった。従って、この系は、遺伝子治療プロトコルにおけるその用途のために魅力的である特徴を有する。
【０６８８】
バキュロウイルス発現ベクターは、伝統的に、昆虫細胞において異種タンパク質を発現するために使用されている。タンパク質の例としては、哺乳動物ケモカインレセプター（Ｗａｎｇら、１９９７）、レセプタータンパク質（例えば、グリーン蛍光タンパク質）（Ｗｕら、１９９７）、およびＦＬＡＧ融合タンパク質（Ｗｕら、１９９７；Ｋｏｈら、１９９７）が挙げられる。バキュロウイルス発現ベクター技術における最近の進展（ビリオンディスプレイベクターおよび哺乳動物細胞における発現におけるそれらの使用を含む）は、Ｐｏｓｓｅｅ（１９９７）によって総説される。バキュロウイルス発現バクターに対する他の総説は、ＪｏｎｅｓおよびＭｏｒｉｋａｗａ（１９９６）およびＯ’Ｒｅｉｌｌｙ（１９９７）を含む。
【０６８９】
他の適切なウイルス発現系は、例えば、以下において開示される：Ｆｉｓｈｅｒ−Ｈｏｃｈら、Ｐｒｏｃ．Ｎａｔｌ．Ａｃａｄ．Ｓｃｉ．ＵＳＡ　８６：３１７−３２１、１９８９；Ｆｌｅｘｎｅｒら、Ａｎｎ．Ｎ．Ｙ．Ａｃａｄ．Ｓｃｉ．５６９：８６−１０３、１９８９；Ｆｌｅｘｎｅｒら、Ｖａｃｃｉｎｅ　８：１７−２１、１９９０；米国特許第４，６０３，１１２号、同第４，７６９，３３０号、および同第５，０１７，４８７号；ＷＯ　８９／０１９７３；米国特許第４，７７７，１２７号；ＧＢ　２，２００，６５１；ＥＰ　０，３４５，２４２；ＷＯ　９１／０２８０５；Ｂｅｒｋｎｅｒ、Ｂｉｏｔｅｃｈｎｉｑｕｅｓ　６：６１６−６２７、１９８８；Ｒｏｓｅｎｆｅｌｄら、Ｓｃｉｅｎｃｅ　２５２：４３１−４３４、１９９１；Ｋｏｌｌｓら、Ｐｒｏｃ．Ｎａｔｌ．Ａｃａｄ．Ｓｃｉ．ＵＳＡ　９１：２１５−２１９、１９９４；Ｋａｓｓ−Ｅｉｓｌｅｒら、Ｐｒｏｃ．Ｎａｔｌ．Ａｃａｄ．Ｓｃｉ．ＵＳＡ　９０：１１４９８−１１５０２、１９９３；Ｇｕｚｍａｎら、Ｃｉｒｃｕｌａｔｉｏｎ　８８：２８３８−２８４８、１９９３；およびＧｕｚｍａｎら、Ｃｉｒ．Ｒｅｓ．７３：１２０２−１２０７、１９９３。このような発現系にＤＮＡを組み込む技術は、当業者に周知である。別の系において、ＤＮＡは、例えば、Ｕｌｍｅｒら、Ｓｃｉｅｎｃｅ　２５９：１７４５−１７４９、１９９３において記載され、そしてＣｏｈｅｎ、Ｓｃｉｅｎｃｅ　２５９：１６９１−１６９２、１９９３によって概説されるように、「裸」ＤＮＡとして導入され得る。裸のＤＮＡの取り込みは、生分解性ビーズ（これは、細胞に効率的に輸送される）上にＤＮＡをコーティングすることによって増加され得る。
【０６９０】
ワクチンは、所望ならば、ポリヌクレオチドおよび／またはポリペプチド成分を含み得ることが明らかである。ワクチンがまた、本明細書中に提供されるポリヌクレオチドおよび／またはポリペプチドの薬学的に受容可能な塩を含み得ることもまた明らかである。このような塩は、薬学的に受容可能な非毒性塩基（有機塩基（例えば、１級、２級および３級アミンおよび塩基性アミノ酸の塩）および無機塩基（例えば、ナトリウム塩、カリウム塩、リチウム塩、アンモニウム塩、カルシウム塩、およびマグネシウム塩）を含む）から調製され得る。当業者に公知の任意の適切なキャリアが、本発明の薬学的組成物において使用され得るが、キャリアの型は、投与の様式に依存して変化する。本発明の組成物は、任意の適切な投与の様式（例えば、局所的投与、経口投与、経鼻投与、静脈内投与、頭蓋内投与、腹腔内投与、皮下投与、または筋内投与を含む）について処方され得る。非経口投与（例えば、皮下注射）については、キャリアは、好ましくは、水、生理食塩水、アルコール、脂肪、ろう、または緩衝液を含む。経口投与については、任意の上記のキャリアまたは固体キャリア（例えば、マンニトール、ラクトース、デンプン、ステアリン酸マグネシウム、ナトリウムサッカリン、タルク、セルロース、グルコース、スクロース、および炭酸マグネシウム）を使用し得る。生分解性ミクロスフェア（例えば、ポリラクテートポリグリコレート）もまた、本発明の薬学的組成物のためのキャリアとして使用され得る。適切な生分解性ミクロスフェアは、例えば、米国特許第４，８９７，２６８号および同第５，０７５，１０９号に開示される。
【０６９１】
このような組成物はまた、以下を含み得る：緩衝液（中性の緩衝化生理食塩水またはリン酸緩衝化生理食塩水）、炭水化物（例えば、グルコース、マンノース、スクロース、またはデキストラン）、マンニトール、タンパク質、ポリペプチド、またはアミノ酸（例えば、グリシン）、抗酸化薬、静菌薬、キレート剤（例えば、ＥＤＴＡまたはグルタチオン）、アジュバント（例えば、水酸化アルミニウム）、処方物をレシピエントの血液に対して等張性、低浸透圧性、弱い高浸透圧性にする溶液、懸濁剤、濃厚剤および／または防腐剤。あるいは、本発明の組成物は、凍結乾燥物（ｌｙｏｐｈｉｌｉｚａｔｅ）として処方され得る。化合物はまた、周知技術を使用して、リポソーム内にカプセル化され得る。
【０６９２】
任意の種々の免疫促進剤が、本発明のワクチンにおいて使用され得る。例えば、アジュバントが含められ得る。大半のアジュバントは、迅速な異化作用から抗原を保護するために設計された物質（例えば、水酸化アルミニウムまたは鉱油）、および免疫応答の刺激物質（例えば、リピドＡ、Ｂｏｒｔａｄｅｌｌａ　ｐｅｒｔｕｓｓｉｓまたはＭｙｃｏｂａｃｔｅｒｉｕｍ　ｔｕｂｅｒｃｕｌｏｓｉｓ由来のタンパク質）を含む。適切なアジュバントは、例えば、フロイントの不完全アジュバントおよび完全アジュバント（Ｄｉｆｃｏ　Ｌａｂｏｒａｔｏｒｉｅｓ、Ｄｅｔｒｏｉｔ、ＭＩ）；Ｍｅｒｃｋ　Ａｄｊｕｖａｎｔ　６５（Ｍｅｒｃｋ　ａｎｄ　Ｃｏｍｐａｎｙ，Ｉｎｃ．、Ｒａｈｗａｙ、ＮＪ）；ＡＳ−２（ＳｍｉｔｈＫｌｉｎｅ　Ｂｅｅｃｈａｍ，Ｐｈｉｌａｄｅｌｐｈｉａ，ＰＡ）；アルミニウム塩（例えば、水酸化アルミニウムゲル（ミョウバン）またはリン酸アルミニウム）；カルシウム、鉄、または亜鉛の塩；アシル化チロシンの不溶性懸濁液；アシル化糖；カチオン的またはアニオン的に誘導体化されたポリサッカリド；ポリフォスファゼン（ｐｏｌｙｐｈｏｓｐｈａｚｅｎｅ）；生分解性ミクロスフェア；モノホスホリルリピドＡおよびクイルＡ（ｑｕｉｌ　Ａ）のように市販されている。ＧＭ−ＣＳＦまたはインターロイキン−２、インターロイキン−７、もしくはインターロイキン−１２のようなサイトカインもまた、アジュバントとして使用され得る。
【０６９３】
本明細書中に提供されるワクチンでは、選択状況下で、アジュバント組成物は、優勢にＴｈ１型またはＴｈ２型の免疫応答を誘導するように設計され得る。高レベルのＴｈ１型サイトカイン（例えば、ＩＦＮ−γ、ＴＮＦα、ＩＬ−２およびＩＬ−１２）は、投与された抗原に対する細胞媒介性免疫応答の誘導に有利な傾向がある。対照的に、高レベルのＴｈ２型サイトカイン（例えば、ＩＬ−４、ＩＬ−５、ＩＬ−６およびＩＬ−１０）は、体液性免疫応答の誘導に有利な傾向がある。本明細書中に提供されるようなワクチンの適用後、患者は、Ｔｈ１型応答およびＴｈ２型応答を含む免疫応答を支持する。応答が優勢にＴｈ１型である好ましい実施形態では、Ｔｈ１型サイトカインのレベルは、Ｔｈ２型サイトカインのレベルよりも高い程度に増加する。これらのサイトカインのレベルは、標準的アッセイを使用して容易に評価され得る。サイトカインのファミリーの概説については、ＭｏｓｍａｎｎおよびＣｏｆｆｍａｎ、Ａｎｎ．Ｒｅｖ．Ｉｍｍｕｎｏｌ．７：１４５−１７３、１９８９を参照のこと。
【０６９４】
優勢にＴｈ１型応答を誘発する際の使用のために好ましいアジュバントとしては、例えば、モノホスホリルリピドＡ（好ましくは、３−脱−Ｏ−アシル化モノホスホルリピドＡ（３Ｄ−ＭＰＬ）とアルミニウム塩との組み合わせが挙げられる。ＭＰＬアジュバントは、Ｃｏｒｉｘａ　Ｃｏｒｐｏｒａｔｉｏｎ（Ｓｅａｔｔｌｅ，ＷＡ；米国特許第４，４３６，７２７号；同第４，８７７，６１１号；同第４，８６６，０３４号および同第４，９１２，０９４号）から入手可能である。ＣｐＧを含有するオリゴヌクレオチド（ここで、ＣｐＧジヌクレオチドはメチル化されていない）もまた、優勢にＴｈ１応答を誘導する。このようなオリゴヌクレオチドは周知であり、そして例えば、ＷＯ　９６／０２５５５およびＷＯ　９９／３３４８８に記載されている。免疫刺激ＤＮＡ配列はまた、例えば、Ｓａｔｏら、Ｓｃｉｅｎｃｅ　２７３：３５２，１９９６に記載される。別の好ましいアジュバントはサポニン（好ましくは、ＱＳ２１（Ａｑｕｉｌａ　Ｂｉｏｐｈａｒｍａｃｅｕｔｉｃａｌｓ　Ｉｎｃ．，Ｆｒａｍｉｎｇｈａｍ，ＭＡ））であり、これは単独または他のアジュバントと組み合わせて使用され得る。例えば、増強される系としては、モノホスホルリピドＡとサポニン誘導体の組み合わせ（例えば、ＷＯ　９４／００１５３に記載のようなＱＳ２１と３Ｄ−ＭＰＬの組み合わせ）、またはＷＯ　９６／３３７３９に記載のような、反応原性の低い組成物（ここでは、ＱＳ２１は、コレステロールでクエンチされる）を含む。他の好ましい処方物は、水中油エマルジョンおよびトコフェロールが挙げられる。水中油エマルジョン中にＱＳ２１、３Ｄ−ＭＰＬおよびトコフェロールを含有する特定の強力なアジュバント処方物が、ＷＯ　９５／１７２１０中に記載される。
【０６９５】
他の好ましいアジュバントとしては、Ｍｏｎｔａｎｉｄｅ　ＩＳＡ　７２０（Ｓｅｐｐｉｃ、Ｆｒａｎｃｅ）、ＳＡＦ（Ｃｈｉｒｏｎ，Ｃａｌｉｆｏｒｎｉａ，Ｕｎａｉｔｅｄ　Ｓｔａｔｅｓ）、ＩＳＣＯＭＳ（ＣＳＬ）、ＭＦ−５９（Ｃｈｉｒｏｎ）、アジュバントのＳＢＡＳシリーズ（例えば、ＳＢＡＳ−２またはＳＢＡＳ−４、ＳｍｉｔｈＫｌｉｎｅ　Ｂｅｅｃｈａｍ，Ｒｉｘｅｎｓａｒｔ，Ｂｅｌｇｉｕｍから入手可能）、Ｄｅｔｏｘ（Ｃｏｒｉｘａ　Ｃｏｒｐｏｒａｔｉｏｎ；Ｓｅａｔｔｌｅ，ＷＡ）、ＲＣ−５２９（Ｃｏｒｉｘａ　Ｃｏｒｐｏｒａｔｉｏｎ；Ｓｅａｔｔｌｅ，ＷＡ）および他のアミノアルキルグリコサミド４−ホスフェート（ＡＧＰ）（例えば、継続中の米国特許出願番号０８／８５３，８２６号および０９／０７４，７２０号に記載されるもの、これらの開示は、その全体が、参考として本明細書中で援用される）が挙げられる。
【０６９６】
本明細書中に提供される任意のワクチンは、抗原、免疫促進剤および適切なキャリアまたは賦形剤の組合せを生じる周知の方法を使用して調製され得る。本明細書中に記載される組成物は、投与後に化合物の緩徐な放出をもたらす徐放処方物（すなわち、カプセル、スポンジ、またはゲル（例えば、ポリサッカリドから構成される）などのような処方物）の部分として投与され得る。このような処方物は、一般的に、周知技術（例えば、Ｃｏｏｍｂｅｓら、Ｖａｃｃｉｎｅ　１４：１４２９−１４３８、１９９６を参照のこと）を使用して調製され得、そして、例えば、経口、直腸、もしくは皮下移植によってか、または所望される標的部位での移植によって投与され得る。徐放処方物は、キャリアマトリクス中に分散されたポリペプチド、ポリヌクレオチドもしくは抗体を含み得るか、および／または速度制御する膜によって取り囲まれたリザーバ中に含まれ得る。
【０６９７】
このような処方物における使用のためのキャリアは生体適合性であり、そしてまた生分解性でもあり得る；好ましくは、処方物は、比較的一定レベルの活性成分放出を提供する。このようなキャリアとしては、ポリ（ラクチド−ｃｏ−グリコリド）、ならびにポリアクリレート、ラテックス、デンプン、セルロール、およびデキストランのマイクロ粒子が挙げられる。他の徐放性キャリアとしては、超分子バイオベクターが挙げられ、これは、非液体の親水性コア（例えば、架橋ポリサッカリドまたはオリゴサッカリド）を含み、必要に応じて外層は、両親媒性化合物（例えば、リン脂質）を含む（例えば、米国特許第５，１５１，２５４合およびＰＣＴ公開ＷＯ　９４／２００７８，ＷＯ　９４／２３７０１およびＷＯ　９６／０６６３８を参照のこと）。徐放処方物中に含まれる活性化合物の量は、移植の部位、放出の速度および予期される持続期間、ならびに処置または予防される状態の性質に依存する。
【０６９８】
任意の種々の送達ビヒクルが、Ｃｈｌａｍｙｄｉａ感染した細胞を標的化する抗原特異的な免疫応答の産生を容易にするために、薬学的組成物およびワクチンにおいて使用され得る。送達ビヒクルは、抗原提示細胞（ＡＰＣ）（例えば、樹状細胞、マクロファージ、Ｂ細胞、単球）、および効率的なＡＰＣとなるように操作され得る他の細胞を含む。このような細胞は、抗原を提示する能力を増加させるために、Ｔ細胞応答の活性化および／または維持を改善するために、抗Ｃｈｌａｍｙｄｉａ効果自体を有するように、および／または受け手（すなわち、整合したＨＬＡハプロタイプ）と免疫学的に適合性であるように、遺伝的に改変され得るが、必要ではない。ＡＰＣは、一般的に、任意の種々の生物学的液体および器官から単離され得、そして自系、同種異系、同系または異種の細胞であり得る。
【０６９９】
本発明の特定の好ましい実施形態は、抗原提示細胞として樹状細胞またはその前駆細胞を用いる。樹状細胞は、非常に強力なＡＰＣであり（ＢａｎｃｈｅｒｅａｕおよびＳｔｅｉｎｍａｎ，Ｎａｔｕｒｅ　３９２：２４５〜２５１（１９９８））、そして予防的または治療的な抗腫瘍免疫を惹起するための生理学的なアジュバントとして有効性が示されている（ＴｉｍｍｅｒｍａｎおよびＬｅｖｙ，Ａｎｎ．Ｒｅｖ．Ｍｅｄ．５０：５０７〜５２９（１９９９）を参照のこと）。一般には、樹状細胞は、その典型的な形状（インサイチュで星状（インビトロで可視の顕著な細胞質性突起（樹状突起）を有する））、その取り込み能、高い効率のプロセシングおよび抗原提示、ならびにナイーブなＴ細胞応答を活性化する能力に基いて同定され得る。当然ながら、樹状細胞は、インビボまたはエキソビボで樹状細胞に通常見出されない特定の細胞表面レセプターまたはリガンドを発現するように操作され得、そしてこのような改変された樹状細胞が、本発明によって意図される。樹状細胞の代替として、分泌型小胞抗原負荷樹状細胞（ｓｅｒｅｃｔｅｄ　ｖｅｓｉｃｌｅｓ　ａｎｔｉｇｅｎ−ｌｏａｄｅｄ　ｄｅｎｄｒｉｔｉｃ　ｃｅｌｌｓ）（エキソソーム（ｅｘｏｘｏｍｅ）と呼ばれる）をワクチン内で用い得る（Ｚｉｔｖｏｇｅｌら、Ｎａｔｕｒｅ　Ｍｅｄ．４：５９４〜６００（１９９８））。
【０７００】
樹状細胞および前駆体は、末梢血、骨髄、腫瘍浸潤細胞、腫瘍周囲組織浸潤細胞、リンパ節、脾臓、皮膚、臍帯血、または任意の他の適切な組織もしくは体液から得ることができる。例えば、樹状細胞は、ＧＭ−ＣＳＦ、ＩＬ−４、ＩＬ−１３および／またはＴＮＦαのようなサイトカインの組合せを、末梢血から収集した単球の培養物に添加することにより、エキソビボで分化し得る。あるいは、末梢血、臍帯血、または骨髄から収集したＣＤ３４陽性細胞は、ＧＭ−ＣＳＦ、ＩＬ−３、ＴＮＦα、ＣＤ４０リガンド、ＬＰＳ、ｆｌｔ３リガンド、および／または他の化合物（樹状細胞の分化、成熟、および増殖を誘導する）の組み合わせを、培養培地に添加することにより、樹状細胞に分化し得る。
【０７０１】
樹状細胞は、２つの十分特徴付けされた表現型の間の識別を簡単に行うため、「未成熟」細胞、および「成熟」細胞と、簡便に分類される。しかし、この命名法は、全ての可能性のある中間段階の分化を除くと解釈されるべきではない。未成熟の樹状細胞は、高い能力の抗原取り込みおよびプロセシングを有するＡＰＣであると特徴付けられる。この細胞は、Ｆｃγレセプターおよびマンノースレセプターの高い発現に関連する。成熟表現型は、代表的にこれらのマーカーの発現がより低いが、Ｔ細胞活性化の原因である細胞表面分子（例えば、クラスＩおよびクラスＩＩＭＨＣ、接着分子（例えば、ＣＤ５４およびＣＤ１１）ならびに同時刺激分子（例えば、ＣＤ４０、ＣＤ８０、ＣＤ８６および４−１ＢＢ））の発現が高いことで特徴付けられる。
【０７０２】
ＡＰＣは、一般に、Ｃｈｌａｍｙｄｉａタンパク質（またはその部分もしくは他の改変体）をコードするポリヌクレオチドでトランスフェクトされ得、その結果、この細胞の表面上でＣｈｌａｍｙｄｉａポリペプチドまたはその免疫原性部分を発現する。このようなトランスフェクションは、エキソビボで生じ得、次いで、このようなトランスフェクトされた細胞を含む組成物またはワクチンは、本明細書に記載の様に、治療目的に用いられ得る。あるいは、樹状細胞または他の抗原提示細胞を標的する遺伝子送達ビヒクルが、患者に投与され得、インビボで生じるトランスフェクションを生じる。例えば、インビトロおよびエキソビボでの樹状細胞のトランスフェクションは、一般的に、当該分野で公知の任意の方法（例えば、ＷＯ９７／２４４４７に記載のような方法）、またはＭａｈｖｉら、Ｉｍｍｕｎｏｌｏｇｙ　ａｎｄ　Ｃｅｌｌ　Ｂｉｏｌｏｇｙ　７５：４５６〜４６０（１９９７）に記載の遺伝子銃アプローチを用いて実施され得る。樹状細胞の抗原ローディングは、Ｃｈｌａｍｙｄｉａポリペプチド、ＤＮＡ（裸のＤＮＡまたはプラスミドベクター中のＤＮＡ）、またはＲＮＡ；あるいは抗原を発現する組換え細菌もしくはウイルス（例えば、ワクシニア、鶏痘、アデノウイルスまたはレンチウイルスベクター）とともに樹状細胞または前駆細胞をインキュベートすることによって達成され得る。ローディングの前、このポリペプチドは、Ｔ細胞の助けを提供する免疫学的パートナー（例えば、キャリア分子）と共有結合的に結合体化され得る。あるいは、樹状細胞は、結合体化されない免疫学的パートナーで、別々にまたはポリペプチドの存在下で、パルスされ得る。
【０７０３】
投与の経路および頻度、ならびに投薬量は、個体ごとに変動する。一般に、薬学的組成物およびワクチンは、注射（例えば、皮内、筋内、静脈内または皮下）、鼻腔内（例えば、吸入による）または経口により投与され得る。１用量と３用量との間が、１〜３６週間の期間にわたって投与され得る。好ましくは、３用量が、３〜４ヶ月の間隔で投与され、そしてブースターワクチン化が、その後、周期的に与えられ得る。交互プロトコルが、個々の患者について適切であり得る。適切な用量は、上記のように投与される場合に、免疫化された患者においてその患者をＣｈｌａｍｙｄｉａ感染から少なくとも１〜２年間予防するに十分に免疫応答を惹起し得る、ポリペプチドまたはポリヌクレオチドの量である。一般に、１用量に存在する（または１用量のＤＮＡによりインサイチュで生成する）ポリペプチドの量は、宿主１ｋｇあたり約１ｐｇ〜約１００ｍｇ、代表的には約１０ｐｇ〜約１ｍｇ、そして好ましくは約１００ｐｇ〜約１μｇの範囲である。適切な用量サイズは、患者の大きさと共に変動するが、代表的に、約０．１ｍＬ〜約５ｍＬの範囲である。
【０７０４】
当業者に公知の任意の適切なキャリアが、本発明の薬学的組成物において使用され得るが、キャリアの型は、投与の様式に依存して変動する。皮下注射のような非経口投与については、キャリアは、好ましくは、水、生理食塩水、アルコール、脂肪、ワックスまたは緩衝液を含む。経口投与については、上記キャリアのいずれか、またはマンニトール、ラクトース、デンプン、ステアリン酸マグネシウム、サッカリンナトリウム、タルク、セルロース、グルコース、スクロース、および炭酸マグネシウムのような固体キャリアが使用され得る。生分解性ミクロスフィア（例えば、ポリ乳酸ガラクシド）もまた、本発明の薬学的組成物のためのキャリアとして使用され得る。適切な生分解性ミクロスフィアは、例えば、米国特許第４，８９７，２６８号および同第５，０７５，１０９号に開示される。
【０７０５】
一般に、適切な投薬量および処置レジメンは、治療的および／または予防的利点を提供するのに十分な量の活性薬剤を提供する。このような応答は、処置されていない患者に比較して、処置された患者において、改善された臨床的結果（例えば、より頻繁な寛解、完全なまたは部分的な、あるいはより長い疾患なしでの生存）を確立することによってモニターされ得る。Ｃｈｌａｍｙｄｉａタンパク質に対する既存の免疫応答における増加は、一般的に、改善された臨床的結果と関連する。このような免疫応答は、一般的に、標準的な増殖アッセイ、細胞障害性アッセイまたはサイトカインアッセイを使用して評価され得、これは、処置の前または後に患者から得られるサンプルを使用して行われ得る。
【０７０６】
別の局面において、本発明は、上記のポリペプチドを使用してＣｈｌａｍｙｄｉａ感染を診断するための方法を提供する。この局面において、１つ以上の上記のポリペプチドを、単独でかまたは組み合わせて使用して、生物学的サンプル中のＣｈｌａｍｙｄｉａ感染を検出するための方法が提供される。明確化のために、用語「ポリペプチド」は、本発明の診断方法の特定の実施形態を記載する場合に使用される。しかし、本発明の融合タンパク質もまた、このような方法において用いられることが、当業者に明らかである。
【０７０７】
本明細書中に使用される場合、「生物学的サンプル」は、患者から得られた任意の抗体含有サンプルである。好ましくは、このサンプルは、全血、痰、血清、血漿、唾液、脳脊髄液または尿である。より好ましくは、このサンプルは、患者から得られた血、血清または血漿サンプルである。このポリペプチドは、以下に記載されるように、予備決定したカットオフ値に対する、サンプル中のそのポリペプチドに対する抗原の存在または非存在を決定するために、アッセイで使用される。そのような抗体の存在は、Ｃｈｌａｍｙｄｉａ感染の指標であり得るＣｈｌａｍｙｄｉａ抗原に対する、先の感作を示す。
【０７０８】
１つより多くのポリペプチドが利用される実施形態において、使用されるポリペプチドは、好ましくは相補的である（すなわち、１つの成分ポリペプチドは、感染が別の成分ポリペプチドによって検出されないサンプル中の感染を検出する傾向がある）。相補的ポリペプチドは、一般的に、各ポリペプチドを個々に使用することによって同定され、Ｃｈｌａｍｙｄｉａで感染されたことが既知の一連の患者から得られた血清サンプルを評価し得る。どのサンプル試験が各ポリペプチドと陽性であるかを決定した後（以下に記載されるように）、試験されたサンプルのほとんどまたは全ての感染を検出し得る二つ以上のポリペプチドの組み合わせが、処方され得る。
【０７０９】
１つ以上のポリペプチドを使用してサンプル中の抗体を検出するための種々のアッセイ形式が、当業者に公知である。例えば、ＨａｒｌｏｗおよびＬａｎｅ、Ａｎｔｉｂｏｄｉｅｓ：Ａ　Ｌａｂｏｒａｔｏｒｙ　Ｍａｎｕａｌ、Ｃｏｌｄ　Ｓｐｒｉｎｇ　Ｈａｒｂｏｒ　Ｌａｂｏｒａｔｏｒｙ、１９８８を参照のこと（これは、本明細書中に参考として援用される）。好ましい実施形態において、アッセイは、抗体に結合し、そしてサンプルから抗体を除去するために、固体支持体に固定化されたポリペプチドの使用を含む。次いで、結合抗体は、レポーター基を含む検出試薬を使用して検出され得る。適切な検出試薬は、抗体／ポリペプチド複合体に結合し、かつレポーター基を用いて標識されたポリペプチドを含まない抗体を含む（例えば、半競合的アッセイ）。あるいは、競合アッセイが、使用され得、このアッセイにおいて、ポリペプチドに結合する抗体はレポーター基で標識され、抗原とサンプルとのインキュベーション後に、固定化された抗原に結合することを可能にする。サンプルの構成成分が、ポリペプチドへの標識抗体の結合を阻害する程度は、固定化されたポリペプチドを有するそのサンプルの反応性を示す。
【０７１０】
固体支持体は、それに対して抗原が付着され得る当業者に公知の任意の固体材料であり得る。例えば、固体支持体は、マイクロタイタープレートもしくはニトロセルロースまたは他の適切な膜において首尾良く試験され得る。あるいは、この支持体は、ガラス、ファイバーガラス、ラテックスまたはプラスチック材料（例えば、ポリスチレンもしくはポリ塩化ビニル）のようなビーズあるいはディスクであり得る。この支持体はまた、例えば、米国特許第５，３５９，６８１号に開示されるような、磁気粒子または光ファイバーセンサー（ｆｉｂｅｒ　ｏｐｔｉｃ　ｓｅｎｓｏｒ）であり得る。
【０７１１】
ポリペプチドは、当業者に公知の種々の技術を用いて固体支持体に結合され得る。本発明の状況において、用語「結合」とは、非共有結合的な会合（例えば、吸着）および共有結合的な付着（これは、抗原と支持体上の官能基との間で直接連結され得るかまたは架橋剤によって連結され得る）の両方をいう。マイクロタイタープレートのウェル、または膜への吸着による結合が好ましい。このような場合、吸着は、適切な緩衝液中、適切な時間で、ポリペプチドを固体支持体に接触させることによって達成され得る。接触時間は、温度によって変化するが、代表的には、約１時間から約１日の間である。一般的には、約１０ｎｇ〜約１μｇの範囲の量のポリペプチド、そして好ましくは約１００ｎｇのポリペプチドとプラスチックマイクロタイタープレート（例えば、ポリスチレンまたはポリ塩化ビニル）のウェルを接触させることは、適切な量の抗原を結合するのに十分である。
【０７１２】
固体支持体へのポリペプチドの共有結合的付着は、一般に、支持体を支持体およびポリペプチド上の官能基（例えば、ヒドロキシル基またはアミノ基）の両方と反応する二官能性試薬と最初に反応させることによって達成され得る。例えば、このポリペプチドは、ベンゾキノンを用いるかまたはポリペプチド上のアミンおよび活性水素を用いる支持体上のアルデヒド基の縮合によってコートする適切なポリマーを有する支持体に、結合され得る（例えば、Ｐｉｅｒｃｅ　Ｉｍｍｕｎｏｔｅｃｈｎｏｌｏｇｙ　Ｃａｔａｌｏｇ　ａｎｄ　Ｈａｎｄｂｏｏｋ、１９９１、Ａ１２−Ａ１３を参照のこと）。
【０７１３】
特定の実施形態において、このアッセイは、酵素結合免疫吸着検定法（ＥＬＩＳＡ）である。本アッセイは、最初に、固体支持体（通常、マイクロタイタープレートのウェル）上で固定化されているポリペプチド抗原をサンプルと接触させて、サンプル内のポリペプチドに対する抗体を固定化ポリペプチドに結合させることによって実施され得る。次いで、非結合サンプルが固定化ポリペプチドから除去され、そして固定化抗体−ポリペプチド複合体に結合し得る検出剤が添加される。次いで、固体支持体に結合したままである検出試薬の量が、特定の検出試薬に対して適切な方法を用いて決定される。
【０７１４】
より詳細には、一旦ポリペプチドが上記のように支持体上に固定化されると、支持体上の残りのタンパク質結合部位は、通常ブロックされる。当業者に公知の任意の適切なブロック剤（例えば、ウシ血清アルブミン（ＢＳＡ）またはＴｗｅｅｎ２０ＴＭ（Ｓｉｇｍａ　Ｃｈｅｍｉｃａｌ　Ｃｏ．，Ｓｔ．Ｌｏｕｉｓ，ＭＯ））が使用され得る。固定化ポリペプチドは次いで、サンプルとインキュベートされ、そして抗体を抗原に結合させる。インキュベーションの前に、このサンプルは適切な希釈液（例えば、リン酸緩衝化生理食塩水（ＰＢＳ））で希釈され得る。概して、適切な接触時間（すなわち、インキュベーション時間）は、ＨＧＥ感染サンプル内の抗体の存在を検出するのに十分な時間である。好ましくは、この接触時間は、結合抗体と非結合抗体との間の平衡が少なくとも９５％で達成される結合レベルを達成するのに十分な時間である。当業者は、ある時間にわたって起こる結合レベルをアッセイすることによって、平衡を達成するのに必要な時間が容易に決定され得ることを認識する。室温では、一般に、約３０分間のインキュベーション時間で十分である。
【０７１５】
次いで、非結合サンプルが、適切な緩衝液（例えば、０．１％Ｔｗｅｅｎ２０ＴＭを含むＰＢＳ）を用いて固体支持体を洗浄することによって除去され得る。次いで、検出試薬が固体支持体に添加され得る。適切な検出試薬は、固定化抗体−ポリペプチド複合体に結合し、当業者に公知の任意の種々の方法で検出され得る、任意の化合物である。好ましくは、検出試薬は、レポーター基に結合体化される結合剤（例えば、プロテインＡ、プロテインＧ、免疫グロブリン、レクチン、または遊離の抗原など）を含む。好ましいレポーター基は、酵素（例えば、西洋ワサビペルオキシダーゼ）、基質、補因子、インヒビター、色素、放射線核種、発光基、蛍光基、およびビオチンを含む。結合剤のレポーター基に対する結合は、当業者に公知の標準的な方法を使用して達成され得る。通常の結合剤はまた、種々のレポーター基に結合体化されて、多くの商業的供給源（例えば、Ｚｙｍｅｄ　Ｌａｂｏｒａｔｏｒｉｅｓ，Ｓａｎ　Ｆｒａｎｃｉｓｃｏ，ＣＡ、およびＰｉｅｒｃｅ，Ｒｏｃｋｆｏｒｄ，ＩＬ）から購入され得る。
【０７１６】
次いで、検出試薬を、固定化抗体−ポリペプチド複合体と、結合された抗体を検出するのに十分な時間インキュベートする。適切な時間量は、一般に、製造業者の説明書から決定され得るか、経時的に生じる結合のレベルをアッセイすることにより決定され得る。次いで、結合されない検出試薬を除去し、そして結合された検出試薬を、レポーター基を使用して検出する。レポーター基を検出するために使用される方法は、レポーター基の性質に依存する。放射活性基については、シンチレーションカウンティングまたはオートラジオグラフィー方法が一般に適切である。分光学的方法は、色素、発光基および蛍光基を検出するために使用され得る。ビオチンは、異なるレポーター基（通常、放射活性基または蛍光基、あるいは酵素）に結合されるアビジンを使用して検出され得る。酵素レポーター基は、一般に、基質の添加（一般に、特定の期間）、続いてその反応産物の分光学的または他の分析により検出され得る。
【０７１７】
サンプル中の抗Ｃｈｌａｍｙｄｉａ抗体の存在または非存在を決定するために、固体支持体に結合したままであるレポーター基から検出されるシグナルが、一般に、予備決定されたカットオフ値に対応するシグナルと比較される。１つの好ましい実施形態において、カットオフ値は、固定化抗原を、感染していない患者由来のサンプルと共にインキュベートした場合に得られる平均シグナルの平均値である。一般に、予備決定されたカットオフ値上の３標準偏差を上回るシグナルを発生するサンプルが、Ｃｈｌａｍｙｄｉａ感染に陽性であるとみなされる。別の好ましい実施形態において、カットオフ値は、Ｓａｃｋｅｔｔら、Ｃｌｉｎｉｃａｌ　Ｅｐｉｄｅｍｉｏｌｏｇｙ：Ａ　Ｂａｓｉｃ　Ｓｃｉｅｎｃｅ　ｆｏｒ　Ｃｌｉｎｉｃａｌ　Ｍｅｄｉｃｉｎｅ，Ｌｉｔｔｌｅ　Ｂｒｏｗｎ　ａｎｄ　Ｃｏ．，１９８５、１０６〜１０７頁の方法に従って、レシーバーオペレーターカーブ（Ｒｅｃｅｉｖｅｒ　Ｏｐｅｒａｔｏｒ　Ｃｕｒｖｅ）を使用して決定される。簡単に言うと、この実施形態において、カットオフ値は、診断試験の結果についての各々可能なカットオフ値に対応する、真の陽性割合（すなわち、感受性）および偽陽性の割合（１００％−特異性）の対のプロットから決定され得る。上方の左手の隅に最も近いプロットに対するカットオフ値（すなわち、最も大きい領域を囲む値）は、最も正確なカットオフ値であり、そしてこの方法で決定されたカットオフ値より高いシグナルを生成するサンプルは、陽性であるとみなされ得る。あるいは、カットオフ値は、プロットに沿って左に移動されて偽陽性の割合を最小化し得るか、右に移動されて偽陰性の割合を最小化し得る。一般に、この方法で決定されたカットオフ値より高いシグナルを生成するサンプルは、Ｃｈｌａｍｙｄｉａ感染に対して陽性であるとみなされる。
【０７１８】
関連する実施形態において、アッセイは、迅速なフロースルー（ｆｌｏｗ−ｔｈｒｏｕｇｈ）試験形式またはストリップ（ｓｔｒｉｐ）試験形式で実行され、ここで、抗原は、膜（例えば、ニトロセルロース）上に固定化される。フロースルー試験において、サンプル中の抗体は、サンプルが膜を通過するときに固定化ポリペプチドに結合する。次いで、検出試薬（例えば、プロテインＡ−コロイド状金）が、その検出試薬を含む溶液が膜を貫流するときに抗体−ポリペプチド複合体に結合する。次いで、結合された検出試薬の検出を、上記のように実施し得る。ストリップ試験形式において、ポリペプチドが結合される膜の一端を、サンプルを含む溶液中に浸す。そのサンプルは、検出試薬を含む領域を通って膜にそって移動し、固定化ポリペプチドの領域に達する。そのポリペプチドにおける検出試薬の濃縮は、そのサンプル中の抗Ｃｈｌａｍｙｄｉａ抗体の存在を示す。代表的に、その部位での検出試薬の濃縮は、視覚的に読取られ得るパターン（例えば、線）を生じる。このようなパターンの非存在は陰性の結果を示す。一般に、膜上に固定化されるポリペプチドの量は、上記のように、生物学的サンプルが、ＥＬＩＳＡにおける陽性シグナルを生成するのに十分であるレベルの抗体を含む場合、視覚的に識別可能なパターンを生成するよう選択される。好ましくは、膜上に固定化されたポリペプチドの量は、約２５ｎｇ〜約１μｇ、より好ましくは、約５０ｎｇ〜約５００ｎｇの範囲である、このような試験は、代表的に、ごく少量（例えば、１滴）の患者の血清または血液を用いて実施され得る。
【０７１９】
もちろん、本発明のポリペプチドおよび抗原性エピトープと共に使用するために適した他の多数のアッセイプロトコルが存在する。上記記載は、例示のみを意図される。このような方法において有用に用いられ得る代替のアッセイプロトコルの一例は、ウエスタンブロットであり、ここで生物学的サンプル中に存在するタンパク質は、結合剤に暴露される得に、ゲルで分離される。このような技術は、当業者に周知である。
【０７２０】
本発明は、さらにＣｈｌａｍｙｄｉａタンパク質に特異的に結合する因子（例えば、抗体およびその抗原結合フラグメント）をさらに提供する。本明細書において用いる場合、抗体またはその抗原結合フラグメントは、Ｃｈｌａｍｙｄｉａタンパク質と検出可能レベルで反応し（例えば、ＥＬＩＳＡにおいて）、そして類似の条件下で無関係のタンパク質とは検出可能に反応しない場合、Ｃｈｌａｍｙｄｉａタンパク質に「特異的に結合する」といわれる。本明細書において用いる場合、「結合（ｂｉｎｄｉｎｇ）」は、複合体が形成されるような２つの別々の分子間の非共有結合をいう。結合する能力は、例えば、複合体の形成についての結合定数を決定することにより評価され得る。結合定数は、複合体の濃度を成分濃度の積で割って得られる値である。一般に、２つの化合物は、複合体形成の結合定数が約１０３Ｌ／ｍｏｌを超える場合、本発明の文脈中で「結合している」といわれる。結合定数は、当該分野で周知の方法を用いて決定され得る。
【０７２１】
結合剤は、本明細書において提供される代表的アッセイを用いて、Ｃｈｌａｍｙｄｉａ感染を有する患者と有さない患者の間でさらに区別され得る。言い換えれば、タンパク質に結合する抗体または他の結合剤は、疾患を有する少なくとも約２０％の患者においてはＣｈｌａｍｙｄｉａ感染の存在を示すシグナルを生成し、そして感染を有さない少なくとも約９０％の個体においては疾患の存在しないことを示すネガティブなシグナルを生成する。結合剤がこの要件を満たすか否かを決定するために、Ｃｈｌａｍｙｄｉａ感染を有する患者およびＣｈｌａｍｙｄｉａ感染を有さない（標準的臨床試験を用いて決定した場合）患者由来の生物学的サンプル（例えば、血液、血清、痰、尿、および／または腫瘍生検）は、この結合剤に結合するポリペプチドの存在について、本明細書に記載のようにアッセイされ得る。疾患を有するサンプルおよび疾患を有さない統計的に有意な数のサンプルをアッセイすべきであることが明白である。それぞれの結合剤は、上記の基準を満たすべきであるが；当業者は、結合剤が感受性を改善する組み合わせで用いられ得ることを認識する。
【０７２２】
上記の要件を満たす任意の薬剤が結合剤であり得る。例えば、結合剤はリボソーム（ペプチド成分を含むかまたは含まない）、ＲＮＡ分子またはポリペプチドであり得る。好ましい実施形態において、結合剤は、抗体またはその抗原結合フラグメントである。抗体は、当業者に公知の任意の種々の技術により調製され得る。例えば、ＨａｒｌｏｗおよびＬａｎｅ、Ａｎｔｉｂｏｄｉｅｓ：Ａ　Ｌａｂｏｒａｔｏｒｙ　Ｍａｎｕａｌ，Ｃｏｌｄ　Ｓｐｒｉｎｇ　Ｈａｒｂｏｒ　Ｌａｂｏｒａｔｏｒｙ，１９８８を参照のこと。一般的に、細胞培養技術（本明細書中に記載のモノクローナル抗体の産生を含む）により、または適切な細菌細胞宿主または哺乳動物細胞宿主への抗体遺伝子のトランスフェクション（組換え抗体の産生を可能にするため）を介して、抗体は産生され得る。１つの技術では、ポリペプチドを含む免疫原は、任意の広範な種々の哺乳動物（例えば、マウス、ラット、ウサギ、ヒツジ、またはヤギ）にまず注射される。この工程で、本発明のポリペプチドは、改変なしの免疫原として働く。あるいは、特に、相対的に短いポリペプチドについて、このポリペプチドがキャリアタンパク質（例えば、ウシ血清アルブミンまたはキーホールリンペットヘモシアニン）に連結される場合、優れた免疫応答が惹起され得る。この免疫原は、好ましくは所定のスケジュール（１回以上のブースター免疫を組み込む）に従って、動物宿主に注射され、そしてこの動物は、定期的に採血される。次いで、このポリペプチドに特異的なポリクローナル抗体は、例えば、適切な固体支持体に結合しているポリペプチドを用いるアフィニティークロマトグラフィーにより、このような抗血清から精製され得る。
【０７２３】
目的の抗原性ポリペプチドについて特異的なモノクローナル抗体は、例えば、ＫｏｈｌｅｒおよびＭｉｌｓｔｅｉｎ、Ｅｕｒ．Ｊ．Ｉｍｍｕｎｏｌ．６：５１１−５１９、１９７６の技術、ならびにその改良型を使用して調製され得る。手短には、これらの方法は、所望の特異性（すなわち、目的のポリペプチドとの反応性）を有する抗体を産生し得る不死化細胞株の調製を包含する。このような細胞株は、例えば、上記のように、免疫された動物から得られた脾臓細胞から産生され得る。次いで、脾臓細胞は、例えば、ミエローマ細胞融合パートナー（好ましくは、免疫された動物と同系のもの）との融合によって不死化される。種々の融合技術が使用され得る。例えば、脾臓細胞およびミエローマ細胞は、非イオン性界面活性剤と数分間組み合わせられ得、次いで、ハイブリッド細胞の増殖を支持するが、ミエローマ細胞の増殖を支持しない選択培地上で低密度でプレートされる。好ましい選択技術は、ＨＡＴ（ヒポキサンチン、アミノプテリン、チミジン）選択を使用する。十分な時間（通常約１〜２週間）後、ハイブリッドのコロニーが観察される。単一コロニーが選択され、そしてそれらの培養上清が、ポリペプチドに対する結合活性について試験される。高い反応性および特異性を有するハイブリドーマが好ましい。
【０７２４】
モノクローナル抗体を、増殖しているハイブリドーマコロニーの上清から単離し得る。さらに、種々の技術（例えば、適切な脊椎動物宿主（例えば、マウス）の腹膜腔へのハイブリドーマ細胞株の注入）が、収量を増大させるために利用され得る。次いで、モノクローナル抗体を、腹水または血液から収集し得る。夾雑物を、通常の技術（例えば、クロマトグラフィー、ゲルろ過、沈殿、および抽出）によって抗体から除去し得る。本発明のポリペプチドを、例えば、アフィニティークロマトグラフィー工程における精製プロセスにおいて使用し得る。
【０７２５】
特定の実施形態において、抗体の抗原結合フラグメントの使用が好ましい。このようなフラグメントは、標準的な技術を使用して調製され得るＦａｂフラグメントを含む。手短には、免疫グロブリンを、プロテインＡビーズカラム上のアフィニティークロマトグラフィー（ＨａｒｌｏｗおよびＬａｎｅ、Ａｎｔｉｂｏｄｉｅｓ：Ａ　Ｌａｂｏｒａｔｏｒｙ　Ｍａｎｕａｌ、Ｃｏｌｄ　Ｓｐｒｉｎｇ　Ｈａｒｂｏｒ　Ｌａｂｏｒａｔｏｒｙ、１９８８）によってウサギ血清から精製し得、そしてパパインによって消化して、ＦａｂフラグメントおよびＦｃフラグメントを産生し得る。ＦａｂフラグメントおよびＦｃフラグメントは、プロテインＡビーズカラム上のアフィニティークロマトグラフィーによって分離され得る。
【０７２６】
本発明のモノクローナル抗体は、１つ以上の治療薬剤に結合され得る。この点において適切な薬剤は、放射性核種、分化誘導剤、薬物、毒素、およびその誘導体を含む。好ましい放射性核種には、９０Ｙ、１２３Ｉ、１２５Ｉ、１３１Ｉ、１８６Ｒｅ、１８８Ｒｅ、２１１Ａｔ、および２１２Ｂｉが含まれる。好ましい薬物には、メトトレキセート、ならびにピリミジンアナログおよびプリンアナログが含まれる。好ましい分化誘導剤には、ホルボールエステルおよび酪酸が含まれる。好ましい毒素には、リシン、アブリン、ジフテリア毒素、コレラ毒素、ゲロニン（ｇｅｌｏｎｉｎ）、Ｐｓｅｕｄｏｍｏｎａｓ体外毒素、Ｓｈｉｇｅｌｌａ毒素、およびアメリカヤマゴボウ抗ウイルスタンパク質が含まれる。
【０７２７】
治療剤は、直接的または間接的に（例えば、リンカー基を介して）適切なモノクローナル抗体とカップリング（例えば、共有結合によって）され得る。薬剤と抗体との直接的な反応は、各々が互いに反応し得る置換基を有する場合に可能である。例えば、一方の求核基（例えば、アミノ基またはスルフヒドリル基）は、もう一方のカルボニル含有基（例えば、無水物もしくは酸ハロゲン化物）と、または良好な脱離基（例えば、ハロゲン化物）を含むアルキル基と反応し得る。
【０７２８】
あるいは、リンカー基を介して治療剤と抗体とをカップリングさせることが所望され得る。リンカー基は、結合の可能性の妨害を回避するために抗体を薬剤から隔てるためのスペーサーとして機能し得る。リンカー基はまた、薬剤または抗体上の置換基の化学的反応性を増加させるためにはたらき得、従ってカップリング効率を増大させる。化学的反応性の増大はまた、薬剤または薬剤上の官能基の使用（さもなければ可能ではない）を容易にし得る。
【０７２９】
種々の二官能性または多官能性試薬、ホモ官能性とヘテロ官能性との両方（例えば、Ｐｉｅｒｃｅ　Ｃｈｅｍｉｃａｌ　Ｃｏ．，Ｒｏｃｋｆｏｒｄ，ＩＬのカタログ中に記載されるもの）が、リンカー基として使用され得ることは、当業者に明らかである。カップリングは、例えば、アミノ基、カルボキシル基、スルフヒドリル基、または酸化された炭水化物基を通してもたらされ得る。このような方法論を記載する多数の参考文献（例えば、Ｒｏｄｗｅｌｌらに対する米国特許第４，６７１，９５８号）が存在する。
【０７３０】
本発明の免疫結合体の抗体部分がないときに治療剤がより強力である場合、細胞中への内部移行の間に、またはその際に切断可能なリンカー基を使用することが所望であり得る。多数の異なる切断可能なリンカー基が記載されてきた。これらのリンカー基からの薬剤の細胞内放出についての機構は、ジスルフィド結合の還元（例えば、Ｓｐｉｔｌｅｒへの米国特許第４，４８９，７１０号）、感光性結合の照射（例えば、Ｓｅｎｔｅｒらへの米国特許第４，６２５，０１４号）、誘導体化されたアミノ酸側鎖の加水分解（例えば、Ｋｏｈｎらへの米国特許第４，６３８，０４５号）、血清補体媒介性加水分解（例えば、Ｒｏｄｗｅｌｌらへの米国特許第４，６７１，９５８号）、および酸によって触媒される加水分解（例えば、Ｂｌａｔｔｌｅｒらへの米国特許第４，５６９，７８９号）による切断を含む。
【０７３１】
１つより多い薬剤を抗体にカップリングさせることが所望され得る。１つの実施形態において、複数の薬剤の分子が１つの抗体分子にカップリングされる。別の実施形態において、１つより多い薬剤の型が１つの抗体にカップリングされ得る。特定の実施形態に関わらず、１つより多い薬剤を有する免疫結合体は、種々の方法で調製され得る。例えば、１つより多い薬剤が、抗体分子に直接的にカップリングされ得るか、または付着のための複数の部位を提供するリンカーが使用され得る。あるいは、キャリアが使用され得る。
【０７３２】
キャリアは、種々の方法（直接的にまたはリンカー基を介するかのいずれかの共有結合を含む）で薬剤を保有し得る。適切なキャリアには、アルブミンのようなタンパク質（例えば、Ｋａｔｏらへの米国特許第４，５０７，２３４号）、ペプチド、およびアミノデキストランのような多糖（例えば、Ｓｈｉｈらへの米国特許第４，６９９，７８４号）を含む。キャリアはまた、例えばリポソーム小胞内に、非共有結合によって、またはカプセル化によって、薬剤を保有し得る（例えば、米国特許第４，４２９，００８号および同第４，８７３，０８８号）。放射性核種剤に特異的なキャリアは、放射性ハロゲン化された低分子およびキレート化合物を含む。例えば、米国特許第４，７３５，７９２号は、代表的な放射性ハロゲン化低分子およびそれらの合成を開示する。放射性核種キレートは、キレート化合物（金属、または金属酸化物、放射性核種の結合のためのドナー原子として窒素原子および硫黄原子を含むキレート化合物を含む）から形成され得る。例えば、Ｄａｖｉｓｏｎらへの米国特許第４，６７３，５６２号は、代表的なキレート化合物およびそれらの合成を開示する。
【０７３３】
抗体および免疫結合体についての投与の種々の経路が使用され得る。代表的には、投与は、静脈内、筋肉内、皮下、または適切な方法による組織特異的領域においてである。抗体／免疫結合体の正確な用量は、使用される抗体、抗原密度、および抗体のクリアランスの速度に依存して変化することは明白である。
【０７３４】
抗体は、上記に詳述されたアッセイに同様のアッセイおよび当業者に周知の他の技術を使用する、Ｃｈｌａｍｙｄｉａ抗原の存在を検出するための診断試験において使用され得、それによって患者においてクラミジア感染を検出するための方法を提供する。
【０７３５】
本発明の診断試薬はまた、１つ以上の上記のポリペプチドをコードするＤＮＡ配列、または１つ以上のそれらの部分を含み得る。例えば、少なくとも２つのオリゴヌクレオチドプライマーは、生物学的サンプル由来のＣｈｌａｍｙｄｉａ特異的ｃＤＮＡを増幅するためのポリメラーゼ連鎖反応（ＰＣＲ）に基づくアッセイにおいて利用され得、ここで、少なくとも１つのオリゴヌクレオチドプライマーが、本発明のポリペプチドをコードするＤＮＡ分子に特異的である。次いで、増幅されたｃＤＮＡの存在が、当該分野で周知の技術（例えば、ゲル電気泳動）を使用して検出される。同様に、本発明のポリペプチドをコードするＤＮＡ分子に特異的なオリゴヌクレオチドプローブは、生物学的サンプル中の本発明のポリペプチドの存在を検出するためのハイブリダイゼーションアッセイにおいて使用され得る。
【０７３６】
本明細書中で使用される場合、用語「ＤＮＡ分子に特異的なオリゴヌクレオチドプライマー／プローブ」とは、問題のＤＮＡ分子に少なくとも約８０％、好ましくは少なくとも約９０％、およびより好ましくは少なくとも約９５％の同一性を有するオリゴヌクレオチド配列を意味する。本発明の診断方法において有用に利用され得るオリゴヌクレオチドプライマーおよび／またはプローブは、好ましくは少なくとも約１０〜４０ヌクレオチドを有する。好ましい実施形態において、オリゴヌクレオチドプライマーは、本明細書中に開示される１つのポリペプチドをコードする少なくとも約１０個連続するヌクレオチドのＤＮＡ分子を含む。好ましくは、本発明の診断方法において使用するためのオリゴヌクレオチドプローブは、本明細書中で開示されるポリペプチドの１つをコードする少なくとも約１５個連続するオリゴヌクレオチドのＤＮＡ分子を含む。ＰＣＲに基づくアッセイとハイブリダイゼーションアッセイとの両方についての技術は、当該分野において周知である（例えば、Ｍｕｌｌｉｓら、同書；Ｅｈｒｌｉｃｈ、同書を参照のこと）。従って、プライマーまたはプローブは、生物学的サンプル中のＣｈｌａｍｙｄｉａ特異的配列を検出するために使用され得る。上記のオリゴヌクレオチド配列を含むＤＮＡプローブまたはＤＮＡプライマーは、単独でまたは互いに組み合わせて使用され得る。
【０７３７】
以下の実施例は、例示の目的で提供され、限定の目的で提供されるのではない。
【０７３８】
（実施例１）
（Ｃｈｌａｍｙｄｉａ抗原をコードするＤＮＡ配列の単離）
本発明のＣｈｌａｍｙｄｉａ抗原を、Ｃｈｌａｍｙｄｉａ　ｔｒａｃｈｏｍａｔｉｓ　ＬＧＶ　ＩＩのゲノムＤＮＡライブラリーの発現クローニングによって、本質的にＳａｎｄｅｒｓｏｎら（Ｊ．Ｅｘｐ．Ｍｅｄ．１９９５、１８２：１７５１〜１７５７）に記載されるように単離し、そして免疫反応性Ｔ細胞株においてＰＢＭＣ増殖およびＩＦＮ−γを誘導することを示した。
【０７３９】
Ｃｈｌａｍｙｄｉａ特異的Ｔ細胞株を、Ｃｈｌａｍｙｄｉａ　ｔｒａｃｈｏｍａｔｉｓ　ＬＧＶ　ＩＩの基本小体によるクラミジア生殖管感染の病歴のない正常なドナー由来のＰＢＭＣを刺激することによって生成した。このＴ細胞株（ＴＣＬ−８といわれる）は、Ｃｈｌａｍｙｄｉａ　ｔｒａｃｈｏｍａｔｉｓに感染した単球由来の樹状細胞およびＣｈｌａｍｙｄｉａ　ｐｎｅｕｍｏｎｉａに感染した単球由来の樹状細胞の両方を認識することが見出された。
【０７４０】
Ｃｈｌａｍｙｄｉａ　ｔｒａｃｈｏｍａｔｉｓ　ＬＧＶ　ＩＩの無作為に剪断したゲノムライブラリーを、λＺＡＰ（Ｓｔｒａｔａｇｅｎｅ、Ｌａ　Ｊｏｌｌａ、ＣＡ）において構築し、そしてこの増幅されたライブラリーを、３０クローン／ウェルの密度で、９６ウェルマイクロタイタープレートにプレートした。細菌を、２ｍＭ　ＩＰＴＧの存在下で組換えタンパク質を発現するように、３時間誘導し、次いで、ペレットにして、そして２００μｌのＲＰＭＩ　１０％ＦＢＳ中に再懸濁した。１０μｌの誘導された細菌懸濁液を、自己単球由来の樹状細胞を含む９６ウェルプレートに移した。２時間のインキュベーションの後に、樹状細胞を洗浄して、遊離のＥ．ｃｏｌｉを除去し、そしてＣｈｌａｍｙｄｉａ特異的Ｔ細胞を添加した。陽性Ｅ．ｃｏｌｉプールを、このプールに応答したＩＦＮ−γ産生およびＴ細胞の増殖を決定することにより同定した。
【０７４１】
４つの陽性プールを同定した。これを破壊して、４つの純粋なクローン（１−Ｂ１−６６、４−Ｄ７−２８、３−Ｇ３−１０および１０−Ｃ１０−３１といわれる）を、それぞれ、４８１ｂｐ、１８３ｂｐ、１１０ｂｐおよび１４００ｂｐのインサートの大きさで得た。１−Ｂ１−６６、４−Ｄ７−２８、３−Ｇ３−１０および１０−Ｃ１０−３１について決定されたＤＮＡ配列を、それぞれ、配列番号１〜４に提供する。クローン１−Ｂ１−６６は、おおよそ、Ｃ．ｔｒａｃｈｏｍａｔｉｓゲノムの領域５３６６９０（ＮＣＢＩ　Ｃ．ｔｒａｃｈｏｍａｔｉｓデータベース）にある。クローン１−Ｂ１−６６内には、以前に同定された９ｋＤａタンパク質（Ｓｔｅｐｈｅｎｓら、Ｇｅｎｂａｎｋ登録番号ＡＥ００１３２０）をコードするオープンリーディングフレーム（ＯＲＦ）（ヌクレオチド１１５〜３７５）が同定されており、この配列を、配列番号５に提供する。クローン４−Ｄ７−２８は、同じＯＲＦのより小さな領域である（１−Ｂ１−６６のアミノ酸２２〜８２）。クローン３−Ｇ３−１０は、おおよそ、Ｃ．ｔｒａｃｈｏｍａｔｉｓゲノムの領域７４５５９にある。このインサートを、このゲノムにおけるその配向に関して、アンチセンスの配向でクローニングする。クローン１０−Ｃ１０−３１は、Ｃｈｌａｍｙｄｉａ　ｔｒａｃｈｏｍａｔｉｓ由来のＳ１３リボソームタンパク質について以前に公開された配列に対応するオープンリーディングフレームを含む（Ｇｕ，Ｌ．ら、Ｊ．Ｂａｃｔｅｒｉｏｌｏｇｙ、１７７：２５９４〜２６０１、１９９５）。４−Ｄ７−２８および１０−Ｃ１０−３１についての推定タンパク質配列を、それぞれ、配列番号６および１２に提供する。３−Ｇ３−１０についての推定タンパク質配列を、配列番号７〜１１に提供する。
【０７４２】
関連する一連のスクリーニング研究において、さらなるＴ細胞株を使用して、上記のＣｈｌａｍｙｄｉａ　ｔｒａｃｈｏｍａｔｉｓ　ＬＧＶ　ＩＩのゲノムＤＮＡライブラリーをスクリーニングした。Ｃｈｌａｍｙｄｉａ　ｔｒａｃｈｏｍａｔｉｓ　ＬＧＶ　ＩＩの基本小体に感染した自己単球由来の樹状細胞を用いて患者のＰＢＭＣを刺激することによって、Ｃｈｌａｍｙｄｉａ特異的Ｔ細胞株（ＴＣＴ−１）をクラミジア生殖管を患う患者から誘導した。１２５６ｂｐのインサートを含む、１つのクローンである４Ｃ９−１８（配列番号２１）は、標準的な増殖アッセイによって測定されるように、Ｃｈｌａｍｙｄｉａ特異的Ｔ細胞株ＴＣＴ−１からの特異的免疫応答を誘発した。その後の分析により、このクローンは、以下の３つの既知の配列を含むことが明らかにされた：配列番号２２において開示される、リポアミドデヒドロゲナーゼ（Ｇｅｎｂａｎｋ登録番号ＡＥ００１３２６）；配列番号２３において開示される、ハイポセティカルタンパク質ＣＴ４２９（Ｇｅｎｂａｎｋ登録番号ＡＥ００１３１６）；および配列番号２４において開示される、ユビキノンメチルトランスフェラーゼＣＴ４２８（Ｇｅｎｂａｎｋ登録番号ＡＥ００１３１６）のオープンリーディングフレームの一部。
【０７４３】
クローン４Ｃ９−１８（配列番号２１）を含むさらなる研究において、Ｃ．ｔｒａｃｈｏｍａｔｉｓ（ＬＧＶ　ＩＩ）由来のリポアミドデヒドロゲナーゼの全長アミノ酸配列（配列番号２２）を、配列番号９０に開示されるクローンＣｔＬ２−ＬＰＤＡ−ＦＬ中に発現させた。
【０７４４】
Ｔ細胞刺激エピトープを含むオープンリーディングフレームをさらに特徴付けるために、６×ヒスチジンタグをアミノ末端にコードするｃＤＮＡ配列を有するクローン４Ｃ９−１８のヌクレオチド１〜６９５を含むｃＤＮＡフラグメントを、ｐＥＴ１７ｂベクター（Ｎｏｖａｇｅｎ、Ｍａｄｉｓｏｎ、ＷＩ）のＮｄｅＩ／ＥｃｏＲＩ部位にサブクローニングし（クローン４Ｃ９−１８♯２　ＢＬ２１　ｐＬｙｓＳ（配列番号２５、配列番号２６に提供される対応するアミノ酸配列に対応する）と称し、そしてＥ．ｃｏｌｉ中に形質転換した。２ｍＭ　ＩＰＴＧでの３時間の、形質転換されたＥ．ｃｏｌｉの選択的誘導は、標準的なクマシー染色したＳＤＳ−ＰＡＧＥにより確証されるように、クローン４Ｃ９−１８♯２　ＢＬ２１　ｐＬｙｓＳから２６ｋＤａのタンパク質の発現を生じた。クローン４Ｃ９−１８♯２　ＢＬ２１　ｐＬｙｓＳによりコードされるタンパク質の免疫原性を決定するために、２６ｋＤａのタンパク質を発現するＥ．ｃｏｌｉを、１×１０４の単球由来の樹状細胞上で力価測定し、そして２時間インキュベートした。樹状細胞培養物を、洗浄し、そして２．５×１０４のＴ細胞（ＴＣＴ−１）を、添加して、そしてさらに７２時間インキュベートさせて、その時点で、培養物上清におけるＩＦＮ−γのレベルを、ＥＬＩＳＡにより決定した。図１に示されるように、Ｔ細胞株ＴＣＴ−１は、ＩＦＮ−ｇにより測定されるように、誘導した培養物に応答することが見出され、これは、リポアミドデヒドロゲナーゼ配列に対するＣｈｌａｍｙｄｉａ特異的Ｔ細胞応答を示す。同様に、クローン４Ｃ９−１８♯２　ＢＬ２１　ｐＬｙｓＳによりコードされるタンパク質は、標準的な増殖アッセイによりＴＣＴ−１　Ｔ細胞株を刺激することが示された。
【０７４５】
上記のＣＤ４＋　Ｔ細胞発現クローニング技術を使用して、さらなるＣｈｌａｍｙｄｉａ　ｔｒａｃｈｏｍａｔｉｓ抗原を同定するその後の研究は、さらなるクローンを生じた。ＴＣＴ−１およびＴＣＬ−８　Ｃｈｌａｍｙｄｉａ特異的Ｔ細胞株、ならびにＴＣＰ−２１　Ｔ細胞株を利用して、Ｃｈｌａｍｙｄｉａ　ｔｒａｃｈｏｍａｔｉｓ　ＬＧＶＩＩゲノムライブラリーをスクリーニングした。ＴＣＰ−２１　Ｔ細胞株は、Ｃｈｌａｍｙｄｉａ　ｐｎｕｅｍｏｎｉａｅに対する体液性免疫応答を有する患者に由来した。ＴＣＴ−１細胞株は、３７の陽性プールを同定し、ＴＣＴ−３細胞株は、４１の陽性プールを同定し、そしてＴＣＰ−２１細胞株は、２つの陽性プールを同定した。以下のクローンは、これらの陽性プールのうちの１０個に由来した。ＴＣＰ−２１細胞株により同定される、クローン１１−Ａ３−９３（配列番号６４）は、ＨＡＤスーパーファミリーに対する相同性を共有する１３３９ｂｐのゲノムフラグメントである（ＣＴ１０３）。同じクローンにおける第２のインサートは、相補鎖上に存在するｆａｂＩ遺伝子（ＣＴ１０４）と相同性を共有する。ＴＣＰ−２１細胞株を使用して同定された、クローン１１−Ｃ１２−９１（配列番号６３）は、ＯＭＰ２遺伝子（ＣＴ４４３）の一部である２６９ｂｐインサートを有し、そしてＣ．ｐｎｕｅｍｏｎｉａｅの６０ｋＤａのシステインに富む外膜タンパク質と相同性を共有する。
【０７４６】
ＴＣＴ−３細胞株を使用して同定された、クローン１１−Ｇ１０−４６（配列番号６２）は、ハイポセティカルタンパク質ＣＴ６１０に対して相同性を共有する６８８ｂｐのインサートを含む。ＴＣＴ−３細胞株を使用して同定された、クローン１１−Ｇ１−３４（配列番号６１）は、１２１５ｂｐのインサートの大きさを有する、２つの部分的なオープンリーディングフレーム（ＯＲＦ）を有する。一方のＯＲＦは、リンゴ酸デヒドロゲナーゼ遺伝子（ＣＴ３７６）に対して相同性を共有し、そして他方のＯＲＦは、グリコーゲンヒドロラーゼ遺伝子（ＣＴ０４２）に対して相同性を共有する。ＴＣＴ−３細胞株を使用して同定された、クローン１１−Ｈ３−６８（配列番号６０）は、全体のインサートの大きさが１１８０ｂｐである、２つのＯＲＦを有する。一方の部分的なＯＲＦは、プラスミドによりコードされるＰＧＰ６−Ｄ毒性タンパク質をコードし、一方、第２のＯＲＦは、Ｌ１リボソーム遺伝子（ＣＴ３１８）に対する完全なＯＲＦである。ＴＣＴ−３細胞株を使用して同定される、クローン１１−Ｈ４−２８（配列番号５９）は、５５２ｂｐのインサートの大きさを有し、そしてｄｎａＫ遺伝子（ＣＴ３９６）に対するＯＲＦの一部である。ＴＣＴ−１細胞株を使用して同定される、クローン１２−Ｂ３−９５（配列番号５８）は、４６３ｂｐのインサートの大きさを有し、そしてリポアミドデヒドロゲナーゼ遺伝子（ＣＴ５５７）のＯＲＦの一部である。クローン１５−Ｇ１−８９および１２−Ｂ３−９５は同一であり（それぞれ、配列番号５５および５８）、ＴＣＴ−１細胞株を使用して同定され、４６３ｂｐのインサートの大きさを有し、そしてリポアミドデヒドロゲナーゼ遺伝子（ＣＴ５５７）のＯＲＦの一部である。ＴＣＴ−１細胞株を使用して同定される、クローン１２−Ｇ３−８３（配列番号５７）は、１５３７ｂｐのインサートの大きさを有し、そしてハイポセティカルタンパク質ＣＴ６２２のＯＲＦの一部である。
【０７４７】
ＴＣＴ−３細胞株を使用して同定される、クローン２３−Ｇ７−６８（配列番号７９）は、９５０ｂｐのインサートを含み、そしてＬ１１リボソームＯＲＦの小さな部分、Ｌ１リボソームタンパク質のＯＲＦ全体、およびＬ１０リボソームタンパク質のＯＲＦの一部を含む。さらに、このクローンはまた、患者の株ＣＴ４、ＣＴ５、ＣＴ１１、ＣＴ１２、およびＣＨＨ０３７を同定した。ＴＣＴ−１細胞株を使用して同定された、クローン２２−Ｆ８−９１（配列番号８０）は、このクローンの相補鎖上のｐｍｐＣ　ＯＲＦの一部を含む３９５ｂｐのインサートを含む。ＴＣＴ−３細胞株を使用して同定された、クローン２１−Ｅ８−９５（配列番号８１）は、ＣＴ６１３　ＯＲＦの一部、ＣＴ６１２の完全ＯＲＦ、ＣＴ６１１の完全ＯＲＦおよびＣＴ６１０のＯＲＦの一部を含む、２，０８５ｂｐのインサートを含む。ＴＣＴ−３細胞株を使用して同定された、クローン１９−Ｆ１２−５３（配列番号８２）は、ＣＴ８５８　ＯＲＦの部分およびｒｅｃＡ　ＯＲＦの小さな部分を含む、４０５ｂｐのインサートを含む。ＴＣＴ−３細胞株を使用して同定された、クローン１９−Ｆ１２−５７（配列番号８３）は、グルタミルｔＲＮＡシンセターゼをコードするＣＴ４５５のＯＲＦの一部である、３７９ｂｐのインサートを含む。ＴＣＴ−３細胞株を使用して同定された、クローン１９−Ａ５−５４（配列番号８４）は、潜在性プラスミドのＯＲＦ３（このクローンの相補鎖）の一部である７１５ｂｐのインサートを含む。ＴＣＴ−１細胞株を使用して同定された、クローン１７−Ｅ１１−７２（配列番号８５）は、Ｏｐｐ＿２およびｐｍｐＤのＯＲＦの一部である、４７６ｂｐのインサートを含む。このクローンのｐｍｐＤ領域は、クローン１５−Ｈ２−７６のｐｍｐＤ領域に含まれる。患者の細胞株ＣＴ３、ＣＴ１、ＣＴ４、およびＣＴ１２を使用して同定された、クローン１７−Ｃ１−７７（配列番号８６）は、ＣＴ８５７　ＯＲＦの一部、およびＣＴ８５８　ＯＲＦの一部である、１５５１ｂｐのインサートを含む。ＴＣＴ−１細胞株を使用して同定された、クローン１５−Ｈ２−７６（配列番号８７）は、ｐｍｐＤ　ＯＲＦの大きな部分、ＣＴ０８９　ＯＲＦの一部、およびＳｙｃＥのＯＲＦの一部を含む、３，０３１ｂｐのインサートを含む。クローン１５−Ａ３−２６（配列番号８８）は、ＣＴ８５８のＯＲＦの一部を含む９７６ｂｐのインサートを含む。患者の株ＣＴ８、ＴＣＴ−１０、ＣＴ１、ＣＴ５、ＣＴ１３、およびＣＨＨ０３７を使用して同定された、クローン１７−Ｇ４−３６（配列番号２６７）は、プラスミド中でβ−ｇａｌとインフレームであり、そしてＤＮＡ指向性ＲＮＡポリメラーゼβサブユニット（ＳｅｒＤにおけるＣＴ３１５）のＯＲＦの一部に対して相同性を共有する、６８０ｂｐのインサートを含む。
【０７４８】
上記のいくつかのクローンは、種々の多型性膜タンパク質に対して相同性を共有する。Ｃｈｌａｍｙｄｉａ　ｔｒａｃｈｏｍａｔｉｓのゲノム配列は、ｐｍｐといわれる、９つの多型性膜タンパク質遺伝子のファミリーを含む。これらの遺伝子は、ｐｍｐＡ、ｐｍｐＢ、ｐｍｐＣ、ｐｍｐＤ、ｐｍｐＥ、ｐｍｐＦ、ｐｍｐＧ、ｐｍｐＨ、およびｐｍｐＩと命名される。これらの遺伝子から発現されるタンパク質は、Ｃｈｌａｍｙｄｉａ感染に対する防御免疫応答の生成において生物学的関連性があると考えられている。特に、ｐｍｐＣ、ｐｍｐＤ、ｐｍｐＥおよびｐｍｐＩは、推定シグナルペプチドを含み、このことは、それらが外膜タンパク質であること、従って、潜在的な免疫学的標的であることを示唆する。
【０７４９】
Ｃｈｌａｍｙｄｉａ　ｔｒａｃｈｏｍａｔｉｓ　ＬＧＶ　ＩＩ血液型亜型配列に基づいて、プライマー対を、ｐｍｐＣ、ｐｍｐＤ、ｐｍｐＥ、ｐｍｐＧ、ｐｍｐＨおよびｐｍｐＩの全長フラグメントをＰＣＲ増幅するために設計した。得られたフラグメントを、ＤＮＡワクチンベクターＪＡ４３０３またはＪＡＬ（これは、改変したリンカーを有するＪＡ４３０３である）（ＳｍｉｔｈＫｌｉｎｅ　Ｂｅｅｃｈａｍ、Ｌｏｎｄｏｎ、Ｅｎｇｌａｎｄ）中にサブクローニングした。詳細には、ＰｍｐＣを、それぞれ、配列番号１９７および１９８において提供される、以下：
【０７５０】
【化１】
2004513622.tif 000002
を使用して、ＪＡＬベクター中にサブクローニングした。当該分野で周知の条件下でのこの遺伝子のＰＣＲ増幅、およびＪＡＬベクターの５’ＡＳＣＩ／３’　ＭｌｕＩ部位中への連結を、Ｋｏｚａｋ様配列を作製するためにＡＴＧの上流に短いヌクレオチド配列ＧＣＡＡＴＣ（配列番号１９９）を挿入した後に完了した。得られた発現ベクターは、ハイポセティカルシグナル配列を含む５３２５個のヌクレオチド（配列番号１７３）を含む全長ｐｍｐＣ遺伝子（これは、１８７ｋＤのタンパク質（配列番号１７９）をコードする）を含んだ。ｐｍｐＤ遺伝子を、以下のオリゴ：
【０７５１】
【化２】
2004513622.tif 000003
を使用して、この遺伝子をＰＣＲ増幅した後に、ＪＡ４３０３ワクチンベクター中にサブクローニングした。この遺伝子を、当該分野において周知の標準的な技術を使用して、ＪＡ４３０４ワクチンベクターの５’平滑化ＨＩＩＩ／３’ＭｌｕＩ部位中に連結した。ＣＡＡＴＣ（配列番号２０２）を、ＡＴＧの上流に挿入して、Ｋｏｚａｋ様配列を作製した。このクローンは、Ｋｏｚａｋ様配列の最後のグリシンと同様に、ＨｉｎｄＩＩＩ部位の最後のトレオニンが平滑手順に起因して欠けているという点で独特である。インサートの４５９３ヌクレオチドフラグメント（配列番号１７２）は、ハイポセティカルシグナル配列を含むｐｍｐＤの全長遺伝子（これは、１６１ｋＤのタンパク質（配列番号１７８）をコードする）である。ｐｍｐＥを、以下：
【０７５２】
【化３】
2004513622.tif 000004
を使用して、ＪＡ４３０４ベクター中にサブクローニングした。ＰＣＲ増幅の後に、この遺伝子を、ＪＡ４３０４の５’平滑化ＨＩＩＩ／３’　ＭｌｕＩ部位中に連結した。これを容易にするために、短いヌクレオチド配列であるＴＧＣＡＡＴＣ（配列番号２９３）を、Ｋｏｚａｋ様配列を作製し、かつＨｉｎｄＩＩＩ部位を再構成するために、開始コドンの上流に付加した。このインサートは、ハイポセティカルシグナル配列を含む全長ｐｍｐＥ遺伝子（配列番号１７１）である。ｐｍｐＥ遺伝子は、１０５ｋＤのタンパク質（配列番号１７７）をコードする。ｐｍｐＧ遺伝子を、以下：
【０７５３】
【化４】
2004513622.tif 000005
を使用して、ＰＣＲ増幅し、そしてＪＡ４３０４ベクター中にサブクローニングした。同様のクローニングストラテジーは、ｐｍｐＩ遺伝子およびｐｍｐＫ遺伝子についても従った。さらに、プライマー対を、ｐｍｐ遺伝子の全長フラグメントまたは重複フラグメントをＰＣＲ増幅するために設計し、次いで、これらを、ｐＥＴ１７ｂベクター（Ｎｏｖａｇｅｎ、Ｍａｄｉｓｏｎ、ＷＩ）中でのタンパク質発現のためにサブクローニングし、そして発現、およびＮｏｖａｇｅｎにより提供されるヒスチジン−ニッケルクロマトグラフィー方法論を利用するその後の精製のためにＥ．ｃｏｌｉ　ＢＬ２１　ｐＬｙｓＳ中にトランスフェクトした。以下に記載されるような、組換えタンパク質をコードするいくつかの遺伝子は、このタンパク質の発現を容易にするためにネイティブなシグナル配列を欠く。ｐｍｐＣの全長タンパク質の発現を、２つの重複フラグメント（アミノ酸末端およびカルボキシ末端を示す）の発現を通して達成した。シグナル配列を欠くｐｍｐＣアミノ末端部分（配列番号１８７、配列番号１９５に提供される対応するアミノ酸配列を有する）のサブクローニングには、このベクターの５’ＮｄｅＩ／３’ＫＰＮクローニング部位に、以下：
【０７５４】
【化５】
2004513622.tif 000006
を使用した。この遺伝子のカルボキシ末端部分であるｐｍｐＣカルボキシ末端フラグメント（配列番号１８６、配列番号１９４に提供される対応するアミノ酸配列を有する）を、以下のプライマー：
【０７５５】
【化６】
2004513622.tif 000007
を使用して、発現ベクターの５’ＮｈｅＩ／３’ＫＰＮクローニング部位中にサブクローニングした。ｐｍｐＤもまた、２つの重複タンパク質として発現させた。シグナル配列を欠くｐｍｐＤアミノ酸末端部分（配列番号１８５、配列番号１９３に提供される対応するアミノ酸配列を有する）は、ｐＥＴ１７ｂの開始コドンを含み、そして８０ｋＤのタンパク質として発現する。タンパク質の発現および精製の目的のために、６個のヒスチジンのタグを開始コドンに続けて、そしてこの遺伝子の２８番目のアミノ酸（ヌクレオチド８４）に融合させる。ベクターの５’ＮｄｅＩ／３’ＫＰＮクローニング部位中にスプライスするために、以下のプライマーを使用した：
【０７５６】
【化７】
2004513622.tif 000008
。ｐｍｐＤカルボキシ末端部分（配列番号１８４）を、９２ｋＤａのタンパク質（配列番号１９２）として発現させた。発現およびその後の精製のために、さらなるメチオニン、アラニンおよびセリン（これは、ｐＥＴ１７ｂベクター由来の開始コドンおよび最初の２つのアミノ酸を示す）を、含ませた。メチオニン、アラニン、およびセリンの下流の６個のヒスチジンのタグを、この遺伝子の６９１番目のアミノ酸（ヌクレオチド２０７３）に融合させる。以下：
【０７５７】
【化８】
2004513622.tif 000009
を使用して、インサートを、発現ベクターの５’ＮｈｅＩ／３’ＫＰＮクローニング部位中にサブクローニングした。ｐｍｐＥを、１０６ｋＤのタンパク質（配列番号１８３、配列番号１９１に提供される対応するアミノ酸配列を有する）として発現させた。ｐｍｐＥインサートはまた、ネイティブなシグナル配列を欠く。当該分野において周知の条件下での遺伝子のＰＣＲ増幅を、以下のオリゴプライマー：
【０７５８】
【化９】
2004513622.tif 000010
を使用して行い、そして増幅されたインサートをＪＡ４３０４の５’ＢａｍＨＩ／３’ＥｃｏＲＩ部位中に連結した。配列番号２１７に提供される、短いヌクレオチド配列を、Ｋｏｚａｋ様配列を作製し、かつＨｉｎｄＩＩＩ部位を再構成するために、開始コドンの上流に挿入した。発現されたタンパク質は、ｐＥＴ１７ｂ発現ベクター由来の開始コドンおよび下流の２１個のアミノ酸（すなわち、ＭＡＳＭＴＧＧＱＱＭＧＲＤＳＳＬＶＰＳＳＤＰ（配列番号２１８））を含む。さらに、６個のヒスチジンのタグを、上記の配列の上流に含ませ、そしてこの遺伝子の２８番目のアミノ酸（ヌクレオチド８４）に融合し、これは、ハイポセティカルシグナルペプチドを除去する。配列番号１９１に提供される対応するアミノ酸を有する配列番号１８３に提供される配列は、これらのさらなる配列を含まない。ｐｍｐＧ遺伝子（配列番号１８２、配列番号１９０に提供される対応するアミノ酸配列を有する）を、以下のオリゴプライマー：
【０７５９】
【化１０】
2004513622.tif 000011
を使用して当該分野において周知の条件下でＰＣＲ増幅し、そして発現ベクターの５’ＫＰＮ／３’ＮｏｔＩクローニング部位中に連結した。発現されたタンパク質は、アミノ末端にさらなるアミノ酸配列（すなわち、ＭＡＳＭＴＧＧＱＱＮＧＲＤＳＳＬＶＰＨＨＨＨＨＨ（配列番号２２１））を含み、これは、ｐＥＴ１７ｂ発現ベクター由来の開始コドンおよびさらなる配列を含む。ｐｍｐＩ遺伝子（配列番号１８１、配列番号１８９に提供される対応するアミノ酸配列を有する）を、以下のオリゴプライマー：
【０７６０】
【化１１】
2004513622.tif 000012
を使用して、当該分野において周知の条件下でＰＣＲ増幅し、そして発現ベクターに５’ＮｈｅＩ／３’ＳｐｅＩクローニング部位において連結した。９５ｋＤの発現したタンパク質は、このタンパク質のアミノ末端に、ｐＥＴ１７ｂベクターに由来する、開始コドンとさらなるアラニンおよびセリンとを含む。さらに、６個のヒスチジンのタグを、この遺伝子の２１番目のアミノ酸に融合させる。これは、ハイポセティカルシグナルペプチドを除去する。
【０７６１】
ＴＣＴ−３細胞株を使用して同定された、クローン１４Ｈ１−４（配列番号５６）は、ＴＳＡ遺伝子（チオール特異的抗酸化因子−ＣＴ６０３）の完全なＯＲＦを含む（ＣＴ６０３　ＯＲＦは、Ｃ．ｐｎｕｅｍｏｎｉａｅ由来のＣＰｎ０７７８のホモログである）。クローン１４−Ｈ１−４におけるＴＳＡオープンリーディングフレームを、発現したタンパク質がさらなるメチオニンおよび６×ヒスチジンタグ（アミノ末端）を有するように増幅した。この増幅されたインサートを、ｐＥＴ１７ｂベクターのＮｄｅ／ＥｃｏＲＩ部位中にサブクローニングした。ＩＰＴＧによるこのクローンの誘導の際に、２２．６ｋＤａのタンパク質を、Ｎｉ−ＮＴＡアガロースアフィニティークロマトグラフィーによって精製した。ＴＳＡ遺伝子をコードするクローン１４−Ｈ１−４の１９５個のアミノ酸のＯＲＦについて決定されたアミノ酸配列を、配列番号６５に提供する。さらなる分析により、ＴＳＡ遺伝子の全長クローン（ＣＴＬ２−ＴＳＡ−ＦＬといわれる）が生成された。これは、配列番号９２に提供される全長アミノ酸配列を有する。
【０７６２】
さらなる研究により、上記のようにＴＣＴ−１およびＴＣＴ−３　Ｔ細胞株により同定される１０個のさらなるクローンが生成された。ＴＣＴ−１株により同定されたクローンは、１６−Ｄ４−２２、１７−Ｃ５−１９、１８−Ｃ５−２、２０−Ｇ３−４５および２１−Ｃ７−６６であり；ＴＣＴ−３細胞株により同定されたクローンは、１７−Ｃ１０−３１、１７−Ｅ２−９、２２−Ａ１−４９および２２−Ｂ３−５３である。クローン２１−Ｇ１２−６０は、ＴＣＴ−１細胞株およびＴＣＴ−３　Ｔ細胞株の両方によって認識された。さらに、クローン２０−Ｇ３−４５（ｐｍｐＢに特異的な配列を含む）は、患者株ＣＴ１およびＣＴ４に対して同定された。ＴＣＴ−１細胞株を使用して同定された、クローン１６−Ｄ４−２２（配列番号１１９）は、２つの遺伝子（哺乳動物細胞内での増殖のためのＣ．ｔｒａｃｈｏｍａｔｉｓプラスミドのオープンリーディングフレーム３（ＯＲＦ３）およびＯＲＦ４の一部）を含む９５３ｂｐのインサートを含む。クローン１７−Ｃ５−１９（配列番号１１８）は、ｃｌｐＰ　１プロテアーゼをコードする、ＤＴ４３１のＯＲＦの一部、およびＣＴ４３０（ジアミノピメレート（ｄｉａｍｉｎｏｐｉｍｅｌａｔｅ）エピメラーゼ）のＯＲＦの一部を含む、９５１ｂｐのインサートを含む。クローン１８−Ｃ５−２（配列番号１１７）は、ＴＣＴ−１細胞株を使用して同定された４４６ｂｐのインサートを有する、Ｓ１リボソームタンパク質のＯＲＦの一部である。ＴＣＴ−１細胞株を使用して同定された、クローン２０−Ｇ３−４５（配列番号１１６）は、ｐｍｐＢ遺伝子（ＣＴ４１３）の一部である４３７ｂｐのインサートを含む。ＴＣＴ−１株により同定された、クローン２１−Ｃ７−８（配列番号１１５）は、ｄｎａＫ様タンパク質の一部をコードする、９９５ｂｐのインサートを含む。このクローンのインサートは、ｄｎａＫ遺伝子ＣＴ３９６の一部であることが示された、ＴＣＴ−３クローン１１−Ｈ４−２８（配列番号５９）のインサートと重複しない。ＴＣＴ−３細胞株により同定された、クローン１７−Ｃ１０−３１（配列番号１１４）は、９７６ｂｐのインサートを含む。このクローンは、ＣＴ８５８のＯＲＦの一部（ＩＲＢＰドメインおよびＤＨＲドメインを含むプロテアーゼ）を含む。クローン１７−Ｅ２−９（配列番号１１３）は、２つの遺伝子（ＣＴ６１１およびＣＴ６１０）のＯＲＦの一部を含み、これは、１１４２ｂｐのインサートに及ぶ。ＴＣＴ−３株を使用して同定された、クローン２２−Ａ１−４９（配列番号１１２）もまた、６９８ｂｐのインサート中に２つの遺伝子を含む。ＣＴ６６０（ＤＮＡジャイレース｛ｇｙｒＡ＿２｝のＯＲＦの一部は、上鎖（ｔｏｐ　ｓｔｒａｎｄ）上に存在し、ここでハイポセティカルタンパク質ＣＴ６５９の完全ＯＲＦは、相補鎖上に存在する。ＴＣＴ−１株により同定された、クローン２２−Ｂ３−５３（配列番号１１１）は、ＧｒｏＥＬ（ＣＴ１１０）のＯＲＦの一部をコードする２６７ｂｐのインサートを有する。ＴＣＴ−１細胞株およびＴＣＴ−３細胞株の両方によって同定された、クローン２１−Ｇ１２−６０（配列番号１１０）は、ハイポセティカルタンパク質ＣＴ８７５、ＣＴ２２９およびＣＴ２２８の部分的ＯＲＦを含む１４６１ｂｐのインサートを含む。
【０７６３】
さらなるＣｈｌａｍｙｄｉａ抗原を、いくつかのＣｈｌａｍｙｄｉａ感染個体からプールした血清を用いてＬａｍｂｄａ　Ｓｃｒｅｅｎ−１ベクター（Ｎｏｖａｇｅｎ、Ｍａｄｉｓｏｎ、ＷＩ）中のＣｈｌａｍｙｄｉａ　ｔｒａｃｈｏｍａｔｉｓ（ＬＧＶ　ＩＩ　血清型亜型）のゲノム発現ライブラリーを、当該分野において周知の技術を用いてスクリーニングすることによって得た。以下の免疫反応性クローンを同定し、そしてＣｈｌａｍｙｄｉａ遺伝子を含むインサートを配列決定した：ＣＴＬ２＃１（配列番号７１）；ＣＴＬ２＃２（配列番号７０）；ＣＴＬ２＃３−５’（配列番号７２、５’末端を示す、第１の決定されたゲノム配列）；ＣＴＬ２＃３−３’（配列番号７３、３’末端を示す、第２の決定されたゲノム配列）；ＣＴＬ２＃４（配列番号５３）；ＣＴＬ２＃５（配列番号６９）；ＣＴＬ２＃６（配列番号６８）；ＣＴＬ２＃７（配列番号６７）；ＣＴＬ２＃８ｂ（配列番号５４）；ＣＴＬ２＃９（配列番号６６）；ＣＴＬ２＃１０−５’（配列番号７４、５’末端を示す、第１の決定されたゲノム配列）；ＣＴＬ２＃１０−３’（配列番号７５、３’末端を示す、第２の決定されたゲノム配列）；ＣＴＬ２＃１１−５’（配列番号４５、５’末端を示す、第１の決定されたゲノム配列）；ＣＴＬ２＃１１−３’（配列番号４４、３’末端を示す、第２の決定されたゲノム配列）；ＣＴＬ２＃１２（配列番号４６）；ＣＴＬ２＃１６−５’（配列番号４７）；ＣＴＬ２＃１８−５’（配列番号４９、５’末端を示す、第１の決定されたゲノム配列）；ＣＴＬ２＃１８−３’（配列番号４８、３’末端を示す、第２の決定されたゲノム配列）；ＣＴＬ２＃１９−５’（配列番号７６、５’末端を示す、決定されたゲノム配列）；ＣＴＬ２＃２１（配列番号５０）；ＣＴＬ２＃２３（配列番号５１）；およびＣＴＬ２＃２４（配列番号５２）。
【０７６４】
さらなるＣｈｌａｍｙｄｉａ　ｔｒａｃｈｏｍａｔｉｓ抗原を、血清学的発現クローニングによって同定した。これらの研究で、上記のように、いくつかのＣｈｌａｍｙｄｉａ感染個体からプールした血清を用いたが、ＩｇＡ抗体およびＩｇＭ抗体を、二次抗体としてＩｇＧに加えて用いた。この方法によってスクリーニングしたクローンは、Ｃｈｌａｍｙｄｉａ感染に対する早期免疫応答（すなわち、粘膜体液性免疫応答）によって認識される抗原の検出を増強する。以下の免疫反応性クローンを、特徴付け、そしてＣｈｌａｍｙｄｉａ遺伝子を含むインサートを、配列決定した：ＣＴＬ２ｇａｍ−１（配列番号２９０）；ＣＴＬ２ｇａｍ−２（配列番号２８９）；ＣＴＬ２ｇａｍ−５（配列番号２８８）；ＣＴＬ２ｇａｍ−６−３’（配列番号２８７、３’末端を示す、第２の決定されたゲノム配列）；ＣＴＬ２ｇａｍ−６−５’（配列番号２８６、５’末端を示す、第１の決定されたゲノム配列）；ＣＴＬ２ｇａｍ−８（配列番号２８５）；ＣＴＬ２ｇａｍ−１０（配列番号２８４）；ＣＴＬ２ｇａｍ−１３（配列番号２８３）；ＣＴＬ２ｇａｍ−１５−３’（配列番号２８２、３’末端を示す、第２の決定されたゲノム配列）；ＣＴＬ２ｇａｍ−１５−５’（配列番号２８１、５’末端を示す、第１の決定されたゲノム配列）；ＣＴＬ２ｇａｍ−１７（配列番号２８０）；ＣＴＬ２ｇａｍ−１８（配列番号２７９）；ＣＴＬ２ｇａｍ−２１（配列番号２７８）；ＣＴＬ２ｇａｍ−２３（配列番号２７７）；ＣＴＬ２ｇａｍ−２４（配列番号２７６）；ＣＴＬ２ｇａｍ−２６（配列番号２７５）；ＣＴＬ２ｇａｍ−２７（配列番号２７４）；ＣＴＬ２ｇａｍ−２８（配列番号２７３）；ＣＴＬ２ｇａｍ−３０−３’（配列番号２７２、３’末端を示す、第２の決定されたゲノム配列）；およびＣＴＬ２ｇａｍ−３０−５’（配列番号２７１、５’末端を示す、第１の決定されたゲノム配列）。
【０７６５】
（実施例２）
（Ｃｈｌａｍｙｄｉａ　ｔｒａｃｈｏｍａｔｉｓ抗原によるＴ細胞増殖およびインターフェロン−γ産生の誘導）
組換えＣｈｌａｍｙｄｉａ　ｔｒａｃｈｏｍａｔｉｓ抗原がＴ細胞増殖およびインターフェロン−γ産生を誘導する能力を、以下のように決定する。
【０７６６】
タンパク質をＩＰＴＧで誘導し、そしてＮｉ−ＮＴＡアガロースアフィニティクロマトグラフィー（Ｗｅｂｂら、Ｊ．Ｉｍｍｕｎｏｌｏｇｙ　１５７：５０３４〜５０４１、１９９６）によって精製した。次いで、精製したポリペプチドを、ＰＢＭＣ調製物においてＴ細胞増殖を誘導する能力についてスクリーニングする。Ｃ．ｔｒａｃｈｏｍａｔｉｓ患者由来のＰＢＭＣ、およびそのＴ細胞がＣｈｌａｍｙｄｉａ抗原に応答して増殖することが既知である正常なドナー由来のＰＢＭＣを、１０％のプールしたヒト血清および５０μｇ／ｍｌのゲンタマイシンを補充したＲＰＭＩ　１６４０を含む培地中で培養する。精製したポリペプチドを、０．５〜１０μｇ／ｍＬの濃度で２連で加える。２００μｌ容量の９６ウェル丸底プレート中で６日間の培養後に、下記のようにＩＦＮ−γレベルを決定するために５０μｌの培地を各ウェルから取り出す。次いで、プレートを、さらに１８時間、１μＣｉ／ウェルのトリチウム化チミジンで標識（ｐｕｌｓｅ）し、収集し、そしてトリチウムの取りこみをガスシンチレーションカウンターを用いて決定した。両方の複製物において、培地単独中で培養される細胞において観察される増殖よりも３倍高い増殖を生じる画分を、陽性と見なす。
【０７６７】
ＩＦＮ−γを酵素結合イムノソルベント検定法（ＥＬＩＳＡ）を用いて測定する。ＥＬＩＳＡプレートを、ＰＢＳ中のヒトＩＦＮ−γに対するマウスモノクローナル抗体（ＰｈａｒＭｉｎｇｅｎ、Ｓａｎ　Ｄｉｅｇｏ、ＣＡ）で、室温で４時間コートする。次いで、ウェルを５％（Ｗ／Ｖ）脱脂粉乳を含有するＰＢＳで、室温で１時間ブロックする。プレートをＰＢＳ／０．２％　ＴＷＥＥＮ−２０で６回洗浄し、そして、ＥＬＩＳＡプレート中で培養培地に１：２に希釈したサンプルを、室温で一晩インキュベートする。プレートを再度洗浄し、そしてＰＢＳ／１０％正常ヤギ血清中に１：３０００に希釈したポリクローナルウサギ抗ヒトＩＦＮ−γ血清を、各ウェルに添加する。次いで、プレートを室温で２時間インキュベートし、洗浄し、そして西洋ワサビペルオキシダーゼ結合抗ウサギＩｇＧ（Ｓｉｇｍａ　Ｃｈｅｍｉｃａｌ　Ｓｏ．，Ｓｔ，Ｌｏｕｉｓ、ＭＯ）を、ＰＢＳ／５％脱脂粉乳中に１：２０００希釈で添加する。室温でのさらなる２時間のインキュベートの後、プレートを洗浄し、そしてＴＭＢ基質を添加する。反応を２０分後に１Ｎ　硫酸で停止する。参照波長として５７０ｎｍを用いて、光学濃度を４５０ｎｍで決定する。両方の複製物に生じる、培地単独で培養した細胞由来の平均ＯＤより２倍高いＯＤおよび３標準偏差を示す画分を、陽性とみなす。
【０７６８】
上記の方法論を用いて、組換え１Ｂ１−６６タンパク質（配列番号５）および配列番号５のアミノ酸残基４８−６７（配列番号１３；１−Ｂ１−６６／４８−６７と称する）およびアミノ酸残基５８−７７（配列番号１４；１−Ｂ１−６６／５８−７７と称する）にそれぞれ対応する２つの合成ペプチドが、Ｃ．ｔｒａｃｈｏｍａｔｉｓ　ＬＧＶ　ＩＩのゲノムライブラリーをスクリーニングするために用いたＣｈｌａｍｙｄｉａ特異的Ｔ細胞株において、増殖応答およびＩＦＮ−γ産生を誘導することを見出した。
【０７６９】
さらなる研究は、リボソームＳ１３タンパク質中のＣ．ｔｒａｃｈｏｍａｔｉｓ特異的Ｔ細胞エピトープを同定した。当該分野において周知の、標準エピトープマッピング技術を使用して、リボソームＳ１３タンパク質（ｒＳ１３）中の２つのＴ細胞エピトープを、ドナーＣＬ−８（Ｔ細胞株ＴＣＬ−８　ＥＢ／ＤＣ）由来のＣｈｌａｍｙｄｉａ特異的Ｔ細胞株で同定した。図８は、第一のペプチド、ｒＳ１３　１−２０（配列番号１０６）が、対応するＣ．ｐｎｅｕｍｏｎｉａｅ配列と１００％同一であることを示し、このことは組換えＣ．ｔｒａｃｈｏｍａｔｉｓ−ｒＳ１３およびＣ．ｐｎｅｕｍｏｎｉａｅ−ｒＳ１３に対するＴ細胞株の交差反応性を説明する。第二のペプチドｒＳ１３　５６−７５（配列番号１０８）に対する応答は、Ｃ．ｔｒａｃｈｏｍａｔｉｓ特異的であり、このことは、この健常な無症候性ドナーにおけるｒＳ１３応答がＣ．ｔｒａｃｈｏｍａｔｉｓに対する曝露によって誘発されたが、Ｃ．ｐｎｅｕｍｏｎｉａｅに対する曝露によっても、他の任意の微生物感染によっても誘発されなかったことを示す。
【０７７０】
実施例１に記載されるように、ＴＣＰ−２１細胞株を用いて同定されたクローン１１−Ｃ１２−９１（配列番号６３）は、ＯＭＰ２遺伝子（ＣＴ４４３）の一部であり、かつＯＭＣＢと称されるＣ．ｐｎｅｕｍｏｎｉａｅの６０ｋＤａシステインリッチ外膜タンパク質と相同性を有する２６９ｂｐのインサートを有する。反応性エピトープをさらに決定するために、エピトープマッピングを一連の重複ペプチドおよび以前に記載されたイムノアッセイを用いて実施した。簡単には、増殖応答を、１×１０４の単球由来樹状細胞の存在下で、Ｃ．ｔｒａｃｈｏｍａｔｉｓおよびＣ．ｐｎｅｕｍｏｎｉａｅ由来の非感染性基本小体、またはＣ．ｔｒａｃｈｏｍａｔｉｓもしくはＣ．ｐｎｅｕｍｏｎｉａｅのＯＭＣＢタンパク質のタンパク質配列由来のペプチドのいずれか（０．１μｇ／ｍｌ）を用いて、２．５×１０４ＴＣＰ−２１　Ｔ細胞を刺激することによって決定した。ＴＣＰ−２１　Ｔ細胞は、エピトープＣＴ−ＯＭＣＢ　＃１６７−１８６、ＣＴ−ＯＭＣＢ　＃１７１−１９０、ＣＴ−ＯＭＣＢ　＃１７１−１８６、および、より低い程度にＣＴ−ＯＭＣＢ　＃１７５−１８６（それぞれ、配列番号２４９〜２５２）に応答した。特に、ＴＣＰ−２１　Ｔ細胞株はまた、相同なＣ．ｐｎｅｕｍｏｎｉａｅペプチドＣＰ−ＯＭＣＢ　＃１７１−１８６（配列番号２５３）に対する増殖応答を示し、このペプチドに対する応答は、Ｃ．ｔｒａｃｈｏｍａｔｉｓペプチドに対する応答に等しいか、またはそれよりも高い。２位でのアミノ酸置換（すなわち、ＧｌｕからＡｓｐ）および４位でのアミノ酸置換（すなわち、ＳｅｒからＣｙｓ）は、Ｔ細胞の増殖応答を変えず、したがって、このエピトープがＣ．ｔｒａｃｈｏｍａｔｉｓとＣ．ｐｎｅｕｍｏｎｉａｅとの間の交差反応性エピトープであることを示した。
【０７７１】
上記のエピトープをさらに決定するために、さらなるＴ細胞株であるＴＣＴ−３を、エピトープマッピング実験に用いた。イムノアッセイを、Ｃ．ｔｒａｃｈｏｍａｔｉｓ由来のペプチドのみを試験したことを除いて、上記のように実施した。Ｔ細胞は、２つのペプチド（ＣＴ−ＯＭＣＢ　＃１５２−１７１およびＣＴ−ＯＭＣＢ　＃１５７−１７６（それぞれ、配列番号２４６および２４７））に増殖応答を与え、それにより、Ｃ．ｔｒａｃｈｏｍａｔｉｓのシステインリッチ外膜タンパク質中にさらなる免疫原性エピトープを決定した。
【０７７２】
クローン１４Ｈ１−４（配列番号５６、配列番号９２に提供される全長アミノ酸配列に対応する）を、以前に記載されたＣＤ４　Ｔ細胞発現クローニング系中のＴＣＴ−３細胞株を用いて同定し、そして、ＴＳＡと称されるチオール特異的抗酸化遺伝子（ＣＴ６０３）に関する完全ＯＲＦを含むことを示した。エピトープマッピングイムノアッセイを、上記のように実施し、エピトープをさらに規定した。ＴＣＴ−３　Ｔ細胞株は、重複ペプチドＣＴ−ＴＳＡ　＃９６−１１５、ＣＴ−ＴＳＡ　＃１０１−１２０およびＣＴ−ＴＳＡ　＃１０６−１２５（それぞれ、配列番号２５４〜２５６）に対する強力な増殖性応答を示し、Ｃ．ｔｒａｃｈｏｍａｔｉｓ血清型亜型ＬＧＶ　ＩＩのチオール特異的抗酸化遺伝子中における免疫反応性のエピトープを示した。
【０７７３】
（実施例３）
（合成ポリペプチドの調製）
ポリペプチドを、ＨＰＴＵ（Ｏ−ベンゾトリアゾール−Ｎ，Ｎ，Ｎ’，Ｎ’−テトラメチルウロニウム　ヘキサフルオロホスフェート）活性化を用いるＦＭＯＣ化学を用いる、Ｍｉｌｌｉｐｏｒｅ　９０５０　ペプチド合成器で合成し得る。Ｇｌｙ−Ｃｙｓ−Ｇｌｙ配列を、ペプチドのアミノ末端に結合し、ペプチドの結合法または標識法を提供し得る。固体支持相からのペプチドの切断を、以下の切断混合物を用いて実施し得る：トリフルオロ酢酸：エタンジチオール：チオアニソール：水：フェノール（４０：１：２：２：３）。２時間の切断の後、ペプチドを冷メチル−ｔ−ブチルエーテルで沈殿し得る。次いで、ペプチドペレットを、０．１％のトリフルオロ酢酸（ＴＦＡ）含有水に溶解し、そしてＣ１８逆相ＨＰＬＣによる精製の前に凍結乾燥し得る。水（０．１％のＴＦＡを含有）中０〜６０％のアセトニトリル勾配（０．１％のＴＦＡを含有）を用いて、ペプチドを溶出し得る。純粋画分の凍結乾燥後、ペプチドをエレクトロスプレー質量分析を用いて、およびアミノ酸分析によって特徴付け得る。
【０７７４】
（実施例４）
（レトロウイルス発現ベクター系および部分配列免疫学的解析を用いるＣｈｌａｍｙｄｉａ抗原をコードするＤＮＡ配列の単離および特徴付け）
Ｃｈｌａｍｙｄｉａ　ｔｒａｃｈｏｍａｔｉｓ　ＬＧＶ　ＩＩのゲノムライブラリーを、ＢａｍＨＩ、ＢｇｌＩＩ、ＢｓｔＹｉおよびＭｂｏＩの制限酵素を用いる制限消化によって構築した。続いて、制限消化フラグメントを、レトロウイルスベクターｐＢＩＢ−ＫＳ１，２，３のＢａｍＨＩ部位に連結した。このベクターセットを、図２に示すような、短いＤＮＡゲノムフラグメント由来のタンパク質を発現することを可能にするためのＫｏｓａｋ翻訳開始部位および停止コドンを含むように改変した。８０クローンのＤＮＡプールを調製し、そして、Ｐｅａｒ，Ｗ．Ｓ．、Ｓｃｏｔｔ，Ｍ．Ｌ．およびＮｏｌａｎ，Ｇ．Ｐ．、Ｇｅｎｅｒａｔｉｏｎ　ｏｆ　Ｈｉｇｈ　Ｔｉｔｒｅ，Ｈｅｌｐｅｒ−ｆｒｅｅ　Ｒｅｔｒｏｖｉｒｕｓｅｓ　ｂｙ　Ｔｒａｎｓｉｅｎｔ　Ｔｒａｎｓｆｅｃｔｉｏｎ．Ｍｅｔｈｏｄｓ　ｉｎ　Ｍｏｌｅｃｕｌａｒ　Ｍｅｄｉｃｉｎｅ：Ｇｅｎｅ　Ｔｈｅｒａｐｙ　Ｐｒｏｔｏｃｏｌｓ、Ｈｕｍａｎａ　Ｐｒｅｓｓ、Ｔｏｔｏｗａ、ＮＪ、４１−５７頁に記載のように、レトロウイルスパッケージング株Ｐｈｏｅｎｉｘ−Ａｍｐｈｏにトランスフェクトした。次いで、レトロウイルス形態のＣｈｌａｍｙｄｉａライブラリーを、Ｈ２−Ｌｄ発現Ｐ８１５細胞に形質導入し、次いで、この細胞を、抗原特異的Ｔ細胞株を刺激するための標的細胞として用いた。
【０７７５】
Ｃｈｌａｍｙｄｉａ特異的、マウスＨ２ｄ拘束ＣＤ８＋Ｔ細胞株を、Ｓｔａｒｎｂａｃｈ，Ｍ．，Ｊ．Ｉｍｍｕｎｏｌ．１５３：５１８３、１９９４に記載のように、照射したＣ．ｔｒａｃｈｏｍａｔｉｓ感染Ｊ７７４細胞および照射した同系脾臓細胞を用いる反復回の刺激によって培養中で拡大させた。このＣｈｌａｍｙｄｉａ特異的Ｔ細胞株を用いて、レトロウイルス形質導入Ｐ８１５細胞によって発現される上記のＣｈｌａｍｙｄｉａゲノムライブラリーをスクリーニングした。陽性ＤＮＡプールを、Ｅｌｉｓｐｏｔ分析（Ｌａｌｖａｎｉら、Ｊ．Ｅｘｐｅｒｉｍｅｎｔａｌ　Ｍｅｄｉｃｉｎｅ　１８６：８５９−８６５、１９９７を参照のこと）を用いるＩＦＮ−γ産生の検出によって同定した。
【０７７６】
２つの陽性プール（２Ｃ７および２Ｅ１０と称する）を、ＩＦＮ−γ　Ｅｌｉｓｐｏｔ分析によって同定した。プール２Ｃ７由来のＰ８１５細胞の安定した形質導入物を、限界希釈によってクローニングし、個々のクローンを、Ｃｈｌａｍｙｄｉａ特異的ＣＴＬ株からＩＦＮ−γ産生を誘発するこれらの能力に基づいて選択した。このスクリーニングプロセスから、４つの陽性クローン（２Ｃ７−８、２Ｃ７−９、２Ｃ７−１９および２Ｃ７−２１と称する）を選択した。同様に、陽性プール２Ｅ１０をさらにスクリーニングし、３つのインサートを含むさらなる陽性クローンを生じた。この３つのインサートは、ＣＴ０１６、ｔＲＮＡシンターゼおよびｃｌｐＸの遺伝子（それぞれ、配列番号２６８〜２７０）のフラグメントである。
【０７７７】
これら４つの陽性２Ｃ７クローン由来のトランスジェニックＤＮＡを、ｐＢＩＢ−ＫＳ特異的プライマーを用いてＰＣＲ増幅し、Ｃｈｌａｍｙｄｉａ　ＤＮＡインサートを選択的に増幅した。増幅されたインサートをゲル精製し、そして配列決定した。１つの免疫反応性クローンである２Ｃ７−８（配列番号１５、配列番号３２に提供される推定アミノ酸を有する）は、Ｃｈｌａｍｙｄｉａ　ｔｒａｃｈｏｍａｔｉｓ，血清型亜型Ｄ（ＮＣＢＩ，ＢＬＡＳＴＮ検索；配列番号３３、配列番号３４に提供される推定アミノ酸を有する）のヌクレオチド５９７３０４−５９７１４５に相同性を有する１６０ｂｐのフラグメントである。クローン２Ｃ７−８の配列は、直前に記載された高い相同性の領域由来の、２つの推定オープンリーディングフレーム内にマッピングされる。そして、特に、２９８アミノ酸フラグメント（配列番号１６、配列番号１７に提供される推定アミノ酸配列を有する）からなる、これらの推定オープンリーディングフレームの１つは、免疫学的活性を示すことが実証された。
【０７７８】
血清型亜型Ｌ２由来の２９８アミノ酸フラグメント（ＣＴ５２９および／またはＣａｐ１遺伝子と称される）の全長クローニングを、５’−ｔｔｔｔｇａａｇｃａｇｇｔａｇｇｔｇａａｔａｔｇ（順方向）（配列番号１５９）プライマーおよび５’−ｔｔａａｇａａａｔｔｔａａａａａａｔｃｃｃｔｔａ（逆方向）（配列番号１６０）プライマーを用いて、テンプレートとして精製Ｃ．ｔｒａｃｈｏｍａｔｉｓ　Ｌ２ゲノムＤＮＡを用いて、ＰＣＲ増幅によって得た。このＰＣＲ産物をゲル精製し、配列決定のためにｐＣＲＢｌｕｎｔ（Ｉｎｖｉｔｒｏｇｅｎ、Ｃａｒｌｓｂａｄ、ＣＡ）にクローニングした。次いで、ｐＢＩＢ−ＫＳの誘導体ｐＢＩＢ−ＫＭＳのＥｃｏＲＩ部位に、発現のためにサブクローニングした。ＣＴ５２９のＣｈｌａｍｙｄｉａ　ｐｎｕｅｍｏｎｉａｅホモログを、配列番号２９２に提供される対応するアミノ酸配列を有する配列番号２９１に提供する。
【０７７９】
種々のＣＴ５２９血清型亜型をコードする全長ＤＮＡを、１０５ＩＦＵを含有する細菌溶解物からＰＣＲによって基本的に記載されるように（Ｄｅｎａｍｕｒ，Ｅ．、Ｃ．Ｓａｙａｄａ、Ａ．Ｓｏｕｒｉａｕ、Ｊ．Ｏｒｆｉｌａ、Ａ．ＲｏｄｏｌａｋｉｓおよびＪ．Ｅｌｉｏｎ、１９９１　Ｊ．Ｇｅｎ．Ｍｉｃｒｏｂｉｏｌ．１３７：２５２５）増幅した。以下の血清型亜型を、記載されるように増幅した：Ｂａ（配列番号１３４、配列番号１３５に提供される対応する推定アミノ酸配列を有する）；Ｅ（ＢＯＵＲ）およびＥ（ＭＴＷ４４７）（配列番号１２２、配列番号１２３に提供される対応する推定アミノ酸配列を有する）；Ｆ（ＮＩ１）（配列番号１２８、配列番号１２９に提供される対応する推定アミノ酸配列を有する）；Ｇ（配列番号１２６、配列番号１２７に提供される対応する推定アミノ酸配列を有する）；Ｉａ（配列番号１２４、配列番号１２５に提供される対応する推定アミノ酸配列を有する）；Ｌ１（配列番号１３０、配列番号１３１に提供される対応する推定アミノ酸配列を有する）；Ｌ３（配列番号１３２、配列番号１３３に提供される対応する推定アミノ酸配列を有する）；Ｉ（配列番号２６３、配列番号２６４に提供される対応する推定アミノ酸配列を有する）；Ｋ（配列番号２６５、配列番号２６６に提供される対応する推定アミノ酸配列を有する）；およびＭｏＰｎ（配列番号１３６、配列番号１３７に提供される対応する推定アミノ酸配列を有する）。ＰＣＲ反応を、Ａｄｖａｎｔａｇｅ　Ｇｅｎｏｍｉｃ　ＰＣＲ　Ｋｉｔ（Ｃｌｏｎｔｅｃｈ、Ｐａｌｏ　Ａｌｔｏ、ＣＡ）を用いて、血清型亜型Ｌ２　ＤＮＡ（ＯＲＦの外側）に特異的なプライマーを用いて、実施した。プライマー配列は、５’−ｔｔｔｔｇａａｇｃａｇｇｔａｇｇｔｇａａｔａｔｇ（順方向、配列番号１６３）および５’−ｔｔｔａｃａａｔａａｇａａａａｇｃｔａａｇｃａｃｔｔｔｇｔ（逆方向、配列番号１６４）を必要とするＭｏＰｎを除いて、５’−ｇｇｔａｔａａｔａｔｃｔｃｔｃｔａａａｔｔｔｔｇ（順方向、配列番号１６１）および５’−ａｇａｔａａａａａａｇｇｃｔｇｔｔｔｃ’（逆方向、配列番号１６２）であった。ＰＣＲ増幅されたＤＮＡを、ＱＩＡｑｕｉｃｋ　ＰＣＲ　ｐｕｒｉｆｉｃａｔｉｏｎ　ｋｉｔ（Ｑｉａｇｅｎ、Ｖａｌｅｎｃｉａ、ＣＡ）を用いて精製し、そして配列決定のためにｐＣＲ２．１（Ｉｎｖｉｔｒｏｇｅｎ、Ｃａｒｌｓｂａｄ、ＣＡ）にクローニングした。
【０７８０】
免疫反応性のクローンのＰＣＲ増幅されたインサート由来のＤＮＡの配列決定を、自動配列決定装置（ＡＢＩ３７７）で、ｐＢＩＢ−ＫＳ特異的順方向プライマーである５’−ｃｃｔｔａｃａｃａｇｔｃｃｔｇｃｔｇａｃ（配列番号１６５）および逆方向プライマーである３’−ｇｔｔｔｃｃｇｇｇｃｃｃｔｃａｃａｔｔｇ（配列番号１６６）の両方を用いて行った。ＣＴ５２９血清型亜型Ｌ２をコードするＤＮＡをクローニングしたＰＣＲＢｌｕｎｔ、およびＣＴ５２９血清型亜型Ｂａ、Ｅ（ＢＯＵＲ）、Ｅ（ＭＴＷ４４７）、Ｆ（ＮＩ１）、Ｇ、Ｉａ、Ｋ、Ｌ１、Ｌ３およびＭｏＰｎをコードするｐＣＲ２．１クローニングＤＮＡを、Ｔ７プロモータープライマーおよび汎用Ｍ１３順方向プライマーもしくはＭ１３逆方向プライマーを用いて、配列決定した。
【０７８１】
これら２つの推定オープンリーディングフレーム（配列番号１６および２０）が、関連する免疫学的機能を有するタンパク質をコードするか否かを決定するために、２つのオープンリーディングフレームの長さにわたる重複ペプチド（１７〜２０アミノ酸長）を、実施例３に記載されるように合成した。標準クロム放出アッセイを利用して、ペプチド標識（ｐｕｌｓｅ）されたＨ２ｄ拘束標的細胞のパーセント特異的溶解を決定した。このアッセイにおいて、Ｐ８１５細胞（Ｈ２ｄ）のアリコートを、３７℃で１時間、１００μＣｉの５１Ｃｒを用いて、１μｇ／ｍｌの示されたペプチドの存在下または非存在下において標識した。このインキュベート後、標識Ｐ８１５細胞を洗浄し、過剰な５１Ｃｒおよびペプチドを除き、続いて、１，０００細胞／ウェルの濃度でマイクロカルチャー（ｍｉｃｒｏｃｕｌｔｕｔｅ）プレートに二連でプレートした。エフェクターＣＴＬ（Ｃｈｌａｍｙｄｉａ特異的ＣＤ８　Ｔ細胞）を、示されたエフェクター：標的の比で加えた。４時間のインキュベートの後、上清を回収し、５１Ｃｒの上清への放出についてガンマカウンターで計測した。２９８アミノ酸オープンリーディングフレーム由来の２つの重複ペプチドは、ＣＴＬ株を特異的に刺激した。配列番号１３８−１５６に示されるペプチドを合成し、ＣＴ５２９（Ｃａｐ１遺伝子）についての血清型亜型Ｄ　オープンリーディングフレームのＬ２ホモログおよび２１６アミノ酸オープンリーディングフレームの翻訳を示す。図３に示されるように、ＣｔＣ７．８−１２（配列番号１８、Ｃａｐ１＃１３２−１４７としてもまた称される、配列番号１３９）およびＣｔＣ７．８−１３（配列番号１９、Ｃａｐ１＃１３８−１５５としてもまた称される、配列番号１４０）は、エフェクター：標的の比が１０：１で、それぞれ３８％〜５２％特異的溶解を誘導し得た。特に、これら２つのペプチド間の重複は、予想されるＨ２ｄ（ＫｄおよびＬｄ）結合ペプチドを含んだ。１０アミノ酸のペプチドを合成して、この重複配列（配列番号３１）に対応させ、そしてｅｌｉｓｐｏｔアッセイによって抗Ｃｈｌａｍｙｄｉａ　ＣＴＬ株から強力な免疫応答を産生することを見出した。特に、もっとも新しいＧｅｎｂａｎｋデータベースの検索は、これまでにこの遺伝子に関する何のタンパク質も記載されていないことを明らかにした。従って、２Ｃ７−８（配列番号１５）をコードする推定オープンリーディングフレームは、ＭＨＣ−Ｉ拘束様式において、抗原特異的ＣＤ８＋　Ｔ細胞を刺激し得るＣｈｌａｍｙｄｉａ由来の抗原を含む遺伝子を規定し、このことは、この抗原がＣｈｌａｍｙｄｉａに対するワクチンを開発するのに用いられ得ることを実証した。
【０７８２】
これらの結果を確認するため、およびそのエピトープをさらにマッピングするために、短縮された（ｔｒｕｎｃａｔｅｄ）ペプチド（配列番号１３８〜１５６）を作製し、そしてＩＦＮ−ｇ　ＥＬＩＳＰＯＴアッセイにおいてＴ細胞による認識について試験した。Ｓｅｒ１３９（Ｃａｐ１＃１４０〜１４７、配列番号１４６）またはＬｅｕ１４７（Ｃａｐ１＃１３８〜１４６、配列番号１４７）のいずれかの短縮がＴ細胞認識を失わせる。これらの結果は、９マーペプチドＣａｐ１＃１３９−１４７（ＳＦＩＧＧＩＴＹＬ、配列番号１４５）が、Ｃｈｌａｍｙｄｉａ特異的なＴ細胞によって認識される最小エピトープであることを示す。
【０７８３】
Ｃ．ｔｒａｃｈｏｍａｔｉｓ（配列番号１２１、１２３、１２５、１２７、１２９、１３１、１３３、１３５、１３７および１３９）の選択された血液型亜型からのＣａｐ（ＣＴ５２９）の配列アラインメントは、提案されたエピトープの２位において１つのアミノ酸の差違が見出されることを示す。この相同な血液型亜型Ｄペプチドは、ＳＩＩＧＧＩＴＹＬ（配列番号１６８）である。ＳＦＩＧＧＩＴＹＬおよびＳＩＩＧＧＩＴＹＬがＣｈｌａｍｙｄｉａ特異的なＴ細胞による認識について細胞を標識する能力を比較した。各ペプチドの段階希釈物を、上記のように、Ｐ８１５細胞とともにインキュベートし、そして５１Ｃｒ放出アッセイにおけるＴ細胞による認識について試験した。Ｃｈｌａｍｙｄｉａ特異的なＴ細胞は、血液型亜型Ｌ２ペプチドを最小濃度１ｎＭで、そして血液型亜型Ｄペプチドを最小濃度１０ｎＭで認識する。
【０７８４】
さらなる研究によって、Ｃａｐ１＃１３９−１４７特異的Ｔ細胞クローンがＣ．ｔｒａｃｈｏｍａｔｉｓに感染した細胞を認識することが示された。Ｃａｐ１１３９−１４７がＣｈｌａｍｙｄｉａ感染細胞の表面に提示されているか否かを確認するために、Ｂａｌｂ−３Ｔ３（Ｈ−２ｄ）細胞を、Ｃ．ｔｒａｃｈｏｍａｔｉｓ血液型亜型Ｌ２で感染させ、そしてこれらの細胞が、Ｃａｐ１＃１３９−１４７エピトープ（配列番号１４５）に特異的なＣＤ８＋Ｔ細胞クローンによって認識されるか否かを決定する試験を行った。Ｃａｐ１＃１３９−１４７エピトープに特異的なＴ細胞クローンを、Ｔ細胞６９株の限界希釈によって獲得した。このＴ細胞クローンは、Ｃｈｌａｍｙｄｉａ感染細胞を特異的に認識した。これらの実験において、標的細胞は、Ｃ．ｔｒａｃｈｍａｔｉｓに感染したＢａｌｂ／３Ｔ３細胞（ポジティブコントロール）または感染していないＢａｌｂ／３Ｔ３細胞であり、これらは、３０：１、１０：１および３：１のエフェクター　対　標的の比で、それぞれ４５％、３６％、３０％の特異的溶解を示した。また、Ｃａｐ１＃１３９−１４７エピトープ（配列番号１４５）でコーティングしたＰ８１５細胞、または未処置のＰ８１５細胞は、３０：１、１０：１および３：１のエフェクター　対　標的の比で、それぞれ、８３％、７５％および５８％の特異的溶解を示した（すべての場合において、ネガティブコントロールは、５％未満の溶解を有した）。このデータは、このエピトープが感染の間に提示されることを示唆する。
【０７８５】
インビボ研究によって、Ｃａｐ１＃１３９−１４７エピトープに特異的なＴ細胞がＣ．ｔｒａｃｈｏｍａｔｉｓによるマウス感染の間に初回刺激されることが示される。Ｃ．ｔｒａｃｈｏｍａｔｉｓによる感染が、Ｃａｐ１＃１３９−１４７エピトープに特異的なＴ細胞応答を初回刺激するか否かを決定するために、マウスに１０８ＩＦＵのＣ．ｔｒａｃｈｏｍａｔｉｓ血液型亜型Ｌ２をｉ．ｐ．感染させた。感染２週間後、このマウスを屠殺し、そして脾細胞を、Ｃａｐ１＃１３９−１４７エピトープペプチドでパルスした照射した同系脾細胞において刺激した。５日間の刺激の後、培養物を、標準的な５１Ｃｒ放出アッセイにおいて使用して、Ｃａｐ１＃１３９−１４７エピトープに特異的なＴ細胞がその培養物に存在するか否かを決定した。具体的には、Ｃ．ｔｒａｃｈｏｍａｔｉｓ血液型亜型Ｌ２で免疫したマウス、またはＰＢＳを注射したコントロールマウス由来の脾細胞は、Ｃａｐ１＃１３９−１４７ペプチドコーティングした同系脾細胞およびＣａｐ１＃１３９−１４７エピトープを特異的に認識し得るＣＤ８＋Ｔ細胞とともに５日間培養した後に、３０：１、１０：１および３：１のエフェクター　対　標的の比で、それぞれ、７３％、６０％および３２％の特異的な溶解を与えた。このコントロールマウスは、３０：１のエフェクター　対　標的比で、およそ１０％の溶解％を有し、そしてＥ：Ｔ比率の低下と共に、安定して減少した。標的細胞は、Ｃａｐ１＃１３９−１４７ペプチドコーティングしたＰ８１５細胞または未処置の細胞であった。これらのデータは、Ｃａｐ１＃１３９−１４７ペプチドに特異的なＴ細胞がＣ．ｔｒａｃｈｏｍａｔｉｓによるマウス感染の間に初回刺激されることを示唆する。
【０７８６】
（Ｃｔ５２９局在化）
Ｃｔ５２９（本明細書中では、Ｃａｐ−１と呼ばれる）は、Ｃ．ｔｒａｃｈｏｍａｔｉｓに感染した細胞の封入体膜に局在化し、そして基本小体または網状体（ｒｅｔｉｃｕｌａｔｅ　ｂｏｄｙ）と関連しないことを示す研究が行なわれた。上記のように、Ｃａｐ−１は、ＣＤ８＋　ＣＴＬを刺激するＣｈｌａｍｙｄｉａ由来の産物として同定された。これらのＣＴＬは、感染のマウスモデルにおいて防御的であり、このことが、Ｃａｐ−１を好適なワクチン候補としている。さらに、これらのＣＴＬは、ＭＨＣ−Ｉ拘束性であるので、Ｃａｐ−１遺伝子は、感染細胞のサイトゾルにアクセスを有するはずであり、これは、特異的なＣｈｌａｍｙｄｉａ遺伝子産物の固有の特徴であり得る。従って、遺伝子産物の細胞局在化の決定は、Ｃａｐ−１をワクチン候補として特徴付ける際に有用である。Ｃａｐ−１の細胞内局在性を検出するために、Ｃａｐ−１のＮ末端の１２５のアミノ酸を含む組換えポリペプチド（配列番号３０５、配列番号３０４で提供されるＮ末端６−Ｈｉｓタグを含むアミノ酸配列を有する）に対するウサギのポリクローナル抗体を使用して、Ｃｈｌａｍｙｄｉａに感染したＭｃＣｏｙ細胞を染色した。
【０７８７】
ウサギ抗Ｃａｐ−１ポリクローナル抗体を、Ｃａｐ−１のＮ末端部分を含む組換えポリペプチドｒＣｔ５２９ｃ１−１２５（配列番号３０５）によるウサギの超免疫化によって獲得した。組換えｒＣｔ５２９ｅ１−１２５タンパク質を、Ｃａｐ−１のＮ末端の１〜１２５のアミノ酸をコードするヌクレオチド１〜３７５をコードするｐＥＴ発現プラスミド（上記）によって形質転換されたＥ．ｃｏｌｉから獲得した。組換えタンパク質は、当該分野において周知の技術を用いてＮｉ−ＮＴＡによって精製された。ポジティブコントロール抗血清として、基本小体に対するポリクローナル抗血清を、精製したＣ．ｔｒａｃｈｏｍａｔｉｓ基本小体（Ｂｉｏｄｅｓｉｇｎ、Ｓａｃｃｏ、Ｍａｉｎｅ）でウサギを免疫することによって作製した。Ｃａｐ−１ポリペプチドによる免疫前のウサギにから得た免疫前血清を、ネガティブコントロールとして用いた。
【０７８８】
免疫細胞学を、１ｍｌ当たり１０６ＩＦＵ（Ｉｎｃｌｕｓｉｏｎ　Ｆｏｒｍｉｎｇ　Ｕｎｉｔ）の濃度で、Ｃ．ｔｒａｃｈｏｍａｔｉｓ血清型亜型Ｌ２かＣ．ｐｓｉｔａｃｃｉ、６ＢＣ株かのいずれかで接種したガラスカバースリップ上で増殖させたＭｃＣｏｙ細胞単層膜で行った。２時間後、培地を吸引し、そしてシクロヘキシミド（１．０μｇ／ｍｌ）を補充した新鮮なＲＰ−１０培地と取り換えた。感染細胞を７％ＣＯ２中で２４時間インキュベートし、そして培地を吸引することによって固定し、ＰＢＳで細胞を一度リンスし、そして５分間メタノール固定した。抗原染色のために、固定した細胞単層膜をＰＢＳで洗浄し、そして特定の抗血清またはコントロール抗血清の１：１００希釈物と共に、３７℃で２時間インキュベートした。細胞をＰＢＳでリンスし、そしてフルオレセインイソチオシアネート（ＦＩＴＣ）で標識した抗ウサギＩｇＧ（ＫＰＬ、Ｇａｉｔｈｅｒｓｂｕｒｇ）と共に１時間インキュベートし、そしてＰＢＳ中でＥｖａｎｓ　ｂｌｕｅ（０．０５％）で染色した。蛍光を１００×対物レンズ（Ｚｅｉｓｓ　ｅｐｉｆｌｕｏｒｅｓｃｅｎｃｅ　ｍｉｃｒｏｓｃｏｐｅ）で観察し、そして写真撮影した（Ｎｉｋｏｎ　ＵＦＸ−１１Ａカメラ）。
【０７８９】
この研究からの結果は、Ｃａｐ−１が、Ｃ．ｔｒａｃｈｏｍａｔｉｓ感染細胞の封入体膜に局在することを示す。Ｃａｐ−１特異的抗体は、Ｃ．ｔｒａｃｈｏｍａｔｉｓ感染細胞の封入体膜を標識したが、これらの封入体に含まれるか、または固定プロセスによって放出されるＣｈｌａｍｙｄｉａ基本小体を標識しなかった。逆に、抗基本小体抗体は、封入体内の細菌体のみではなく、固定プロセスによって放出された細菌体もはっきりと標識した。抗Ｃａｐ−１抗体の特異性は、Ｃ．ｐｓｉｔｔａｃｉ感染細胞を染色しないという事実によって示される。Ｃａｐ−１標識の特異性はまた、免疫前の血清において反応性がないことによって示される。これらの結果は、Ｃａｐ−１が、細菌から放出され、そしてＣｈｌａｍｙｄｉａ封入体膜に関連するようになることを示唆する。従って、Ｃａｐ−１は、Ｃｈｌａｍｙｄｉａによって引き起こされる感染に対するワクチンを開発する上で、ＣＤ８＋Ｔ細胞を刺激するために有用であり得る遺伝子産物である。
【０７９０】
Ｃｈｌａｍｙｄｉａ感染に対するワクチンにおけるＣａｐ−１遺伝子の潜在的なＣＴＬ抗原としての関連性は、さらに、２つのさらなる一連の研究によって説明される。第１に、Ｃ．ｔｒａｃｈｏｍａｔｉｓのＣａｐ−１　ＣＴ５２９＃１３８−１４７ペプチドのＭＨＣ−Ｉエピトープに特異的なＣＴＬ（配列番号１４４）は、天然での感染の間、高頻度で初回刺激されることが示された。具体的には、Ｂａｌｂ／Ｃマウスを、１０６Ｉ．Ｆ．Ｕ．のＣ．ｔｒａｃｈｏｍａｔｉｓ、血清型亜型Ｌ２と共にインキュベートした。２週間後、脾臓を収集し、そしてＥｌｉｓｐｏｔ分析によって、Ｃａｐ−１＃１３８−１４７ペプチドパルスされた抗原提示細胞に対する応答において、ＩＦＮ−γ分泌細胞の数について定量した。２つの実験において、１０５脾細胞におけるＩＦＮ−γ分泌細胞の数は、全ＣＤ８＋Ｔ細胞の約１％であった。ＭＨＣ−１エピトープ（Ｃａｐ−１　ＣＴ５２９　＃１３８−１４７ペプチド）に応答するＣＤ８＋　ＣＴＬのこの高い頻度は、Ｃａｐ−１が感染において高度に免疫原性であることを示唆する。
【０７９１】
第２の一連の研究からの結果は、Ｃａｐ−１タンパク質が、感染時に、宿主細胞のサイトゾルにほとんどすぐにアクセス可能であることを示した。これは、Ｃａｐ−１　ＣＴ５２９　＃１３８−１４７ペプチド提示の時間経過において示される。簡潔には、３Ｔ３細胞を、Ｃ．ｔｒａｃｈｏｍａｔｉｓ血清型亜型Ｌ２で種々の長さの時間感染させ、次いで、Ｃａｐ−１　ＣＴ５２９　＃１３８−１４７ペプチド特異的ＣＴＬによる認識について試験した。その結果は、Ｃ．ｔｒａｃｈｏｍａｔｉｓ感染した３Ｔ３細胞が、感染のわずか２時間後に、抗原特異的ＣＴＬによる認識について標的化されることを示す。これらの結果は、Ｃａｐ−１が、Ｃ．ｔｒａｃｈｏｍａｔｉｓ基本小体の網状小体への発展において合成される初期タンパク質であることを示唆する。感染初期において発現する遺伝子産物に対するＣＤ８＋　ＣＴＬ免疫応答は、Ｃｈｌａｍｙｄｉａ感染に対するワクチンにおいて特に有効であり得る。
【０７９２】
（実施例５）
（Ｃｈｌａｍｙｄｉａ抗原で免疫されたマウスにおける抗体応答およびＴ細胞応答の生成）
免疫原性研究を行い、Ｍｏｎｔａｎｉｄｅアジュバントと共に処方された、精製されたＳＷＩＢタンパク質もしくはＳ１３タンパク質のいずれか、またはＳＷＩＢもしくはＳ１３のＤＮＡ配列を含むｐｃＤＮＡ−３発現ベクターによるＤＮＡベースの免疫を用いて免疫されたマウスにおける抗体およびＣＤ４＋Ｔ細胞応答を決定した。ＳＷＩＢはまた、クローン１−Ｂ１−６６（配列番号１、対応するアミノ酸配列は配列番号５において提供される）とも称され、そしてＳ１３リボソームタンパク質はまた、クローン１０−Ｃ１０−３１（配列番号４、対応するアミノ酸配列は、配列番号１２に提供される）とも称される。第一の実験において、３匹のＣ５７ＢＬ／６マウスの群を２回免疫し、そして抗体応答およびＣＤ４＋Ｔ細胞応答についてモニタリングした。ＤＮＡ免疫は、尾の根元での皮内免疫であり、そしてポリペプチド免疫を皮下経路で投与した。免疫されたマウスからの脾細胞の標準的な３Ｈ取り込みアッセイの結果は、精製された組換えＳＷＩＢポリペプチド（配列番号５）で免疫した群からの強力な増殖応答を示す。以前に記載されたようなサイトカイン誘導アッセイによるさらなる分析によって、ＳＷＩＢポリペプチドにより免疫された群が測定可能なＩＦＮ−γ応答およびＩＬ−４応答を生成したことが実証された。次いで、ＳＷＩＢポリペプチドで免疫した実験群における優性な抗体アイソタイプ応答を決定するためのＥＬＩＳＡベースのアッセイを行った。図４は、ＳＷＩＢ免疫された群が、体液性応答（主にＩｇＧ１である）を与えたことを例示する。
【０７９３】
第二の実験において、Ｃ３Ｈマウスを、３回、３週間の間隔で、ＰＢＳもしくはＭｏｎｔａｎｉｄｅのいずれかにおいて処方された１０μｇの精製ＳＷＩＢタンパク質（クローン１−Ｂ１−６６、配列番号５とも称される）で免疫し、そして第三回の免疫の２週間後に採取した。ＳＷＩＢタンパク質に対して指向される抗体力価を、当該分野で周知の標準的なＥＬＩＳＡベースの技術によって決定し、Ｍｏｎｔａｎｉｄｅアジュバントで処方したＳＷＩＢタンパク質が強力な体液性免疫応答を誘導したことを実証した。Ｔ細胞増殖応答を、ＸＴＴベースのアッセイによって決定した（Ｓｃｕｄｉｅｒｏら、Ｃａｎｃｅｒ　Ｒｅｓｅａｒｃｈ、１９８８、４８：４８２７）。図５に示されるように、ＳＷＩＢポリペプチドおよびＭｏｎｔａｎｉｄｅで免疫したマウス由来の脾細胞は、抗原特異的な増殖応答を惹起した。さらに、免疫された動物からの脾細胞が可溶性の組換えＳＷＩＢポリペプチドに応答してＩＦＮ−γを分泌する能力を、以前に記載されるようなサイトカイン誘導アッセイを用いて決定した。Ｍｏｎｔａｎｉｄｅアジュバントを用いて処方したＳＷＩＢポリペプチドで免疫した群におけるすべての動物由来の脾細胞は、ＳＷＩＢ　Ｃｈｌａｍｙｄｉａ抗原への曝露に応答してＩＦＮ−γを分泌し、これは、Ｃｈｌａｍｙｄｉａ特異的な免疫応答を実証した。
【０７９４】
さらなる実験において、ＳＢＡＳ２アジュバント（ＳｍｉｔｈＫｌｉｎｅ　Ｂｅｅｃｈａｍ、Ｌｏｎｄｏｎ、Ｅｎｇｌａｎｄ）を用いて処方された、精製された１０μｇのＳＷＩＢタンパク質もしくはＳ１３タンパク質（Ｃ．ｔｒａｃｈｏｍａｔｉｓ、ＳＷＩＢタンパク質、クローン１−Ｂ１−６６、配列番号５、およびＳ１３タンパク質、クローン１０−Ｃ１０−３１、配列番号４）を用いて、Ｃ３Ｈマウスを、３つの異なる時点で、尾の根元で免疫した。抗原特異的な抗体力価を、ＥＬＩＳＡによって測定し、両方のポリペプチドが、１×１０−４〜１×１０−５の範囲の強力なＩｇＧ応答を誘導したことを示した。この応答のＩｇＧ１およびＩｇＧ２ａの成分は、ほぼ等価量で存在した。免疫されたマウスから単離された脾細胞に対する標準的な３Ｈ取り込みアッセイによって決定された、抗原特異的なＴ細胞増殖応答は、ＳＷＩＢに対してかなり強力であり（ネガティブコントロールよりも５０、０００ｃｐｍ高い）、そしてｓ１３についてはさらにより強力であった（ネガティブコントロールよりも１００、０００ｃｐｍ高い）。このＩＦＮγ産生を、増殖中の培養物からの上清から、標準的なＥＬＩＳＡ技術によりアッセイした。Ｓ１３タンパク質でのその培養物のインビトロ再刺激は、高レベルのＩＦＮ−γ産生を誘導し、これは、ネガティブコントロールの２ｎｇ／ｍｌに対して、およそ２５ｎｇ／ｍｌであった。ＳＷＩＢタンパク質での再刺激はまた、ＩＦＮγを誘導したが、より少ない程度であった。
【０７９５】
関連する実験において、Ｃ３Ｈマウスを、１０μｇのコレラ毒素と混合した、１０μｇの精製されたＳＷＩＢもしくはＳ１３タンパク質（Ｃ．ｔｒａｃｈｏｍａｔｉｓ、ＳＷＩＢタンパク質、クローン１−Ｂ１−６６、配列番号５、およびＳ１３タンパク質、クローン１０−Ｃ１０−３１、配列番号４）を用いて、３つの異なる時点で免疫した。粘膜免疫は、鼻腔内接種を通して行った。抗原特異的抗体応答を標準的なＥＬＩＳＡ技術によって決定した。抗原特異的なＩｇＧ抗体は、ＳＷＩＢ免疫されたマウスの血液中に存在し、その力価は、１×１０−３〜１×１０−４の範囲であったが、Ｓ１３免疫した動物では検出不可能であった。ＩＦＮγ産生によって測定されるような、単離された脾細胞からの抗原特異的なＴ細胞応答は、全身免疫についてすぐ上に記載した結果と類似の結果を与えた。
【０７９６】
動物研究を行って、ＣＴ５２９血液型亜型ＬＧＶＩＩ　ＣＴＬエピトープ（ＣＴ５２９　１０マーコンセンサスペプチド（ＣＳＦＩＧＧＩＴＹＬ、配列番号３１））（これは、Ｈ２−Ｋｄ拘束性ＣＴＬエピトープとして同定された）によって規定された）の免疫原性を決定した。ＢＡＬＢ／ｃマウス（１群あたり３匹のマウス）を、３回、種々のアジュバントと組み合わせた２５μｇのペプチドで免疫した。このペプチドを、ＳＫＢ　Ａｄｊｕｖａｎｔ　Ｓｙｓｔｅｍ　ＳＢＡＳ−２’’、ＳＢＡＳ−７（ＳｍｉｔｈＫｌｉｎｅ　Ｂｅｅｃｈａｍ、Ｌｏｎｄｏｎ、Ｅｎｇｌａｎｄ）、またはＭｏｎｔａｎｉｄｅ中で、尾の根元にて全身投与した。このペプチドをまた、１０μｇのコレラ毒素（ＣＴ）と混合して鼻腔内投与した。未刺激のマウスをコントロールとして使用した。３回目の免疫の４週間後、脾細胞を、３つの異なるエフェクター　対　ＬＰＳ−ｂｌａｓｔの比（１×１０６細胞／ｍｌで６、１．５および０．４）で、１０μｇ／ｍｌのＣＴ５２９　１０マーコンセンサスペプチドを用いてパルスしたＬＰＳ−ｂｌａｓｔで再刺激した。２回の再刺激後、エフェクター細胞を、ペプチドパルスされたＰ８１５細胞を溶解するその能力について、標準的なクロム放出アッセイを用いて試験した。鶏卵オボアルブミン由来の無関連のペプチドをネガティブコントロールとして用いた。その結果は、有意な免疫応答が、ＣＴ５２９　１０マーコンセンサスペプチドに対して惹起され、そしてペプチドパルスされた標的を溶解し得る抗原特異的なＴ細胞がそのペプチドによる免疫に応答して惹起されたことを実証した。具体的には、抗原特異的溶解活性は、ＳＢＡＳ−７およびＣＴでアジュバント補助された群において見出されたが、ＭｏｎｔａｎｉｄｅおよびＳＢＡＳ−２’’では、ＣＴＬエピトープ免疫をアジュバント補助しなかった。
【０７９７】
（実施例６）
（Ｃｈｌａｍｙｄｉａ　ｐｎｅｕｙｍｏｎｉａｅ遺伝子の発現および特徴付け）
ヒトＴ細胞株ＴＣＬ−８（実施例１に記載される）は、Ｃｈｌａｍｙｄｉａ　ｔｒａｃｈｏｍａｔｉｓおよびＣｈｌａｍｙｄｉａ　ｐｎｅｕｍｏｎｉａに感染した単球由来の樹状細胞を認識する。このことは、Ｃｈｌａｍｙｄｉａ　ｔｒａｃｈｏｍａｔｉｓおよびＣｈｌａｍｙｄｉａ　ｐｎｅｕｍｏｎｉａが交差反応性のＴ細胞エピトープをコードし得ることを示唆する。Ｃｈｌａｍｙｄｉａ　ｔｒａｃｈｏｍａｔｉｓ　ＬＧＶ　ＩＩクローン１Ｂ１−６６（ＳＷＩＢ（配列番号１）とも称される）およびクローン１０Ｃ１０−３１（Ｓ１３リボゾームタンパク質（配列番号４）とも称される）に相同なＣｈｌａｍｙｄｉａ　ｐｎｅｕｍｏｎｉａ遺伝子を単離するために、ＨｅＬａ２２９細胞を、Ｃ．ｐｎｅｕｍｏｎｉａ株ＴＷＡＲ（ＣＤＣ／ＣＷＬ−０２９）に感染させた。３日間のインキュベーション後、Ｃ．ｐｎｅｕｍｏｎｉａに感染させたＨｅＬａ細胞を採取し、洗浄し、そして２００μｌの水に再懸濁し、そして２０分間沸騰水浴中で加熱した。１０μｌの破壊細胞懸濁物をＰＣＲテンプレートとして用いた。
【０７９８】
Ｃ．ｐｎｅｕｍｏｎｉａ特異的なプライマーを、５’末端に、６×ヒスチジンタグおよびＮｄｅＩ部位が挿入され、そして３’末端に、終止コドンおよびＢａｍＨＩ部位が含まれるように、クローン１Ｂ１−６６およびクローン１０Ｃ１０−３１について設計した（図６）。ＰＣＲ産物を、当該分野において周知の標準的な技術によって増幅し、そして配列決定した。Ｃ．ｐｎｅｕｍｏｎｉａ特異的なＰＣＲ産物を発現ベクターｐＥＴ１７Ｂ（Ｎｏｖａｇｅｎ，Ｍａｄｉｓｏｎ、ＷＩ）中にクローニングし、そして発現およびその後のヒスチジン−ニッケルクロマトグラフィー方法論（Ｎｏｖａｇｅｎによって提供される）を利用した精製のために、Ｅ．ｃｏｌｉ　ＢＬ２１　ｐＬｙｓＳにトランスフェクトした。それによって、Ｃ．ｐｎｅｒｕｍｏｎｉａからの以下の２つのタンパク質を生成した：ＣｐＳＷＩＢと呼ばれる１０−１１ｋＤａのタンパク質（配列番号２７および６×Ｈｉｓタグを有する配列番号７８（それぞれ、配列番号２８に提供される対応するアミノ酸配列を有する））、ＣｐＳ１３と呼ばれる１５ｋＤａタンパク質（６×Ｈｉｓタグを有する、配列番号２９、および配列番号７７（それぞれ配列番号３０および９１において提供される対応するアミノ酸配列を有する））。
【０７９９】
（実施例７）
（Ｃｈｌａｍｙｄｉａ　ｐｎｅｕｍｏｎｉａｅ抗原による、Ｔ細胞増殖およびインターフェロンγ産生の誘導）
組換えＣｈｌａｍｙｄｉａ　ｐｎｅｕｍｏｎｉａｅ抗原がＴ細胞増殖およびインターフェロンγ産生を誘導する能力を以下のように決定した。
【０８００】
タンパク質をＩＰＴＧにより誘導し、そしてＮｉ−ＮＴＡアガロースアフィニティークロマトグラフィーによって精製する（Ｗｅｂｂら、Ｊ．Ｉｍｍｕｎｏｌｏｇｙ　１５７：５０３４−５０４１、１９９６）。次いで、この精製されたポリペプチドを、Ｔ細胞増殖をＰＢＭＳ調製物中で誘導する能力についてスクリーニングする。Ｃ．ｐｎｅｕｍｏｎｉａｅ患者からのＰＢＭＣおよびそのＴ細胞がＣｈｌａｍｙｄｉａ抗原に応答して増殖することが公知の正常ドナーからのＰＢＭＣを、１０％のプールされたヒト血清および５０μｇ／ｍｌゲンタマイシンを補充したＲＰＭＩ１６４０を含む培地中で培養する。精製されたポリペプチドを、二連で、０．５〜１０μｇ／ｍＬの濃度で添加する。容量２００μＬの容量中、９６ウェルの丸底プレート中での６日間の培養後、５０μＬの培地を各ウェルから、以下に記載するように、ＩＦＮ−γレベルの決定のために取り出した。次いで、このプレートを１μＣｉ／ウェルのトリチウムチミジンでさらに１８時間パルスし、採取し、そしてトリチウム取り込みを、ガスシンチレーションカウンターを用いて決定した。培地単独において培養された細胞において観察される増殖よりも、二連の両方とも３倍多い増殖をもたらした画分を陽性とみなす。
【０８０１】
ＩＦＮ−γを、酵素結合イムノソルベント検定法（ＥＬＩＳＡ）を用いて測定した。ＥＬＩＳＡプレートを、ＰＢＳ中のヒトＩＦＮ−γに対して指向されるマウスモノクローナル抗体（ＰｈａｒＭｉｎｇｅｎ，Ｓａｎ　Ｄｉｅｇｏ，ＣＡ）で室温にて４時間コーティングした。次いで、ウェルを５％（Ｗ／Ｖ）の脱脂粉乳を含むＰＢＳを用いて、室温で１時間ブロックする。このプレートを、ＰＢＳ／０．２％　ＴＷＥＥＮ−２０中で６回洗浄し、そしてＥＬＩＳＡプレート中の培養培地中で１：２に希釈したサンプルを、室温で一晩インキュベートする。このプレートを再び洗浄し、そしてＰＢＳ／１０％正常ヤギ血清中で１：３０００に希釈したポリクローナルウサギ抗ヒトＩＦＮ−γ血清を各ウェルに添加する。次いで、このプレートを室温で２時間インキュベートし、洗浄し、そして西洋ワサビペルオキシダーゼ結合抗ウサギＩｇＧ（Ｓｉｇｍａ　Ｃｈｅｍｉｃａｌ　Ｓｏ．，Ｓｔ．Ｌｏｕｉｓ、ＭＯ）を、ＰＢＳ／５％脱脂粉乳中に１：２０００希釈で添加した。さらに２時間の室温でのインキュベーション後、このプレートを洗浄し、そしてＴＭＢ基質を添加する。この反応を、２０分後、１Ｎ硫酸を用いて停止させる。光学密度を、５７０ｎｍを参照波長として用いて４５０ｎｍで測定する。二連両方で、培地単独で培養された細胞からの平均ＯＤ＋３の標準偏差より２倍大きなＯＤを与える画分を陽性とみなす。
【０８０２】
Ｃ．ｔｒａｃｈｏｍａｔｉｓおよびＣ．ｐｎｅｕｍｏｎｉａに対して交差反応し得るヒト抗Ｃｈｌａｍｙｄｉａ　Ｔ細胞株（ＴＣＬ−８）を用いて、上記実施例において記載される発現されたタンパク質（すなわち、ＣｐＳＷＩＢ、配列番号２７、および６×Ｈｉｓタグを有する配列番号７８（それぞれ、配列番号２８において提供される対応するアミノ酸配列を有する）、ならびにＣｐＳ１３と呼ばれる１５ｋＤａタンパク質（配列番号２９）、および６×Ｈｉｓタグを有する配列番号７７（それぞれ、配列番号３０および９１に提供される対応するアミノ酸配列を有する））が、Ｃ．ｔｒａｃｈｏｍａｔｉｓおよびＣ．ｐｎｅｕｍｏｎｉａｅの両方に共通するＴ細胞エピトープを有するか否かを決定した。手短には、Ｃｈｌａｍｙｄｉａのタンパク質を発現するＥ．ｃｏｌｉを、１×１０４単球由来の樹状細胞に滴定した。２時間後、この樹状細胞培養物を洗浄し、そして２．５×１０４Ｔ細胞（ＴＣＬ−８）を添加し、そしてさらに７２時間インキュベートさせた。次いで、その培養上清中のＩＮＦ−γの量を、ＥＬＩＳＡによって決定した。図７Ａおよび７Ｂにおいて示すように、ＴＣＬ−８　Ｔ細胞株は、ＩＦＮ−γの抗原特異的誘導によって実証されるように、Ｃ．ｔｒａｃｈｏｍａｔｉｓおよびＣ．ｐｎｅｕｍｏｎｉａの両方由来のＳ１３リボソームタンパク質を特異的に認識したが、他方で、Ｃ．ｔｒａｃｈｏｍａｔｉｓ由来のＳＷＩＢタンパク質のみがそのＴ細胞株によって認識された。これらの結果を確認するために、Ｃ．ｔｒａｃｈｏｍａｔｉｓ　ＳＷＩＢのＴ細胞エピトープを、一連の重複するペプチドおよびＴ細胞株ＴＣＬ−８を用いてパルスした標的細胞を用いてエピトープマッピングすることによって同定した。３Ｈチミジン取り込みアッセイは、このペプチド（Ｃ．ｔ．ＳＷＩＢと称される、配列番号３９の５２−６７）がＴＣＬ−８株の最も強力な増殖を与えたことを実証した。Ｃ．ｐｎｅｕｍｏｎｉａｅ配列のＳＷＩＢ（配列番号４０）、Ｃ．ｐｎｅｕｍｏｎｉａｅ　のトポイソメラーゼ−ＳＷＩＢ融合物（配列番号４３）およびＣ．ｔｒａｃｈｏｍａｔｉｓ　（配列番号４２）、ならびにヒトＳＷＩドメイン（配列番号４１）に対応する相同ペプチドを合成し、そして上記アッセイにおいて試験した。Ｔ細胞株ＴＣＬ−８は、配列番号３９のＣ．ｔｒａｃｈｏｍａｔｉｓペプチドのみを認識し、そして対応するＣ．ｐｎｅｕｍｏｎｉａｅペプチド（配列番号４０）および、上記の他の対応するポリペプチド（配列番号４１〜４３）のみを認識した。
【０８０３】
Ｃｈｌａｍｙｄｉａ特異的なＴ細胞株を、それぞれＣ．ｔｒａｃｈｏｍａｔｉｓまたはＣ．ｐｎｅｕｍｏｎｉａｅのいずれかを感染させた単球由来の樹状細胞を用いてドナーＰＢＭＣを刺激することによって、Ｃ．ｐｎｅｕｍｏｎｉａｅに対する陽性血清力価を有するドナーＣＰ−２１から生成した。Ｃ．ｐｎｅｕｍｏｎｉａｅに対して生成されたＴ細胞は、組換えＣ．ｐｎｅｕｍｏｎｉａｅ−ＳＷＩＢに対して応答したが、Ｃ．ｔｒａｃｈｏｍａｔｉｓ−ＳＷＩＢには応答せず、他方で、Ｃ．ｔｒａｃｈｏｍａｔｉｓに対して生成されたＴ細胞株は、Ｃ．ｔｒａｃｈｏｍａｔｉｓにもＣ．ｐｎｅｕｍｏｎｉａｅ−ＳＷＩＢにも応答しなかった（図９を参照のこと）。ドナーＣＰ−２１の、Ｃ．ｐｎｅｕｍｏｎｉａｅ−ＳＷＩＢ特異的な免疫応答により、Ｃ．ｐｎｅｕｍｏｎｉａｅ感染が確認され、そしてこれにより、インビボのＣ．ｐｎｅｕｍｏｎｉａｅ感染の間にＣ．ｐｎｅｕｍｏｎｉａｅ−ＳＷＩＢ特異的なＴ細胞が惹起されることが示唆される。
【０８０４】
Ｃ．ｐｎｅｕｍｏｎｉａ−ＳＷＩＢに対するＴ細胞応答のエピトープマッピングは、Ｃｐ−ＳＷＩＢ特異的なＴ細胞が重複するペプチドＣｐ−ＳＷＩＢ３２−５１（配列番号１０１）およびＣｐ−ＳＷＩＢ３７−５６（配列番号１０２）に応答したことを示し、このことは、Ｃ．ｐｎｅｕｍｏｎｉａｅ−ＳＷＩＢ特異的Ｔ細胞エピトープＣｐ−ＳＷＩＢ３７−５１（配列番号１００）を示す。
【０８０５】
さらなる実験において、Ｔ細胞株を、ドナーＣＰ１（または、Ｃ．ｐｎｅｕｍｏｎｉａｅ血清陽性ドナー）から、それぞれＣ．ｔｒａｃｈｏｍａｔｉｓおよびＣ．ｐｎｅｕｍｏｎｉａｅ由来の非感染性基本小体を用いてＰＢＭＣを刺激することによって、生成した。詳細には、増殖応答を、１×１０４単球由来樹状細胞ならびにＣ．ｔｒａｃｈｏｍａｔｉｓおよびＣ．ｐｎｅｕｍｏｎｉａｅ由来の非感染性基本小体または組換えＣ．ｔｒａｃｈｏｍａｔｉｓもしくはＣ．ｐｎｅｕｍｏｎｉａｅのいずれかのＳＷＩＢタンパク質の存在下で２．５×１０４のＴ細胞を刺激することによって決定した。ＳＷＩＢに対するＴ細胞応答は、Ｃ．ｔｒａｃｈｏｍａｔｉｓ−ＳＷＩＢではなくＣ．ｐｎｅｕｍｏｎｉａｅ−ＳＷＩＢがＣ．ｐｎｅｕｍｏｎｉａｅ　Ｔ細胞株による応答を惹起するという点において、ＣＰ−２１由来のＴ細胞株を用いて得られたデータと類似した。さらに、Ｃ．ｔｒａｃｈｏｍａｔｉｓ　Ｔ細胞株は、Ｃ．ｔｒａｃｈｏｍａｔｉｓ　ＳＷＩＢにもＣ．ｐｎｅｕｍｏｎｉａｅ　ＳＷＩＢにもいずれにも応答して増殖しなかったが、この株は、ＣＴとＣＰの両方の基本小体に応答して増殖した。実施例１に記載されるように、クローン１１−Ｃ２１−９１（配列番号６３）（ＴＣＰ−２１細胞株を用いて同定された）は、ＯＭＰ２遺伝子（ＣＴ４４３）の一部であり、そしてＣ．ｐｎｅｕｍｏｎｉａｅの６０ｋＤａシステインリッチ外膜タンパク質（ＯＭＣＢと呼ばれる）と相同性を共有する２６９ｂｐのインサートを有する。反応性エピトープをさらに規定するために、エピトープマッピングを、一連の重複するポリペプチドおよび以前に記載されたイムノアッセイを用いて行った。手短には、増殖応答を、１×１０４単球由来の樹状細胞の存在下で、Ｃ．ｔｒａｃｈｏｍａｔｉｓおよびＣ．ｐｎｅｒｕｍｏｎｉａｅに由来する非感染性基本小体、またはＣ．ｔｒａｃｈｏｍａｔｉｓもしくはＣ．ｐｎｅｕｍｏｎｉａｅのＯＭＢＣタンパク質のタンパク質配列に由来するペプチドのいずれかを用いて（０．１μｇ／ｍｌ）、２．５×１０４のＴＣＰ−２１Ｔ細胞を刺激することによって決定した。ＴＣＰ−２１　Ｔ細胞は、エピトープＣＴ−ＯＭＣＢ＃１６７−１８６、ＣＴ−ＯＭＣＢ＃１７１−１９０、ＣＴ−ＯＭＣＢ＃１７１−１８６に応答し、そしてＣＴ−ＯＭＣＢ＃１７５−１８６に対してはより少ない程度で応答した（それぞれ、配列番号２４９〜２５２）。注目すべきことに、このＴＣＰ−２１のＴ細胞株はまた、相同なＣ．ｐｎｅｕｍｏｎｉａｅペプチドＣＰ−ＯＭＣＢ＃１７１−１８６（配列番号２５３）に対して増殖性の応答を与えた。この応答は、Ｃ．ｔｒａｃｈｏｍａｔｉｓペプチドに対する応答に等しいかまたはそれよりも大きかった。２位でのアミノ酸置換（すなわち、ＧｌｕからＡｓｐへの置換）および４位でのアミノ酸置換（すなわち、ＳｅｒからＣｙｓへの置換）は、Ｔ細胞の増殖応答を変更せず、これによって、このエピトープがＣ．ｔｒａｃｈｏｍａｔｉｓとＣ．ｐｎｅｕｍｏｉｎｉａｅとの間の交差反応性エピトープであることが実証された。
【０８０６】
（実施例８：Ｃｈｌａｍｙｄｉａ抗原に対するヒトＰＢＭＣおよびＴ細胞株の免疫応答）
本明細書において提供される実施例は、Ｃ．ｔｒａｃｈｏｍａｔｉｓに感染し、そしてＣ．ｔｒａｃｈｏｍａｔｉｓ感染を制御する防御性免疫応答を生じた一般的な集団の中に健常ドナーの集団が存在することを示唆する。これらのドナーは、臨床的には無症状のままであり、そしてＣ．ｔｒａｃｈｏｍａｔｉｓに対して血清陰性のままであった。ＣＤ４発現クローニングによって同定された、Ｃｈｌａｍｙｄｉａ抗原に対する正常なドナーの免疫応答を特徴付けるために、１２の健常ドナーから得たＰＢＭＣを、Ｃ．ｔｒａｃｈｏｍａｔｉｓ−ＳＷＩＢ、Ｃ．ｐｎｅｕｍｏｎｉａｅ−ＳＷＩＢおよびＣ．ｔｒａｃｈｏｍａｔｉｓ−Ｓ１３、Ｃ．ｐｎｅｕｍｏｎｉａｅ−Ｓ１３を含む組換えＣｈｌａｍｙｄｉａ抗原のパネルに対して試験した。このデータを、以下の表Ｉにまとめる。全てのドナーが、Ｃ．ｔｒａｃｈｏｍａｔｉｓに対して血清陰性であったが、６／１２がＣ．ｐｎｅｕｍｏｎｉａｅに対して陽性力価を有した。陽性応答として４より大きい刺激指数を用いると、１１／１２の被験体が、Ｃ．ｔｒａｃｈｏｍａｔｉｓの基本小体に応答し、そして１２／１２がＣ．ｐｎｅｕｍｏｎｉａｅの基本小体に応答した。１つのドナーＡＤ　１０４が、組換えＣ．ｐｎｅｕｍｏｎｉａｅ−Ｓ１３タンパク質に応答したが、組換えＣ．ｔｒａｃｈｏｍａｔｉｓ−Ｓ１３タンパク質には応答しなかった。このことは、Ｃ．ｐｎｅｕｍｏｎｉａｅ特異的な応答であることを示す。１２のドナーのうち３つがＣ．ｔｒａｃｈｏｍａｔｉｓ−ＳＷＩＢを有したが、Ｃ．ｐｎｅｕｍｏｎｉａｅ−ＳＷＩＢ特異的な応答を有さず、これにより、Ｃ．ｔｒａｃｈｏｍａｔｉｓ感染を確認した。Ｃ．ｔｒａｃｈｏｍａｔｉｓ−Ｓ１３およびＣ．ｐｎｅｕｍｏｎｉａｅ−Ｓ１３は、８／１２のドナーにおいて応答を惹起し、このことは、クラミジア感染を示唆する。これらのデータは、ＳＷＩＢおよびＳ１３が正常な研究被験体のＰＢＭＣにおいて、Ｔ細胞応答を惹起する能力を実証する。
【０８０７】
【表１】
2004513622.tif 000013
ＣＴ＝Ｃｈｌａｍｙｄｉａ　ｔｒａｃｈｏｍａｔｉｓ；ＣＰ＝Ｃｈｌａｍｙｄｉａ　ｐｎｅｕｍｏｎｉａｅ；ＥＢ＝Ｃｈｌａｍｙｄｉａ基本小体；Ｓｗｉｂ＝組換えＣｈｌａｍｙｄｉａ　Ｓｗｉｂタンパク質；Ｓ１３＝組換えＣｈｌａｍｙｄｉａ　Ｓ１３タンパク質；ｌｐｄＡ＝組換えＣｈｌａｍｙｄｉａ　ｌｐｄＡタンパク質；ＴＳＡ＝組換えＣｈｌａｍｙｄｉａ　ＴＳＡタンパク質。値は、標準増殖アッセイからの結果を示す。増殖応答を、それぞれの組換え抗原または基本小体（ＥＢ）とともにプレインキュベートした１×１０４の単球由来樹状細胞を用いて３×１０５のＰＢＭＣを刺激することによって決定した。アッセイを、最後の１８時間、３Ｈチミジンパルスを用いて、６日後に収集した。
ＳＩ：刺激指数
2004513622.tif 000014
【０８０８】
第１の一連の実験において、Ｔ細胞株を、以前に記載されたようにＣ．ｔｒａｃｈｏｍａｔｉｓ　ＬＧＶ　ＩＩ基本小体を用いてＴ細胞を刺激することによって、Ｃ．ｔｒａｃｈｏｍａｔｉｓに対する生殖器曝露（ｇｅｎｉｔａｌ　ｅｘｐｏｓｕｒｅ）歴を有する、健常な女性個体（ＣＴ−１０）から作成した。この研究被験体を、Ｃ．ｔｒａｃｈｏｍａｔｉｓに対して曝露させたが、この被験体は、セロコンバーションを起こさず、そして臨床的症状を現さなかった。このことは、ドナーＣＴ−１０がＣ．ｔｒａｃｈｏｍａｔｉｓに対して防御性免疫応答を発達させたかもしれないことを示唆する。図１０に示されるように、ドナーＣＴ−１０由来の初代Ｃｈｌａｍｙｄｉａ特異的Ｔ細胞株は、Ｃ．ｔｒａｃｈｏｍａｔｉｓ−ＳＷＩＢに応答したが、Ｃ．ｐｎｅｕｍｏｎｉａｅ−ＳＷＩＢ組換えタンパク質には応答しなかった。このことは、Ｃ．ｔｒａｃｈｏｍａｔｉｓに対するＣＴ−１０の曝露を確認する。Ｃ．ｔｒａｃｈｏｍａｔｉｓ−ＳＷＩＢに対するＴ細胞応答のエピトープマッピングは、図１１に示されるように、このドナーが、Ｔ細胞株ＴＣＬ−８と同じエピトープＣｔ−ＳＷＩＢ　５２−６７（配列番号３９）に応答したことを示した。
【０８０９】
さらなるＴ細胞株を、種々のＣ．ｔｒａｃｈｏｍａｔｉｓ患者について上記のように作製した。患者の臨床プロフィールならびに種々のＣ．ｔｒａｃｈｏｍａｔｉｓおよびＣ．ｐｎｅｕｍｏｎｉａｅの基本小体および組換えタンパク質に対する増殖応答の要約を、以下のように表ＩＩに要約する。
【０８１０】
【表２】
2004513622.tif 000015
ＮＧＵ＝非淋菌性尿道炎；ＢＶ＝細菌性腟炎；ＣＴ＝Ｃｈｌａｍｙｄｉａ　ｔｒａｃｈｏｍａｔｉｓ；ＣＰ＝Ｃｈｌａｍｙｄｉａ　ｐｎｅｕｍｏｎｉａｅ；ＥＢ＝Ｃｈｌａｍｙｄｉａ基本小体；Ｓｗｉｂ＝組換えＣｈｌａｍｙｄｉａ　Ｓｗｉｂタンパク質；Ｓ１３＝組換えＣｈｌａｍｙｄｉａ　Ｓ１３タンパク質；ｌｐｄＡ＝組換えＣｈｌａｍｙｄｉａ　ｌｐｄＡタンパク質；ＴＳＡ＝組換えＣｈｌａｍｙｄｉａ　ＴＳＡタンパク質。値は、標準増殖アッセイからの結果を示す。増殖応答を、それぞれの組換え抗原または基本小体（ＥＢ）を用いて３×１０５のＰＢＭＣを刺激することによって決定した。アッセイを、最後の１８時間、３Ｈチミジンパルスを用いて、６日後に収集した。
ＳＩ：刺激指数
2004513622.tif 000016
【０８１１】
表ＩおよびＩＩに要約されるような、無症候性（上記に規定される通り）研究被験体およびＣ．ｔｒａｃｈｏｍａｔｉｓ患者のパネルを使用して、この２つの群由来のＰＢＭＣの免疫応答の総合的な研究を行った。簡潔には、Ｃ．ｐｎｅｕｍｏｎｉａｅ患者由来のＰＢＭＣならびに正常ドナー由来のＰＭＢＣを、１０％のプールされたヒト血清および５０μｇ／ｍｌゲンタマイシンを補充したＲＰＭＩ　１６４０を含有する培地中で培養する。精製ポリペプチド、組換えｃｈｌａｍｙｄｉａ抗原のパネル（Ｃ．ｔｒａｃｈｏｍａｔｉｓ−ＳＷＩＢ、Ｃ．ｐｎｅｕｍｏｎｉａｅ−ＳＷＩＢおよびＣ．ｔｒａｃｈｏｍａｔｉｓ−Ｓ１３、Ｃ．ｐｎｅｕｍｏｎｉａｅ−Ｓ１３を含む）、ならびにＣ．ｔｒａｃｈｏｍａｔｉｓのｌｐｄＡおよびＴＳＡを、０．５〜１０μｇ／ｍＬの濃度で二連で添加する。２００μｌの容量での９６ウェル丸底プレートでの６日間の培養後、以下に記載されるように、５０μｌの培地を、ＩＦＮ−γレベルの決定のために各ウェルから取り出す。次いで、このプレートを、１μＣｉ／ウェルのトリチウム化チミジンを用いてさらに１８時間パルスし、収集し、そしてトリチウム取り込みを気体シンチレーションカウンターを使用して決定する。両方の複製物において、培地単独で培養した細胞において観察される増殖よりも３倍多い増殖を生じる画分は、陽性であるとみなされる。
【０８１２】
組換えＣｈｌａｍｙｄｉａｅ抗原に対する増殖応答は、無症候性ドナーおよびＣ．ｔｒａｃｈｏｍａｔｉｓ患者の大部分が、Ｃ．ｔｒａｃｈｏｍａｔｉｓ　Ｓ１３抗原を認識し（８／１２）、そしてＣ．ｔｒａｃｈｏｍａｔｉｓ患者の大部分が、Ｃ．ｐｎｅｕｍｏｎｉａ　Ｓ１３抗原を認識し（８／１２）、４／１２の無症候性ドナーもまた、Ｃ．ｐｎｅｕｍｏｎｉａ　Ｓ１３抗原を認識することを、示した。また、１２人のＣ．ｔｒａｃｈｏｍａｔｉｓ患者のうち６人、および１２人の無症候性ドナーのうちの４人は、Ｃ．ｔｒａｃｈｏｍａｔｉｓのｌｐｄＡ抗原に対する増殖応答を生じた。これらの結果は、Ｃ．ｔｒａｃｈｏｍａｔｉｓおよびＣ．ｐｎｅｕｍｏｎｉａのＳ１３抗原、Ｃ．ｔｒａｃｈｏｍａｔｉｓ　Ｓｗｉｂ抗原およびＣ．ｔｒａｃｈｏｍａｔｉｓ　ｌｐｄＡ抗原が、無症候性ドナーによって認識されることを示し、これらの抗原が、Ｃｈｌａｍｙｄｉａに対する曝露の間に認識され、そして免疫応答がそれらに対して惹起されたことを示す。このことは、これらの抗原が、ヒト宿主において防御免疫を付与する際に役割を果たし得ることを意味する。さらに、Ｃ．ｔｒａｃｈｏｍａｔｉｓおよびＣ．ｐｎｅｕｍｏｎｉａのＳ１３抗原は、Ｃ．ｔｒａｃｈｏｍａｔｉｓ患者の間で等しく十分に認識され、それによって、Ｓ１３タンパク質においてＣ．ｔｒａｃｈｏｍａｔｉｓとＣ．ｐｎｅｕｍｏｎｉａとの間で共有されるエピトープが存在し得ることを示す。表ＩＩＩは、これらの研究の結果を要約する。
【０８１３】
【表３】
2004513622.tif 000017
一連の研究を、無症候性ドナーおよびＣ．ｔｒａｃｈｏｍａｔｉｓ患者から作製された短期（ｓｈｏｒｔ　ｔｅｒｍ）Ｔ細胞株に対する細胞性免疫応答を決定するために開始した。細胞性免疫応答を、実施例７に記載されるように、標準的な増殖アッセイおよびＩＦＮ−γによって測定した。詳細には、抗原の大部分は、Ｃｈｌａｍｙｄｉａ抗原を発現する単一のＥ．ｃｏｌｉクローンの形態であったが、いくつかの組換えタンパク質もまた、このアッセイにおいて使用された。この単一のＥ．ｃｏｌｉクローンを、１×１０４の単球由来樹状細胞上で力価滴定（ｔｉｔｅｒ）し、そして２時間後、この培養物を洗浄し、そして２．５×１０４のＴ細胞を添加した。組換えタンパク質を使用するアッセイを、以前に記載されるように実施した。増殖を、最後の１８時間、標準的３Ｈチミジンパルスを用いて、４日後に決定した。ＩＦＮ−γの誘導を、上記のように、標準的ＥＬＩＳＡアッセイを使用して４日後に収集した培養物上清から決定した。この結果は、試験されたＣ．ｔｒａｃｈｏｍａｔｉｓ抗原全て（Ｃ．Ｔ．Ｓｗｉｂを除いて）が、Ｃ．ｔｒａｃｈｏｍａｔｉｓ患者由来の１つ以上の異なるＴ細胞株から増殖応答を惹起したことを示す。さらに、増殖応答は、以下のＣｈｌａｍｙｄｉａ遺伝子：ＣＴ６２２、ｇｒｏＥＬ、ｐｍｐＤ、ＣＴ６１０およびｒＳ１３、について、Ｃ．ｔｒａｃｈｏｍａｔｉｓ患者および無症候性ドナーの両方から惹起された。
【０８１４】
１２Ｇ３−８３クローンはまた、ＣＴ６２２に加えて、ＣＴ７３４およびＣＴ７６４に対する配列を含み、従って、これらの遺伝子配列はまた、免疫反応性エピトープを有し得る。同様に、クローン２１Ｇ１２−６０は、ＣＴ８７５に加えて、推定タンパク質遺伝子ＣＴ２２９およびＣＴ２２８に対する配列を含み；そして１５Ｈ２−７６はまた、ＣＴ８１２およびＣＴ０８８由来の配列を含み、そしてｓｙｃＥ遺伝子に対する相同性を共有する。クローン１１Ｈ３−６１はまた、ＰＧＰ６−Ｄビルレンスタンパク質に対する相同性を共有する配列を含む。
【０８１５】
【表４】
2004513622.tif 000018
（実施例９）
（Ｃｈｌａｍｙｄｉａ抗原を使用する防御研究）
（１．ＳＷＩＢ）
防御研究を、マウスにおいて実施して、ｃｈｌａｍｙｄｉａ抗原を用いた免疫がｃｈｌａｍｙｄｉａ接種から生じる生殖管疾患に対して影響を及ぼし得るか否かを決定した。２つのモデルを利用した：Ｃｈｌａｍｙｄｉａ　ｐｓｉｔｔａｃｉ（ＭＴＷ４４７）の株を含むヒト単離菌を使用する膣内接種のモデル、およびＣｈｌａｍｙｄｉａ　ｔｒａｃｈｏｍａｔｉｓ、血液型亜型Ｆ（株ＮＩ１）として同定されたヒト単離菌を含む子宮内接種のモデル。両方の株は、上部生殖管（ｕｐｐｅｒ　ｇｅｎｉｔａｌ　ｔｒａｃｔ）において炎症を誘導し、この炎症は、女性においてＣｈｌａｍｙｄｉａ　ｔｒａｃｈｏｍａｔｉｓによって引き起こされる子宮内膜炎および卵管炎に類似する。第１の実験において、Ｃ３Ｈマウス（１群あたり４匹のマウス）を、Ｃ．ｔｒａｃｈｏｍａｔｉｓ　ＳＷＩＢ　ＤＮＡ（配列番号１、配列番号５において提供される対応するアミノ酸配列を有する）を含有する１００μｇのｐｃＤＮＡ−３発現ベクターを用いて３回免疫した。接種を、全身性免疫のために尾の基部（ｂａｓｅ）で行った。最後の免疫の２週間後、動物を、プロゲステロン処置し、そして膣を介してかまたは子宮への接種物の注射によってかのいずれかで感染させた。感染の２週間後、これらのマウスを屠殺し、そして生殖管を切り出し、染色し、そして組織病理学について試験した。炎症レベルをスコア付けした（非常に軽度な＋から、非常に重篤な＋＋＋＋＋まで）。各々単一の卵管／卵巣に帰するスコアを合計し、そして試験された器官の数で除算して、その群についての炎症の平均スコアを得た。子宮接種のモデルにおいて、空のベクターを受ける陰性コントロールの免疫動物は、ＤＮＡで免疫した群についての２．６２とは対照的に、６．１２の卵巣／卵管平均炎症スコアをともなう一貫した炎症を示した。膣接種および上昇する感染のモデルにおいて、陰性コントロールの免疫マウスは、ＤＮＡで免疫した群についての５．００に対して、８．３７の卵巣／卵管平均炎症スコアを有した。また、後者のモデルにおいて、ワクチン接種したマウスは、管の閉塞の徴候を示さなかったが、一方、陰性コントロールのワクチン接種群は、卵管の管腔において炎症性細胞を有した。
【０８１６】
第２の実験において、Ｃ３Ｈマウス（１群あたり４匹のマウス）を、ポリラクチドｃｏ−グリコリドマイクロスフェア（ＰＬＧ）でカプセル化されたＣ．ｔｒａｃｈｏｍａｔｉｓ　ＳＷＩＢ　ＤＮＡ（配列番号１、配列番号５において提供される対応するアミノ酸配列を有する）を含有する５０μｇのｐｃＤＮＡ−３発現ベクターを用いて３回免疫し；免疫を、腹腔内で行った。最後の免疫の２週間後、動物を、プロゲステロン処置し、そして膣におけるＣ．ｐｓｉｔｔａｃｉの接種によって感染させた。感染の２週間後、マウスを屠殺し、そして生殖管を切り出し、染色し、そして組織病理学について試験した。炎症レベルを、以前に記載されるようにスコア付けした。各々単一の卵管／卵巣に帰するスコアを合計し、そして試験された器官の数で除算して、その群についての炎症の平均を得た。ＰＬＧでカプセル化した空のベクターを受ける、陰性コントロールの免疫動物は、ＰＬＧでカプセル化したＤＮＡで免疫した群についての５．７１に対して、７．２８の卵巣／卵管平均炎症スコアを有する一貫した炎症を示した。腹膜における炎症は、コントロールについての３．７５に対して、ワクチン接種した群について１．７５であった。
【０８１７】
第３の実験において、Ｃ３Ｈマウス（１群あたり４匹）を、コレラ毒素（ＣＴ）と混合した１０μｇの精製組換えタンパク質（ＳＷＩＢ（配列番号１、配列番号５において提供される対応するアミノ酸配列を有する）またはＳ１３（配列番号４、配列番号１２において提供される対応するアミノ酸配列を有する）のいずれか）を用いて３回免疫し；この調製物を、２０μＬ容量で麻酔の際に鼻内投与した。最後の免疫の２週間後、動物を、プロゲステロン処置し、そしてＣ．ｐｓｉｔｔａｃｉの膣への接種によるかまたは子宮におけるＣ．ｔｒａｃｈｏｍａｔｉｓ血液型亜型Ｆの注射によるかのいずれかで感染させた。感染の２週間後、これらのマウスを屠殺し、そして生殖管を切り出し、染色し、そして組織病理学について試験した。炎症の程度を、上記のようにスコア付けした。各々単一の卵管／卵巣に帰するスコアを合計し、そして試験された器官の数で除算して、その群についての炎症の平均スコアを得た。子宮接種のモデルにおいて、コレラ毒素単独を受ける、陰性コントロールの免疫動物は、ｓ１３およびコレラ毒素で免疫した群についての５．００、ならびにＳＷＩＢおよびコレラ毒素で免疫した群についての１．００に対して、４．２５（分析した２匹のマウスのみ；他の２匹は死んだ）の卵巣／卵管平均炎症スコアを示した。未処置の感染動物は、７の卵巣／卵管平均炎症スコアを有した。膣接種および上昇感染のモデルにおいて、陰性コントロールの免疫マウスは、ｓ１３およびコレラ毒素で免疫した群についての６．７５、ならびにＳＷＩＢおよびコレラ毒素で免疫した群についての５．３７に対して、７．３７の卵巣／卵管平均炎症スコアを有した。未処置の感染動物は、８の卵巣／卵管平均炎症スコアを有した。
【０８１８】
上記の３つの実験は、ＳＷＩＢ特異的防御が得られ得ることを示唆する。この防御効果は、相同感染のモデルにおいて、より顕著であるが、Ｃ．ｐｓｉｔｔａｃｉを用いる異種チャレンジ感染における場合においてもなお存在する。
【０８１９】
（２．ＣＴ５２９／Ｃａｐ１）
ＣＴ５２９／Ｃａｐ１を、ＣＤ８＋ＣＴＬを刺激するＣｈｌａｍｙｄｉａからの産物としてより初期に同定した。この実施例において、本発明者らは、Ｃａｐ１での免疫はｃｈｌａｍｙｄｉａ感染の動物モデルにおいて防御性であることを確認に努めた。
【０８２０】
Ｃａｐ１免疫原性フラグメントの送達のための組換えワクシニアウイルスを作製するために、修飾したＫｏｚａｋ配列およびｃａｐ１遺伝子（ＣＴ５２９）の３１９〜５３０の塩基対を含有するＤＮＡフラグメントを、ＰＣＲＴＭを使用してＣ．ｔｒａｃｈｏｍａｔｉｓ　Ｌ２ゲノムＤＮＡから増幅し、そしてこれらをｐＳＣ１１ｓｓ（Ｅａｒｌ　ＰＬ，Ｋｏｅｎｉｇ　Ｓ，Ｍｏｓｓ　Ｂ（１９９１）Ｂｉｏｌｏｇｉｃａｌ　ａｎｄ　ｉｍｍｕｎｏｌｏｇｉｃａｌ　ｐｒｏｐｅｒｔｉｅｓ　ｏｆ　ｈｕｍａｎ　ｉｍｍｕｎｏｄｅｆｉｃｉｅｎｃｙ　ｖｉｒｕｓ　ｔｙｐｅ　１　ｅｎｖｅｌｏｐｅ　ｇｌｙｃｏｐｒｏｔｅｉｎ：ａｎａｌｙｓｉｓ　ｏｆ　ｐｒｏｔｅｉｎｓ　ｗｉｔｈ　ｔｒｕｎｃａｔｉｏｎｓ　ａｎｄ　ｄｅｌｅｔｉｏｎｓ　ｅｘｐｒｅｓｓｅｄ　ｂｙ　ｒｅｃｏｍｂｉｎａｎｔ　ｖａｃｃｉｎｉａ　ｖｉｒｕｓｅｓ．Ｊ　Ｖｉｒｏｌ．６５：３１−４１）に連結した。ＳａｌＩおよびＳｔｕＩでＤＮＡを消化した。ｐＳＣ１１ｓｓに連結したｃａｐ１遺伝子の一部は、Ｃａｐ１タンパク質のアミノ酸１０７〜１７６をコードし、このタンパク質は、以前に同定されたアミノ酸１３９〜１４７であるＣＴＬエピトープを含む。得られたプラスミドを使用して、ＣＶ−１細胞（ＡＴＣＣ＃　ＣＣＬ−７０；Ｊｅｎｓｅｎ　ＦＣら（１９６４）Ｉｎｆｅｃｔｉｏｎ　ｏｆ　ｈｕｍａｎ　ａｎｄ　ｓｉｍｉａｎ　ｔｉｓｓｕｅ　ｃｕｌｔｕｒｅｓ　ｗｉｔｈ　Ｒｏｕｓ　Ｓａｒｃｏｍａ　Ｖｉｒｕｓ．Ｐｒｏｃ．Ｎａｔｌ．Ａｃａｄ．Ｓｃｉ．ＵＳＡ　５２：５３−５９．）をトランスフェクトし、その後、この細胞を野生型のワクシニアウイルスに感染させた。野生型ウイルスとプラスミドＤＮＡとの間の相同性組換えによって、組換えワクシニアウイルスを作製し、そして組換えワクシニアウイルスを以前に述べたように（Ｃｈａｋｒａｂａｒｔｉら，Ｍｏｌ　Ｃｅｌｌ　Ｂｉｏｌ．１９８５，５（１２）：３４０３−９）、β−ガラクトシダーゼ発現とチミジンキナーゼの不活性化との両方に基づいて選択した。組換えウイルスを、３回プラーク精製し、ヒトＴＫ−１４３Ｂ細胞内で増殖後に滴定した。ウイルス調製物を、同量の０．２５ｍｇ／ｍｌトリプシンで３０分間、３７℃にて処理し、そしてマウスの免疫前にＰＢＳで希釈した。５匹のマウスの群を、全ての実験群およびコントロール群のために使用した。以下に提示したデータは、３つの独立した実験の代表的なものである。
【０８２１】
マウスの群を、１０６の組換えワクシニアでｉ．ｐ．免疫し、そして、３週間回復させた。陰性コントロール群を、緩衝液単独または野生型ワクシニアのいずれかで免疫した。陽性コントロールとして、マウスの群を１０６ｉ．ｆ．ｕ．のＣ．ｔｒａｃｈｏｍａｔｉｓでｉ．ｖ．感染させた。この陽性コントロールに与えられた生物数は、以前には、２週間以内で浄化されたことが示された。３週間後、各群の動物を１０６ｉ．ｆ．ｕ．のＣ．ｔｒａｃｈｏｍａｔｉｓの静脈注射で免疫性を試験した。この免疫性試験の３日後に、このマウスを屠殺し、そして脾臓あたりのｉ．ｆ．ｕ．数を決定した。
【０８２２】
Ｃａｐ１（７．１×１０４）を発現するワクシニアウイルスで免疫した動物の脾臓中にて見出された生物の平均数は、緩衝液（１．８×１０５）または野生型ワクシニア（１．９×１０５）で免疫したコントロール群の動物の２．６分の１であった（ｐ＜０．０１；ウィルコクスン順位和検定）。陽性の群の動物は、脾臓当たり陰性コントロール群の動物の７７分の１の動物（２．４×１０３）を有した（ｐ＜０．０１；ウィルコクスンの順位和検定）。これらのデータは、Ｃａｐ１の免疫原性フラグメントでの免疫がＣ．ｔｒａｃｈｏｍａｔｉｓ感染に対して統計的に有意なレベルの防御を与え得ることを実証する。
【０８２３】
（実施例１０）
（Ｐｍｐ／Ｒａ１２融合タンパク質）
種々のＰｍｐ／Ｒａ１２融合構築物を、ＮｏｔＩ制限部位を含むプライマーを使用してＰｍｐ遺伝子の第一のＰＣＲフラグメントをはじめに合成することによって生成した。次いで、各ＰＣＲフラグメントを、ｐＣＲＸ１のＮｏｔＩ制限部位に連結した。このｐＣＲＸ１ベクターは、この融合物の６ＨｉｓＲａ１２部分を含む。この融合構築物のＲａ１２部分は、米国特許出願番号６０／１５８，５８５（この開示は、本明細書中で参考として援用される）に記載されるようにＭｙｃｏｂａｃｔｅｒｉｕｍ　ｔｕｂｅｒｃｕｌｏｓｉｓ　ＭＴＢ３２Ａの１９２〜３２３のアミノ酸残基に対応するポリペプチドをコードする。各挿入物の正確な方向を、制限酵素パターンで決定し、そしてこの配列を検証した。複数の融合構築物を、さらに以下に示されるように、ＰｍｐＡ、ＰｍｐＢ、ＰｍｐＣ、ＰｍｐＦおよびＰｍｐＨについて作製した：
（ＰｍｐＡ融合タンパク質）
ＰｍｐＡは、９８２のアミノ酸を含有する１０７ｋＤタンパク質であり、そしてこのＰｍｐＡを、血清型亜型Ｅからクローニングした。このＰｍｐＡタンパク質を、２つの重複するフラグメント、すなわち、ＰｍｐＡ（Ｎ末端）部分およびＰｍｐＡ（Ｃ末端）部分に分割した。
【０８２４】
ＰｍｐＡ（Ｎ末端）を、それぞれ以下のセンスプライマーおよびアンチセンスプライマーによって増幅した：
【０８２５】
【化１２】
2004513622.tif 000019
2004513622.tif 000020
。この得られた増幅構築物は、配列番号３０８に示されるＤＮＡ配列を有し、そして、ＰｍｐＡの１〜４７３ａａのセグメントを発現する６６ｋＤのタンパク質（６１９ａａ）をコードする。この融合タンパク質のアミノ酸配列は、配列番号３０９に示される。
【０８２６】
ＰｍｐＡ（Ｃ末端）を、それぞれ以下のセンスプライマーおよびアンチセンスプライマーによって増幅した：
【０８２７】
【化１３】
2004513622.tif 000021
。この得られた融合構築物は、配列番号３１２に示されるＤＮＡ配列を有し、そして、ＰｍｐＡの４３８〜９８２ａａのセグメントを発現する７４ｋＤのタンパク質（６９１ａａ）をコードする。この融合タンパク質のアミノ酸配列は、配列番号３１３に示される。
【０８２８】
（ＰｍｐＦ融合タンパク質）
ＰｍｐＦは、１０３４ａａを含む１１２ｋＤのタンパク質であり、そしてこのＰｍｐＦを血液型亜型Ｅからクローニングした。ＰｍｐＦタンパク質を、２つの重複したフラグメント、すなわち、ＰｍｐＦ（Ｎ末端）部分および（Ｃ末端）部分に分割した。
【０８２９】
ＰｍｐＦ（Ｎ末端）を、それぞれ以下のセンスプライマーおよびアンチセンスプライマーによって増幅した：
【０８３０】
【化１４】
2004513622.tif 000022
。この得られた融合物は、配列番号３１６に示されるＤＮＡ配列を有し、そして、ＰｍｐＦの１〜４９９ａａのセグメントを発現する６９ｋＤのタンパク質（６４６ａａ）をコードする。この融合タンパク質のアミノ酸配列は、配列番号３１７に示される。
【０８３１】
ＰｍｐＦ（Ｃ末端）を、それぞれ以下のセンスプライマーおよびアンチセンスプライマーによって増幅した：
【０８３２】
【化１５】
2004513622.tif 000023
。この得られた融合物は、配列番号３２０に示されるＤＮＡ配列を有し、そしてＰｍｐＦの４６６〜１０３４ａａのセグメントを発現する７７ｋＤのタンパク質（７１５ａａ）をコードする。この融合タンパク質のアミノ酸配列は。配列番号３２１に示される。
【０８３３】
（ＰｍｐＨ融合タンパク質）
ＰｍｐＨは、１０１６ａａを含む１０８ｋＤのタンパク質であり、そしてこのＰｍｐＨを血液型亜型Ｅからクローニングした。このＰｍｐＨタンパク質を、２つの重複したフラグメント、すなわち、ＰｍｐＨ（Ｎ末端）部分および（Ｃ末端）部分に分割した。
【０８３４】
ＰｍｐＨ（Ｎ末端）を、それぞれ以下のセンスプライマーおよびアンチセンスプライマーによって増幅した：
【０８３５】
【化１６】
2004513622.tif 000024
。得られた融合物は、配列番号３２４に示されるＤＮＡ配列を有し、そしてＰｍｐＨの１〜４８４ａａのセグメントを発現する６４ｋＤのタンパク質（６３１ａａ）をコードする。この融合タンパク質のアミノ酸配列は、配列番号３２５に示される。このドナー株ＣＨＨ０３７がこのタンパク質に対して反応性であることを見出した。
【０８３６】
ＰｍｐＨ（Ｃ末端）を、それぞれ以下のセンスプライマーおよびアンチセンスプライマーによって増幅した：
【０８３７】
【化１７】
2004513622.tif 000025
。この得られた融合物は、配列番号３２８に示されるＤＮＡ配列を有し、そして、ＰｍｐＨの４４９〜１０１６ａａのセグメントを発現する７７ｋＤのタンパク質（７１５ａａ）をコードする。この融合タンパク質のアミノ酸配列は、配列番号３２９に示される。患者株ＣＴ１２がこのタンパク質に応答して反応性であることを見出した。
【０８３８】
（ＰｍｐＢ融合タンパク質）
ＰｍｐＢは、１７５０ａａを含む１８３ｋＤのタンパク質であり、そしてこのＰｍｐＢを血液型亜型Ｅからクローニングした。ＰｍｐＢタンパク質を、４つの重複したフラグメント、すなわち、ＰｍｐＢ（１）、ＰｍｐＢ（２）、ＰｍｐＢ（３）、およびＰｍｐＢ（４）に分割した。
【０８３９】
ＰｍｐＢ（１）を、それぞれ以下のセンスプライマーおよびアンチセンスプライマーによって増幅した：
【０８４０】
【化１８】
2004513622.tif 000026
。得られた融合物は、配列番号３３２に示されるＤＮＡ配列を有し、そして、ＰｍｐＢの１〜３７２ａａのセグメントを発現する５３ｋＤのタンパク質（５１８ａａ）をコードする。この融合タンパク質のアミノ酸配列は、配列番号３３３に示される。
【０８４１】
ＰｍｐＢ（２）を、それぞれ以下のセンスプライマーおよびアンチセンスプライマーによって増幅した：
【０８４２】
【化１９】
2004513622.tif 000027
。この得られた融合物は、配列番号３３６に示されるＤＮＡ配列を有し、そして、この融合物は、ＰｍｐＢの３３０〜７６７ａａのセグメントを発現する６０ｋＤのタンパク質（５８５ａａ）をコードする。この融合タンパク質のアミノ酸配列は、配列番号３３７に示される。患者株ＣＴ１、ＣＴ３、ＣＴ４に由来する細胞株は、この組換えｐｍｐＢタンパク質に応答した。
【０８４３】
ＰｍｐＢ（３）を、それぞれ以下のセンスプライマーおよびアンチセンスプライマーによって増幅した：
【０８４４】
【化２０】
2004513622.tif 000028
。この得られた融合物は、配列番号３４０に示されるＤＮＡ配列を有し、そして、ここの融合物は、ＰｍｐＢの７３２〜１２３６ａａのセグメントを発現する６７ｋＤのタンパク質（６５４ａａ）をコードする。この融合タンパク質のアミノ酸配列は、配列番号３４１に示される。
【０８４５】
ＰｍｐＢ（４）を、それぞれ以下のセンスプライマーおよびアンチセンスプライマーによって増幅した：
【０８４６】
【化２１】
2004513622.tif 000029
。この得られた融合物は、配列番号３４４に示されるＤＮＡ配列を有し、そして、この融合物は、ＰｍｐＢの１１６０〜１７５０のセグメントを発現する７６ｋＤのタンパク質（７００ａａ）をコードする。この融合タンパク質のアミノ酸配列は、配列番号３４５に示される。
【０８４７】
（ＰｍｐＣ融合タンパク質）
ＰｍｐＣは、１７７４ａａを含む１８７ｋＤのタンパク質であり、そしてこのＰｍｐＣを血液型亜型Ｅ／Ｌ２からクローニングした。ＰｍｐＣタンパク質を、３つの重複したフラグメント、すなわち、ＰｍｐＣ（１）、ＰｍｐＣ（２）およびＰｍｐＣ（３）に分割した。
【０８４８】
ＰｍｐＣ（１）を、それぞれ以下のプライマーおよびアンチセンスプライマーによって増幅した：
【０８４９】
【化２２】
2004513622.tif 000030
。この得られた融合構築物は、配列番号３４８に示されるＤＮＡ配列を有し、そして、ＰｍｐＣの１〜３４０ａａのセグメントを発現する５１ｋＤのタンパク質（４８７ａａ）をコードする。この融合タンパク質のアミノ酸配列は、配列番号３４９に示される。
【０８５０】
ＰｍｐＣ（２）を、それぞれ以下のセンスプライマーおよびアンチセンスプライマーによって増幅した：
【０８５１】
【化２３】
2004513622.tif 000031
。この得られた融合構築物は、配列番号３５２に示されるＤＮＡ配列を有し、そしてＰｍｐＣの３０５〜７４１ａａのセグメントを発現する６０ｋＤのタンパク質（５８３ａａ）をコードする。この融合タンパク質のアミノ酸配列は。配列番号３５３に示される。
【０８５２】
ＰｍｐＣ（３）を、それぞれ以下のセンスプライマーおよびアンチセンスプライマーによって増幅した：
【０８５３】
【化２４】
2004513622.tif 000032
。この得られた融合構築物は、配列番号３５６に示されるＤＮＡ配列を有し、そしてＰｍｐＣの７１４〜１２５０ａａのセグメントを発現する７０ｋＤのタンパク質（６８３ａａ）をコードする。この融合タンパク質のアミノ酸配列は、配列番号３５７に示される。
【０８５４】
（実施例１１）
（ＣＴ６２２の免疫原性）
Ｃｈｌａｍｙｄｉａ特異的Ｔ細胞株を、Ｃｈｌａｍｙｄｉａ感染を有する２人の患者から作製し、そしてこの株は、ＣＴ１およびＣＴ１３として示した。このＴ細胞株を、７２時間、Ｃ．ｔｒａｃｈｏｍａｔｉｓ　血液型亜型Ｅに感染した、単核細胞由来の樹状細胞に対して生成したか（ＣＴ１−ＥＲＢ）、または血液型亜型Ｅ基本小体（ｅｌｅｍｅｎｔａｒｙ　ｂｏｄｙ）（ＥＢ）に対して生成した（ＣＴ１３−ＥＥＢ）。一旦生成されると、これらの株を、組換えＣｈｌａｍｙｄｉａ特異的タンパク質、すなわちＣＴ６２２に対して増殖アッセイ中で試験した。増殖アッセイを、組換えＣＴ抗原（２μｇ／ｍｌ）またはＣｈｌａｍｙｄｉａ　ＥＢ（１μｇ／ｍｌ）のいずれかを用いて１×１０４の単核細胞由来樹状細胞の存在下で２．５×１０４Ｔ細胞を刺激することによって実施した。このアッセイを、４日間インキュベートし、最後の１８時間にて３Ｈ−チミジンのパルスを行った。
【０８５５】
細胞株ＣＴ１−ＥＲＢは、ＣＴ６２２、ＣＴ８７５およびＣＴ　ＥＢで刺激した場合、培地のコントロールよりも有意な増殖性応答を実証した。細胞株ＣＴ１３−ＥＥＢは、ＣＴ６２２、ＣＴ８７５およびＣＴ　ＥＢで刺激した場合、培地のコントロールよりも有意な増殖性応答を実証した（図１２を参照のこと）。
【０８５６】
（実施例１２）
（全長のＣｈｌａｍｙｄｉａ　Ｔｒａｃｈｏｍａｔｉｓ遺伝子のＣＴ６１１、ＯＲＦ３およびＯｐｐＡ１のクローニングおよび発現）
全長のオープンリーディングフレームの組換えタンパク質発現を、遺伝子ＣＴ６１１、ＯＲＦ−３、およびｏｐｐＡ１を含有するクローンについて実施した。目的の遺伝子を含んだクローンは、４つのＯＲＦ（ＣＴ４７４，ＣＴ４７３、ＣＴ０６０、およびＣＴ１３９）をコードするＣｔＬ２−８（配列番号２８５）、ＣＴ６１０およびＣＴ６１１のＯＲＦをコードするＣｔＬ２−１０（配列番号２８４）、ならびにクローン１６ＣｔＬ２−１６（配列番号４７）、１６−Ｄ４−２２（配列番号１１９）および１９−Ａ５−５４（配列番号８４）（全てＯＲＦ−３に関連する配列を含む）であった。ＣｔＬ２−１０（Ｃｔ−６１０）およびＣｔＬ２−１６（ＯＲＦ−３）の中の配列をまた、Ｔ細胞発現クローニングアプローチによって別個に同定した。クローンＣｔＬ２−８は、さらに、血液型亜型Ｅに対して産生した２つのＴ細胞株によって増殖性応答およびＩＦＮ−γ産生を刺激したことが調査された。
【０８５７】
（クローン配列のクローニングおよび発現：）
ＣｔＬ２−１０が、２つのリーディングフレーム（ＯＲＦ）、すなわちＣＴ６１０およびＣＴ６１１をコードすることを見出し、そしてこれらがゲノムクローン中で互いに組織されて隣接することを見出した。全長ＯＲＦのＣＴ６１０（ＰＱＱ合成ドメインを含む）を、あらかじめ発現させ、そしてＣｈｌａｍｙｄｉａに対して生成されたＴ細胞株の増殖性応答を刺激することを実証した。第２のＯＲＦすなわちＣＴ６１１がまたＴ細胞によって認識されるか否かを決定するために、ＣＴ６１１の全長配列をＰＣＲで増幅し、そしてタンパク質発現のために操作した。このヌクレオチド配列を、配列番号３６１に記載し、対応するアミノ酸配列を配列番号３６５で開示する。
【０８５８】
第２の血清学的クローンであるＣｔＬ２−８が、４つのＯＲＦ（ＣＴ４７４、ＣＴ４７３、ＣＴ０６０およびＣＴ１３９）を含むことを見出した。３つの小さいＯＲＦ（ＣＴ４７４、ＣＴ４７３、およびＣＴ０６０）に対する重複したペプチドは、Ｔ細胞株の増殖性応答を刺激しなかった。このことによって、免疫賦活性の抗原は４番目のＯＲＦすなわちＣＴ１３９に存在することが示唆される。ＣＴ１３９のＯＲＦは、約４５０ヌクレオチドである。全長ヌクレオチド配列を配列番号３５９に開示し、そしてこの全長アミノ酸配列を配列番号３６３で開示する。Ｇｅｎｂａｎｋによるアミノ酸配列比較によって、これがオリゴペプチド結合タンパク質（ｏｐｐＡ１）あることおよびペプチドＡＢＣトランスポーターファミリーに属することが明らかになった。このタンパク質は、予測された４８．３ｋＤａのサイズを有する４６２アミノ酸長であり、そしてこのタンパク質は２つの膜貫通領域を有するようである。
【０８５９】
全長配列のｏｐｐＡ１を発現させるために、アミノ酸残基２２から開始して特異的に配列（第１の膜貫通ドメインを欠いている）を増幅したオリゴヌクレオチドを設計し、これに対するヌクレオチド配列を配列番号３５８で開示し、そしてこのアミノ酸配列を配列番号３６２で開示する。これは、Ｅ．ｃｏｌｉ中でこのタンパク質を発現することを示す。
【０８６０】
ＯＲＦ−３の全長クローングおよび組換えタンパク質発現をまた、達成した。このヌクレオチド配列およびアミノ酸配列を、それぞれ、配列番号３６０および配列番号３６４で開示した。
【０８６１】
（実施例１３）
（Ｔ細胞株によって認識される組換えＣｈｌａｍｙｄｉａ抗原）
患者のＴ細胞株を以下のドナーから作製した：ＣＴ１、ＣＴ２、ＣＴ３、ＣＴ４、ＣＴ５、ＣＴ６、ＣＴ７、ＣＴ８、ＣＴ９、ＣＴ１０、ＣＴ１１、ＣＴ１２、ＣＴ１３、ＣＴ１４、ＣＴ１５、およびＣＴ１６（このうちいくつかは上で議論した）。これらの詳細の要約は、表Ｖに含まれる。
【０８６２】
【表５】
2004513622.tif 000033
2004513622.tif 000034
2004513622.tif 000035
ＮＧＵ＝非淋病性尿道炎；
ＢＶ＝細菌性膣疾患；
ＣＴ＝Ｃｈｌａｍｙｄｉａ　ｔｒａｃｈｏｍａｔｉｓ；
Ｃｐ＝Ｃｈｌａｍｙｄｉａ　ｐｎｅｕｍｏｎｉａｅ；
Ｅｂ＝Ｃｈｌａｍｙｄｉａ基本小体；
ＨＰＶ　＝ヒトパピローマ（ｐａｐｉｌｏｍａ）ウイルス；
Ｄｘ＝診断；
ＰＩＤ＝骨盤炎症性疾患；
ＬＣＲ＝リガーゼ連鎖反応。
【０８６３】
ＰＢＭＣを、第２の系列のドナーから収集し、そしてＴ細胞株をこれらのサブセットから作製した。このようなＴ細胞の３つについての詳細の要約を以下の表に列挙する。
【０８６４】
【表６】
2004513622.tif 000036
ドナーＣＨＨ０１１は、Ｃ．ｔｒａｃｈｏｍａｔｉｓついての血清陰性である健康な４９歳の女性ドナーである。ＰＢＭＣは、Ｃ．ｐｎｅｕｍｏｎｉａｅ基本小体と比較した場合に、Ｃ．ｔｒａｃｈｏｍａｔｉｓ基本小体に応答してより多くの量のＩＦＮ−γを産生し、このことは、Ｃ．ｔｒａｃｈｏｍａｔｉｓ特異性の応答を示す。ドナーＣＨＨ０３７は、Ｃ．ｔｒａｃｈｏｍａｔｉｓついての血清陰性である２２歳の健康な女性ドナーである。ＰＢＭＣは、Ｃ．ｐｎｅｕｍｏｎｉａｅ基本小体と比較した場合、Ｃ．ｔｒａｃｈｏｍａｔｉｓ基本小体に応答してより多くの量のＩＦＮ−γを産生し、これは、Ｃ．ｔｒａｃｈｏｍａｔｉｓ特異的な応答であること示す。ＣＨＨ０４２は、Ｃ．ｐｎｅｕｍｏｎｉａｅに対して１：１６のＩｇＧ力価を有する２５歳の健康な女性のドナーである。ＰＢＭＣは、Ｃ．ｐｎｅｕｍｏｎｉａｅ基本小体と比較した場合、Ｃ．ｔｒａｃｈｏｍａｔｉｓ基本小体に応答してより多くの量のＩＦＮ−γを産生し、これは、Ｃ．ｔｒａｃｈｏｍａｔｉｓ特異的応答を示す。
【０８６５】
いくつかのＣｈｌａｍｙｄｉａ　ｔｒａｃｈｏｍａｔｉｓ遺伝子に対する組換えタンパク質を、上記のように作製した。ＭＯＭＰについての配列は、血液型亜型Ｆに由来した。この遺伝子の、ＣＴ８７５、ＣＴ６２２、ｐｍｐ−Ｂ−２、ｐｍｐＡおよびＣＴ５２９は、血液型亜型Ｅに由来し、そして、遺伝子の、ｇｒｏ−ＥＬ、Ｓｗｉｂ、ｐｍｐＤ、ｐｍｐＧ、ＴＳＡ、ＣＴ６１０、ｐｍｐＣ、ｐｍｐＥ、Ｓ１３、ｌｐｄＡ、ｐｍｐＩ、およびｐｍｐＨ−Ｃに対する配列は、ＬＩＩに由来した。
【０８６６】
上記のようないくつかの患者株およびドナーの株を、組換えＣｈｌａｍｙｄｉａタンパク質に対して試験した。表ＩＶは、これらの組換えＣｈｌａｍｙｄｉａタンパク質に対するＴ細胞応答の結果を要約する。
【０８６７】
【表７】
2004513622.tif 000037
2004513622.tif 000038
本発明は、理解を明確にする目的のための例示および実施例によって幾分詳細に記載されているが、変化および改変を、添付の特許請求の範囲によってのみ限定されることが意図される本発明の範囲から逸脱することなしに、実施し得る。
【図面の簡単な説明】
【図１】
図１は、クローン４Ｃ９−１８＃２を発現する標的細胞により活性化されるＣｈｌａｍｙｄｉａ特異的Ｔ細胞株からのＩＮＦ−γの誘導を示す。
【図２】
図２は、コザック翻訳開始部位および終止コドンを含むように改変されたレトロウイルスベクターｐＢＩＢ−ＫＳ１，２，３を示す。
【図３】
図３は、ＣｈｌａｍｙｄｉａペプチドＣｔＣ７．８−１２（配列番号１８）およびＣｔＣ７．８−１３（配列番号１９）とパルスしたＰ８１５細胞のクロム放出アッセイの特異的溶解を示す。
【図４】
図４は、Ｃ．ｔｒａｃｈｏｍａｔｉｓ　ＳＷＩＢタンパク質で免疫したＣ５７Ｂｌ／６マウスにおける抗体アイソタイプの力価を示す。
【図５】
図５は、Ｃ．ｔｒａｃｈｏｍａｔｉｓ　ＳＷＩＢタンパク質で免疫したＣ３Ｈマウス由来の脾細胞におけるＣｈｌａｍｙｄｉａ特異的Ｔ細胞増殖応答を示す。
【図６】
図６は、Ｃ．ｐｎｅｕｍｏｎｉａｅからのＳＷＩＢおよびＳ１３の遺伝子を単離するために使用した、Ｃ．ｐｎｅｕｍｏｎｉａｅから設計した５’および３’プライマー配列を示す。
【図７】
図７Ａおよび７Ｂは、Ｃｈｌａｍｙｄｉａのタンパク質を発現する単球由来の樹状細胞による活性化の際に、Ｃ．ｔｒａｃｈｏｍａｔｉｓおよびＣ．ｐｎｅｕｍｏｎｉａｅに対して交差反応し得るヒト抗ＣｈｌａｍｙｄｉａＴ細胞株（ＴＣＬ−８）からのＩＦＮ−γの誘導を示す。
【図８】
図８は、Ｔ細胞株ＴＣＬ　８　ＥＢ／ＤＣを用いた、ＣｈｌａｍｙｄｉａのリボソームＳ１３タンパク質におけるＴ細胞エピトープの同定を示す。
【図９】
図９ＡおよびＢは、Ｃ．ｐｎｕｅｍｏｎｉａｅ感染樹状細胞に対して生成されたＣＰ−２１　Ｔ細胞の、組換えＣ．ｐｎｅｕｍｏｎｉａ−ＳＷＩＢタンパク質に対する増殖性応答を示すが、Ｃ．ｔｒａｃｈｏｍａｔｉｓ　ＳＷＩＢタンパク質に対しては示さなかった。
【図１０】
図１０は、無症候性ドナー由来の初代Ｔ細胞株（ＴＣＴ−１０　ＥＢ）のＣ．ｔｒａｃｈｏｍａｔｉｓ特異的ＳＷＩＢ増殖性応答を示す。
【図１１】
図１１は、抗原特異的Ｔ細胞株（ＴＣＬ−１０　ＥＢ）を用いた、Ｃ．ｔｒａｃｈｏｍａｔｉｓ　ＳＷＩＢにおけるＴ細胞エピトープの同定を示す。
【図１２】
図１２は、ＣＴ特異的抗原ＣＴ６２２、ＣＴ８７５およびＣＴ　ＥＢに対する、２人の患者から生じた初代Ｔ細胞株のＣ．ｔｒａｃｈｏｍａｔｉｓ特異的増殖性応答を示す。
【図１】
2004513622.tif 000039
【図２】
2004513622.tif 000040
【図３】
2004513622.tif 000041
【図４】
2004513622.tif 000042
【図５】
2004513622.tif 000043
【図６】
2004513622.tif 000044
【図７】
2004513622.tif 000045
【図８】
2004513622.tif 000046
【図９】
2004513622.tif 000047
【図１０】
2004513622.tif 000048
【図１１】
2004513622.tif 000049
【図１２】
2004513622.tif 000050
【国際公開パンフレット】
2004513622.tif 000051
2004513622.tif 000052
2004513622.tif 000053
2004513622.tif 000054
2004513622.tif 000055
2004513622.tif 000056
2004513622.tif 000057
2004513622.tif 000058
2004513622.tif 000059
2004513622.tif 000060
2004513622.tif 000061
2004513622.tif 000062
2004513622.tif 000063
2004513622.tif 000064
2004513622.tif 000065
2004513622.tif 000066
2004513622.tif 000067
2004513622.tif 000068
2004513622.tif 000069
2004513622.tif 000070
2004513622.tif 000071
2004513622.tif 000072
2004513622.tif 000073
2004513622.tif 000074
2004513622.tif 000075
2004513622.tif 000076
2004513622.tif 000077
2004513622.tif 000078
2004513622.tif 000079
2004513622.tif 000080
2004513622.tif 000081
2004513622.tif 000082
2004513622.tif 000083
2004513622.tif 000084
2004513622.tif 000085
2004513622.tif 000086
2004513622.tif 000087
2004513622.tif 000088
2004513622.tif 000089
2004513622.tif 000090
2004513622.tif 000091
2004513622.tif 000092
2004513622.tif 000093
2004513622.tif 000094
2004513622.tif 000095
2004513622.tif 000096
2004513622.tif 000097
2004513622.tif 000098
2004513622.tif 000099
2004513622.tif 000100
2004513622.tif 000101
2004513622.tif 000102
2004513622.tif 000103
2004513622.tif 000104
2004513622.tif 000105
2004513622.tif 000106
2004513622.tif 000107
2004513622.tif 000108
2004513622.tif 000109
2004513622.tif 000110
2004513622.tif 000111
2004513622.tif 000112
2004513622.tif 000113
2004513622.tif 000114
2004513622.tif 000115
2004513622.tif 000116
2004513622.tif 000117
2004513622.tif 000118
2004513622.tif 000119
2004513622.tif 000120
2004513622.tif 000121
2004513622.tif 000122
2004513622.tif 000123
2004513622.tif 000124
2004513622.tif 000125
2004513622.tif 000126
2004513622.tif 000127
2004513622.tif 000128
2004513622.tif 000129
2004513622.tif 000130
2004513622.tif 000131
2004513622.tif 000132
2004513622.tif 000133
2004513622.tif 000134
2004513622.tif 000135
2004513622.tif 000136
2004513622.tif 000137
2004513622.tif 000138
2004513622.tif 000139
2004513622.tif 000140
2004513622.tif 000141
2004513622.tif 000142
2004513622.tif 000143
2004513622.tif 000144
2004513622.tif 000145
2004513622.tif 000146
2004513622.tif 000147
2004513622.tif 000148
2004513622.tif 000149
2004513622.tif 000150
2004513622.tif 000151
2004513622.tif 000152
2004513622.tif 000153
2004513622.tif 000154
2004513622.tif 000155
2004513622.tif 000156
2004513622.tif 000157
2004513622.tif 000158
2004513622.tif 000159
2004513622.tif 000160
2004513622.tif 000161
2004513622.tif 000162
2004513622.tif 000163
2004513622.tif 000164
2004513622.tif 000165
2004513622.tif 000166
2004513622.tif 000167
2004513622.tif 000168
2004513622.tif 000169
2004513622.tif 000170
2004513622.tif 000171
2004513622.tif 000172
2004513622.tif 000173
2004513622.tif 000174
2004513622.tif 000175
2004513622.tif 000176
2004513622.tif 000177
2004513622.tif 000178
2004513622.tif 000179
2004513622.tif 000180
2004513622.tif 000181
2004513622.tif 000182
2004513622.tif 000183
2004513622.tif 000184
2004513622.tif 000185
2004513622.tif 000186
2004513622.tif 000187
2004513622.tif 000188
2004513622.tif 000189
2004513622.tif 000190
2004513622.tif 000191
2004513622.tif 000192
2004513622.tif 000193
2004513622.tif 000194
2004513622.tif 000195
2004513622.tif 000196
2004513622.tif 000197
2004513622.tif 000198
2004513622.tif 000199
2004513622.tif 000200
2004513622.tif 000201
2004513622.tif 000202
2004513622.tif 000203
2004513622.tif 000204
2004513622.tif 000205
2004513622.tif 000206
2004513622.tif 000207
2004513622.tif 000208
2004513622.tif 000209
2004513622.tif 000210
2004513622.tif 000211
2004513622.tif 000212
2004513622.tif 000213
2004513622.tif 000214
2004513622.tif 000215
2004513622.tif 000216
2004513622.tif 000217
2004513622.tif 000218
2004513622.tif 000219
2004513622.tif 000220
2004513622.tif 000221
2004513622.tif 000222
2004513622.tif 000223
2004513622.tif 000224
2004513622.tif 000225
2004513622.tif 000226
2004513622.tif 000227
2004513622.tif 000228
2004513622.tif 000229
2004513622.tif 000230
2004513622.tif 000231
2004513622.tif 000232
2004513622.tif 000233
2004513622.tif 000234
2004513622.tif 000235
2004513622.tif 000236
2004513622.tif 000237
2004513622.tif 000238
2004513622.tif 000239
2004513622.tif 000240
2004513622.tif 000241
2004513622.tif 000242
2004513622.tif 000243
2004513622.tif 000244
2004513622.tif 000245
2004513622.tif 000246
2004513622.tif 000247
2004513622.tif 000248
2004513622.tif 000249
2004513622.tif 000250
2004513622.tif 000251
2004513622.tif 000252
2004513622.tif 000253
2004513622.tif 000254
2004513622.tif 000255
2004513622.tif 000256
2004513622.tif 000257
2004513622.tif 000258
2004513622.tif 000259
2004513622.tif 000260
2004513622.tif 000261
2004513622.tif 000262
2004513622.tif 000263
2004513622.tif 000264
2004513622.tif 000265
2004513622.tif 000266
2004513622.tif 000267
2004513622.tif 000268
2004513622.tif 000269
2004513622.tif 000270
2004513622.tif 000271
2004513622.tif 000272
2004513622.tif 000273
2004513622.tif 000274
2004513622.tif 000275
2004513622.tif 000276
2004513622.tif 000277
2004513622.tif 000278
2004513622.tif 000279
2004513622.tif 000280
2004513622.tif 000281
2004513622.tif 000282
2004513622.tif 000283
2004513622.tif 000284
2004513622.tif 000285
2004513622.tif 000286
2004513622.tif 000287
2004513622.tif 000288
2004513622.tif 000289
2004513622.tif 000290
2004513622.tif 000291
2004513622.tif 000292
2004513622.tif 000293
2004513622.tif 000294
2004513622.tif 000295
2004513622.tif 000296
2004513622.tif 000297
2004513622.tif 000298
2004513622.tif 000299
2004513622.tif 000300
2004513622.tif 000301
2004513622.tif 000302
2004513622.tif 000303
2004513622.tif 000304
2004513622.tif 000305
2004513622.tif 000306
2004513622.tif 000307
2004513622.tif 000308
2004513622.tif 000309
2004513622.tif 000310
2004513622.tif 000311
2004513622.tif 000312
2004513622.tif 000313
2004513622.tif 000314
2004513622.tif 000315
2004513622.tif 000316
2004513622.tif 000317
2004513622.tif 000318
2004513622.tif 000319
2004513622.tif 000320
2004513622.tif 000321
2004513622.tif 000322
2004513622.tif 000323
2004513622.tif 000324
2004513622.tif 000325
2004513622.tif 000326
2004513622.tif 000327
2004513622.tif 000328
2004513622.tif 000329
2004513622.tif 000330
2004513622.tif 000331
2004513622.tif 000332
2004513622.tif 000333
2004513622.tif 000334
2004513622.tif 000335
2004513622.tif 000336
2004513622.tif 000337
2004513622.tif 000338
2004513622.tif 000339
2004513622.tif 000340
2004513622.tif 000341
2004513622.tif 000342
2004513622.tif 000343
2004513622.tif 000344
2004513622.tif 000345
2004513622.tif 000346
2004513622.tif 000347
2004513622.tif 000348
2004513622.tif 000349
2004513622.tif 000350
2004513622.tif 000351
2004513622.tif 000352
2004513622.tif 000353
2004513622.tif 000354
2004513622.tif 000355
2004513622.tif 000356
2004513622.tif 000357
2004513622.tif 000358
2004513622.tif 000359
2004513622.tif 000360
2004513622.tif 000361
2004513622.tif 000362
2004513622.tif 000363
2004513622.tif 000364
2004513622.tif 000365
2004513622.tif 000366
2004513622.tif 000367
2004513622.tif 000368
2004513622.tif 000369
2004513622.tif 000370
2004513622.tif 000371
2004513622.tif 000372
2004513622.tif 000373
2004513622.tif 000374
2004513622.tif 000375
2004513622.tif 000376
2004513622.tif 000377
2004513622.tif 000378
2004513622.tif 000379
2004513622.tif 000380
2004513622.tif 000381
2004513622.tif 000382
2004513622.tif 000383
2004513622.tif 000384
2004513622.tif 000385
2004513622.tif 000386
2004513622.tif 000387
2004513622.tif 000388
2004513622.tif 000389
2004513622.tif 000390
2004513622.tif 000391
2004513622.tif 000392
2004513622.tif 000393
2004513622.tif 000394
2004513622.tif 000395
2004513622.tif 000396
2004513622.tif 000397
2004513622.tif 000398
2004513622.tif 000399
2004513622.tif 000400
2004513622.tif 000401
2004513622.tif 000402
2004513622.tif 000403
2004513622.tif 000404
2004513622.tif 000405
2004513622.tif 000406
2004513622.tif 000407
2004513622.tif 000408
2004513622.tif 000409
2004513622.tif 000410
2004513622.tif 000411
2004513622.tif 000412
2004513622.tif 000413
2004513622.tif 000414
2004513622.tif 000415
2004513622.tif 000416
2004513622.tif 000417
2004513622.tif 000418
2004513622.tif 000419
2004513622.tif 000420
2004513622.tif 000421
2004513622.tif 000422
2004513622.tif 000423
2004513622.tif 000424
2004513622.tif 000425
2004513622.tif 000426
2004513622.tif 000427
2004513622.tif 000428
2004513622.tif 000429
2004513622.tif 000430
2004513622.tif 000431
2004513622.tif 000432
2004513622.tif 000433
2004513622.tif 000434
2004513622.tif 000435
2004513622.tif 000436
2004513622.tif 000437
2004513622.tif 000438
2004513622.tif 000439
2004513622.tif 000440
2004513622.tif 000441
2004513622.tif 000442
2004513622.tif 000443
2004513622.tif 000444
2004513622.tif 000445
2004513622.tif 000446
2004513622.tif 000447
2004513622.tif 000448
2004513622.tif 000449
2004513622.tif 000450
2004513622.tif 000451
2004513622.tif 000452
2004513622.tif 000453
2004513622.tif 000454
2004513622.tif 000455
2004513622.tif 000456
2004513622.tif 000457
2004513622.tif 000458
2004513622.tif 000459
2004513622.tif 000460
2004513622.tif 000461
2004513622.tif 000462
2004513622.tif 000463
2004513622.tif 000464
2004513622.tif 000465
2004513622.tif 000466
2004513622.tif 000467
2004513622.tif 000468
2004513622.tif 000469
2004513622.tif 000470
2004513622.tif 000471
2004513622.tif 000472
2004513622.tif 000473
2004513622.tif 000474
2004513622.tif 000475
2004513622.tif 000476
2004513622.tif 000477
2004513622.tif 000478
2004513622.tif 000479
2004513622.tif 000480
2004513622.tif 000481
2004513622.tif 000482
2004513622.tif 000483
2004513622.tif 000484
2004513622.tif 000485
2004513622.tif 000486
2004513622.tif 000487
2004513622.tif 000488
2004513622.tif 000489
2004513622.tif 000490
2004513622.tif 000491
2004513622.tif 000492
2004513622.tif 000493
2004513622.tif 000494
2004513622.tif 000495
2004513622.tif 000496
2004513622.tif 000497
2004513622.tif 000498
2004513622.tif 000499
2004513622.tif 000500
2004513622.tif 000501
2004513622.tif 000502
2004513622.tif 000503
2004513622.tif 000504
2004513622.tif 000505
2004513622.tif 000506
2004513622.tif 000507
2004513622.tif 000508
2004513622.tif 000509
2004513622.tif 000510
2004513622.tif 000511
2004513622.tif 000512
2004513622.tif 000513
2004513622.tif 000514
2004513622.tif 000515
2004513622.tif 000516
2004513622.tif 000517
2004513622.tif 000518
2004513622.tif 000519
2004513622.tif 000520
2004513622.tif 000521
2004513622.tif 000522
2004513622.tif 000523
2004513622.tif 000524
2004513622.tif 000525
2004513622.tif 000526
2004513622.tif 000527
2004513622.tif 000528
2004513622.tif 000529
2004513622.tif 000530
2004513622.tif 000531
2004513622.tif 000532
2004513622.tif 000533
2004513622.tif 000534
2004513622.tif 000535
2004513622.tif 000536
2004513622.tif 000537
2004513622.tif 000538
2004513622.tif 000539
2004513622.tif 000540
2004513622.tif 000541
2004513622.tif 000542
2004513622.tif 000543
2004513622.tif 000544
2004513622.tif 000545
2004513622.tif 000546
2004513622.tif 000547
2004513622.tif 000548
2004513622.tif 000549
2004513622.tif 000550
2004513622.tif 000551
2004513622.tif 000552
2004513622.tif 000553
2004513622.tif 000554
2004513622.tif 000555
2004513622.tif 000556
2004513622.tif 000557
2004513622.tif 000558
2004513622.tif 000559
2004513622.tif 000560
2004513622.tif 000561
2004513622.tif 000562
2004513622.tif 000563
2004513622.tif 000564
2004513622.tif 000565
2004513622.tif 000566
2004513622.tif 000567
2004513622.tif 000568
2004513622.tif 000569
2004513622.tif 000570
2004513622.tif 000571
2004513622.tif 000572
2004513622.tif 000573
2004513622.tif 000574
2004513622.tif 000575
2004513622.tif 000576
2004513622.tif 000577
2004513622.tif 000578
2004513622.tif 000579
2004513622.tif 000580
2004513622.tif 000581
2004513622.tif 000582
2004513622.tif 000583
2004513622.tif 000584
2004513622.tif 000585
2004513622.tif 000586
2004513622.tif 000587
【国際公開パンフレット（コレクトバージョン）】
2004513622.tif 000588
【国際調査報告】
2004513622.tif 000589
2004513622.tif 000590
2004513622.tif 000591
2004513622.tif 000592
2004513622.tif 000593